(57)【要約】【課題】仮想化技術を用いた場合において部品間の切り替えを可能にすること。【解決手段】第１の機能又は部品と、第１の機能又は部品と異なる第２の機能又は部品と、を備え、第１の機能又は部品と第２の機能又は部品のいずれか一方は仮想化された機能又は部品であり、第１の機能又は部品と、第２の機能又は部品とは、現用系と待機系の少なくとも一方にそれぞれに設けられ、現用系と待機系の少なくとも一方に設けられた第１の機能又は部品、又は、第２の機能又は部品は、所定のタイミングで通信状態の切替を行う通信装置。【選択図】図１
2018142837.tif 000002
【特許請求の範囲】
【請求項１】
第１の機能又は部品と、
前記第１の機能又は部品と異なる第２の機能又は部品と、
を備え、
前記第１の機能又は部品と前記第２の機能又は部品のいずれか一方は仮想化された機能又は部品であり、
前記第１の機能又は部品と、第２の機能又は部品とは、現用系と待機系の少なくとも一方にそれぞれに設けられ、
現用系と待機系の少なくとも一方に設けられた前記第１の機能又は部品、又は、前記第２の機能又は部品は、所定のタイミングで通信状態の切替を行う通信装置。
【請求項２】
現用系と待機系の少なくとも一方に設けられた前記第１の機能又は部品、又は、現用系と待機系の少なくとも一方に設けられた前記第２の機能又は部品は、前記所定のタイミングで切替を行った後、現用系と待機系の少なくとも一方に設けられた前記第２の機能又は部品、又は、現用系と待機系の少なくとも一方に設けられた前記第１の機能又は部品に対して切替を通告する、請求項１に記載の通信装置。
【請求項３】
現用系と待機系の少なくとも一方に設けられた前記第１の機能又は部品、又は、現用系と待機系の少なくとも一方に設けられた前記第２の機能又は部品は、切替契機になる前、又は、前記切替契機になった後に、現用系と待機系の少なくとも一方に設けられた前記第２の機能又は部品、又は、現用系と待機系の少なくとも一方に設けられた前記第１の機能又は部品から状態情報を取得する、請求項１又は２に記載の通信装置。
【請求項４】
現用系と待機系の少なくとも一方に設けられた前記第１の機能又は部品、又は、現用系と待機系の少なくとも一方に設けられた前記第２の機能又は部品の情報を取得し、保持する保持部をさらに備え、
現用系と待機系の少なくとも一方に設けられた前記第２の機能又は部品、又は、現用系と待機系の少なくとも一方に設けられた前記第１の機能又は部品から状態情報を前記保持部から取得する、請求項１から３のいずれか一項に記載の通信装置。
【請求項５】
第１の機能又は部品と、前記第１の機能又は部品と異なる第２の機能又は部品と、を備え、前記第１の機能又は部品と前記第２の機能又は部品のいずれか一方は仮想化された機能又は部品てある通信装置が行う切替方法であって、
前記第１の機能又は部品と、第２の機能又は部品とは、現用系と待機系の少なくとも一方にそれぞれに設けられ、
現用系と待機系の少なくとも一方に設けられた前記第１の機能又は部品、又は、前記第２の機能又は部品は、所定のタイミングで通信状態の切替を行う切替方法。
【請求項６】
現用系と待機系の少なくとも一方に設けられた仮想化された第１の機能又は部品と、前記第１の機能又は部品と異なる、現用系と待機系の少なくとも一方に設けられた第２の機能又は部品と、を備える通信装置のコンピュータに、
所定のタイミングで現用系と待機系の少なくとも一方に設けられた前記第１の機能又は部品、又は、前記第２の機能又は部品の通信状態の切替を実行させるためのコンピュータプログラム。
【発明の詳細な説明】
【技術分野】
【０００１】
本発明は、通信装置、切替方法及びコンピュータプログラムに関する。
【背景技術】
【０００２】
通信装置を備える通信システムには、例えば、ＰＯＮ（Ｐａｓｓｉｖｅ  Ｏｐｔｉｃａｌ  Ｎｅｔｗｏｒｋ）システムがある。ＰＯＮシステムは、顧客の宅内等に設置されるＯＮＵ（Ｏｐｔｉｃａｌ  Ｎｅｔｗｏｒｋ  Ｕｎｉｔ：光加入者線終端装置）と、局舎に設置される通信装置であるＯＬＴ（Ｏｐｔｉｃａｌ  Ｌｉｎｅ  Ｔｅｒｍｉｎａｌ：光加入者線端局装置）と、ＯＤＮ（Optical Distribution Network、光分岐網）とを備える。ＯＤＮは、複数のＯＮＵと複数のＯＬＴとを接続する場合がある。
【０００３】
通信装置において、装置の準拠規格、世代、方式、システム、機器種別、製造ベンダの少なくともいずれかに関して依存性の低い機能を部品化し、当該機能のアプリケーションプログラミングインタフェース（ＡＰＩ：Ａｐｐｌｉｃａｔｉｏｎ  Ｐｒｏｇｒａｍｍｉｎｇ  Ｉｎｔｅｒｆａｃｅ）等の入出力インタフェース（ＩＦ：Ｉｎｔｅｒｆａｃｅ）の少なくとも一部を明確化し、汎用性・移植性・拡張性を高めることで、準拠規格、世代、方式、システム、機器種別、製造ベンダの少なくともいずれかが異なる機器間での共用や独自機能の追加を容易とすることができる（例えば、非特許文献１参照）。
【先行技術文献】
【非特許文献】
【０００４】
【非特許文献１】”ＦＡＳＡホームページへようこそ”、［online］、ＮＴＴアクセスサービスシステム研究所、［平成２９年２月８日検索］、インターネット〈URL：http://www.ansl.ntt.co.jp/j/FASA/index.html〉
【発明の概要】
【発明が解決しようとする課題】
【０００５】
装置の準拠規格、世代、方式、システム、機器種別、製造ベンダの少なくともいずれかに関して依存性の低い機能を部品化する場合、部品の配置場所は同一筺体内とは限らず、複数筺体に分散して配置されることがある。また、装置の筺体内の部品は、他装置を構成する部品として利用されることがある。
【０００６】
しかしながら、波長、芯線、コア、モード、符号、周波数、（サブ）キャリア等やそれらの組み合わせへのＯＮＵ収容替に伴い、波長、芯線、コア、モード、符号、周波数、（サブ）キャリア等やそれらの組み合わせを終端する、例えばＣＴ（Channel Termination）等、ＣＴ等の群としてのＯＳＵ（Optical Subscriber Unit）、ＯＬＴ、又はＯＬＴ内外のＳＷ（Switch）等の部品間で仮想化技術を用いた場合の信号切替を実行する手段がないという問題があった。
【０００７】
上記事情に鑑み、本発明は、仮想化技術を用いた場合において部品間の切り替えを可能にする技術の提供を目的としている。
【課題を解決するための手段】
【０００８】
本発明の一態様は、第１の機能又は部品と、前記第１の機能又は部品と異なる第２の機能又は部品と、を備え、前記第１の機能又は部品と前記第２の機能又は部品のいずれか一方は仮想化された機能又は部品であり、前記第１の機能又は部品と、第２の機能又は部品とは、現用系と待機系の少なくとも一方にそれぞれに設けられ、現用系と待機系の少なくとも一方に設けられた前記第１の機能又は部品、又は、前記第２の機能又は部品は、所定のタイミングで通信状態の切替を行う通信装置である。
【０００９】
また、本発明の一態様は、上記の通信装置であって、現用系と待機系の少なくとも一方に設けられた前記第１の機能又は部品、又は、現用系と待機系の少なくとも一方に設けられた前記第２の機能又は部品は、前記所定のタイミングで切替を行った後、現用系と待機系の少なくとも一方に設けられた前記第２の機能又は部品、又は、現用系と待機系の少なくとも一方に設けられた前記第１の機能又は部品に対して切替を通告する。
【００１０】
また、本発明の一態様は、上記の通信装置であって、現用系と待機系の少なくとも一方に設けられた前記第１の機能又は部品、又は、現用系と待機系の少なくとも一方に設けられた前記第２の機能又は部品は、切替契機になる前、又は、前記切替契機になった後に、現用系と待機系の少なくとも一方に設けられた前記第２の機能又は部品、又は、現用系と待機系の少なくとも一方に設けられた前記第１の機能又は部品から状態情報を取得する。
【００１１】
また、本発明の一態様は、上記の通信装置であって、現用系と待機系の少なくとも一方に設けられた前記第１の機能又は部品、又は、現用系と待機系の少なくとも一方に設けられた前記第２の機能又は部品の情報を取得し、保持する保持部をさらに備え、現用系と待機系の少なくとも一方に設けられた前記第２の機能又は部品、又は、現用系と待機系の少なくとも一方に設けられた前記第１の機能又は部品から状態情報を前記保持部から取得する。
【００１２】
また、本発明の一態様は、第１の機能又は部品と、前記第１の機能又は部品と異なる第２の機能又は部品と、を備え、前記第１の機能又は部品と前記第２の機能又は部品のいずれか一方は仮想化された機能又は部品てある通信装置が行う切替方法であって、前記第１の機能又は部品と、第２の機能又は部品とは、現用系と待機系の少なくとも一方にそれぞれに設けられ、現用系と待機系の少なくとも一方に設けられた前記第１の機能又は部品、又は、前記第２の機能又は部品は、所定のタイミングで通信状態の切替を行う切替方法である。
【００１３】
また、本発明の一態様は、現用系と待機系の少なくとも一方に設けられた仮想化された第１の機能又は部品と、前記第１の機能又は部品と異なる、現用系と待機系の少なくとも一方に設けられた第２の機能又は部品と、を備える通信装置のコンピュータに、所定のタイミングで現用系と待機系の少なくとも一方に設けられた前記第１の機能又は部品、又は、前記第２の機能又は部品の通信状態の切替を実行させるためのコンピュータプログラムである。
【発明の効果】
【００１４】
本発明により、仮想化技術を用いた場合において部品間の切り替えることが可能となる。
【図面の簡単な説明】
【００１５】
【図１】光スイッチ部（光ＳＷ）の構成例を説明するための図である。
【図２】切替のトリガーがＣＴＲＬから発出しているやり取りの例を示す図である。
【図３】実施形態における、通信装置の処理を説明するための図である。
【図４】実施形態における、通信装置の処理を説明するための図である。
【図５】実施形態における、通信装置の処理を説明するための図である。
【図６】実施形態における、通信装置の処理を説明するための図である。
【図７】実施形態における、ＰＯＮシステムの構成の第１例を示す図である。
【図８】実施形態における、高信頼化で取りうるＮＧ−ＰＯＮ２の構成の例を示す図である。
【図９】実施形態における、切替指示の経路の例を示す図である。
【図１０】実施形態における、ＰＯＮシステムの構成の第２例を示す図である。
【図１１】実施形態における、通信装置のアーキテクチャの第１例を示す図である。
【図１２】実施形態における、通信装置のアーキテクチャの第２例を示す図である。
【図１３】実施形態における、通信装置のアーキテクチャの第３例を示す図である。
【図１４】実施形態における、通信装置のアーキテクチャの第４例を示す図である。
【図１５】実施形態における、通信装置のアーキテクチャの第５例を示す図である。
【図１６】実施形態における、部品又は装置の群からなる仮想的な通信装置又は通信システムの構成の例を示す図である。
【図１７】実施形態における、光アクセスシステムの構成の例を示す図である。
【図１８】実施形態における、通信装置内の機能部間の信号／情報の流れを示す図である。
【図１９】実施形態における、ＰＯＮ主信号処理機能部が有する機能構成の例を示す図である。
【図２０】実施形態における、ＰＯＮアクセス制御機能部が有する機能構成の例を示す図である。
【図２１】実施形態における、Ｌ２主信号処理機能部が有する機能構成の例を示す図である。
【図２２】実施形態における、保守運用機能部が有する機能構成の第１例を示す図である。
【図２３】実施形態における、保守運用機能部が有する機能構成の第２例を示す図である。
【図２４】実施形態における、保守運用機能部が有する機能構成の第３例を示す図である。
【図２５】実施形態における、ＰＯＮマルチキャスト機能部が有する機能構成の例を示す図である。
【図２６】実施形態における、省電力制御機能部が有する機能構成の例を示す図である。
【図２７】実施形態における、周波数・時刻同期機能部が有する機能構成の例を示す図である。
【図２８】実施形態における、プロテクション機能部が有する機能構成の例を示す図である。
【図２９】実施形態における、通信装置のアーキテクチャの詳細の例を示す図である。
【図３０】実施形態における、通信装置内の機能部間の信号／情報の流れを示す図である。
【図３１】実施形態における、通信装置が実行するアプリの例を示す図である。
【図３２】実施形態における、ＣＰＵパッケージの代わりにサーバ等にアプリを配置した例を示す図である。
【図３３】実施形態における、ＣＰＵ、スイッチ部（ＳＷ）及びＯＳＵの機能の例を示す図である。
【図３４】実施形態における、主要８機能のアプリの処理とＧ．９８９．３機能との対応の例を示す図である。
【図３５】実施形態における、ＰＬＯＡＭ及びＯＭＣＩをＳＷ経由で取得する構成の例を示す図である。
【発明を実施するための形態】
【００１６】
本発明の実施形態について、図面を参照して詳細に説明する。
【００１７】
（実施形態１）
通信装置は、例えば、ＰＯＮ等のＯＤＮ等の光ファイバ網等の通信網を経由する光信号等の信号によって、他の通信装置との通信を実行する通信装置である。通信装置は、例えば、ＯＬＴである。通信装置は、例えば、ＯＳＵ（Ｏｐｔｉｃａｌ  Ｓｕｂｓｃｒｉｂｅｒ  Ｕｎｉｔ）でもよい。通信装置は、例えば、光信号を切り替えるスイッチ部（ＳＷ）を備える又は備えないＯＬＴと、他のスイッチ部（ＳＷ）との組み合わせでもよい。通信装置は、例えば、ＯＬＴとＯＮＵとの組み合わせでもよい。通信装置は複数の機器を備えてもよい。また、ＯＮＵやＭＵＸ（マルチプレクサ）やＤＥＭＵＸ（デマルチプレクサ）やスイッチ等の他の通信装置であってもよい。
【００１８】
次に、例として、通信装置が、ＴＷＤＭ（Ｔｉｍｅ  ａｎｄ  Ｗａｖｅｌｅｎｇｔｈ  Ｄｉｖｉｓｉｏｎ  Ｍｕｌｔｉｐｌｅｘ）−ＰＯＮシステムのようなＩＴＵ−Ｔ勧告準拠のＰＯＮのＯＬＴである場合を前提に、動作等を例示する。ここで、ＴＷＤＭ−ＰＯＮとしているが、ＰＯＮは、ＩＴＵ−Ｔ勧告準拠のＴＷＤＭ−ＰＯＮ以外のＰＯＮであってもよい。例えば、ＰＯＮは、ＧＥ（Ｇｉｇａｂｉｔ  Ｅｔｈｅｒｎｅｔ（登録商標））−ＰＯＮ、１０  ＧＥ−ＰＯＮ等のＩＥＥＥ規格準拠のＰＯＮであってもよい。ＴＣ（Ｔｒａｎｓｍｉｓｓｉｏｎ  Ｃｏｎｖｅｒｇｅｎｃｅ）レイヤやＰＭＤ（Ｐｈｙｓｉｃａｌ  Ｍｅｄｉｕｍ  Ｄｅｐｅｎｄｅｎｔ）レイヤは、標準規格において対応する層に読み替えれば同様である。
【００１９】
通信装置は、ハードウェア又はソフトウェア又はそれらの組み合わせの部品又は部品化した機能を備える。例えば、通信装置は、サービス毎あるいは通信事業者毎に異なる機能等を、汎用化した入出力インタフェース（例えば、ＦＡＳＡ（Flexible Access System Architecture：新アクセスシステムアーキテクチャ）アプリケーションＡＰＩ）を用いて実現されるソフトウェア部品であるアプリケーション（例えばＦＡＳＡアプリケーション）と、該アプリケーションに汎用化した該入出力インタフェースを提供すると共に標準化されている等の理由で、サービスや要求に応じた変更が不要な機能を提供するアクセスネットワーク装置の基盤的構成要素（例えば、ＦＡＳＡ基盤）とを備える。ここで、汎用化した入出力インタフェースを用いることにより、機能の追加や入替を容易にし、様々な要求のサービスを柔軟かつ迅速に提供する。なお、本明細書では、アプリケーションを「アプリ」とも記載する。
【００２０】
部品間のやり取りは、例えば、後述のミドルウェア部１２０を介すが、通信装置５１の独自の転送経路や手段を用いてもよいし、ＯｐｅｎＦｌｏｗや、Ｎｅｔｃｏｎｆ／ＹＡＮＧや、ＳＮＭＰ（Ｓｉｍｐｌｅ  Ｎｅｔｗｏｒｋ  Ｍａｎａｇｅｍｅｎｔ  Ｐｒｏｔｏｃｏｌ）等の規格化された手段を用いてもよい。
【００２１】
また、部品間のやり取りは、内部配線、バックボード、ＯＡＭ部、主信号線、専用の配線、オペレーションシステム、コントローラ又は制御盤（Ｃｏｎｔ盤）等の経路のいずれでよい。部品間のやり取りを直接終端して入力する場合、ＯＡＭ部又は主信号にカプセル化してもよい。部品間のやり取りをいずれかの箇所で終端して、内部配線、バックボード、ＯＡＭ部、主信号線、専用の配線、オペレーションシステム、コントローラ又は制御盤等の経路を経由して入力してもよい。ＯＡＭ部や主信号線を用いる場合、ＯＡＭ部や主信号にカプセル化することが望ましい。主信号線を通す場合はＯＳＵ又は他箇所のスイッチ部にて振り分けることが望ましい。
【００２２】
通信装置は、処理実体と、仮想化実体と、保持部とを備える。処理実体と仮想化実体、それぞれ第１の機能又は部品と第２の機能又は部品であるか又は処理実体と仮想化実体、それぞれ第２の機能又は部品と第１の機能又は部品であるか。処理実体とは、例えば、ハードウェア部品であり、例えば、ＣＴ、ＯＳＵ、ＯＬＴ、スイッチ部（ＳＷ）、光スイッチ部（光ＳＷ）、切替時等のフレーム落ち等を抑止するためのバッファやバックプレッシャー等の処理又はフレームの到着を抑止する遅延回路又はそれらの切替機能である。例えば、それらの部品に対応する又はそれらに含まれる機能に関するソフトウェア部品であってもよく、ミドルウェアや基本機能等のソフトウェアであってもよく、複数のハードウェア部品であってもよく、複数のソフトウェア部品でもよく、ハードウェア部品とソフトウェア部品の組み合わせであってもよい。仮想化実体は、ソフトウェアで実現される仮想的な機能又は部品であり、例えばｖＣＴ、ｖＯＳＵ、ｖＯＬＴ、ｖスイッチ部（ＳＷ）、ｖ光スイッチ部（光ＳＷ）及びｖバッファ等である。仮想的な機能又は部品は、当該機能又は部品の少なくとも一部の機能や処理を備える。例えば、ｖＯＬＴであれば、（マルチキャストの視聴（ＯＮＵやＬＬＩＤやＡｌｌｏｃＩＤやＩＰアドレスやＭＡＣアドレス等毎のＩＧＭＰやＭＬＤのＪｏｉｎやＬｅａｖｅ等）の管理やスヌーフィング、帯域設定情報や、帯域割当や帯域使用等の履歴や、ＶＬＡＮ設定やＶｘＬＡＮ設定や、Ｄｉｓｃｏｖｅｒｙや認証状況やＯＮＵ等のＳＴＡＴＥ情報やＤＨＣＰの割当情報やＭＡＣ学習テーブル等の機能を備えてもよい。例えば、仮想化実体は、コントローラ又は制御部等の他の部品とやり取りするインタフェースであり、コントローラ又は制御部等の他の部品とのやり取りを変換して処理実体に入力したり、処理実体の出力を変換してコントローラ又は制御部等の他の部品に出力する。例えば、仮想化実体は、状態をコントローラ又は制御部等の他の部品に表示する。仮想化実体は、例えばコントローラ上やＯＬＴのＣｏｎｔ盤上やＳＷ上にあってもよく、それらを構成する一部がＣｏｎｔ盤上やＳＷ上にあり、残りがコントローラ上にあってもよい。
【００２３】
保持部は、処理実体自体、処理実体の切替元、処理実体の切替先、処理実体の切替元の（主信号上の）対向装置、処理実体の切替先の対応装置、コントローラ等又はそれらの少なくとも一部処理を代行するプロキシー上や、外部のサーバ等のいずれにあっても、少なくとも処理実体又は仮想化実体のいずれか一方が状態情報を格納又は取得できる場所であればよい。
本実施形態における通信装置は、処理実体の切替を実現する。
【００２４】
切替は、光通信システムにおける通信状態の切り替えを表す。光通信システムにおける通信状態の切り替えとは、例えば、波長切替や芯線切替やコア切替やモード切替や符号切替や周波数切替や（サブ）キャリア切替や光スイッチ切替やそれらの組み合わせであってもよい。波長切替や芯線切替やコア切替やモード切替や符号切替や周波数切替や（サブ）キャリア切替やそれらの組み合わせでは、ＯＮＵ側及びＯＬＴ側の波長や芯線やコアやモードや符号や周波数や（サブ）キャリア等やそれらの組み合わせに対応する送信機を切替又はＯＮＵとＯＬＴの少なくともいずれか一方で送芯又は受信する波長や芯線やコアやモードや符号や周波数や（サブ）キャリア等やそれらの組み合わせを切替すればよい。以下の説明では、波長は波長、芯線は芯線、コアはコア、モードはモード、符号は符号、周波数は周波数、と対応する通信路での切替で例示しているが、波長を芯線又はコア又はモード又は符号又は周波数のように切替してもよい。
【００２５】
また、以下の説明では、主に波長切替を中心に説明しているが、光通信システムにおける通信状態の切替とは、例えば、機能又は部品の切替であってもよい。機能又は部品の切替は、機能又は部品自体を切替える又は主信号や制御信号等の信号又は処理が経由する機能又は部品の経路を切替えればよい。切替する現用系と待機系は、機能と機能、部品と部品、機能と部品であってもよいし、機能又は部品は、機能又は部品に期待される処理をしないで透過や伝送するのみの経路やスタブ等であってもよい。
【００２６】
以下の例で、例えば、現用系と待機系それぞれの処理実体又は現用系と待機系それぞれの仮想化実体又は保持部が同一の情報を共有している場合は、共有間での情報のやり取りを省略してもよい。また、少なくとも一部の処理実体は仮想化実体をもたなくても、その実体に関する仮想化実体と処理実体間のやりとりを省略し、仮想化実体に対するやりとりを処理実体が応答すればよい。また、状態情報や制御情報のやり取りは共通信号線、主信号線、内部配線、ＣＴＲＬ（Ｃｏｎｔ盤又はコントローラ）間やそれらの組み合わせであってもよい。現用系と待機系は同一であってもよい。特に、複数の機能又は部品間への入出力を切替するスイッチや光スイッチやミドルウェアや基本機能部の場合である。
【００２７】
切替の始点は、ＣＴＲＬ、光ＳＷ、ＣＴ、ＯＳＵ、ＳＷのいずれであってもよく、例えば処理実体又は仮想化実体が導通の有無やヘルスチェックへの応答の有無や自己診断結果等に基づく場合である。
切替は所定のタイミングで行う。所定のタイミングとは、例えば、故障以外の切替では、フレーム落ちが無いように、フレーム導通のない時や、現用系での処理中又は処理待ちのフレームがなくなった時等である。故障切替であれば、フレームが転送すべきでない宛先に送付されない状態、例えば待機系側で宛先設定済みや、転送すべきでない出力が阻止される設定済みとなった時である。
【００２８】
切替指示は以下の例では仮想化実体が出力する例で主に示しているが、処理実体が出力してもよいし、隣接機能や隣接部品やその他の機能やその他の部品から出力してもよい。また、所定のタイミングとなるようにコントローラ又は制御部又はアプリケーションまたはプラットホームまたは拡張部又は基本部又はミドルウェア又はサーバ又はプロキシー等からの指示に従って仮想化実体又は処理実体又はその他の機能や部品が指示してもよい。
また、状態情報や指示は、現用系と待機系の間でやり取りしてもよいし、現用系の仮想化実体と現用系の処理実体、待機系の仮想化実体と待機系の処理実体、現用系の仮想化実体と待機系の処理実体、待機系の仮想化実体と待機系の処理実体でやり取りしてもよい。
【００２９】
切替に際して、現用系に待機系（例えば、該当ＯＮＵ／全ＯＮＵ／ＣＴ／ＯＳＵ／ＯＬＴ）のクロックを同期してもよいし、現用系に待機系（例えば、該当ＯＮＵ／全ＯＮＵ／ＣＴ／ＯＳＵ／ＯＬＴ）のクロックを同期(伝搬遅延差も差を加減算した値として補正するのが望ましい）してもよいし、待機系に現用系（例えば、該当ＯＮＵ／全ＯＮＵ／ＣＴ／ＯＳＵ／ＯＬＴ）をドリフトさせてクロックを同期してもよいし、待機系に現用系（例えば、該当ＯＮＵ／全ＯＮＵ／ＣＴ／ＯＳＵ／ＯＬＴ）をドリフトさせてクロックを同期(伝搬遅延差も差を加減算した値として補正）してもよい。
【００３０】
また、ＯＮＵと信号の位相差が規定の値を超えて警報を検出しても初期状態に遷移抑止(切替前又は同時又は後に抑止判定又は抑止指示）してもよいし、ＯＮＵと信号の位相差が規定の値を超えても警報を検出抑止(切替前又は同時又は後に抑止判定又は抑止指示）してもよいし、ＯＮＵと信号の位相差が規定の値を変更(切替前又は同時又は後に変更判定又は変更指示）してもよいし、ＯＮＵと信号の位相差の検出抑止(切替前／同時／後に抑止判定又は抑止指示）してもよい。
【００３１】
図１は、光スイッチ部（光ＳＷ）の構成例を説明するための図である。図１に示す光スイッチ部（光ＳＷ）の具体的な構成については後述する。図１に示す光合分波器等とは、例えば光スプリッタ(光カプラ、パワースプリッタ)と波長合分岐器等を表す。
図２は、切替のトリガーがＣＴＲＬから発出しているやり取りの例を示す図である。図２に示す「ＣＴ保持」及び「対向保持」とは、少なくともＣＴに関する設定や状態情報の少なくともいずれかをＣＴ又は対向するＳＷでそれぞれ保持している場合の例である。すなわち、「ＣＴ保持」とは、少なくともＣＴに関する設定や状態情報の少なくともいずれかをＣＴで保持していることを表す。「対向保持」とは、少なくともＣＴに関する設定や状態情報の少なくともいずれかを対向するＳＷで保持していることを表す。
【００３２】
ＳＷ間接続活用、ＣＴ間接続、ＳＷＣＴ間接続活用は、ＳＷ間接続、ＣＴ間接続、ＳＷ間とＣＷ間の接続を介して切替の制御を伝える例である。図２において、括弧で括っている矢印のやり取りは、他のやり取りで代用できる場合は実行しなくてもよいことを示す。
ＳＷ間接続活用は、現用系と待機系のそれぞれのＣＴと対向するＳＷが同一又はＳＷ間で通信している場合に適する。ＣＴ間接続は、現用系と待機系のそれぞれのＣＴが同一ＣＴ（同一ＣＴ内で複数波長のＴＲｘを備え、同一ＣＴ内で波長を切替する場合）、又は、同一ＯＮＵ（同一ＯＳＵ内のＣＴ間で切替する場合）である場合、又は、ＣＴ間やＯＳＵ間で通信している場合に適する。
【００３３】
ＣＴ保持におけるＳＷ間接続活用では、切替の制御は、ＣＴＲＬからＣＴ＃１に、ＣＴ＃１からＳＷ＃１に、ＳＷ＃１からＳＷ＃２に、ＳＷ＃２からＣＴ＃１にそれぞれ伝える。ここで、括弧で括っているＣＴＲＬからＳＷ＃１へのやり取りは、ＣＴＲＬからＣＴ＃１へとＣＴ＃１からＳＷ＃１で代用することが可能である。この例に示すやり取りは、少なくともＣＴに関する設定や状態情報の少なくともいずれかをＣＴ＃１が保持する場合に適する。
【００３４】
ＣＴ保持におけるＣＴ間接続活用では、切替の制御は、ＣＴＲＬからＳＷ＃１に、ＳＷ＃１からＣＴ＃１に、ＣＴ＃１からＣＴ＃２に、ＣＴ＃２からＳＷ＃２にそれぞれ伝える。ここで、括弧で括っているＣＴＲＬからＣＴ＃１へのやり取りは、ＣＴＲＬからＳＷ＃１へとＳＷ＃１からＣＴ＃１で代用することが可能である。この例に示すやり取りは、少なくともＣＴに関する設定や状態情報の少なくともいずれかをＣＴ＃１が保持する場合に適する。
【００３５】
ＣＴ保持におけるＳＷＣＴ間接続活用では、切替の制御は、ＣＴＲＬからＣＴ＃１と、ＣＴＲＬからＳＷ＃１に、ＣＴ＃１からＣＴ＃２に、ＳＷ＃１からＳＷ＃２にそれぞれ伝える。この例に示すやり取りは、少なくともＣＴに関する設定や状態情報の少なくともいずれかをＣＴ＃１が保持する場合に適する。
【００３６】
ＣＴ保持におけるＳＷ間接続活用では、切替の制御は、ＣＴＲＬからＣＴ＃２に、ＣＴ＃２からＳＷ＃１に、ＳＷ＃１からＳＷ＃２に、ＳＷ＃２からＣＴ＃１にそれぞれ伝える。ここで、括弧で括っているＣＴＲＬからＳＷ＃２へのやり取りは、ＣＴＲＬからＣＴ＃２へとＣＴ＃２からＳＷ＃１へとＳＷ＃１からＳＷ＃２とで代用することが可能である。この例に示すやり取りは、少なくともＣＴに関する設定や状態情報の少なくともいずれかをＣＴ＃２が保持する場合に適する。この例に示すやり取りは、ＣＴ＃２とＳＷ＃１及びＣＴ＃１とＳＷ＃２のたすき掛けで通信できる場合に適する。
【００３７】
ＣＴ保持におけるＣＴ間接続活用では、切替の制御は、ＣＴＲＬからＳＷ＃１に、ＳＷ＃１からＣＴ＃１に、ＣＴ＃１からＣＴ＃２に、ＣＴ＃２からＳＷ＃２にそれぞれ伝える。ここで、括弧で括っているＣＴＲＬからＣＴ＃１は、ＣＴＲＬからＳＷ＃２へとＳＷ＃２からＣＴ＃１で代用することが可能である。この例に示すやり取りは、少なくともＣＴに関する設定や状態情報の少なくともいずれかをＣＴ＃２が保持する場合に適する。この例に示すやり取りは、ＣＴ＃２とＳＷ＃１及びＣＴ＃１とＳＷ＃２のたすき掛けで通信できる場合に適する。
【００３８】
ＣＴ保持におけるＳＷＣＴ間接続活用では、切替の制御は、ＣＴＲＬからＣＴ＃１とＳＷ＃１に、ＣＴ＃１からＣＴ＃２に、ＳＷ＃１からＳＷ＃２にそれぞれ伝える。この例に示すやり取りは、少なくともＣＴに関する設定や状態情報の少なくともいずれかをＣＴ＃１が保持する場合に適する。
【００３９】
対向保持におけるＳＷ間接続活用では、切替の制御は、ＣＴＲＬからＳＷ＃１に、ＳＷ＃１からＳＷ＃２に、ＳＷ＃２からＣＴ＃２にそれぞれ伝える。この例に示すやり取りは、少なくともＣＴに関する設定や状態情報の少なくともいずれかをＳＷ＃１が保持する場合に適する。
【００４０】
対向保持におけるＣＴ間接続活用では、切替の制御は、ＣＴＲＬからＳＷ＃１に、ＳＷ＃１からＣＴ＃１に、ＣＴ＃１からＣＴ＃２に、ＣＴ＃２からＳＷ＃２にそれぞれ伝える。この例に示すやり取りは、少なくともＣＴに関する設定や状態情報の少なくともいずれかをＳＷ＃１が保持する場合に適する。
【００４１】
対向保持におけるＳＷＣＴ間接続活用では、切替の制御は、ＣＴＲＬからＣＴ＃１とＳＷ＃１に、ＣＴ＃１からＣＴ＃２に、ＳＷ＃１からＳＷ＃２にそれぞれ伝える。この例に示すやり取りは、少なくともＣＴに関する設定や状態情報の少なくともいずれかをＳＷ＃１が保持する場合に適する。
【００４２】
ここで、上記は、ＳＷは情報を現用系と待機系で共用する例で説明したが、共用しない場合は、ＣＴ保持の場合のＣＴ＃１に対応するＣＴ＃２の場合と同様に、ＳＷ＃１に対応するＳＷ＃２の場合にすれば同様である。また、ＣＴの保持する情報について説明したが、ＳＷに保持する情報の場合は、ＳＷとＣＴを入替えれば同様である。また、ＣＴＲＬから切替トリガーを発出する例で示したが、ＣＴＲＬ以外の切替に係るＣＴやＳＷ又は他の構成要素や他の装置から発出してもよい。また、ＣＴ−ＳＷ間での切替について例示したが、それ以外の構成要素や他の装置の切替であっても読み替えれば同様である。
【００４３】
また、下記の（１）〜（８）は処理実体毎、仮想化実体毎に組み合わせてもよい。また、現用系の処理実体と仮想化実体の間、待機系の処理実体と仮想化実体の間でのやり取りの例で例示しているが、図２に示すようにたすき掛け即ち、現用系の処理実体と待機系の仮想化実体の間、待機系の処理実体と現用系の仮想化実体の間でやりとりしてもよいし、待機系と現用系が存在するように記載しているが、例えばスイッチや光スイッチやミドルウェアや基本機能部等は特に切替を行う経路又は機能又は部品の一部は待機系と現用系が同一であってもよいし、故障している機能又は部品に関するやりとりは省略してもよいし、待機系統の故障していない機能又は部品がやり取りを代行してもよいし、スイッチ等の機能又は部品又は装置上に仮想化実体が存在する部品に関しては仮想化実体と処理実体が縮退していてもよい。
【００４４】
以下、図３〜図６を用いて、下記の（１）〜（８）について説明する。なお、図３〜図６では、現用系の処理実体から待機系の処理実体に情報を入力する例で示しているが、待機系の処理実体から現用系の処理実体に、又は、現用系の仮想化実体から待機系の仮想化実体に、又は、待機系の仮想化実体から現用系の仮想化実体に、又は、現用系の処理実体から待機系の仮想化実体に、又は、現用系の仮想化実体から待機系の仮想化実体に、又は、待機系の処理実体から現用系の仮想化実体に、又は、待機系の仮想化実体から現用系の処理実体に、それぞれ必要に応じて情報を入力する。
【００４５】
（１）仮想化実体による切替（図３の（１）及び図５の（１）に相当）
１．現用系の仮想化実体は、周期的、又は、ＯＮＵのステートやマルチキャスト等の受信や認証や帯域等のリソースの利用履歴の状態情報変化自体や状態情報変化を起こす変化や設定変更等のイベント発生時に、現用系の処理実体から状態等の情報を取得する（図３の{１}及び図５の{１}）。現用系の仮想化実体が取得する状態等の情報としては、例えば待機側の受入可能等の状態等の情報を取得であることが望ましい。現用系の仮想化実体は、情報を、処理実体自体から又はそれ以外の状態等の情報を格納しているところから取得してもよい（図３の{１}及び図５の{１}）。なお、以下の説明において、「情報を取得する」とは、受け取り側が主体的に情報を取りに行く、又は、受け取り側が受動的に情報を取得する、送り側が受け取り側が主体的に情報を送る、又は送り側が受動的に情報を送ることを意味する。
２．切替契機到来（上位ＯｐＳ等からの指示、故障等の警報検出等）
３．現用系の仮想化実体は、待機系の仮想化実体に該当する情報自体又は同ポインタ又は同アクセス権を渡す（図３の{３}及び図５の{３}）。現用系の仮想化実体は、情報を、仮想化実体自体から又はそれ以外の状態等の情報を格納しているところから取得してもよい。
４．待機系の処理実体は、仮想化実体から状態等の情報を取得する（図３の{４}及び図５の{４}）。処理実体が取得する情報としては、待機側の受入可能等の状態等の情報である。処理実体は、情報を、仮想化実体自体から又は情報を格納しているところから取得してもよいし、５の切替指示に際して取得してもよい。
５．現用系の仮想化実体及び待機系の仮想化実体は、現用系の処理実体及び待機系の処理実体に切替を指示する（図３の［５］）。又は現用系の処理実体及び待機系の処理実体は切替し、現用系の仮想化実体及び待機系の仮想化実体に切替を通告してもよい（図５の［５］）。なお、切替は、フレーム落ち等が無いように同期させることが望ましい。例えば、現用系の滞留するフレームが出力終了するまで現用系のフレームを出力且つ待機系への入力フレームは待機系内又は待機系外のバッファに保持しておき、その後に待機系のフレームを出力する。この場合の同期とは、後述するように現用系から出力終了を待機系に通知し通知以降に切替する又は、滞留するフレーム量を通知して、出力速度から出力終了時刻又は時間を算出し当該時刻又は時間経過後に切替する又は、滞留し得る最大のフレーム量を通知或いは予め保持しておき出力速度から最遅出力終了時刻又は時間を算出し当該時刻又は時間経過後に切替する。これは以降の例でも同様である。
【００４６】
（２）仮想化実体による切替（図３の（２）及び図５の（２）に相当）
１．切替契機到来(上位ＯｐＳ等からの指示、故障等の警報検出等）
２．現用系の仮想化実体は、現用系の処理実体から状態等の情報を取得する（図３の{２}及び図５の{２}）。現用系の仮想化実体が取得する状態等の情報としては、例えば待機側の受入可能等の状態等の情報を取得であることが望ましい。現用系の仮想化実体は、情報を、処理実体自体から又はそれ以外の状態等の情報を格納しているところから取得してもよい（図３の{２}及び図５の{２}）。
３．現用系の仮想化実体と待機系の仮想化実体との間で該当する情報自体又は同ポインタ又は同アクセス権を渡す（図３の{３}及び図５の{３}）。なお、情報は、仮想化実体自体から又はそれ以外の状態等の情報を格納しているところから取得してもよい。
４．待機系の処理実体は、待機系の仮想化実体から状態等の情報を取得する（図３の{４}及び図５の{４}）。待機系の処理実体が取得する情報としては、待機側の受入可能等の状態等の情報である。待機系の処理実体は、情報を、仮想化実体自体から又は情報を格納しているところから取得してもよいし、５の切替指示に際して取得してもよい。
５．現用系の仮想化実体及び待機系の仮想化実体は、現用系の処理実体及び待機系の処理実体に切替を指示する（図３の［５］）。又は現用系の処理実体及び待機系の処理実体は切替し、現用系の仮想化実体及び待機系の仮想化実体に切替を通告してもよい（図５の［５］）。なお、切替は、フレーム落ち等が無いように同期させることが望ましい。
【００４７】
（３）仮想化実体による切替（図３の（３）及び図５の（３）に相当）
１．周期的、又は、ＯＮＵのステートやマルチキャスト等の受信や認証や帯域等のリソースの利用履歴の状態情報変化自体や状態情報変化を起こす変化や設定変更等のイベント発生時に、待機系の処理実体は、現用系の処理実体から状態等の情報を取得する（図３の{１}及び図５の{１}）。待機系の処理実体が取得する情報としては、待機側の受入可能状態の現用側への取得の情報であるのが望ましい。待機系の処理実体は、情報を、現用又は待機処理実体自体から又はそれ以外の状態等の情報を格納しているところから取得してもよい（図３の{１}及び図５の{１}）。
２．切替契機到来(上位ＯｐＳ等からの指示、故障等の警報検出等）
３．現用系の仮想化実体及び待機系の仮想化実体は、処理実体に切替を指示する（図３の［３］）。又は現用系の処理実体及び待機系の処理実体は切替し、現用系の仮想化実体及び待機系の仮想化実体に切替を通告してもよい（図５の［３］）。なお、切替は、フレーム落ち等が無いように同期させることが望ましい。
【００４８】
（４）仮想化実体による切替（図３の（４）及び図５の（４）に相当）
１．切替契機到来(上位ＯｐＳ等からの指示、故障等の警報検出等）
２．待機系の処理実体は、現用系の処理実体から状態等の情報を取得する（図３の{２}及び図５の{２}）。待機系の処理実体が取得する情報としては、待機側の受入可能状態の現用側への取得の情報であるのが望ましい。待機系の処理実体は、情報を、現用又は待機処理実体自体から又はそれ以外の状態等の情報を格納しているところから取得してもよいし、３の切替指示に際して取得してもよい（図３の{２}及び図５の{２}）。
３．現用系の仮想化実体及び待機系の仮想化実体は、現用系の処理実体及び待機系の処理実体に切替を指示する（図３の［３］）。又は現用系の処理実体及び待機系の処理実体は切替し、現用系の仮想化実体及び待機系の仮想化実体に切替を通告してもよい（図５の［３］）。なお、切替は、フレーム落ち等が無いように同期させることが望ましい。
【００４９】
（５）仮想化実体による切替（図４の（５）及び図６の（５）に相当）
１．周期的、又は、ＯＮＵのステートやマルチキャスト等の受信や認証や帯域等のリソースの利用履歴の状態情報変化自体や状態情報変化を起こす変化や設定変更等のイベント発生時に、保持部は、現用系の処理実体から状態等の情報を取得する（図４の{１}及び図６の{１}）。保持部が取得する情報としては、待機側の受入可能等の状態等の情報であるのが望ましい。保持部は、情報を、処理実体自体から又はそれ以外の状態等の情報を格納しているところから取得してもよい。
２．切替契機到来（上位ＯｐＳ等からの指示、故障等の警報検出等）
３．現用系の仮想化実体は、待機系の仮想化実体に該当する情報自体又は同ポインタ又は同アクセス権を渡す（図４の{３}及び図６の{３}）。本例では、主にポインタ又は同アクセス権である。情報は、仮想化実体自体から又はそれ以外の状態等の情報を格納しているところから取得してもよい。
４．待機系の処理実体は、保持部から状態等の情報を取得する（図４の{４}及び図６の{４}）。待機系の処理実体が取得する情報としては、待機側の受入可能等の状態等の情報である。待機系の処理実体は、情報を、仮想化実体自体から又は情報を格納しているところから取得してもよい。５の切替指示に際して取得してもよい。
５．現用系の仮想化実体及び待機系の仮想化実体は、現用系の処理実体及び待機系の処理実体に切替を指示する（図４の［５］）。又は現用系の処理実体及び待機系の処理実体は切替し、現用系の仮想化実体及び待機系の仮想化実体に切替を通告してもよい（図６の［５］）。なお、切替は、フレーム落ち等が無いように同期させることが望ましい。
【００５０】
（６）仮想化実体による切替（図４の（６）及び図６の（６）に相当）
１．切替契機到来（上位ＯｐＳ等からの指示、故障等の警報検出等）
２．周期的、又は、ＯＮＵのステートやマルチキャスト等の受信や認証や帯域等のリソースの利用履歴の状態情報変化自体や状態情報変化を起こす変化や設定変更等のイベント発生時に、保持部は、現用系の処理実体から状態等の情報を取得する（図４の{２}及び図６の{２}）。保持部が取得する情報としては、待機側の受入可能等の状態等の情報であるのが望ましい。保持部は、情報を、処理実体自体から又はそれ以外の状態等の情報を格納しているところから取得してもよい。
３．現用系の仮想化実体は、待機系の仮想化実体に該当する情報自体又は同ポインタ又は同アクセス権を渡す（図４の{３}及び図６の{３}）。本例では、主にポインタ又は同アクセス権である。情報は、仮想化実体自体から又はそれ以外の状態等の情報を格納しているところから取得してもよい。
４．待機系の処理実体は、保持部から状態等の情報を取得する（図４の{４}及び図６の{４}）。待機系の処理実体が取得する情報としては、待機側の受入可能等の状態等の情報である。待機系の処理実体は、情報を、仮想化実体自体から又は情報を格納しているところから取得してもよい（図４の{４}及び図６の{４}）。５の切替指示に際して取得してもよい。
５．現用系の仮想化実体及び待機系の仮想化実体は、現用系の処理実体及び待機系の処理実体に切替を指示する（図４の［５］）。又は現用系の処理実体及び待機系の処理実体は切替し、現用系の仮想化実体及び待機系の仮想化実体に切替を通告してもよい（図６の［５］）。なお、切替は、フレーム落ち等が無いように同期させることが望ましい。
【００５１】
（７）仮想化実体による切替（図４の（７）及び図６の（７）に相当）
１．保持部は、現用系の処理実体から状態等の情報を取得する（図４の{１}及び図６の{１}）。保持部が取得する情報としては、待機側の受入可能等の状態等の情報であるのが望ましい。保持部は、情報を、処理実体自体から又はそれ以外の状態等の情報を格納しているところから取得してもよい。
２．切替契機到来(上位ＯｐＳ等からの指示、故障等の警報検出等）
３．現用系の処理実体と待機系の処理実体との間で該当する情報自体又は同ポインタ又は同アクセス権を渡す（図４の{３}及び図６の{３}）。情報は、仮想化実体自体から又はそれ以外の状態等の情報を格納しているところから取得してもよい。
４．待機系の処理実体は、保持部から状態等の情報を取得する（図４の{４}及び図６の{４}）。待機系の処理実体が取得する情報としては、待機側の受入可能等の状態等の情報であるのが望ましい。待機系の処理実体は、情報を、仮想化実体自体から又はそれ以外の状態等の情報を格納しているところから取得してもよい。５の切替指示に際して取得してもよい。
５．現用系の仮想化実体及び待機系の仮想化実体は、現用系の処理実体及び待機系の処理実体に切替を指示する（図４の［５］）。又は現用系の処理実体及び待機系の処理実体は切替し、現用系の仮想化実体及び待機系の仮想化実体に切替を通告してもよい（図６の［５］）。なお、切替は、フレーム落ち等が無いように同期させることが望ましい。
【００５２】
（８）仮想化実体による切替（図４の（８）及び図６の（８）に相当）
１．切替契機到来(上位ＯｐＳ等からの指示、故障等の警報検出等）
２．保持部は、現用系の処理実体から状態等の情報を取得する（図４の{２}及び図６の{２}）。保持部が取得する情報としては、待機側の受入可能等の状態等の情報であるのが望ましい。保持部は、情報を、処理実体自体から又はそれ以外の状態等の情報を格納しているところから取得してもよい。
３．現用系の処理実体と待機系の処理実体との間で該当する情報自体又は同ポインタ又は同アクセス権を渡す（図４の{３}及び図６の{３}）。情報は、仮想化実体自体から又はそれ以外の状態等の情報を格納しているところから取得してもよい。
４．待機系の処理実体は、保持部から状態等の情報を取得する（図４の{４}及び図６の{４}）。待機系の処理実体が取得する情報としては、待機側の受入可能等の状態等の情報であるのが望ましい。処理実体は、情報を、仮想化実体自体から又はそれ以外の状態等の情報を格納しているところから取得してもよい。５の切替指示に際して取得してもよい。
５．現用系の仮想化実体及び待機系の仮想化実体は、現用系の処理実体及び待機系の処理実体に切替を指示する（図４の［５］）。又は現用系の処理実体及び待機系の処理実体は切替し、現用系の仮想化実体及び待機系の仮想化実体に切替を通告してもよい（図６の［５］）。なお、切替は、フレーム落ち等が無いように同期させることが望ましい。
【００５３】
なお、切替指示及び切替通告は、切替以前に仮想化実体と処理実体との間で予め通信しておいて、所定のタイミングで有効になってもよい。この場合、仮想化実体は、所定のタイミングになった場合に処理実体に切替を指示する。また、この場合、処理実体は、所定のタイミングになった場合に切り替えを行い、仮想化実体に通告する。
また、上記の（１）〜（８）では、現用系の処理実体の状態情報を待機系の処理実体に渡す一例について説明したが、本実施形態における通信装置の処理はこれに限定されない。例えば、通信装置は、待機系の受入可否等の状態情報を現用系の処理実体に戻す処理を行ってもよいし、仮想化実体の状態情報を処理実体に渡す処理を行ってもよい。
【００５４】
待機系の受入可否等の状態情報を現用系の処理実体に戻す処理の場合には、上記の（１）〜（８）に示す処理と逆の手順で行われる。一例（上記（１）を例とする）を挙げて説明する。
１．待機系の仮想化実体は、周期的、又は、ＯＮＵのステートやマルチキャスト等の受信や認証や帯域等のリソースの利用履歴の状態情報変化自体や状態情報変化を起こす変化や設定変更等のイベント発生時に、待機系の処理実体から状態等の情報を取得する。待機系の仮想化実体が取得する状態等の情報としては、例えば待機側の受入可能等の状態等の情報を取得であることが望ましい。
２．切替契機到来（上位ＯｐＳ等からの指示、故障等の警報検出等）
３．待機系の仮想化実体は、現用系の仮想化実体に該当する情報自体又は同ポインタ又は同アクセス権を渡す。待機系の仮想化実体は、情報を、仮想化実体自体から又はそれ以外の状態等の情報を格納しているところから取得してもよい。
４．現用系の処理実体は、現用系の仮想化実体から状態等の情報を取得する。処理実体が取得する情報としては、待機側の受入可能等の状態等の情報である。処理実体は、情報を、仮想化実体自体から又は情報を格納しているところから取得してもよいし、５の切替指示に際して取得してもよい。
５．現用系の仮想化実体及び待機系の仮想化実体は、現用系の処理実体及び待機系の処理実体に切替を指示する。又は現用系の処理実体及び待機系の処理実体は切替し、現用系の仮想化実体及び待機系の仮想化実体に切替を通告してもよい。
【００５５】
また、仮想化実体の状態情報を処理実体に渡す処理の場合には、上記の（１）〜（８）に示す処理の主体が逆になり、手順は上記の（１）〜（８）に示すと同様である。一例（上記（１）を例とする）を挙げて説明する。
（１）処理実体による切替
１．現用系の処理実体は、周期的、又は、ＯＮＵのステートやマルチキャスト等の受信や認証や帯域等のリソースの利用履歴の状態情報変化自体や状態情報変化を起こす変化や設定変更等のイベント発生時に、現用系の仮想化実体から状態等の情報を取得する。現用系の処理実体が取得する状態等の情報としては、例えば待機側の受入可能等の状態等の情報を取得であることが望ましい。現用系の処理実体は、情報を、処理実体自体から又はそれ以外の状態等の情報を格納しているところから取得してもよい。
２．切替契機到来（上位ＯｐＳ等からの指示、故障等の警報検出等）
３．現用系の処理実体は、待機系の処理実体に該当する情報自体又は同ポインタ又は同アクセス権を渡す。現用系の処理実体は、情報を、処理実体自体から又はそれ以外の状態等の情報を格納しているところから取得してもよい。
４．待機系の仮想化実体は、処理実体から状態等の情報を取得する。仮想化実体が取得する情報としては、待機側の受入可能等の状態等の情報である。仮想化実体は、情報を、処理実体自体から又は情報を格納しているところから取得してもよいし、５の切替指示に際して取得してもよい。
５．現用系の処理実体及び待機系の処理実体は、現用系の仮想化実体及び待機系の仮想化実体に切替を指示する。又は現用系の仮想化実体及び待機系の仮想化実体は切替し、現用系の処理実体及び待機系の処理実体に切替を通告してもよい。
【００５６】
図７は、ＰＯＮシステム１（通信装置）の構成の例を示す図である。ＰＯＮシステム１は、顧客側のＯＮＵ２−１〜２−Ｎ（Ｎは１以上の整数）と、ＯＤＮ３（Optical Distribution Network、光分岐網）と、局側のＯＬＴ４と、ＯＳＵコントローラ５と、ＳＷコントローラ６とを備える。ＯＳＵコントローラ５とＳＷコントローラ６とは、一体のコントローラでもよい。
【００５７】
ＯＤＮ３は、ＯＮＵ２及びＯＬＴ４の間（ＰＯＮ区間）の光信号を伝搬する。ＯＬＴ４は、ＣＴ４０（終端部）を部品として備える。ＯＬＴ４は、ＳＷ４１（スイッチ）を部品として備える。ＣＴ４０は、ＰＯＮ区間の波長毎の信号を終端する。ＳＷ４１は、ＯＬＴ４における信号を振分する。ＯＳＵコントローラ５とＳＷコントローラ６は、ＯＬＴ４のＣＴ４０とＳＷ４１をそれぞれコントロールする。
【００５８】
波長、芯線、コア、モード、符号、周波数、（サブ）キャリア等やそれらの組み合わせ（ＴＷＤＭ−ＰＯＮでは波長）の切替では、ＯＮＵ−ＯＬＴ間で使用する波長、芯線、コア、モード、符号、周波数、（サブ）キャリア等やそれらの組み合わせを終端する終端部、例えばＣＴ等（ＴＷＤＭ―ＰＯＮではＣＴ）と、ＣＴ等−ＳＷ間、ＣＴ等の群-ＳＷ間、ＯＳＵ−ＳＷ間、ＯＬＴ−ＳＷ間の信号の振分先又は／及び振分元とを、部品が連携して変更（切替）する。ＯＳＵコントローラ５又は／及びＳＷコントローラ６を含む部品間の時刻同期の有無とその同期主体、変更（切替）に要する遅延の測定や算出による取得、ＣＴ等、ＣＴ等の群、ＯＳＵ、ＯＬＴ、ＳＷの切替主体、コントローラ経由、装置とコントローラ等を接続する共通信号線、部品間を経由する主信号経由により、以下に示す切替を連携して行う。
【００５９】
（１）コントローラからの指示（切替主体がコントローラの場合）
装置内外の設定制御関連のアプリケーションをはじめとするアプリケーションやＣｏｎｔ盤や装置をコントロールする図７のＯＳＵコントローラ５やＳＷコントローラ６やその他のＯｐＳ（Operation System）等のコントローラは、少なくとも切替に係る部品に対して切替指示を行う。
【００６０】
部品間で同期して切替する場合、切替指示は、コントローラと該当する部品との間の変換やルーティングや伝搬等の切替に要する時間や主信号が部品間を伝搬する時間を予め測定又は算出し、切替に要する時間又はその時間に主信号が部品間を伝搬する時間を加減算した時間が概ね等しい場合に行う。
【００６１】
概ね等しいとは、例えば、切替に許容される時間の所定の割合以下の時間、切替の時間ずれで導通する予め定められたトラフィックの種別と帯域の上限があればその予め定められたトラフィックの種別がその上限値以下の帯域で導通しうる情報の量が所定の値（例えば主信号は廃棄せずにバッファ可能な量）以下に収まる時間である。概ね等しくないときは、例えば以下の処理を行うことが望ましい。
【００６２】
（Ａ）時間ずれを補償するように、指示の発出時刻をずらす。例えば主信号の送信元に近い部品の切替に要する時間と、主信号の送信先に近い部品の切替に要する時間に主信号が部品間を伝搬する時間を加えた時間とで、時間が短い方への発出時刻を遅くする又は時間が長い方の発出時刻を早くする。例えば主信号の送信元に近い部品の切替に要する時間に主信号が部品間を伝搬する時間を減じた時間と、主信号の送信先に近い部品の切替に要する時間とで、時間が短い方への発出時刻を遅くする又は時間が長い方の発出時刻を早くする。発出時刻の調整は発出元で行ってもよいし、伝搬する途中の部品で遅延させて行ってもよいし、切替する部品で行ってもよいし、それらのいくつかで案分してもよい。これは以降の例でも同様である。なお、部品間を伝搬する時間が無視できる場合はその時間を加減算しなくてよい。（Ａ）ではコントローラや部品が互いに時刻同期していなくても切替を同期できる。
【００６３】
（Ｂ）部品間で時刻同期し、指示は、指示に要する時間の長い方よりも長い時間を、指示発出の時刻に加えた時刻での切替を指示する。なお、部品間を伝搬する時間が無視できない場合は（Ａ）同様に加減算するのが望ましい。
【００６４】
（Ｃ）指示は、指示到着後に時間差に相当の時間だけ、指示に要する時間の長い方が早く切替するように指示する。時間の指示は、発出元で行ってもよいし、伝搬する途中の部品で書き換えてもよいし、切替する部品で書き換えてもよいし、それらのいくつかで案分して書き換えてもよい。これは以降の例でも同様である。なお、部品間を伝搬する時間が無視できない場合は（Ａ）同様に加減算するのが望ましい。（Ｃ）ではコントローラや部品が互いに時刻同期していなくても切替を同期できる。
【００６５】
（Ｄ）指示到着後に時間差に相当の時間だけ指示に要する時間の長い方が早く切替するように予め設定しておく。時間の設定は、発出元に行ってもよいし、伝搬する途中の部品に行ってもよいし、切替する部品で行ってもよいし、それらのいくつかで案分してもよい。
これは以降の例でも同様である。なお、部品間を伝搬する時間が無視できない場合は（Ａ）同様に加減算するのが望ましい。（Ｄ）ではコントローラや部品が互いに時刻同期していなくても切替を同期できる。
【００６６】
部品がそれぞれ異なるコントローラに属する場合で、コントローラ間で時刻同期をする場合は（Ａ）〜（Ｄ）が可能である。コントローラ間で時刻同期しない場合は、一方のコントローラから他方のコントローラに通信し指示を発出するまでの時間を予め測定又は算出等により取得し、（Ｂ）としてコントローラ間のずれの時間よりも十分大きい時刻以降に切替を行う。又は、一方のコントローラから他方のコントローラに通信し指示を発出するまでの時間を含めて時間差を補償するように（Ａ）、（Ｃ）、（Ｄ）を行う。ここで補償するとは、例えば通信元のコントローラが他方のコントローラが発出するまでの時間だけ部品への指示を遅らせる又は指示に要する時間又は指示に要する時間に主信号の伝搬に要する時間を加えた時間の差に相当する時間に通信元のコントローラが他方のコントローラが発出するまでの時間を加える。
更に、通知を介在する部品間で時刻同期している場合、又はいずれかの部品とコントローラ間で時刻同期している場合は、同期している部品間で上述の補正を行ってもよい。
【００６７】
（２）部品間の通知を介した通信によるコントローラからの指示（切替主体がコントローラの場合）
装置内外の設定制御関連のアプリケーションをはじめとするアプリケーションやＣｏｎｔ盤や装置をコントロールする図７のＯＳＵコントローラ５やＳＷコントローラ６やその他のＯｐＳ等のコントローラは、少なくとも切替に係る部品のいずれかに対して、部品間の通知を介して切替指示を行う。
【００６８】
部品間で同期して切替する場合、切替指示は、コントローラと該当する部品との間の変換やルーティングや伝搬や部品間の通知等の切替に要する時間や主信号が部品間を伝搬する時間を予め測定又は算出し、切替に要する時間又はその時間に主信号が部品間を伝搬する時間を加減算した時間が概ね等しい場合に行う。ここで、切替に要する時間の内の部品間の通知に要する時間は、部品間の通知が、切替の処理をする部品間の場合は、通知する部品が通知してから当該部品が切替するまでの時間が通知する部品にとっての、通知する部品が通知してから通知される部品が切替するまでの時間が通知される部品にとっての、それぞれの部品間の通知に要する時間であり、保護時間等を含めれば、切替プロトコルが1フェーズでも２フェーズでも３フェーズでも同様である。切替に要する時間の内の部品間の通知に要する時間は、部品間の通知が、切替の処理をしない部品からの場合は、通知する部品が通知してから通知される部品が切替するまでの時間が部品間の通知に要する時間である。なお、対向する切替処理をする部品を制御するコントローラからの制御に従って、対向する切替処理をする部品が切替指示を送信し、対向する切替処理をする部品からの切替指示を取得した部品が、切替指示を当該部品を制御するコントローラに転送して、転送した切替指示に基づいてコントローラが切替処理をする部品に切替指示をする。この場合は、切替処理をする部品は、転送さえできれば切替指示を終端して切替プロトコル等に従う必要がない。
【００６９】
概ね等しいとは、例えば、切替に許容される時間の所定の割合以下の時間、切替の時間ずれで導通する予め定められたトラフィックの種別と帯域の上限があればその予め定められたトラフィックの種別がその上限値以下の帯域で導通しうる情報の量が所定の値（例えば主信号は廃棄せずにバッファ可能な量）以下に収まる時間である。概ね等しくないときは、例えば以下の処理を行うことが望ましい。
【００７０】
（Ａ）時間ずれを補償するように、指示の発出時刻をずらす。例えば主信号の送信元に近い部品の切替に要する時間と、主信号の送信先に近い部品の切替に要する時間に主信号が部品間を伝搬する時間を加えた時間とで、時間が短い方への発出時刻を遅くする又は時間が長い方の発出時刻を早くする。例えば主信号の送信元に近い部品の切替に要する時間に主信号が部品間を伝搬する時間を減じた時間と、主信号の送信先に近い部品の切替に要する時間とで、時間が短い方への発出時刻を遅くする又は時間が長い方の発出時刻を早くする。発出時刻の調整は発出元で行ってもよいし、伝搬する途中の部品で遅延させて行ってもよいし、切替する部品で行ってもよいし、それらのいくつかで案分してもよい。なお、部品間を伝搬する時間が無視できる場合はその時間を加減算しなくてよい。（Ａ）ではコントローラや部品が互いに時刻同期していなくても切替を同期できる。
【００７１】
（Ｂ）部品間で時刻同期し、指示は、指示に要する時間の長い方よりも長い時間を、指示発出の時刻に加えた時刻での切替を指示する。なお、部品間を伝搬する時間や部品間の通知に要する時間が無視できない場合は（Ａ）同様に無視できない時間を加減算するのが望ましい。
【００７２】
（Ｃ）指示は、指示到着後に時間差に相当の時間だけ、指示に要する時間の長い方が早く切替するように指示する。時間の指示は、発出元で行ってもよいし、伝搬する途中の部品で書き換えてもよいし、切替する部品で書き換えてもよいし、それらのいくつかで案分して書き換えてもよい。なお、部品間を伝搬する時間や部品間の通知に要する時間が無視できない場合は（Ａ）同様に無視できない時間を加減算するのが望ましい。（Ｃ）ではコントローラや部品が互いに時刻同期していなくても切替を同期できる。
【００７３】
（Ｄ）指示到着後に時間差に相当の時間だけ指示に要する時間の長い方が早く切替するように予め設定しておく。時間の設定は、発出元に行ってもよいし、伝搬する途中の部品に行ってもよいし、切替する部品で行ってもよいし、それらのいくつかで案分してもよい。
なお、部品間を伝搬する時間や部品間の通知に要する時間が無視できない場合は（Ａ）同様に無視できない時間を加減算するのが望ましい。（Ｄ）ではコントローラや部品が互いに時刻同期していなくても切替を同期できる。
【００７４】
通知に係る部品がそれぞれ異なる場合で、通知に係る部品間で時刻同期をする場合は（Ａ）〜（Ｄ）が可能である。通知に係る部品間で時刻同期しない場合は、一方の通知に係る部品から他方の通知に係る部品に通信し指示を発出するまでの時間を予め測定や算出により取得し、（Ｂ）として通知に係る部品間のずれの時間よりも十分大きい時刻以降に切替を行う。又は、一方の通知に係る部品から他方の通知に係る部品に通信し指示を発出するまでの時間を含めて時間差を補償するように（Ａ）、（Ｃ）、（Ｄ）を行う。ここで補償するとは、例えば通信元の通知に係る部品が他方の通知に係る部品が発出するまでの時間だけ部品への指示を遅らせる、又は指示に要する時間差に通信元の通知に係る部品が他方の通知に係る部品が発出するまでの時間を加える。
【００７５】
通知を介在する部品間で時刻同期している場合、又はいずれかの部品とコントローラ間で時刻同期している場合は、同期している部品間で上述の補正を行ってもよい。
【００７６】
部品間の通知を介した指示として、切替プロトコルの他に、例えばＯＰＥＮＦＬＯＷのＳＷで処理できないフレームはコントローラに転送する仕組みを使えばよい。そのためには、切替に関するフレームはコントローラに転送し、主信号を介する場合は主信号に残さないように転送する部品に設定することが望ましい。
【００７７】
（３）部品間通知（切替主体が部品の場合）
切替に係る部品は、少なくとも切替に係る部品間に対して、部品間の通知を介して切替指示を行う。
【００７８】
部品間で同期して切替する場合、切替指示は、通知する部品と切替処理する部品との間の変換やルーティングや伝搬や部品間の通知等の切替に要する時間や主信号が部品間を伝搬する時間を予め測定又は算出し、切替に要する時間又はその時間に主信号が部品間を伝搬する時間を加減算した時間が概ね等しい場合に行う。ここで、切替に要する時間の内の部品間の通知に要する時間は、部品間の通知が、切替の処理をする部品間の場合は、通知する部品が通知してから当該部品が切替するまでの時間が通知する部品にとっての、通知する部品が通知してから通知される部品が切替するまでの時間が通知される部品にとっての、それぞれの部品間の通知に要する時間であり、保護時間等を含めれば、切替プロトコルが１フェーズでも２フェーズでも３フェーズでも同様である。
【００７９】
切替に要する時間の内の部品間の通知に要する時間は、部品間の通知が、切替の処理をしない部品からの場合は、通知する部品が通知してから通知される部品が切替するまでの時間が部品間の通知に要する時間である。切替に要する時間の内のルーティングや伝搬に要する時間に、装置内外の設定制御関連のアプリケーションをはじめとするアプリケーションやＣｏｎｔ盤や装置をコントロールする図７のＯＳＵコントローラ５やＳＷコントローラ６やその他のＯｐＳ等のコントローラを通知の経路に含んでいる場合はその経路を伝搬するに要する時間を含むことが望ましい。コントローラ等を介す経路とは例えば、対向する切替処理をする部品からの切替指示を取得した部品が、切替指示を当該部品を制御するコントローラに転送して、転送した切替指示に基づいてコントローラが切替処理をする部品に切替指示をする。この場合は、切替処理をする部品は、転送さえできれば切替指示を終端して切替プロトコル等に従う必要がない。
【００８０】
概ね等しいとは、例えば、切替に許容される時間の所定の割合以下の時間、切替の時間ずれで導通する予め定められたトラフィックの種別と帯域の上限があればその予め定められたトラフィックの種別がその上限値以下の帯域で導通しうる情報の量が所定の値（例えば主信号は廃棄せずにバッファ可能な量）以下に収まる時間である。概ね等しくないときは、例えば以下の処理を行うことが望ましい。
【００８１】
（Ａ）時間ずれを補償するように、指示の発出時刻をずらす。例えば主信号の送信元に近い部品の切替に要する時間と、主信号の送信先に近い部品の切替に要する時間に主信号が部品間を伝搬する時間を加えた時間とで、時間が短い方への発出時刻を遅くする又は時間が長い方の発出時刻を早くする。例えば主信号の送信元に近い部品の切替に要する時間に主信号が部品間を伝搬する時間を減じた時間と、主信号の送信先に近い部品の切替に要する時間とで、時間が短い方への発出時刻を遅くする又は時間が長い方の発出時刻を早くする。発出時刻の調整は発出元で行ってもよいし、伝搬する途中の部品で遅延させて行ってもよいし、切替する部品で行ってもよいし、それらのいくつかで案分してもよい。なお、部品間を伝搬する時間が無視できる場合はその時間を加減算しなくてよい。（Ａ）では部品が互いに時刻同期していなくても切替を同期できる。
【００８２】
（Ｂ）部品間で時刻同期し、指示は、指示に要する時間の長い方よりも長い時間を、指示発出の時刻に加えた時刻での切替を指示する。なお、部品間を伝搬する時間や部品間の通知に要する時間が無視できない場合は（Ａ）同様に無視できない時間を加減算するのが望ましい。
【００８３】
（Ｃ）指示は、指示到着後に時間差に相当の時間だけ、指示に要する時間の長い方が早く切替するように指示する。時間の指示は、発出元で行ってもよいし、伝搬する途中の部品で書き換えてもよいし、切替する部品で書き換えてもよいし、それらのいくつかで案分して書き換えてもよい。なお、部品間を伝搬する時間や部品間の通知に要する時間が無視できない場合は（Ａ）同様に無視できない時間を加減算するのが望ましい。（Ｃ）では部品が互いに時刻同期していなくても切替を同期できる。なお、部品間を伝搬する時間や部品間の通知に要する時間が無視できない場合は（Ａ）同様に無視できない時間を加減算するのが望ましい。（Ｃ）では部品が互いに時刻同期していなくても切替を同期できる。
【００８４】
（Ｄ）指示到着後に時間差に相当の時間だけ指示に要する時間の長い方が遅く切替するように予め設定しておく。時間の設定は、発出元に行ってもよいし、伝搬する途中の部品に行ってもよいし、切替する部品で行ってもよいし、それらのいくつかで案分してもよい。
なお、部品間を伝搬する時間や部品間の通知に要する時間が無視できない場合は（Ａ）同様に無視できない時間を加減算するのが望ましい。（Ｄ）では部品が互いに時刻同期していなくても切替を同期できる。
【００８５】
通知に係る部品がそれぞれ異なる場合で、通知に係る部品間で時刻同期をする場合は（Ａ）〜（Ｄ）が可能である。通知に係る部品間で時刻同期しない場合は、一方の通知に係る部品から他方の通知に係る部品に通信し指示を発出するまでの時間を予め測定や算出により取得し、（Ｂ）として通知に係る部品間のずれの時間よりも十分大きい時刻以降に切替を行う。又は、一方の通知に係る部品から他方の通知に係る部品に通信し指示を発出するまでの時間を含めて時間差を補償するように（Ａ）、（Ｃ）、（Ｄ）を行う。ここで補償するとは、例えば通信元の通知に係る部品が他方の通知に係る部品が発出するまでの時間だけ部品への指示を遅らせる、又は指示に要する時間差に通信元の通知に係る部品が他方の通知に係る部品が発出するまでの時間を加える。
【００８６】
更に、通知を介在する部品間で時刻同期している場合、又はいずれかの部品と通知に係る部品間で時刻同期している場合は、同期している部品間で上述の補正を行ってもよい。
部品間の通知を介した指示として、切替プロトコルの他に、例えばＯＰＥＮＦＬＯＷのＳＷで処理できないフレームはコントローラに転送する仕組みを使えばよい。そのためには、切替に関するフレームはコントローラに転送し、主信号を介する場合は主信号に残さないように転送する部品に設定することが望ましい。
【００８７】
なお、通知に係る部品と切替対象の部品は同一でもよい。例えば、切替対象の部品が複数のＣＴからなるＣＴ群やＯＳＵやＯＬＴ、ＳＷであれば複数のＳＷからなるＳＷ群である。
【００８８】
通知に係る部品がＣＴやＳＷであり、切替元と切替先のパスが異なる場合は、通知に係る部品は、切替対象となる部品と異なることが望ましい。特に、故障の場合は、他の部品が、故障を故障した部品自体、その対向装置、装置の監視制御部、同アプリケーション又はコントローラからの通知に従い通知に係る部品が通知することが望ましい。
【００８９】
ここで、切替は、ロードバランスや省電力目的であってもよいし、Ｔｙｐｅ Ｂ切替、等の切替であってもよい。切替通知、ＬＯＳ（Loss of Signal）、ＬＯＢｉ（Loss of burst for ONUi）、ＤｙｉｎｇＧａｓｐ、ＯＳＵ電源ＯＦＦ、ＯＳＵ抜去、芯線抜去等としてもよいし、ＯＮＵからの帯域要求の総和と、ＯＳＵ又はＯＬＴ又はＳＷでの流量が、流量制限等の妥当な処理なしに、所定値以上の差分が発生したことを持って、切替契機の異常として検出してもよい。
【００９０】
例えば、強制切替、コールドスタンバイ（Cold Standby）であれば、外付の装置例えばスイッチ（SW）でフレームをバッファリングして、指示後５０ミリ秒以内に予備系ＯＳＵ（Cold Standby）の起動が開始し、下りトラフィックはフレームロスなく、上りトラフィックはＯＮＵ上りバッファ量までフレームロスなく、運用系の運用情報での通信がレンジング処理なしに切替する。
【００９１】
例えば、ＯＳＵ切替（情報継承、障害、Cold Standby、予め切替に備えてＳＷでバッファリング）であれば、運用系ＯＳＵのパッケージ又はファイバを抜去し、設定した切替保護時間と誤差分の＋１設定単位以内に予備系ＯＳＵ（Cold Standby）の起動が開始するので、下りトラフィックでは設定した切替保護時間＋１設定単位分を上限とするフレームロスが発生する。また、上りトラフィックでは、ＯＮＵ上りバッファ量までフレームロスが発生すること無く、ＯＳＵが切替わる。
【００９２】
例えば、ＯＳＵ切替（強制切替、ホットスタンバイ（Hot Standby））であれば、指示後５０ミリ秒以内に予備系ＯＳＵ（Cold Standby）の起動が開始し、下りトラフィックではフレームロスが発生することなく、上りトラフィックではＯＮＵ上りバッファ量までフレームロスが発生することなく、運用系の運用情報での通信がレンジング処理なしに切替わる。
【００９３】
例えば、ＯＮＵ切替（強制切替、ホットスタンバイ）であれば、指示後５０ミリ秒以内に予備系ＯＮＵで（Cold Standby）の起動が開始し、下りトラフィックではフレームロスが発生することなく、上りトラフィックでは起動するまでの時間、例えば５０ミリ秒を上限とするフレームロスが発生して、運用系ＯＳＵの運用情報の通信が開始される。
【００９４】
なお、異常状態になった後の運用情報が正常である場合は遷移後の運用情報を用いてもよいが、異常な運用情報を用いると異常な状態となるおそれがある。異常となる前の運用状態を用いることでその危険を軽減できる。
【００９５】
以上のように、実施形態のＰＯＮシステム１（通信装置）は、ＯＬＴ４と、ＯＬＴ４のＣＴ４０をコントロールするＯＳＵコントローラ５と、ＯＬＴ４のＳＷ４１をコントロールするＳＷコントローラ６とを備える。ＯＬＴ４は、光信号を終端するＣＴ４０−１〜４０−Ｎと、ＣＴ４０−１〜４０−Ｎからの／への信号を振分するＳＷ４１とを、部品として有する。
切替に関する部品であるＣＴ４０は、切替指示をコントローラから取得した場合、切替を行い、場合により他の切り替えに関する部品に切替指示を送信する。切替えに関する部品であるＳＷ４１は、切替指示をコントローラから取得した場合、切替を行い、場合により他の切り替えに関する部品に切替指示を送信する。切替に関する部品は、切替指示を他の切替に関する部品から取得した場合、切替を行う。
【００９６】
切替指示の発出元となるＯＳＵコントローラ５、ＳＷコントローラ６は、ＯＳＵコントローラ５又はＳＷコントローラ６と部品との間、ＯＳＵコントローラ５とＳＷコントローラ６との間、部品間の信号の変換、ルーティング、伝搬に要する時間の差が閾値未満である場合、切替指示を切替処理を行うＣＴ４０、ＳＷ４１の少なくともいずれかに送信してもよい。切替指示の発出元、切替指示を転送する部品、切替処理をする部品は、ＯＳＵコントローラ５又はＳＷコントローラ６と部品との間、ＯＳＵコントローラ５とＳＷコントローラ６との間、部品間の信号の変換、ルーティング、伝搬に要する時間の差が閾値以上である場合、時間の差を補償するように切替指示を送信する時刻、切替するまでの時間を調整してもよい。
【００９７】
切替指示の発出元となる部品は、部品の間の信号の変換、ルーティング、伝搬に要する時間の差が閾値未満である場合、ＣＴ４０−１〜４０−ＮやＳＷ４１等の切り替えに関する部品に切替指示を送信してもよい。切替指示の発出元、切替指示を転送する部品、切替処理をする部品は、部品の間の信号の変換、ルーティング又は伝搬に要する時間差が閾値以上である場合、時間の差を補償するように切替指示を送信する時刻、切替するまでの時間を調整してもよい。
【００９８】
Ｐｉｚｚａ−Ｂｏｘ型ＯＳＵ等とＷｈｉｔｅ Ｂｏｘ Ｓｗｉｔｃｈ等の装置を組み合わせてＯＬＴとし、それらを遠隔のコントローラで制御する構成及び、ＳＦＰ型やＸＦＰ型等の装置に差し込むモジュル型のＣＴ（Channel Termination）等とＷｈｉｔｅ  Ｂｏｘ
ＳＷ（Switch）等の装置を組み合わせてＯＬＴとし、それらを遠隔のコントローラで制御する構成がある。これらの構成を前提とした、高信頼化等を可能とするＮＧ−ＰＯＮ２（Next Generation-PON2）における波長切替を例示する。例は、他の構成であっても、波長切替を、芯線、コア、モード、符号、周波数、（サブ）キャリア等及び波長を含むそれらの組み合わせに置き換えれば同様である。
【００９９】
高信頼化等で取り得るＮＧ−ＰＯＮ２の構成例を図８に示す。左上の構成を例に、信号の流れと、故障時の動作を説明する。ＯＮＵ２に向かう下り信号は、右端のＳＷ４１（Switch）で、一点鎖線で示す光加入者ユニット４２（ＯＳＵ）に振分けられ、光加入者ユニット４２内のＳＷ（スイッチ）でＣＴ４０に振分けられ、光分岐網を介し、ＯＮＵ（Optical Network Unit）で送受信される。この構成では、ＣＴ故障時に、故障ＣＴ配下のＯＮＵを、同一ＯＳＵ内の別波長ＣＴ配下となるよう、ＯＮＵの波長切替を行うことで高信頼化を図れる。しかし、ＯＳＵ故障には対応していない。即ち、左上の構成は波長切替によるＯＳＵ切替でのＯＳＵ故障救済未対応、２段ＳＷのため部品数低減による故障率低減未対応、波長切替（波長振分）はＯＳＵ内ＳＷとなる。左下の構成は波長切替によるＯＳＵ切替でのＯＳＵ故障救済対応、２段ＳＷのため部品数低減による故障率低減未対応、波長切替（波長振分）はＯＳＵ外ＳＷとなる。右上の構成は波長切替によるＯＳＵ切替でのＯＳＵ故障救済未対応、１段ＳＷのため部品数低減による故障率低減対応、波長切替（波長振分）はＯＳＵ外ＳＷとなる。右下の構成は波長切替によるＯＳＵ切替でのＯＳＵ故障救済対応、１段ＳＷのため部品数低減による故障率低減対応、波長切替（波長振分）はＯＳＵ外ＳＷとなる。
【０１００】
ここで、ＣＴをＳＦＰ型ＣＴ等、１段及び２段ＳＷをＷｈｉｔｅ  Ｂｏｘ  ＳＷ等とすると、ＳＦＰ型ＣＴ等とＷｈｉｔｅ  Ｂｏｘ  ＳＷ等の装置を組み合わせてＯＬＴとした構成に対応する。
【０１０１】
これらの構成例を比較すると、右下の構成は、波長毎に別ＯＳＵ配下のＣＴとＯＮＵが通信することで波長切替によるＯＳＵ故障の救済と、ＯＳＵ内ＳＷを削減したことで部品数低減による故障率低減の両方の高信頼化が可能であるため、他の構成に比べ信頼性の評価が高い。しかし、ＯＳＵ外ＳＷで波長振分けを行うため、ＣＴ−ＳＷ間で連携した波長切替が必要となる。
【０１０２】
ＣＴ−ＳＷ間で連携した波長切替における切替指示の経路を図９に示す。ここで、ＯＳＵとＳＷは別コントローラ配下で、それぞれ共通信号線を介して接続するものとした。この構成は、例えば、複数波長、例えば４波長を１ボックスのＯＳＵボックスとＳＷボックスの両方をコントローラにつなぐ構成に対応する。なお、同一ＯＳＵ内ＣＴ切替の場合は異ＯＳＵに対する切替指示及び異ＯＳＵ間切替は同一ＯＳＵに対する切替指示及び同一ＯＳＵ内切替と読み替え、ＳＦＰ型ＣＴ等とＷｈｉｔｅ  Ｂｏｘ  ＳＷ等の装置を組み合わせた構成の場合はＯＳＵをＣＴと読み替えればよく、共通信号線は、主信号を含むそれ以外の経路であってもよい。例えば、複数コントローラを統括する上位のコントローラ経由の経路であってもよいし、複数コントローラが同一のコントローラ内に内包され、それらを内包するコントローラ内の経路であってもよい。これらの場合は以下で示すコントローラの処理の少なくとも一部を上位コントローラや同一のコントローラ内のどこかに配置してもよい。また、別コントローラはＯＳＵとＳＷを制御する箇所が分離しない同一コントローラであってもよく、その場合は以下の説明でＯＳＵコントローラ５−ＳＷコントローラ６間通信の遅延やＯＳＵコントローラ５−ＳＷコントローラ６で通信するためのオーバーヘッドやトレーラ等が不要となる。
【０１０３】
図には、ＯＳＵ故障をＯＳＵコントローラが検出し、（Ａ）ＳＷコントローラ経由、（Ｂ）直接、（Ｃ）ＯＳＵ経由の3経路のいずれかで、ＯＳＵコントローラからＳＷに切替指示を行う例を示した。これらはＳＷ故障の場合でも同様であり、ＯＳＵ故障とＳＷ故障で異なる切替を選択してもよいし、ＯＳＵをＣＴと読み替えてもよい。
【０１０４】
（Ａ）では、ＯＳＵコントローラで検出し、ＯＳＵコントローラからＯＳＵとＳＷコントローラに切替指示をだし、ＳＷコントローラはＳＷに切替指示を出す。
【０１０５】
ＯＳＵコントローラは、ＯＳＵコントローラ−ＳＷコントローラ間の遅延の補正、ＯＳＵコントローラ−ＯＳＵ間の遅延とＯＳＵ切替に要する時間の少なくともいずれかとＳＷコントローラ−ＳＷ間の遅延とＳＷ切替に要する時間の少なくともいずれかの差分によるずれを補正してＯＳＵへの切替指示としても良いし、それらのすくなくともいずれかを組み合わせてＯＳＵへの切替指示としても良い。ＳＷコントローラはＯＳＵコントローラの切替指示をそのままＳＷへの切替指示としても良いし、コントローラ間の通信分のオーバーヘッドやトレーラのみ外してＳＷへの切替指示としても良いし、ＯＳＵコントローラ−ＳＷコントローラ間の遅延の補正、ＯＳＵコントローラ−ＯＳＵ間の遅延とＯＳＵ切替に要する時間の少なくともいずれかとＳＷコントローラ−ＳＷ間の遅延とＳＷ切替に要する時間の少なくともいずれかの差分によるずれを補正してＳＷへの切替指示としても良いし、それらのすくなくともいずれかを組み合わせてＳＷへの切替指示としても良い。これらの補正は予め設定或いは計測等により取得した値に基づきＯＳＵコントローラで行って指示してもよいし、ＳＷコントローラで行ってもよいし、ＯＳＵ又はＳＷが行ってもよいし、指示を転送する部品や装置等のそれ以外で行ってもよいし、それらのいずれかの組み合わせで分担して行ってもよい。
【０１０６】
（Ａ）ＳＷコントローラ経由は、コントローラがそれぞれ配下の装置を制御するため、単一コントローラ帰属でよく、装置自体に一般的な切替処理の手段を備えず、コントローラによる設定のみも可であることから装置（ＯＳＵ、ＳＷ）を簡易にできるが、コントローラ間連携の手段が必要であり、連携に要する時間のため制御遅延が生ずる。
【０１０７】
（Ｂ）直接では、ＯＳＵコントローラで検出し、ＯＳＵコントローラからＯＳＵとＳＷに切替指示を出す。
【０１０８】
ＯＳＵコントローラは、ＯＳＵコントローラ−ＯＳＵ間の遅延とＯＳＵ切替に要する時間の少なくともいずれかとＯＳＵコントローラ−ＳＷ間の遅延とＳＷ切替に要する時間の少なくともいずれかの差分によるずれを補正してＯＳＵへの切替指示としても良いし、それらのすくなくともいずれかを組み合わせてＯＳＵへの切替指示としても良いし、ＯＳＵコントローラ−ＯＳＵ間の遅延とＯＳＵ切替に要する時間の少なくともいずれかとＯＳＵコントローラ−ＳＷ間の遅延とＳＷ切替に要する時間の少なくともいずれかの差分によるずれを補正してＳＷへの切替指示としても良いし、それらのすくなくともいずれかを組み合わせてＳＷへの切替指示としても良い。これらの補正は予め設定或いは計測等により取得した値に基づきＯＳＵコントローラで行って指示してもよいし、ＯＳＵ又はＳＷが行ってもよいし、指示を転送する部品や装置等のそれ以外で行ってもよいし、それらのいずれかの組み合わせで分担して行ってもよい。
【０１０９】
（Ｂ）直接は、切替自体や切替とそれ以外の制御に関して、複数コントローラに帰属し、複数コントローラからの制御を受けるため、設定の整合性を保ちながら、装置が複数のコントローラから直接制御される手段が必要となる。複数コントローラ帰属の観点では装置（ＯＳＵ、ＳＷ）が複雑となるが、装置自体に一般的な切替処理の手段を備えず、コントローラによる設定のみも可であることから装置（ＯＳＵ、ＳＷ）を簡易にできる。但し、コントローラ間連携の手段が不要であり、連携に要する時間のため制御遅延は生じない。
【０１１０】
（Ｃ）ＯＳＵ経由では、ＯＳＵコントローラで検出し、ＯＳＵコントローラからＯＳＵに切替指示を出す。ＯＳＵは一般的な切替処理の手段を経由してＳＷに切替通知を行う。
【０１１１】
ＯＳＵコントローラは、ＯＳＵコントローラ−ＯＳＵ間の遅延とＯＳＵ切替に要する時間の少なくともいずれかとＯＳＵコントローラ−ＯＳＵ間の遅延とＯＳＵ−ＳＷ間の遅延とＳＷ切替に要する時間の少なくともいずれかの差分によるずれを補正してＯＳＵへの切替指示としても良いし、それらのすくなくともいずれかを組み合わせてＯＳＵへの切替指示としても良いし、ＯＳＵコントローラ−ＯＳＵ間の遅延とＯＳＵ切替に要する時間の少なくともいずれかとＯＳＵコントローラ−ＯＳＵ間の遅延とＯＳＵ−ＳＷ間の遅延とＳＷ切替に要する時間の少なくともいずれかの差分によるずれを補正してＳＷへの切替指示としても良いし、それらのすくなくともいずれかを組み合わせてＳＷへの切替指示としても良い。これらの補正は予め設定或いは計測等により取得した値に基づきＯＳＵコントローラで行って指示してもよいし、ＯＳＵ又はＳＷが行ってもよいし、指示を転送する部品や装置等のそれ以外で行ってもよいし、それらのいずれかの組み合わせで分担してもよい。
なお、ＯＳＵ経由としたが複数コントローラ帰属となるがＳＷ経由としてもよい。
【０１１２】
（Ｃ）ＯＳＵ経由は、単一コントローラ帰属の観点では装置（ＯＳＵ、ＳＷ）は簡易であるが、装置自体に対向装置間で切替処理を行う手段を備える観点では装置（ＯＳＵ、ＳＷ）が複雑となる。但し、コントローラ間連携の手段が不要であり、連携に要する時間のため制御遅延は生じない。
【０１１３】
高信頼化の観点から、波長切替指示の経路を比較すると、遅延が許容できれば、装置の自由度から（Ａ）が、装置が通常の切替処理に対応すれば（Ｃ）が、それぞれ望ましい。
【０１１４】
次に、ＣＴ側又はＳＷ側のいずれか一方のみがコントローラと接続する例としてＳＷコントローラのみが接続する例を示す。この例では図９で、コントローラと装置（ＯＳＵ、ＳＷ）が逆になる例である。これは、ＳＦＰやＸＦＰでＯＳＵを実現し、ＯＳＵがＳＷボックスを経由してコントローラにつながる構成に適する。なお、反対側からやＣＴ毎に異なる側のみが接続する場合も同様である。また、同一ＯＳＵ内ＣＴ切替の場合は異ＯＳＵに対する切替指示及び異ＯＳＵ間切替は同一ＯＳＵに対する切替指示及び同一ＯＳＵ内切替と読み替え、ＳＦＰ型ＣＴ等とＷｈｉｔｅ  Ｂｏｘ  ＳＷ等の装置を組み合わせた構成の場合はＯＳＵをＣＴと読み替えればよく、共通信号線は、主信号を含むそれ以外の経路であってもよく、複数コントローラを統括する上位のコントローラ経由の経路であってもよく、複数コントローラが同一のコントローラ内に内包され、それらを内包するコントローラ内の経路であってもよく、コントローラの処理の少なくとも一部を上位コントローラや同一のコントローラ内のどこかに配置してもよいのは同様である。
【０１１５】
ＯＳＵ故障をＯＳＵコントローラが検出し、（Ａ）ＳＷコントローラ経由、（Ｂ）直接、（Ｃ）ＳＷ経由の３経路のいずれかで、ＯＳＵコントローラからＳＷに切替指示を行う例を示す。これらはＳＷ故障の場合でも同様であり、ＯＳＵ故障とＳＷ故障で異なる切替を選択してもよいし、ＯＳＵをＣＴと読み替えてもよい。
【０１１６】
（Ａ）では、ＯＳＵコントローラで検出し、ＯＳＵコントローラからＯＳＵとＳＷコントローラに切替指示をだし、ＳＷコントローラを経由してＯＳＵとＳＷに切替指示を出す。
【０１１７】
ＯＳＵコントローラは、ＯＳＵコントローラ−ＳＷコントローラ間の遅延の補正、ＯＳＵコントローラ−ＳＷコントローラ−ＯＳＵ間の遅延とＯＳＵ切替に要する時間の少なくともいずれかとＳＷコントローラ−ＳＷ間の遅延とＳＷ切替に要する時間の少なくともいずれかの差分によるずれを補正してＯＳＵへの切替指示としても良いし、それらのすくなくともいずれかを組み合わせてＯＳＵへの切替指示としても良い。ＳＷコントローラはＯＳＵコントローラの切替指示をそのままＳＷへの切替指示としても良いし、コントローラ間の通信分のオーバーヘッドやトレーラのみ外してＯＳＵやＳＷへの切替指示としても良いし、ＯＳＵコントローラ−ＳＷコントローラ間の遅延の補正、ＯＳＵコントローラ−ＳＷコントローラ−ＯＳＵ間の遅延とＯＳＵ切替に要する時間の少なくともいずれかとＳＷコントローラ−ＳＷ間の遅延とＳＷ切替に要する時間の少なくともいずれかの差分によるずれを補正してＳＷへの切替指示としても良いし、それらのすくなくともいずれかを組み合わせてＳＷへの切替指示としても良い。これらの補正は予め設定或いは計測等により取得した値に基づきＯＳＵコントローラで行って指示してもよいし、ＳＷコントローラで行ってもよいし、ＯＳＵ又はＳＷが行ってもよいし、指示を転送する部品や装置等のそれ以外で行ってもよいし、それらのいずれかの組み合わせで分担して行ってもよい。
【０１１８】
（Ａ）ＳＷコントローラ経由は、コントローラがそれぞれ配下の装置を制御するため、単一コントローラ帰属でよく、装置自体に一般的な切替処理の手段を備えず、コントローラによる設定のみも可であることから装置（ＯＳＵ、ＳＷ）を簡易にできるが、コントローラ間連携の手段が必要であり、連携に要する時間のため制御遅延が生ずる。
【０１１９】
（Ｂ）直接では、ＯＳＵコントローラで検出し、ＯＳＵコントローラからＳＷコントローラを介してＯＳＵとＳＷに切替指示を出す。
【０１２０】
ＯＳＵコントローラは、ＯＳＵコントローラ−ＳＷコントローラ−ＯＳＵ間の遅延とＯＳＵ切替に要する時間の少なくともいずれかとＯＳＵコントローラ−ＳＷコントローラ−ＳＷ間の遅延とＳＷ切替に要する時間の少なくともいずれかの差分によるずれを補正してＯＳＵへの切替指示としても良いし、それらのすくなくともいずれかを組み合わせてＯＳＵへの切替指示としても良いし、ＯＳＵコントローラ−ＳＷコントローラ−ＯＳＵ間の遅延とＯＳＵ切替に要する時間の少なくともいずれかとＯＳＵコントローラ−ＳＷコントローラ−ＳＷ間の遅延とＳＷ切替に要する時間の少なくともいずれかの差分によるずれを補正してＳＷへの切替指示としても良いし、それらのすくなくともいずれかを組み合わせてＳＷへの切替指示としても良い。これらの補正は予め設定或いは計測等により取得した値に基づきＯＳＵコントローラで行って指示してもよいし、ＯＳＵ又はＳＷが行ってもよいし、指示を転送するＳＷコントローラやその他の部品や装置等のそれ以外で行ってもよいし、それらのいずれかの組み合わせで分担して行ってもよい。
【０１２１】
（Ｂ）直接は、切替自体や切替とそれ以外の制御に関して、複数コントローラに帰属し、複数コントローラからの制御を受けるため、設定の整合性を保ちながら、装置が複数のコントローラから直接制御される手段が必要となる。複数コントローラ帰属の観点では装置（ＯＳＵ、ＳＷ）が複雑となるが、装置自体に一般的な切替処理の手段を備えず、コントローラによる設定のみも可であることから装置（ＯＳＵ、ＳＷ）を簡易にできる。但し、コントローラ間連携の手段が不要であり、連携に要する時間のため制御遅延は生じない。
【０１２２】
（Ｃ）ＯＳＵ経由では、ＯＳＵコントローラで検出し、ＯＳＵコントローラからＳＷコントローラを介してＯＳＵに切替指示を出す。ＯＳＵは一般的な切替処理の手段を経由してＳＷに切替通知を行う。
【０１２３】
ＯＳＵコントローラは、ＯＳＵコントローラ−ＳＷコントローラ−ＯＳＵ間の遅延とＯＳＵ切替に要する時間の少なくともいずれかとＯＳＵコントローラ−ＳＷコントローラ−ＯＳＵ間の遅延とＯＳＵ−ＳＷ間の遅延とＳＷ切替に要する時間の少なくともいずれかの差分によるずれを補正してＯＳＵへの切替指示としても良いし、それらのすくなくともいずれかを組み合わせてＯＳＵへの切替指示としても良いし、ＯＳＵコントローラ−ＳＷコントローラ−ＯＳＵ間の遅延とＯＳＵ切替に要する時間の少なくともいずれかとＯＳＵコントローラ−ＯＳＵ間の遅延とＯＳＵ−ＳＷ間の遅延とＳＷ切替に要する時間の少なくともいずれかの差分によるずれを補正してＳＷへの切替指示としても良いし、それらのすくなくともいずれかを組み合わせてＳＷへの切替指示としても良い。これらの補正は予め設定或いは計測等により取得した値に基づきＯＳＵコントローラで行って指示してもよいし、ＯＳＵ又はＳＷが行ってもよいし、指示を転送する部品や装置等のそれ以外で行ってもよいし、それらのいずれかの組み合わせで分担して行ってもよい。なお、ＯＳＵ経由としたが、複数コントローラ帰属となるがＳＷ経由としてもよい。
【０１２４】
（Ｃ）ＯＳＵ経由は、単一コントローラ帰属の観点では装置（ＯＳＵ、ＳＷ）は簡易であるが、装置自体に対向装置間で切替処理を行う手段を備える観点では装置（ＯＳＵ、ＳＷ）が複雑となる。但し、コントローラ間連携の手段が不要であり、連携に要する時間のため制御遅延は生じない。
【０１２５】
高信頼化の観点から、波長切替指示の経路を比較すると、遅延が許容できれば、装置の自由度から（Ａ）が、装置が通常の切替処理に対応すれば（Ｃ）が、それぞれ望ましい。
【０１２６】
次に、ＣＴ側又はＳＷ側のいずれか一方のみがコントローラと接続する例としてＳＷコントローラのみが接続する例を示す。この例では図９で、コントローラと装置（ＯＳＵ、ＳＷ）が逆になる例である。これは、ＳＦＰやＸＦＰでＯＳＵを実現し、ＯＳＵがＳＷボックスを経由してコントローラにつながる構成に適する。なお、反対側からやＣＴ毎に異なる側のみが接続する場合も同様である。また、同一ＯＳＵ内ＣＴ切替の場合は異ＯＳＵに対する切替指示及び異ＯＳＵ間切替は同一ＯＳＵに対する切替指示及び同一ＯＳＵ内切替と読み替え、ＳＦＰ型ＣＴ等とＷｈｉｔｅ Ｂｏｘ ＳＷ等の装置を組み合わせた構成の場合はＯＳＵをＣＴと読み替えればよく、共通信号線は、主信号を含むそれ以外の経路であってもよく、複数コントローラを統括する上位のコントローラ経由の経路であってもよく、複数コントローラが同一のコントローラ内に内包され、それらを内包するコントローラ内の経路であってもよく、コントローラの処理の少なくとも一部を上位コントローラや同一のコントローラ内のどこかに配置してもよいのは同様である。
【０１２７】
ＯＳＵ故障をＯＳＵコントローラが検出し、（Ａ）ＳＷコントローラ経由、（Ｂ）直接、（Ｃ）ＳＷ経由の３経路のいずれかで、ＯＳＵコントローラからＳＷに切替指示を行う例を示す。これらはＳＷ故障の場合でも同様であり、ＯＳＵ故障とＳＷ故障で異なる切替を選択してもよいし、ＯＳＵをＣＴと読み替えてもよい。
【０１２８】
（Ａ）では、ＯＳＵコントローラで検出し、ＯＳＵコントローラからＯＳＵとＳＷコントローラに切替指示をだし、ＳＷコントローラを経由してＯＳＵとＳＷに切替指示を出す。
【０１２９】
ＯＳＵコントローラは、ＯＳＵコントローラ−ＳＷコントローラ間の遅延の補正、ＯＳＵコントローラ−ＳＷコントローラ−ＯＳＵ間の遅延とＯＳＵ切替に要する時間の少なくともいずれかとＳＷコントローラ−ＳＷ間の遅延とＳＷ切替に要する時間の少なくともいずれかの差分によるずれを補正してＯＳＵへの切替指示としても良いし、それらのすくなくともいずれかを組み合わせてＯＳＵへの切替指示としても良い。ＳＷコントローラはＯＳＵコントローラの切替指示をそのままＳＷへの切替指示としても良いし、コントローラ間の通信分のオーバーヘッドやトレーラのみ外してＯＳＵやＳＷへの切替指示としても良いし、ＯＳＵコントローラ−ＳＷコントローラ間の遅延の補正、ＯＳＵコントローラ−ＳＷコントローラ−ＯＳＵ間の遅延とＯＳＵ切替に要する時間の少なくともいずれかとＳＷコントローラ−ＳＷ間の遅延とＳＷ切替に要する時間の少なくともいずれかの差分によるずれを補正してＳＷへの切替指示としても良いし、それらのすくなくともいずれかを組み合わせてＳＷへの切替指示としても良い。これらの補正は予め設定或いは計測等により取得した値に基づきＯＳＵコントローラで行って指示してもよいし、ＳＷコントローラで行ってもよいし、ＯＳＵ又はＳＷが行ってもよいし、指示を転送する部品や装置等のそれ以外で行ってもよいし、それらのいずれかの組み合わせで分担して行ってもよい。
【０１３０】
（Ａ）ＳＷコントローラ経由は、コントローラがそれぞれ配下の装置を制御するため、単一コントローラ帰属でよく、装置自体に一般的な切替処理の手段を備えず、コントローラによる設定のみも可であることから装置（ＯＳＵ、ＳＷ）を簡易にできるが、コントローラ間連携の手段が必要であり、連携に要する時間のため制御遅延が生ずる。
【０１３１】
（Ｂ）直接では、ＯＳＵコントローラで検出し、ＯＳＵコントローラからＳＷコントローラを介してＯＳＵとＳＷに切替指示を出す。
【０１３２】
ＯＳＵコントローラは、ＯＳＵコントローラ−ＳＷコントローラ−ＯＳＵ間の遅延とＯＳＵ切替に要する時間の少なくともいずれかとＯＳＵコントローラ−ＳＷコントローラ−ＳＷ間の遅延とＳＷ切替に要する時間の少なくともいずれかの差分によるずれを補正してＯＳＵへの切替指示としても良いし、それらのすくなくともいずれかを組み合わせてＯＳＵへの切替指示としても良いし、ＯＳＵコントローラ−ＳＷコントローラ−ＯＳＵ間の遅延とＯＳＵ切替に要する時間の少なくともいずれかとＯＳＵコントローラ−ＳＷコントローラ−ＳＷ間の遅延とＳＷ切替に要する時間の少なくともいずれかの差分によるずれを補正してＳＷへの切替指示としても良いし、それらのすくなくともいずれかを組み合わせてＳＷへの切替指示としても良い。これらの補正は予め設定或いは計測等により取得した値に基づきＯＳＵコントローラで行って指示してもよいし、ＯＳＵ又はＳＷが行ってもよいし、指示を転送するＳＷコントローラやその他の部品や装置等のそれ以外で行ってもよいし、それらのいずれかの組み合わせで分担して行ってもよい。
【０１３３】
（Ｂ）直接は、切替自体や切替とそれ以外の制御に関して、複数コントローラに帰属し、複数コントローラからの制御を受けるため、設定の整合性を保ちながら、装置が複数のコントローラから直接制御される手段が必要となる。複数コントローラ帰属の観点では装置（ＯＳＵ、ＳＷ）が複雑となるが、装置自体に一般的な切替処理の手段を備えず、コントローラによる設定のみも可であることから装置（ＯＳＵ、ＳＷ）を簡易にできる。但し、コントローラ間連携の手段が不要であり、連携に要する時間のため制御遅延は生じない。
【０１３４】
（Ｃ）ＯＳＵ経由では、ＯＳＵコントローラで検出し、ＯＳＵコントローラからＳＷコントローラを介してＯＳＵに切替指示を出す。ＯＳＵは一般的な切替処理の手段を経由してＳＷに切替通知を行う。
【０１３５】
ＯＳＵコントローラは、ＯＳＵコントローラ−ＳＷコントローラ−ＯＳＵ間の遅延とＯＳＵ切替に要する時間の少なくともいずれかとＯＳＵコントローラ−ＳＷコントローラ−ＯＳＵ間の遅延とＯＳＵ−ＳＷ間の遅延とＳＷ切替に要する時間の少なくともいずれかの差分によるずれを補正してＯＳＵへの切替指示としても良いし、それらのすくなくともいずれかを組み合わせてＯＳＵへの切替指示としても良いし、ＯＳＵコントローラ−ＳＷコントローラ−ＯＳＵ間の遅延とＯＳＵ切替に要する時間の少なくともいずれかとＯＳＵコントローラ−ＯＳＵ間の遅延とＯＳＵ−ＳＷ間の遅延とＳＷ切替に要する時間の少なくともいずれかの差分によるずれを補正してＳＷへの切替指示としても良いし、それらのすくなくともいずれかを組み合わせてＳＷへの切替指示としても良い。これらの補正は予め設定或いは計測等により取得した値に基づきＯＳＵコントローラで行って指示してもよいし、ＯＳＵ又はＳＷが行ってもよいし、指示を転送する部品や装置等のそれ以外で行ってもよいし、それらのいずれかの組み合わせで分担して行ってもよい。
【０１３６】
（Ｃ）ＯＳＵ経由は、単一コントローラ帰属の観点では装置（ＯＳＵ、ＳＷ）は簡易であるが、装置自体に対向装置間で切替処理を行う手段を備える観点では装置（ＯＳＵ、ＳＷ）が複雑となる。但し、コントローラ間連携の手段が不要であり、連携に要する時間のため制御遅延は生じない。なお、ＯＳＵ経由としたがＳＷ経由としてもよい。
【０１３７】
高信頼化の観点から、波長切替指示の経路を比較すると、遅延が許容できれば、装置の自由度から（Ａ）が、装置が通常の切替処理に対応すれば（Ｃ）が、それぞれ望ましい。
【０１３８】
次に、ＯＳＵとＳＷは同一コントローラ配下で、それぞれと共通信号線を介して接続するものとする。この構成は、例えば、複数波長、例えば4波長を１ボックスのＯＳＵボックスとＳＷボックスの両方をコントローラにつなぐ構成に対応する。なお、同一ＯＳＵ内ＣＴ切替の場合は異ＯＳＵに対する切替指示及び異ＯＳＵ間切替は同一ＯＳＵに対する切替指示及び同一ＯＳＵ内切替と読み替え、ＳＦＰ型ＣＴ等とＷｈｉｔｅ  Ｂｏｘ  ＳＷ等の装置を組み合わせた構成の場合はＯＳＵをＣＴと読み替えればよく、共通信号線は、主信号を含むそれ以外の経路であってもよい。図９でＯＳＵコントローラとＳＷコントローラを、一体のコントローラとした構成に対応する。
【０１３９】
本例は、ＯＳＵ故障をＯＳＵコントローラが検出し、（Ｂ）直接、（Ｃ）ＯＳＵ経由の２経路のいずれかで、ＯＳＵコントローラからＳＷに切替指示を行う例である。これらはＳＷ故障の場合でも同様であり、ＯＳＵ故障とＳＷ故障で異なる切替を選択してもよいし、ＯＳＵをＣＴと読み替えてもよい。
【０１４０】
（Ｂ）直接では、コントローラで検出し、コントローラからＯＳＵとＳＷに切替指示を出す。
【０１４１】
コントローラは、コントローラ−ＯＳＵ間の遅延とＯＳＵ切替に要する時間の少なくともいずれかとコントローラ−ＳＷ間の遅延とＳＷ切替に要する時間の少なくともいずれかの差分によるずれを補正してＯＳＵへの切替指示としても良いし、それらのすくなくともいずれかを組み合わせてＯＳＵへの切替指示としても良いし、コントローラ−ＯＳＵ間の遅延とＯＳＵ切替に要する時間の少なくともいずれかとコントローラ−ＳＷ間の遅延とＳＷ切替に要する時間の少なくともいずれかの差分によるずれを補正してＳＷへの切替指示としても良いし、それらのすくなくともいずれかを組み合わせてＳＷへの切替指示としても良い。これらの補正は予め設定或いは計測等により取得した値に基づきコントローラで行って指示してもよいし、ＯＳＵ又はＳＷが行ってもよいし、指示を転送する部品や装置等のそれ以外で行ってもよいし、それらのいずれかの組み合わせで分担して行ってもよい。
【０１４２】
（Ｂ）直接は、切替自体や切替とそれ以外の制御に関して、単一コントローラ帰属の観点と、装置自体に一般的な切替処理の手段を備えず、コントローラによる設定のみも可であることから装置（ＯＳＵ、ＳＷ）を簡易にできる。またコントローラ間連携の手段が不要であり、連携に要する時間のため制御遅延は生じない。
【０１４３】
（Ｃ）ＯＳＵ経由では、コントローラで検出し、コントローラからＯＳＵに切替指示を出す。ＯＳＵは一般的な切替処理の手段を経由してＳＷに切替通知を行う。
【０１４４】
コントローラは、コントローラ−ＯＳＵ間の遅延とＯＳＵ切替に要する時間の少なくともいずれかとコントローラ−ＯＳＵ間の遅延とＯＳＵ−ＳＷ間の遅延とＳＷ切替に要する時間の少なくともいずれかの差分によるずれを補正してＯＳＵへの切替指示としても良いし、それらのすくなくともいずれかを組み合わせてＯＳＵへの切替指示としても良いし、コントローラ−ＯＳＵ間の遅延とＯＳＵ切替に要する時間の少なくともいずれかとコントローラ−ＯＳＵ間の遅延とＯＳＵ−ＳＷ間の遅延とＳＷ切替に要する時間の少なくともいずれかの差分によるずれを補正してＳＷへの切替指示としても良いし、それらのすくなくともいずれかを組み合わせてＳＷへの切替指示としても良い。これらの補正は予め設定或いは計測等により取得した値に基づきコントローラで行って指示してもよいし、ＯＳＵ又はＳＷが行ってもよいし、指示を転送する部品や装置等のそれ以外で行ってもよいし、それらのいずれかの組み合わせで分担してもよい。なお、ＯＳＵ経由としたがＳＷ経由としてもよい。
【０１４５】
（Ｃ）ＯＳＵ経由は、単一コントローラ帰属の観点では装置（ＯＳＵ、ＳＷ）は簡易であるが、装置自体に対向装置間で切替処理を行う手段を備える観点では装置（ＯＳＵ、ＳＷ）が複雑となる。またコントローラ間連携の手段が不要であり、連携に要する時間のため制御遅延は生じない。
【０１４６】
高信頼化の観点から、波長切替指示の経路を比較すると、遅延が許容できれば、装置の自由度から（Ｂ）が、装置が通常の切替処理に対応すれば（Ｃ）が、それぞれ望ましい。
【０１４７】
次に、ＣＴ側又はＳＷ側のいずれか一方のみが単一コントローラと接続する例としてＯＳＵとＳＷ共通のコントローラがＳＷに接続する例を示す。この例では図９で、コントローラと装置（ＯＳＵ、ＳＷ）が逆になり、２コントローラが単一のコントローラになる例である。これは、ＳＦＰやＸＦＰでＯＳＵを実現し、ＯＳＵがＳＷボックスを経由してコントローラにつながる構成に適する。なお、反対側からやＣＴ毎に異なる側のみが接続する場合も同様である。また、同一ＯＳＵ内ＣＴ切替の場合は異ＯＳＵに対する切替指示及び異ＯＳＵ間切替は同一ＯＳＵに対する切替指示及び同一ＯＳＵ内切替と読み替え、ＳＦＰ型ＣＴ等とＷｈｉｔｅ  Ｂｏｘ  ＳＷ等の装置を組み合わせた構成の場合はＯＳＵをＣＴと読み替えればよく、共通信号線は、主信号を含むそれ以外の経路であってもよいのは同様である。
【０１４８】
ＯＳＵ故障をコントローラが検出し、（Ｂ）直接、（Ｃ）ＳＷ経由の３経路のいずれかで、コントローラからＳＷに切替指示を行う例を示す。これらはＳＷ故障の場合でも同様であり、ＯＳＵ故障とＳＷ故障で異なる切替を選択してもよいし、ＯＳＵをＣＴと読み替えてもよい。
【０１４９】
（Ｂ）直接では、コントローラで検出し、コントローラからＯＳＵとＳＷに切替指示を出す。
【０１５０】
ＯＳＵコントローラは、コントローラ−ＯＳＵ間の遅延とＯＳＵ切替に要する時間の少なくともいずれかとコントローラ−ＳＷ間の遅延とＳＷ切替に要する時間の少なくともいずれかの差分によるずれを補正してＯＳＵへの切替指示としても良いし、それらのすくなくともいずれかを組み合わせてＯＳＵへの切替指示としても良いし、コントローラ−ＯＳＵ間の遅延とＯＳＵ切替に要する時間の少なくともいずれかとコントローラ−ＳＷ間の遅延とＳＷ切替に要する時間の少なくともいずれかの差分によるずれを補正してＳＷへの切替指示としても良いし、それらのすくなくともいずれかを組み合わせてＳＷへの切替指示としても良い。これらの補正は予め設定或いは計測等により取得した値に基づきコントローラで行って指示してもよいし、ＯＳＵ又はＳＷが行ってもよいし、指示を転送する部品や装置等のそれ以外で行ってもよいし、それらのいずれかの組み合わせで分担して行ってもよい。
【０１５１】
（Ｂ）直接は、単一コントローラ帰属の観点と、装置自体に一般的な切替処理の手段を備えず、コントローラによる設定のみも可であることから装置（ＯＳＵ、ＳＷ）を簡易にできる。なおコントローラ間連携の手段が不要であり、連携に要する時間のため制御遅延は生じない。
【０１５２】
（Ｃ）ＯＳＵ経由では、コントローラで検出し、コントローラからＯＳＵに切替指示を出す。ＯＳＵは一般的な切替処理の手段を経由してＳＷに切替通知を行う。
【０１５３】
コントローラは、コントローラ−ＯＳＵ間の遅延とＯＳＵ切替に要する時間の少なくともいずれかとコントローラ−ＯＳＵ間の遅延とＯＳＵ−ＳＷ間の遅延とＳＷ切替に要する時間の少なくともいずれかの差分によるずれを補正してＯＳＵへの切替指示としても良いし、それらのすくなくともいずれかを組み合わせてＯＳＵへの切替指示としても良いし、コントローラ−ＯＳＵ間の遅延とＯＳＵ切替に要する時間の少なくともいずれかとコントローラ−ＯＳＵ間の遅延とＯＳＵ−ＳＷ間の遅延とＳＷ切替に要する時間の少なくともいずれかの差分によるずれを補正してＳＷへの切替指示としても良いし、それらのすくなくともいずれかを組み合わせてＳＷへの切替指示としても良い。これらの補正は予め設定或いは計測等により取得した値に基づきコントローラで行って指示してもよいし、ＯＳＵ又はＳＷが行ってもよいし、指示を転送する部品や装置等のそれ以外で行ってもよいし、それらのいずれかの組み合わせで分担して行ってもよい。なお、ＯＳＵ経由としたがＳＷ経由としてもよい。
【０１５４】
（Ｃ）ＯＳＵ経由は、単一コントローラ帰属の観点では装置（ＯＳＵ、ＳＷ）は簡易であるが、装置自体に対向装置間で切替処理を行う手段を備える観点では装置（ＯＳＵ、ＳＷ）が複雑となる。但し、コントローラ間連携の手段が不要であり、連携に要する時間のため制御遅延は生じない。
【０１５５】
高信頼化の観点から、波長切替指示の経路を比較すると、遅延が許容できれば、装置の自由度から（B）が、装置が通常の切替処理に対応すれば（Ｃ）が、それぞれ望ましい。
【０１５６】
上記の切替に置いて、ＯＳＵ又はＣＴの処理として、収容ＯＮＵの設定の変更が含まれることが望ましい。
【０１５７】
また、切替先は予め定めておいてもよいし、空きスロット等で使用不可な装置（ＣＴ、ＯＳＵ、ＳＷ）を含む所定の装置又はアクディブな装置又は休止中の装置又は帯域利用率や収容ＯＮＵ数等が所定の範囲の値である装置又は切替履歴や１又は複数の切替機会で切替対象や対象外でなかった装置等からランダムや予め定めた昇順や降順等や、帯域利用率や収容ＯＮＵ数の多寡で決定してもよい。
【０１５８】
切替先を予め定めておくことは断時間を最小化する観点から望ましい。
【０１５９】
また切替として、故障契機の自動切替としたが、省電力や負荷分散等のための自動切替や、オペレータ都合での波長変更等の手動切替の場合は以下とすることが望ましい。
【０１６０】
１）周期的なトラフィックの導通から次導通までの間の切替
２）切替中のトラフィックを破棄せずに収容できるバッファ量の蓄積可能時間以下の切替。
３）導通するトラフィックの許容断時間よりも早い切替
４）トラフィックの下流から切替し、切替設定完了後に上流の切替を行う
５）トラフィックをトラフィックの上流で複製し、切替元と切替先に流し、トラフィックの下流で選択して切替後に切替先のトラフィックを選択して切替する
６）上述した同期切替を行う
【０１６１】
（１）発出元自体が遅延差に応じて送信時間をずらす
（２）発出元が切替までの遅延時間を指定する
（３）発出元が時刻指定
（３ａ）時刻同期した切替主体が時刻で切替
（３ｂ）切替主体への経路上の時刻同期した装置が（１）（２）を実施
（４）固定の遅延をもって切替先が遅延差に応じて遅延する
【０１６２】
また、切替指示の発出元としてコントローラで例示したが、隣接部品（例えば、切替先の候補の部品）でもよい。隣接部品が、切替元とＣＰＵや正常性確認等のモニタを共通又は正常性確認等の結果を取得できる場合は、隣接部品が発出してもよいし、共有するＣＰＵやモニタ等から直接又は当該隣接装置等を経由して発出してもよい。
【０１６３】
なお、上記では、ＯＳＵ（ＣＴ）とＳＷの切替で例示したが、図１０に示すように、光ＳＷとＯＳＵ（ＣＴ）であっても同様であり、光ＳＷとＯＳＵ（ＣＴ）とＳＷであっても同様である。図１０では、光信号を終端する複数の終端部と光信号の経路を切り替える光スイッチとを部品として有する光加入者線端局装置と、経路の切替指示を終端部及び光スイッチに送信するコントローラと、を備え、終端部は、切替指示をコントローラから取得した場合、経路の切り替えに関する部品に切替指示を送信し、スイッチは、切替指示をコントローラから取得した場合、経路の切り替えに関する部品に切替指示を送信する。
【０１６４】
本実施例では、通信装置は、更にＦＡＳＡアプリケーション等のアプリケーション又はＦＡＳＡ基盤等のプラットフォーム等でソフトウェア部品のためのインタフェースを備える。
【０１６５】
（実施形態１−１）
実施形態１−１では、ＴＷＤＭ−ＰＯＮに用いられる通信システムを構成する通信装置の構成について説明する。実施形態１−１で説明する通信装置は、図７に示す装置２や図８に示す通信装置５１として用いられる。以下、通信装置のアーキテクチャの例として、第１例から第６例までを説明する。通信システムを構成する通信装置のアーキテクチャは、下記で説明する第１例から第６例まで以外のアーキテクチャであってよい。例えば、アーキテクチャの第１例から第６例における通信装置のソフトウェア部は、ハードウェア部でもよい。
【０１６６】
（アーキテクチャの第１例）
図１１は、通信装置のアーキテクチャの第１例を示す図である。アーキテクチャの第１例では、通信装置は、動作が機器に依存する非汎用の機器依存部１１０と、機器依存部１１０のハードウェアやソフトウェアの違いを隠蔽するミドルウェア部１２０と、動作が機器に依存しない汎用の機器無依存アプリ部１３０とを備える。したがって、機器依存部１１０（ベンダ依存部）は、通信装置の機器が準拠する標準規格や機器の製造ベンダに依存する機能部である。言い換えれば、機器依存部１１０は、他の通信機器との互換性が小さく、新たに製造された通信機器（特に、準拠する標準や製造ベンダが異なる機器）にはそのまま用いることができない。機器依存部１１０は、ネットワーク機器に備わる１以上の機能を実行する。
【０１６７】
また、機器無依存アプリ部１３０は、通信装置の機器が準拠する標準規格や機器の製造ベンダに依存しない機能部である。言い換えれば、機器無依存アプリ部１３０は、他の通信機器との互換性が大きく、新たに製造された通信機器（特に、準拠する標準や製造ベンダが異なる機器）にそのまま用いることができる。機器無依存アプリ部１３０に設けられるアプリの具体例として、ネットワーク機器における設定処理を行うアプリ、設定の変更処理を行うアプリ、アルゴリズム処理を行うアプリ等がある。
【０１６８】
ミドルウェア部１２０と機器無依存アプリ部１３０とは、機器無依存ＡＰＩ２１を介して接続される。機器無依存ＡＰＩ２１は、機器に依存しない入出力ＩＦである。
【０１６９】
機器依存部１１０は、例えばハードウェア部１１１（ＰＨＹ）、ハードウェア部１１２（ＭＡＣ）、ソフトウェア部１１３及びＯＡＭ（Ｏｐｅｒａｔｉｏｎ  Ａｄｍｉｎｉｓｔｒａｔｉｏｎ  ａｎｄ  Ｍａｉｎｔｅｎａｎｃｅ）部１１４を備えて構成される。ハードウェア部１１１（ＰＨＹ）、ハードウェア部１１２（ＭＡＣ）、ソフトウェア部１１３及びＯＡＭ部１１４と、ミドルウェア部１２０とは、機器依存ＡＰＩ２３を介して接続される。機器依存ＡＰＩ２３は、機器に依存する入出力ＩＦである。機器依存部１１０は、更にＮＥ（Ｎｅｔｗｏｒｋ  Ｅｌｅｍｅｎｔ）管理・制御部１１５を備える。ＮＥ管理・制御部１１５とミドルウェア部１２０とは、機器依存ＡＰＩ２５を介して接続される。機器依存ＡＰＩ２５は、機器に依存する入出力ＩＦである。
【０１７０】
どのような機能を機器依存部１１０又は機器無依存アプリ部１３０とするかは、ミドルウェア部１２０や機器無依存アプリ部１３０を実現するための処理に由来する制限、例えば、ソフトウェアの処理能力に由来する制限に加えて、機能の更新頻度や拡張機能の重要度等に応じて決められてもよい。これによって、通信装置は、機器無依存アプリ部１３０による拡張機能部（独自機能部）の柔軟かつ迅速な追加を容易にし、通信サービスをタイムリーに提供することができる。
【０１７１】
例えば、主信号の優先処理や回線の利用効率を向上するＤＢＡ（Ｄｙｎａｍｉｃ  Ｂａｎｄｗｉｄｔｈ  Ａｓｓｉｇｎｍｅｎｔ）等の更新頻度が高い機能又は通信サービス差異化に寄与する機能を優先して、機器依存部１１０又は機器無依存アプリ部１３０とすることを決めてもよい。更に、共用化を図る機器の準拠する標準規格、世代、方式、システム、機器種別、製造ベンダの少なくともいずれかに関して差異の隔たりが小さいものから、機器無依存アプリ部１３０としてもよい。
【０１７２】
準拠する標準規格、世代、方式、システム、機器種別、製造ベンダの少なくともいずれかに対しては最適でない場合でも、準拠する標準規格、世代、方式、システム、機器種別、製造ベンダの機能のいずれかを汎用化するために、機能を実行するための共通ＩＦが用いられてもよい。共通ＩＦの中には、機器依存部１１０の準拠する標準規格、世代、方式、システム、機器種別、製造ベンダのいずれかにおいて使用されないＩＦやパラメータが含まれていてもよい。
【０１７３】
図１１及び後述する図１２に示すミドルウェア部１２０と、後述する図１３及び後述する図１４に示す機器依存部１１０のドライバと、後述する図１２及び後述する図１４に示す機器依存アプリ部１５０（ベンダ依存アプリ部）との少なくともいずれかに、ＩＦやパラメータ等を機器依存部１１０に対応するように変換する変換機能部や、不足するＩＦやパラメータ等に対応して自動設定する機能部を更に備えてもよい。
【０１７４】
図１１に示す機器依存部１１０は、ハードウェア部１１１（ＰＨＹ）及びハードウェア部１１２（ＭＡＣ）と、ソフトウェア部１１３とを備える。ハードウェア部１１１（ＰＨＹ）は、物理層から光送受信関連の処理まで（ＰＨＹｓｉｃａｌ  ｓｕｂｌａｙｅｒ処理）を実行する。ハードウェア部１１２（ＭＡＣ）は、ＭＡＣ（Ｍｅｄｉａ  Ａｃｃｅｓｓ  Ｃｏｎｔｒｏｌ）処理を実行する。ハードウェア部１１１（ＰＨＹ）及びハードウェア部１１２（ＭＡＣ）は、準拠する標準規格や製造ベンダに依存する。ソフトウェア部１１３は、機器依存のドライバ、ファームウェア、アプリケーション等を実行する。
【０１７５】
機器依存部１１０のハードウェア部１１１（ＰＨＹ）及びハードウェア部１１２（ＭＡＣ）は、これら以外に汎用サーバやレイヤ２スイッチ等を備えてもよい。機器依存部１１０は、ハードウェア部１１２（ＭＡＣ）を備えなくてもよい。機器依存部１１０は、ハードウェア部１１１（ＰＨＹ）の一部を備えなくてもよい。例えば、機器依存部１１０は、変復調信号処理、前方誤り訂正（ＦＥＣ、Ｆｏｒｗａｒｄ  Ｅｒｒｏｒ  Ｃｏｒｒｅｃｔｉｏｎ）、符復号処理、暗号化処理等の低位の信号処理を備えずに、光関連の機能のみを備えてもよい。機器依存部１１０は、データを符号化する部分であるＰＣＳ（ＰＨＹｓｉｃａｌ  Ｃｏｄｉｎｇ  Ｓｕｂｌａｙｅｒ）を備えなくてもよい。機器依存部１１０は、データのシリアル化を行うＰＭＡ（Ｐｈｙｓｉｃａｌ  Ｍｅｄｉｕｍ  Ａｔｔａｃｈｍｅｎｔ）とＰＣＳとを備えなくてもよい。機器依存部１１０は、物理媒体に接続するＰＭＤを備えなくてもよい。機器依存部１１０は、ミドルウェア部１２０がソフトウェア部１１３を介さずに機器依存部１１０のハードウェア部１１１（ＰＨＹ）及びハードウェア部１１２（ＭＡＣ）を直接に駆動、制御、操作又は管理する場合、ソフトウェア部１１３を備えなくてもよい。
【０１７６】
機器無依存アプリ部１３０は、例えば、拡張機能部１３１−１〜１３１−３（図１１では、拡張機能Ａ、拡張機能Ｂ及び拡張機能Ｃ）と、基本機能部１３２と、管理・制御エージェント部１３３とを備える。管理・制御エージェント部１３３は、ＥＭＳ（Ｅｌｅｍｅｎｔ  Ｍａｎａｇｅｍｅｎｔ  Ｓｙｓｔｅｍ）１４０からデータをやり取りする。
【０１７７】
図ではＥＭＳ１４０及び外部の装置１６０がミドルウェア部１２０を介して機器無依存アプリ部１３０に接続しているが、ＥＭＳ１４０及び外部の装置１６０は必ずしもミドルウェア部１２０を介して機器無依存アプリ部１３０に接続している必要は無い。ＥＭＳ１４０及び外部の装置１６０は、必要に応じてミドルウェア部１２０に適宜接続してもよいし、機器無依存アプリ部１３０に直接接続してもよい。また「ミドルウェア部１２０経由で接続」と表現しているが、この表現は機器無依存アプリ部１３０からみた視点での表現である。実際には、ハードウェアでの接続の後にミドルウェア部１２０を介して機器無依存アプリ同士が接続している。
【０１７８】
以下、拡張機能部１３１−１〜１３１−３に共通する事項については、符号の一部を省略して、「拡張機能部１３１」と表記する。ＥＭＳ１４０は、例えば、ＮＥのコントローラである。なお、機器無依存アプリ部１３０は、拡張機能部１３１と基本機能部１３２と管理・制御エージェント部１３３とのうちいずれかを含まなくてもよいし、管理・制御エージェント部１３３が基本機能部１３２に含まれていてもよいし、管理・制御エージェント部１３３が基本機能部１３２やミドルウェア部１２０に含まれていてもよい。
【０１７９】
機器無依存アプリ部１３０は、拡張機能部１３１、基本機能部１３２、及び管理・制御エージェント部１３３以外の構成を、更に含んでいてもよい。例えば、拡張機能部１３１が不要である場合、機器無依存アプリ部１３０は、拡張機能部１３１を備えなくてもよい。また、機器無依存アプリ部１３０は、１個以上の拡張機能部１３１を含んでもよい。
【０１８０】
拡張機能部１３１は、他の機能に不要な影響を与えずに独立して追加、削除、入替又は変更が可能であることが好ましい。例えば、拡張機能部１３１は、サービス上の要求に合わせて、例えばマルチキャストサービス、省電力対応を実行する拡張機能部１３１が必要になった場合、適宜に追加、削除、入替又は変更されてもよい。
【０１８１】
基本機能部１３２は、拡張機能部１３１の一部として機器無依存アプリ部１３０に含まれてもよいし、ミドルウェア部１２０よりも下位の機能部によって代替されてもよい。拡張機能部１３１が基本機能部１３２を含む場合、機器無依存アプリ部１３０は基本機能部１３２を含まなくてもよい。ミドルウェア部１２０よりも下位の機能部が基本機能部１３２を代替する場合、機器無依存アプリ部１３０は基本機能部１３２を含まなくてもよい。拡張機能部１３１が基本機能部１３２を含み、ミドルウェア部１２０よりも下位の機能部が基本機能部１３２を代替する場合、機器無依存アプリ部１３０は基本機能部１３２を含まなくてもよい。
【０１８２】
管理・制御エージェント部１３３は、ＥＭＳ１４０からの通信を受けずに、予め定められた設定に従って自動設定する場合、ＥＭＳ１４０と入出力しなくてよい。更に、管理・制御エージェント部１３３が管理設定機能を備えず、他の機器無依存アプリ部１３０や基本機能部１３２や機器依存部１１０が管理設定機能を備える場合、機器無依存アプリ部１３０は、管理・制御エージェント部１３３を備えなくてもよい。
【０１８３】
ＥＭＳ１４０と機器無依存アプリ部１３０とは、情報を直接入出力してもよい。また、機器依存部１１０は、ＮＥ管理・制御部１１５と、ＮＥ管理・制御部１１５の下位の機能部の機器依存アプリ部１５０（後述する図１２及び後述する図１４参照）によって代替されてもよい。
【０１８４】
管理・制御エージェント部１３３は、予め定められた設定に従って自動設定する場合、ＥＭＳ１４０との間で情報を入出力しなくてよい。更に、管理設定機能を管理・制御エージェント部１３３が備えず他の機器無依存アプリ部１３０や基本機能部１３２や機器依存部１１０が管理設定機能を備える場合、機器無依存アプリ部１３０は、管理・制御エージェント部１３３を備えなくてもよい。ＥＭＳ１４０と機器無依存アプリ部１３０とは、情報を直接入出力してもよい。
【０１８５】
機器無依存アプリ部１３０と機器依存部１１０との入出力の例は以下である。
例えば、ＤＢＡアプリ部及びプロテクションアプリ部は、ＴＣレイヤのエンベデッドＯＡＭエンジン（Ｅｍｂｅｄｄｅｄ  ＯＡＭ  Ｅｎｇｉｎｅ）と、相互に情報を入出力する。ＤＷＢＡ（Ｄｙｎａｍｉｃ  Ｗａｖｅｌｅｎｇｔｈ  ａｎｄ  Ｂａｎｄｗｉｄｔｈ  Ａｓｓｉｇｎｍｅｎｔ）アプリ及びＯＮＵ登録認証アプリ部は、ＴＣレイヤのＰＬＯＡＭエンジンと、相互に情報を入出力する。省電力アプリ部は、ＯＭＣＩ及びＬ２主信号処理機能部（Ｌ２機能部）と相互に情報を入出力する。ＭＬＤ（Ｍｕｌｔｉｃａｓｔ  Ｌｉｓｔｅｎｅｒ  Ｄｉｓｃｏｖｅｒ）プロキシアプリ部は、Ｌ２機能部と相互に情報を入出力する。低速監視アプリ（ＯＭＣＩ）は、ＯＭＣＩと相互に情報を入出力する。ＯＭＣＩ及びＬ２機能部は、ＸＧＥＭフレーマ（ＸＧＰＯＮ  Ｅｎｃａｐｓｕｌａｔｉｏｎ  Ｍｅｔｈｏｄ  Ｆｒａｍｅｒ）及び暗号化を動作させる。ここで、ＤＷＢＡとＤＢＡは、別体、一体又は組み合わせでもよい。例えば、管理・制御エージェント部１３３は、保守運用機能のアプリ部であり、ＮＥ管理・制御部１１５のためのＮＥコントローラ等であるＥＭＳ１４０と、相互に情報を入出力する。
【０１８６】
なお、機器無依存アプリ部１３０の実装には、優先順位があってもよい。例えば、管理・制御エージェント部１３３が最も優先される第１の優先順位である。第２の優先順位以下は、例えば、ＤＢＡアプリ、ＤＷＢＡアプリ、省電力アプリ、ＯＮＵ登録認証アプリ、ＭＬＤプロキシアプリ、プロテクションアプリ、低速監視アプリ（ＯＭＣＩ）の順である。
【０１８７】
機器無依存アプリ部１３０は、機器のベンダ、方式、機器種別、機器の世代、例えば、ＩＴＵ−Ｔ  Ｇ．９８９シリーズに準拠するＴＷＤＭ−ＰＯＮと、ＩＴＵ−Ｔ  Ｇ．９８７シリーズに準拠するＸＧ−ＰＯＮと、ＩＴＵ−Ｔ  Ｇ．９８４シリーズに準拠するＧ−ＰＯＮと、ＩＴＵ−Ｔ  Ｇ．９８３シリーズに準拠するＢ（Ｂｒｏａｄｂａｎｄ）ＰＯＮとのいずれにもよらずに動作するアプリである。機器無依存アプリ部１３０は、機器のベンダ、方式、機器種別、機器の世代、例えば、ＩＥＥＥ８０２．３ａｖやＩＥＥＥ１９０４．１等に準拠する１０ＧＥ−ＰＯＮとＩＥＥＥ８０２．３ａｈに準拠するＧＥ−ＰＯＮ等の差異とによらずに動作するアプリである。
【０１８８】
拡張機能部１３１のアプリとして、機器無依存ＡＰＩ２１を介して、一部のベンダ、方式、種別、世代に備える機能を駆動するためのアプリや、一部のベンダ、方式、種別、世代の装置のみに備える機能を駆動するアプリを含んでいてもよい。
【０１８９】
管理・制御エージェント部１３３は、ＥＭＳ１４０及びミドルウェア部１２０と入出力する。ミドルウェア部１２０は、ＮＥ管理・制御部１１５との間で、ＮＥ管理情報及び制御情報を入出力する。ＮＥ管理・制御部１１５は、ミドルウェア部１２０を介さずに、ＮＥ管理情報及び制御情報をＥＭＳ１４０と直接送受信してもよいし、管理・制御エージェント部１３３を介して、ＮＥ管理情報及び制御情報を送受信してもよい。
【０１９０】
ミドルウェア部１２０は、機器無依存アプリ部１３０と機器無依存ＡＰＩ２１を介して情報を入出力する。ミドルウェア部１２０は、機器依存ＡＰＩ２３を介して、機器依存部１１０のＯＡＭ部１１４、ドライバ、ファームウェア、ハードウェア部１１１（ＰＨＹ）又はハードウェア部１１２（ＭＡＣ）と情報を入出力する。ミドルウェア部１２０は、入力した情報を、そのまま又は所定の形式で出力する。例えば、ミドルウェア部１２０は、出力先が機器無依存アプリ部１３０の各部であれば、機器無依存ＡＰＩ２１の各部の入力形式に情報を変換する。出力先が機器依存部１１０のＯＡＭ部１１４、ドライバ、ファームウェア、ハードウェア部１１１（ＰＨＹ）又はハードウェア部１１２（ＭＡＣ）であれば、ミドルウェア部１２０は、それぞれに入力する形式の機器依存ＡＰＩ２３の形式に変換してから、又は終端して所定の処理を施してから情報を出力先に送信する。
【０１９１】
ミドルウェア部１２０は、入力の際に、それぞれの入力先に不要な入力情報は削除し、不足の情報があれば、他の機器無依存ＡＰＩ２１や機器依存ＡＰＩ２３を介して収集して補足することが望ましい。また、ミドルウェア部１２０への入力の際に、ブロードキャスト又はマルチキャストして、関連するアプリ等に同報することとしてもよい。
【０１９２】
図１１では、ミドルウェア部１２０や機器依存部１１０は単一で例示したが、それぞれ複数から構成されていてもよい。機器依存部１１０のハードウェアに複数のプロセッサが含まれる場合、ミドルウェア部１２０はプロセッサやハードウェアをまたいでプロセッサ間通信等を用いて入出力してもよい。機器無依存アプリ部１３０間や機器無依存アプリ部１３０をＤＬＬ（Ｄｙｎａｍｉｃ  Ｌｉｎｋ  Ｌｉｂｒａｒｙ）のような実行プログラムとして、単一のプロセッサ上のユーザ空間上に配置してもよいし、複数のプロセッサ上のユーザ空間上に配置してもよい。
【０１９３】
また、機器無依存アプリ部１３０は、ＡＰＩ等の入出力ＩＦを確保した上でカーネル空間に配置してもよいし、独立にファームウェア等に入替可能なＩＦを有するミドルウェア部１２０とともに配置してもよいし、ファームウェア等に組み込んでコンパイルし直してもよい。機器無依存アプリ部１３０毎にユーザ空間やカーネル空間を任意の組み合わせとしてもよい。
同一の機能に対応する機器無依存アプリ部１３０を、ユーザ空間とカーネル空間の両方で実装可能としてもよい。この場合、例えば、切り替えていずれかを選択してもよいし、両方協働して処理してもよいし、一方のみで実処理を行うとしてもよい。機器依存部１１０のソフトウェアも同様である。
【０１９４】
望ましくは、主信号処理やＤＢＡ処理や低レイヤの信号処理のように高速処理が必要であるほど、拡張性・入替の即時性とトレードオフはあるが、オーバーヘッドが少なく高速な処理が期待されるカーネル空間やファームウェアに組み込むことが望ましい。機器依存アプリ部１５０（後述する図１２及び後述する図１４参照）を配置するプロセッサもプロセッサ間通信によるバスや速度等の制限、通信路の占有等による他のプログラムへの影響の観点から、実処理を行うプロセッサ又はその近傍のプロセッサのユーザ空間やカーネル空間やファームウェア上に配置することが望ましい。ただし、実処理を行うプロセッサ又はその近傍のプロセッサの能力を軽減するためにはプロセッサ間通信によるコミュニケーションコストは増大するが、遠隔のプロセッサで処理するとしてもよい。
【０１９５】
機器無依存ＡＰＩ２１は、追加する拡張機能部１３１を想定してミドルウェア部１２０に予め備えられることが望ましいが、機器依存ＡＰＩ２３や他の機器無依存アプリ部１３０の改変を抑制する形で、必要に応じて追加又は削除されてもよい。
【０１９６】
なお、本例では、ソフト化領域を、基本機能部１３２、管理・制御エージェント部１３３、拡張機能部１３１、ミドルウェア部１２０としたが、ソフト化領域は、サービスアダプテーション（暗号化、フラグメント処理、ＧＥＭフレーム化／ＸＧＥＭフレーム化、ＰＨＹアダプテーションのＦＥＣ、スクランブル、同期ブロック生成／抽出、ＧＴＣ（ＧＰＯＮ  Ｔｒａｎｓｍｉｓｓｉｏｎ  Ｃｏｎｖｅｒｇｅｎｃｅｓ）フレーム化、ＰＨＹフレーム化、ＳＰ変換、符号化方式も対象としてもよい。アーキテクチャのソフト化機能の実装例とハードウェア部に対応する機能配備の例を説明する。機能配備は、例えば、ネットワーク機器又は外部のサーバにソフト化機能を備える。これは他の例でも同様である。
【０１９７】
（アーキテクチャの第２例）
図１２は、通信装置のアーキテクチャの第２例を示す図である。図１２では、通信装置は、図１１に示す通信装置のミドルウェア部１２０の配下に機器依存アプリ部１５０を更に備えた構成である。アーキテクチャの第２例は、機器依存アプリ部１５０を備えること以外は、アーキテクチャの第１例と同様である。
【０１９８】
図１２では、通信装置は、準拠する機器依存部１１０の標準規格又は機器製造ベンダに依存するハードウェア部１１１（ＰＨＹ）及びハードウェア部１１２（ＭＡＣ）と、ハードウェア部１１１（ＰＨＹ）及びハードウェア部１１２（ＭＡＣ）を駆動するドライバ、ファームウェア等を実行するソフトウェア部１１３と、機器依存部１１０のハードウェア部１１１（ＰＨＹ）及びハードウェア部１１２（ＭＡＣ）やソフトウェア部１１３の少なくとも一部を駆動する機器依存アプリ部１５０と、機器依存部１１０のハードウェア部１１１（ＰＨＹ）、ハードウェア部１１２（ＭＡＣ）、ソフトウェア部１１３及び機器依存アプリ部１５０の違いを隠蔽するミドルウェア部１２０と、機器に依存しない汎用の機器無依存アプリ部１３０とを備える。
【０１９９】
ミドルウェア部１２０と機器依存アプリ部１５０とは、機器依存ＡＰＩ２３で接続される。機器依存アプリ部１５０と、機器依存部１１０のＯＡＭ部１１４、ソフトウェア部１１３、ハードウェア部１１１（ＰＨＹ）及びハードウェア部１１２（ＭＡＣ）とは、機器依存ＡＰＩ２４で接続される。機器依存アプリ部１５０と管理・制御エージェント部１３３とは、ＡＰＩ２６で接続される。
【０２００】
機器無依存アプリ部１３０は、例えば、ＥＭＳ１４０からの通信を受ける管理・制御エージェント部１３３と、基本機能部１３２と、拡張機能部１３１とを備える。機器無依存アプリ部１３０は、アーキテクチャの第１例と同様に、管理・制御エージェント部１３３と基本機能部１３２と拡張機能部１３１とのうちいずれかを備えなくてもよい。機器無依存アプリ部１３０は、管理・制御エージェント部１３３と基本機能部１３２と拡張機能部１３１と以外の機能部を、更に備えてもよい。また、拡張機能部１３１は、アーキテクチャの第１例と同様に、他の機能に影響を与えずに追加、削除、入替又は変更が可能であることが好ましい。
【０２０１】
基本機能部１３２は、各拡張機能部１３１の一部として含まれていてもよいし、ミドルウェア部１２０の下位で代替されてもよい。拡張機能部１３１が基本機能部１３２を含む場合や、ミドルウェア部１２０の下位が基本機能部１３２を代替する場合や、それらの組み合わせである場合、機器無依存アプリ部１３０は基本機能部１３２を含まなくてもよい。
【０２０２】
また、基本機能部１３２の一部もミドルウェア部１２０の下位の機器依存アプリ部１５０で代替してもよい。管理・制御エージェント部１３３は、予め定められた設定に従って自動設定する場合、ＥＭＳ１４０との間で情報を入出力しなくてよい。更に、管理設定機能を管理・制御エージェント部１３３が備えず、他の機器無依存アプリ部１３０や基本機能部１３２や機器依存部１１０が管理設定機能を備える場合、機器無依存アプリ部１３０は、管理・制御エージェント部１３３を備えなくてもよい。
【０２０３】
ＥＭＳ１４０と機器無依存アプリ部１３０とは、直接入出力してもよい。ミドルウェア部１２０の下位が基本機能部１３２の全てを代替する場合、機器無依存アプリ部１３０は、基本機能部１３２を備えなくてもよい。
【０２０４】
図１２に示す通信装置において、機器依存アプリ部１５０は、ミドルウェア部１２０を介して情報を入出力してもよいし、管理・制御エージェント部１３３から情報を直接入出力してもよいし、両者のうちのいずれかとの間で情報を入出力してもよいし、ＥＭＳ１４０と直接入出力してもよい。また、機器依存アプリ部１５０が、ＥＭＳ１４０からの通信を受けずに、予め定められた設定に従って自動設定されており、ミドルウェア部１２０を介してＥＭＳ１４０から管理及び制御情報を取得可能である場合、機器無依存アプリ部１３０は、管理・制御エージェント部１３３を備えなくてもよい。
【０２０５】
機器無依存アプリ部１３０は、ミドルウェア部１２０を介して少なくとも機器依存部１１０のハードウェア部１１１（ＰＨＹ）及びハードウェア部１１２（ＭＡＣ）との間又はソフトウェア部１１３との間で、情報を入出力する。機器無依存アプリ部１３０は、必要に応じてミドルウェア部１２０を介して、相互に入出力する。特に、機器無依存アプリ部１３０は、ＥＭＳ１４０との間で入出力された情報に応じて制御又は管理を実行する場合、ＥＭＳ１４０からの通信を受ける管理・制御エージェント部１３３との間で、情報を入出力する。
【０２０６】
ＮＥ管理・制御部１１５は、ミドルウェア部１２０を介して管理・制御エージェント部１３３との間で、ＮＥ管理情報及び制御情報を入出力する。ＮＥ管理・制御部１１５は、ミドルウェア部１２０を介さずに、ＥＭＳ１４０との間で、ＮＥ管理情報及び制御情報を直接入出力してもよい。
【０２０７】
機器依存アプリ部１５０は、管理・制御エージェント部１３３との間で、ＮＥ管理情報及び制御情報を入出力している。機器依存アプリ部１５０は、管理・制御エージェント部１３３を介さずに、ＥＭＳ１４０との間で、情報を直接入出力してもよい。管理・制御エージェント部１３３は、ＥＭＳ１４０、ミドルウェア部１２０及び機器依存アプリ部１５０との間で、情報を入出力する。ミドルウェア部１２０は、ＮＥ管理・制御部１１５との間で、ＮＥ管理情報及び制御情報を入出力する。
【０２０８】
ＮＥ管理・制御部１１５は、ミドルウェア部１２０を介さずに、ＥＭＳ１４０との間で、ＮＥ管理情報及び制御情報を直接入出力してもよい。ミドルウェア部１２０は、機器無依存アプリ部１３０との間で、機器無依存ＡＰＩ２１を介して情報を入出力し、機器依存部１１０のＯＡＭ部１１４、ドライバ、ファームウェア、ハードウェア部１１１（ＰＨＹ）及びハードウェア部１１２（ＭＡＣ）との間で、機器依存ＡＰＩ２３を介して情報を入出力する。
【０２０９】
図１２に示すミドルウェア部１２０は、図１１に示すミドルウェア部１２０と同様に、そのまま又は所定の形式で入力する。機器無依存ＡＰＩ２１は、後から追加する拡張機能部１３１を想定して、予めミドルウェア部１２０に備えることが望ましいが、必要に応じて、機器依存ＡＰＩ２３や他の機器無依存アプリ部１３０の改変を抑制する形で追加又は削除してもよい。
【０２１０】
（アーキテクチャの第３例）
図１３は、通信装置のアーキテクチャの第３例を示す図である。図１３では、図１１に示すアーキテクチャの第１例で説明したミドルウェア部１２０の代わりに、基本機能部１３２が、ハードウェア部１１１（ＰＨＹ）及びハードウェア部１１２（ＭＡＣ）と、拡張機能部１３１との入出力を行う。その他の機器無依存アプリ部１３０は、アーキテクチャの第１例と同様である。
【０２１１】
なお、図ではＥＭＳ１４０及び外部の装置１６０が基本機能部１３２を介して機器無依存アプリ部１３０に接続しているが、ＥＭＳ１４０及び外部の装置１６０は必ずしも基本機能部１３２を介して機器無依存アプリ部１３０に接続している必要はない。ＥＭＳ１４０及び外部の装置１６０は、必要に応じてミドルウェア部１２０に適宜接続してもよいし、機器無依存アプリ部１３０に直接接続してもよい。また「ミドルウェア部１２０経由で接続」と表現しているが、この表現は機器無依存アプリ部１３０からみた視点での表現である。実際には、ハードウェアでの接続の後にミドルウェア部１２０を介して機器無依存アプリ同士が接続している。
【０２１２】
アーキテクチャの第１例と比べて、第３例は、機器依存ＡＰＩ２３、２５を備えるミドルウェア部１２０を、準拠する標準規格、世代、方式、システム、機器種別、製造ベンダの少なくともいずれかが異なる機器毎に作成する必要がない。これによって、アーキテクチャの第３例の通信装置は、機器間世代間でより多くの機能を汎用化して移植し易く、接続性の検証も容易で、機器の機能が堅牢となる効果がある。
【０２１３】
アーキテクチャの第３例による通信装置は、機器依存部１１０と、機器無依存アプリ部１３０とを備える。機器依存部１１０は、準拠する標準規格又は機器製造ベンダ等に依存するハードウェア部１１１（ＰＨＹ）及びハードウェア部１１２（ＭＡＣ）と、ハードウェア部１１１（ＰＨＹ）及びハードウェア部１１２（ＭＡＣ）を駆動するドライバ、ファームウェア等のソフトウェア部１１３とを備える。ドライバ等は、機器依存部１１０の違いを隠蔽する。
【０２１４】
機器無依存アプリ部１３０は、拡張機能部１３１と、基本機能部１３２とを備える。基本機能部１３２は、ハードウェア部１１１（ＰＨＹ）及びハードウェア部１１２（ＭＡＣ）と機器依存のソフトウェア部１１３との違いを隠蔽するドライバを介して、機器無依存ＡＰＩ２７（移植用ＩＦ）により機器依存部１１０と接続する。機器無依存アプリ部１３０は、ハードウェア部１１１（ＰＨＹ）及びハードウェア部１１２（ＭＡＣ）と機器依存のソフトウェア部１１３との違いを隠蔽するドライバを介して、ハードウェア部１１１（ＰＨＹ）及びハードウェア部１１２（ＭＡＣ）と機器依存のソフトウェア部１１３との間で、データを入出力する。
【０２１５】
基本機能部１３２と拡張機能部１３１とは、機器無依存ＡＰＩ２２（拡張用ＩＦ）を介して接続される。基本機能部１３２と機器依存部１１０とは、機器無依存ＡＰＩ２７を介して接続される。機器無依存アプリ部１３０の内の基本機能部１３２が、ミドルウェア部１２０の代わりに、ハードウェア部１１１（ＰＨＹ）及びハードウェア部１１２（ＭＡＣ）や拡張機能部１３１との間で、情報の入出力を行う。
【０２１６】
機器無依存アプリ部１３０は、必要に応じて基本機能部１３２を介して、相互に入出力する。機器無依存アプリ部１３０の拡張機能部１３１は、基本機能部１３２及び機器無依存ＡＰＩ２２を介して、情報を入出力する。基本機能部１３２は、拡張機能部１３１と機器無依存ＡＰＩ２２を介して情報を入出力し、機器依存部１１０のＯＡＭ部、ドライバ、ファームウェア、ハードウェア部１１１（ＰＨＹ）及びハードウェア部１１２（ＭＡＣ）と機器無依存ＡＰＩ２７とを介して情報を入出力する。
【０２１７】
基本機能部１３２は、図１１に示すミドルウェア部１２０と同様に、そのまま又は所定の形式で情報を入力する。例えば、他の機器無依存アプリ部１３０であれば、基本機能部１３２は、入力する形式の機器無依存ＡＰＩ２２の形式にそれぞれに変換し、機器依存のＯＡＭ部、ドライバ、ファームウェア、ハードウェア部であれば、入力する形式の機器無依存ＡＰＩ２２の形式にそれぞれに変換してから、又は終端して所定の処理を施してから情報を入力する。入力の際に、基本機能部１３２は、それぞれの入力先に不要な入力情報を削除し、不足の情報があれば、他の機器無依存ＡＰＩ２２や機器無依存ＡＰＩ２７を介して収集して補足することが望ましい。しかし、基本機能部１３２は、入力先への入力を、ブロードキャスト又はマルチキャストして、関連するアプリ等に同報することとしてもよい。
【０２１８】
機器無依存アプリ部１３０は、例えば、拡張機能部１３１−１〜１３１−３と、基本機能部１３２とを備える。機器無依存アプリ部１３０は、拡張機能部１３１と基本機能部１３２とのうち、いずれかを備えなくてもよい。機器無依存アプリ部１３０は、拡張機能部１３１と基本機能部１３２と以外の機能部を、更に備えてもよい。例えば、拡張機能部１３１が不要である場合、機器無依存アプリ部１３０は、拡張機能部１３１を備えなくてよい。
【０２１９】
拡張機能部１３１は、他の機能に影響を与えることなく独立に追加又は削除可能であることが好ましい。例えば、サービス上の要求に合わせて、例えばマルチキャストサービス、省電力対応を拡張機能部１３１とする場合、拡張機能部１３１が必要になった場合に、適宜追加し、不要となった場合に適宜削除し、変更に応じて入替又は変更してもよい。
【０２２０】
機器無依存ＡＰＩ２２は、後から追加する拡張機能部１３１を想定して、基本機能部１３２に予め備えることが望ましいが、必要に応じて、機器無依存ＡＰＩ２２、機器無依存ＡＰＩ２７、他の機器無依存アプリ部１３０の改変を抑制する形で、追加又は削除してもよい。
【０２２１】
（アーキテクチャの第４例）
図１４は、通信装置のアーキテクチャの第４例を示す図である。アーキテクチャの第４例とアーキテクチャの第３例との違いは、通信装置が、基本機能部１３２の配下に、機器依存アプリ部１５０を備える点である。このように、アーキテクチャの第４例の通信装置は、機器依存アプリ部１５０を備えることで、基本機能部１３２の構成を簡易化できる効果がある。
【０２２２】
図１４に示す通信装置は、機器依存部１１０と、機器無依存アプリ部１３０とを備える。機器依存部１１０は、準拠する標準規格又は機器製造ベンダに依存するハードウェア部１１１（ＰＨＹ）及びハードウェア部１１２（ＭＡＣ）と、ハードウェア部１１１（ＰＨＹ）及びハードウェア部１１２（ＭＡＣ）を駆動するドライバ、ファームウェア等のソフトウェア部１１３と、機器依存部１１０の少なくとも一部分を駆動する機器依存アプリ部１５０とを有する。機器無依存アプリ部１３０は、移植用ＩＦとハードウェア部１１１（ＰＨＹ）及びハードウェア部１１２（ＭＡＣ）と機器依存のソフトウェアとの違いを隠蔽するドライバを介して又は移植用ＩＦと機器依存アプリ部１５０とを介して、機器に依存しない処理を実行する汎用の機器無依存アプリである。機器無依存アプリ部１３０内の基本機能部１３２と、機器依存部１１０内の機器依存アプリ部１５０とは、機器無依存ＡＰＩ２７を介して接続される。機器依存アプリ部１５０と機器依存部１１０の他の機能部とは、機器依存ＡＰＩ２４を介して接続される。
【０２２３】
機器無依存アプリ部１３０内の基本機能部１３２は、ミドルウェア部１２０の代わりに、基本機能部１３２がハード、拡張機能部１３１との入出力を行う。基本機能部１３２の中に、ＥＭＳ１４０からの通信を受ける管理・制御エージェント部１３３(図１１、図１２参照）相当を含んでいてもよいし、拡張機能部１３１として管理・制御エージェント部１３３を備えてもよい。
【０２２４】
基本機能部１３２は、拡張機能部１３１と機器無依存ＡＰＩ２２（拡張用ＩＦ）を介して入出力し、機器依存部１１０のＯＡＭ部、ドライバ、ファームウェア、ハードウェア部１１１（ＰＨＹ）及びハードウェア部１１２（ＭＡＣ）と、また、機器無依存ＡＰＩ２２（移植用ＩＦ）と機器依存部１１０の差異を隠蔽する機器依存部１１０のドライバ又は機器依存アプリ部１５０と機器無依存ＡＰＩ２７を介して入出力する。
【０２２５】
基本機能部１３２は、図１１に示すミドルウェア部１２０と同様に、そのまま又は所定の形式で入力する。アーキテクチャの第３例と同様に、基本機能部１３２の中に、ＥＭＳ１４０からの通信を受ける管理・制御エージェント部１３３相当を含んでいてもよいし、拡張機能部１３１として管理・制御エージェント部１３３を備えてもよい。
【０２２６】
機器無依存アプリ部１３０は、例えば、拡張機能部１３１−１〜１３１−３と、基本機能部１３２とを備える。機器無依存アプリ部１３０は、アーキテクチャの第３例と同様に、拡張機能部１３１と基本機能部１３２とのいずれかを備えなくてもよい。機器無依存アプリ部１３０は、アーキテクチャの第３例と同様に、拡張機能部１３１と基本機能部１３２と以外の機能部を、更に備えてもよい。
【０２２７】
拡張機能部１３１は、アーキテクチャの第３例と同様に、互いに独立に他の機能に影響を与えずに、追加、削除、入替又は変更が可能であることが好ましい。基本機能部１３２の一部は、機器依存アプリ部１５０で代替してもよい。機器依存アプリ部１５０は、情報を基本機能部１３２から直接入出力しているが、そのまま又は所定の変換の後に、基本機能部１３２を介さずにＥＭＳ１４０との間で情報を入出力してもよい。
【０２２８】
機器無依存ＡＰＩ２２、２７は、図１１に示すアーキテクチャの第１例と同様に、後から追加する拡張機能部１３１を想定して、基本機能部１３２に予め備えることが望ましいが、機器無依存ＡＰＩ２２、機器無依存ＡＰＩ２７、他の機器無依存アプリ部１３０、機器依存アプリ部１５０又は機器依存ＡＰＩ２４の改変を抑制する形で、必要に応じて追加又は削除してもよい。
【０２２９】
（アーキテクチャの第５例）
図１５の右上図は、アーキテクチャの第５例を示す図である。図１５の右下図はアーキテクチャの第１〜第４例に相当する。同図では、通信装置がＯＬＴである場合を示している。アーキテクチャの第５例は、外付ハードにＯＬＴの機能を実装(クラウド化）することで、既存／市中品ＯＬＴハードを活用して、サービスに応じた機能追加／変更を用意とする機能クラウド化のアプローチを行う場合に好適である。
【０２３０】
本例では、通信装置は、既存／市中品ハードウェアと外付ハードウェアからなる。例えば既存／市中品ハードウェアは機器に依存する非汎用の機器依存部１１０であり、外付ハードウェア上にハードウェアやソフトウェアの違いを隠蔽するミドルウェア部１２１と、動作が機器に依存しない汎用の機器無依存アプリ部１３０とを備える。したがって、同図のミドルウェア以下の機器依存部（ベンダ依存部）は、通信装置の機器が準拠する標準規格や機器の製造ベンダに依存する機能部である。また、機器無依存アプリ部１３０は、通信装置の機器が準拠する標準規格や機器の製造ベンダに依存しない機能部である。
【０２３１】
ミドルウェア部１２１と機器無依存アプリ部１３０とは、機器に依存しない入出力ＩＦである機器無依存ＡＰＩを介して接続される。機器依存部１１０の例えば、ソフトウェア部、ＯＡＭ、ハードウェア部（ＰＨＹ）及びハードウェア部（ＭＡＣ）と、外付ハードウェア上のミドルウェア部１２１とは、機器に依存する入出力ＩＦである機器依存ＡＰＩ及び既存／市中品ハードウェアと外付ハードウェア間の機器間接続を介して接続される。
【０２３２】
本アーキテクチャでは機器無依存アプリ部１３０による拡張機能部（独自機能部）の柔軟及び迅速な追加を容易にし、通信サービスをタイムリーに提供することができる。ここで、機器依存部１１０は、図１５に示す保守運用、アクセス制御、物理層処理、光モジュルであってもよく、機器自体の構成による。
【０２３３】
例えば、主信号の優先処理や回線の利用効率を向上するＤＢＡ等の更新頻度が高い機能又は通信サービス差異化に寄与する機能を優先して、機器依存部１１０又は機器無依存アプリ部１３０とすることを決めてもよい。更に、共用化を図る機器の準拠する標準規格、世代、方式、システム、機器種別、製造ベンダの少なくともいずれかに関して差異の隔たりが小さいものから、機器無依存アプリ部１３０としてもよい。
【０２３４】
準拠する標準規格、世代、方式、システム、機器種別、製造ベンダの少なくともいずれかに対しては最適でない場合でも、準拠する標準規格、世代、方式、システム、機器種別、製造ベンダの機能のいずれかを汎用化するために、機能を実行するための共通ＩＦが用いられてもよい。共通ＩＦの中には、機器依存部１１０の準拠する標準規格、世代、方式、システム、機器種別、製造ベンダのいずれかにおいて使用されないＩＦやパラメータが含まれていてもよい。
【０２３５】
ミドルウェア部１２１と、機器依存部１１０のドライバと、機器依存アプリ部１５０（ベンダ依存アプリ部）との少なくともいずれかに、ＩＦやパラメータ等を機器依存部１１０に対応するように変換する変換機能部や、不足するＩＦやパラメータ等に対応して自動設定する機能部を更に備えてもよい。
【０２３６】
機器依存部１１０は、ハードウェア部と、ソフトウェア部とを備える。ソフトウェア部は、機器依存のドライバ、ファームウェア、アプリケーション等を実行する。
【０２３７】
機器依存部１１０は、物理媒体に接続するＰＭＤ、ＭＡＣ、データのシリアル化を行うＰＭＡ、データを符号化する部分であるＰＣＳ又はＰＨＹの一部を備えなくてもよい。例えば、変復調信号処理、前方誤り訂正（ＦＥＣ）、符復号処理、暗号化処理等の低位の信号処理を備えずに光関連の機能のみを備えてもよい。
【０２３８】
機器無依存アプリ部１３０は、例えば、ＥＭＳからデータを取得する管理・制御エージェント部１３３と、拡張機能部１３１−１〜１３１−３と、基本機能部１３２とである。以下、拡張機能部１３１−１〜１３１−３に共通する事項については、符号の一部を省略して、「拡張機能部１３１」と表記する。ＥＭＳは、例えば、ネットワーク・エレメントを制御するコントローラである。なお、機器無依存アプリ部１３０は、管理・制御エージェント部１３３と拡張機能部１３１と基本機能部１３２とのうちいずれかを含まなくてもよい。
【０２３９】
機器無依存アプリ部１３０は、管理・制御エージェント部１３３、拡張機能部１３１及び基本機能部１３２以外の構成を、更に含んでいてもよい。例えば、拡張機能部１３１が不要である場合、機器無依存アプリ部１３０は、拡張機能部１３１を備えなくてもよい。また、機器無依存アプリ部１３０は、１個以上の拡張機能部１３１を含んでもよい。
【０２４０】
拡張機能部１３１は、他の機能に不要な影響を与えずに独立して追加、削除、入替又は変更が可能であることが好ましい。例えば、拡張機能部１３１は、サービス上の要求に合わせて、例えばマルチキャストサービス、省電力対応を実行する拡張機能部１３１が必要になった場合、適宜に追加、削除、入替又は変更されてもよい。
【０２４１】
基本機能部１３２は、拡張機能部１３１の一部として機器無依存アプリ部１３０に含まれてもよいし、ミドルウェア部１２１よりも下位の機能部によって代替されてもよい。拡張機能部１３１が基本機能部１３２を含む場合、機器無依存アプリ部１３０は基本機能部１３２を含まなくてもよい。ミドルウェア部１２１よりも下位の機能部が基本機能部１３２を代替する場合、機器無依存アプリ部１３０は基本機能部１３２を含まなくてもよい。拡張機能部１３１が基本機能部１３２を含み、ミドルウェア部１２０よりも下位の機能部が基本機能部１３２を代替する場合、機器無依存アプリ部１３０は基本機能部１３２を含まなくてもよい。
【０２４２】
管理・制御エージェント部１３３は、ＥＭＳ１４０からの通信を受けずに、予め定められた設定に従って自動設定する場合、ＥＭＳ１４０と入出力しなくてよい。更に、管理・制御エージェント部１３３が管理設定機能を備えず、他の機器無依存アプリ部１３０や基本機能部１３２や機器依存部１１０が管理設定機能を備える場合、機器無依存アプリ部１３０は、管理・制御エージェント部１３３を備えなくてもよい。
【０２４３】
ＥＭＳ１４０と機器無依存アプリ部１３０とは、情報を直接入出力してもよい。また、機器依存部１１０は、ＮＥ管理・制御部１１５と、ＮＥ管理・制御部１１５のＩＦとを備えなくともよい。
【０２４４】
基本機能部１３２は、拡張機能部１３１の一部として機器無依存アプリ部１３０に含まれてもよいし、ミドルウェア部１２０の下位の機能部によって代替されてもよい。拡張機能部１３１が基本機能部１３２を含む場合や、ミドルウェア部１２０の下位の機能部が基本機能部１３２を代替する場合や、それらの組み合わせである場合、機器無依存アプリ部１３０は基本機能部１３２を含まなくてもよい。また、基本機能部１３２の一部は、ミドルウェア部１２０の下位の機能部の機器依存アプリ部１５０によって代替されてもよい。
【０２４５】
管理・制御エージェント部１３３は、予め定められた設定に従って自動設定する場合、ＥＭＳ１４０との間で情報を入出力しなくてよい。更に、管理設定機能を管理・制御エージェント部１３３が備えず他の機器無依存アプリ部１３０や基本機能部１３２や機器依存部１１０が管理設定機能を備える場合、機器無依存アプリ部１３０は、管理・制御エージェント部１３３を備えなくてもよい。ＥＭＳ１４０と機器無依存アプリ部１３０とは、情報を直接入出力してもよい。
【０２４６】
機器無依存アプリ部１３０と機器依存部１１０との入出力の例は以下である。例えば、ＤＢＡアプリ部及びプロテクションアプリ部は、ＴＣレイヤのエンベデッドＯＡＭエンジンと、相互に情報を入出力する。ＤＷＢＡアプリ及びＯＮＵ登録認証アプリ部は、ＴＣレイヤのＰＬＯＡＭエンジンと、相互に情報を入出力する。省電力アプリ部は、ＯＭＣＩ及びＬ２主信号処理機能部（Ｌ２機能部）と相互に情報を入出力する。ＭＬＤプロキシアプリ部は、Ｌ２機能部と相互に情報を入出力する。低速監視アプリ（ＯＭＣＩ）は、ＯＭＣＩと相互に情報を入出力する。ＯＭＣＩ及びＬ２機能部は、ＸＧＥＭフレーマ及び暗号化を動作させる。ここで、ＤＷＢＡとＤＢＡは、別体、一体又は組み合わせでもよい。例えば、管理・制御エージェント部１３３は、保守運用機能のアプリ部であり、ＮＥ管理・制御部１１５のためのＮＥコントローラ等であるＥＭＳ１４０と、相互に情報を入出力する。
【０２４７】
機器無依存アプリ部１３０は、機器のベンダ、方式、機器種別、機器の世代、例えば、ＩＴＵ−Ｔ  Ｇ．９８９シリーズに準拠するＴＷＤＭ−ＰＯＮと、ＩＴＵ−Ｔ  Ｇ．９８７シリーズに準拠するＸＧ−ＰＯＮと、ＩＴＵ−Ｔ  Ｇ．９８４シリーズに準拠するＧ−ＰＯＮと、ＩＴＵ−Ｔ  Ｇ．９８３シリーズに準拠するＢＰＯＮとのいずれにもよらずに動作するアプリである。機器無依存アプリ部１３０は、機器のベンダ、方式、機器種別、機器の世代、例えば、ＩＥＥＥ８０２．３ａｖやＩＥＥＥ１９０４．１等に準拠する１０ＧＥ−ＰＯＮとＩＥＥＥ８０２．３ａｈに準拠するＧＥ−ＰＯＮ等の差異とによらずに動作するアプリである。
【０２４８】
拡張機能部１３１のアプリとして、機器無依存ＡＰＩ２１を介して、一部のベンダ、方式、種別、世代に備える機能を駆動するためのアプリや、一部のベンダ、方式、種別、世代の装置のみに備える機能を駆動するアプリを含んでいてもよい。
【０２４９】
管理・制御エージェント部１３３は、ＥＭＳ１４０及びミドルウェア部１２０と入出力する。ミドルウェア部１２０は、ＮＥ管理・制御部１１５との間で、ＮＥ管理情報及び制御情報を入出力する。ＮＥ管理・制御部１１５は、ミドルウェア部１２０を介さずに、ＮＥ管理情報及び制御情報をＥＭＳ１４０と直接送受信してもよいし、管理・制御エージェント部１３３を介して、ＮＥ管理情報及び制御情報を送受信してもよい。
【０２５０】
ミドルウェア部１２０は、機器無依存アプリ部１３０と機器無依存ＡＰＩ２１を介して情報を入出力する。ミドルウェア部１２０は、機器依存ＡＰＩ２３を介して、機器依存部１１０のＯＡＭ部１１４、ドライバ、ファームウェア、ハードウェア部１１１（ＰＨＹ）又はハードウェア部１１２（ＭＡＣ）と情報を入出力する。ミドルウェア部１２０は、入力した情報を、そのまま又は所定の形式で出力する。例えば、ミドルウェア部１２０は、出力先が機器無依存アプリ部１３０の各部であれば、機器無依存ＡＰＩ２１の各部の入力形式に情報を変換する。出力先が機器依存部１１０のＯＡＭ部１１４、ドライバ、ファームウェア、ハードウェア部１１１（ＰＨＹ）又はハードウェア部１１２（ＭＡＣ）であれば、ミドルウェア部１２０は、それぞれに入力する形式の機器依存ＡＰＩ２３の形式に変換してから、又は終端して所定の処理を施してから情報を出力先に送信する。
【０２５１】
ミドルウェア部１２０は、入力の際に、それぞれの入力先に不要な入力情報は削除し、不足の情報があれば、他の機器無依存ＡＰＩ２１や機器依存ＡＰＩ２３を介して収集して補足することが望ましい。また、ミドルウェア部１２０への入力の際に、ブロードキャスト又はマルチキャストして、関連するアプリ等に同報することとしてもよい。
【０２５２】
ミドルウェア部１２０や機器依存部１１０は単一で例示したが、それぞれ複数から構成されていてもよい。機器依存部１１０のハードウェアに複数のプロセッサが含まれる場合、ミドルウェア部１２０はプロセッサやハードウェアをまたいでプロセッサ間通信等を用いて入出力してもよい。機器無依存アプリ部１３０間や機器無依存アプリ部１３０をＤＬＬのような実行プログラムとして、単一のプロセッサ上のユーザ空間上に配置してもよいし、複数のプロセッサ上のユーザ空間上に配置してもよい。
【０２５３】
また、機器無依存アプリ部１３０は、ＡＰＩ等の入出力ＩＦを確保した上でカーネル空間に配置してもよいし、独立にファームウェア等に入替可能なＩＦを有するミドルウェア部１２０とともに配置してもよいし、ファームウェア等に組み込んでコンパイルし直してもよい。機器無依存アプリ部１３０毎にユーザ空間やカーネル空間を任意の組み合わせとしてもよい。
【０２５４】
同一の機能に対応する機器無依存アプリ部１３０を、ユーザ空間とカーネル空間の両方で実装可能としてもよい。この場合、例えば、切り替えていずれかを選択してもよいし、両方協働して処理してもよいし、一方のみで実処理を行うとしてもよい。機器依存部１１０のソフトウェアも同様である。
【０２５５】
望ましくは、主信号処理やＤＢＡ処理や低レイヤの信号処理のように高速処理が必要であるほど、拡張性・入替の即時性とトレードオフはあるが、オーバーヘッドが少なく高速な処理が期待されるカーネル空間やファームウェアに組み込むことが望ましい。機器依存アプリ部１５０を配置するプロセッサもプロセッサ間通信によるバスや速度等の制限、通信路の占有等による他のプログラムへの影響の観点から、実処理を行うプロセッサ又はその近傍のプロセッサのユーザ空間やカーネル空間やファームウェア上に配置することが望ましい。ただし、実処理を行うプロセッサ又はその近傍のプロセッサの能力を軽減するためにはプロセッサ間通信によるコミュニケーションコストは増大するが、遠隔のプロセッサで処理するとしてもよい。
【０２５６】
機器無依存ＡＰＩ２１は、追加する拡張機能部１３１を想定してミドルウェア部１２０に予め備えられることが望ましいが、機器依存ＡＰＩ２３や他の機器無依存アプリ部１３０の改変を抑制する形で、必要に応じて追加又は削除されてもよい。
【０２５７】
（アーキテクチャの第６例）
アーキテクチャの第６例は、機器依存部１１０として準拠する標準規格又は機器製造ベンダに依存するハードウェア部１１１（ＰＨＹ）及びハードウェア部１１２（ＭＡＣ）と、ハードウェア部１１１（ＰＨＹ）及びハードウェア部１１２（ＭＡＣ）を駆動するドライバ・ファームウェア等のソフトウェア部１１３と、機器依存部１１０の少なくとも一部分を駆動する機器依存アプリ部１５０とを備える。
【０２５８】
機器依存アプリ部１５０及び機器依存部１１０は、機器依存ＡＰＩ２４を介して接続される。機器依存アプリ部１５０の中に、ＥＭＳ１４０からの通信を受ける管理・制御エージェント部１３３相当を含んでいてもよい。機器依存ＡＰＩ２４は、機器依存アプリ部１５０及び機器依存ＡＰＩ２４の改変を抑制する形で、必要に応じて追加又は削除されてもよい。
【０２５９】
なお、通信装置のアーキテクチャの第１例〜第６例に示す通信装置の構成は、ＴＷＤＭ−ＰＯＮのようなＩＴＵ−Ｔ勧告準拠のＰＯＮのＯＬＴを前提に記載しているが、ＯＮＵであってもよく、ＴＷＤＭ−ＰＯＮ以外のＩＴＵ−Ｔ勧告準拠のＰＯＮのＯＬＴ又はＯＮＵのいずれかであってもよいし、ＧＥ−ＰＯＮ、１０ＧＥ−ＰＯＮ等のＩＥＥＥ規格準拠のＰＯＮであってもよく、ＴＣレイヤ又はＰＭＤレイヤは対応する層に読み替えれば同様である。
【０２６０】
以下、ＴＷＤＭ−ＰＯＮが、ＰＯＮマルチキャスト機能と、省電力制御機能と、周波数・時刻同期機能と、プロテクション機能と、保守運用機能と、Ｌ２主信号処理機能と、ＰＯＮアクセス制御機能と、ＰＯＮ主信号処理機能とを主に有する場合を例に説明する。以下、ＰＯＮマルチキャスト機能と、省電力制御機能と、周波数・時刻同期機能と、プロテクション機能と、保守運用機能と、Ｌ２主信号処理機能と、ＰＯＮアクセス制御機能と、ＰＯＮ主信号処理機能とを、「主要８機能」という。
【０２６１】
図１６は、部品又は装置の群からなる仮想的な通信装置又は通信システムの構成の例を示す図である。図１６に示す通信装置は、主に同一波長（後述の例では、同一の周波数やモードやコアや符号や周波数や（サブ）キャリア等や波長を含めたそれらの組み合わせであってもよい）の送受信部１１（ＴＲｘ）の入出力を切替する光スイッチ部１０と、送受信部１１（ＴＲｘ）と、スイッチ部１２（ＳＷ）と、スイッチ部１３（ＳＷ）と、制御部１４と、プロキシ部１５との少なくとも一部を備える。なお、通信装置は、外部サーバ１６を備え得る。
【０２６２】
図１６では、異なる波長（λＡ〜λＮ）の光信号を送受信（通信）する送受信部１１が同一のスイッチ部１２に接続されている構成を示すが、実施形態１−１はこれに限定されない。例えば、異なる波長（λＡ〜λＮ）の光信号を送受信する送受信部１１が同一のスイッチ部１２に接続されている構成に加えて、同一の波長の光信号を送受信する送受信部１１が同一のスイッチ部１２に接続されていてもよいし、異なる波長（λＡ〜λＮ）の光信号を送受信する送受信部１１の内で少なくとも一部の波長の送受信部１１が複数同一のスイッチ部１２に接続されていてもよいし、少なくとも一部の波長の送受信部１１が可変波長であってもよいし、送受信部１１の内の一部又は全てが送信のみ又は受信のみ行う送受信部１１であってもよい。
【０２６３】
ＯＬＴなどの通信装置は、送受信部１１から制御部１４を備えていてもよいし、これらに加えて外部サーバ１６を更に、備えてもよい。また、ＯＳＵは、送受信部１１でもよいし、これに加えてスイッチ部１２（ＳＷ）又はスイッチ部１３（ＳＷ）を備えてもよい。
【０２６４】
通信システム構成（１−１）の通信システムは、光スイッチ部１０と、送受信部１１（ＴＲｘ）と、スイッチ部１２（ＳＷ）と、スイッチ部１３（ＳＷ）と、制御部１４と、プロキシ部１５と、外部サーバ１６とを備える（図１６）。
【０２６５】
通信装置がＯＬＴである場合、ＯＬＴは、光スイッチ部１０と、送受信部１１（ＴＲｘ）と、スイッチ部１２（ＳＷ）と、スイッチ部１３（ＳＷ）と、制御部１４とから構成してもよいし、光スイッチ部１０と、送受信部１１（ＴＲｘ）と、スイッチ部１２（ＳＷ）と、スイッチ部１３（ＳＷ）と、制御部１４と、外部サーバ１６とから構成してもよい。ＯＳＵは、光スイッチ部１０と、送受信部１１（ＴＲｘ）とから構成してもよいし、光スイッチ部１０と、送受信部１１（ＴＲｘ）と、スイッチ部１２（ＳＷ）とから構成してもよいし、光スイッチ部１０と、送受信部１１（ＴＲｘ）と、スイッチ部１３（ＳＷ）とから構成してもよい。
【０２６６】
光スイッチ部１０は、可変波長の送受信部１１（ＴＲｘ）の入出力含む同一波長(後述の例では、同一の周波数やモードやコアや符号や周波数や（サブ）キャリア等や波長を含めたそれらの組み合わせであってもよい)の送受信部１１（ＴＲｘ）の入出力を、異なる芯線(後述の例では異なるモードやコア等や芯線を含めたこれらの組み合わせであってもよい)又はそれらにつながる光合分波器等に切替してもよいし（図１左）、可変波長を含む複数波長（後述の例では、複数の周波数やモードやコアや符号や周波数や（サブ）キャリア等や波長を含めたそれらの組み合わせであってもよい）の送受信部１１（ＴＲｘ）の入出力又はそれらを光合分波器等で束ねたものを異なる芯線（後述の例では異なるモードやコア等や芯線を含めたこれらの組み合わせであってもよい）に切替してもよいし（図１右）、可変波長含む波長（後述の例では、周波数やモードやコアや符号や周波数や（サブ）キャリア等や波長を含めたそれらの組み合わせであってもよい）の送受信部１１（ＴＲｘ）の入出力を束ねて、異なる芯線(後述の例では異なるモードやコア等や芯線を含めたこれらの組み合わせであってもよい)又はそれらにつながる光合分波器等に切替してもよい。
【０２６７】
光スイッチ部１０は、自律制御を行い、又は、送受信部１１（ＴＲｘ）、スイッチ部１２（ＳＷ）、スイッチ部１３（ＳＷ）、制御部１４、プロキシ部１５若しくは外部サーバ１６等の他の構成要素や外部のオペレーションシステム（不図示）やコントローラ（不図示）や外部の装置（不図示）等から制御され、又は、送受信部１１（ＴＲｘ）、スイッチ部１２（ＳＷ）、スイッチ部１３（ＳＷ）、制御部１４、プロキシ部１５若しくは外部サーバ１６等の他の構成要素や外部のオペレーションシステム（不図示）やコントローラ（不図示）や外部の装置（不図示）等を介して転送された指示で制御される。
【０２６８】
異なる波長（λＡ〜λＮ）の光信号を送受信する送受信部１１（ＴＲｘ）がスイッチ部１２に接続されている。送受信部１１（ＴＲｘ）は、自律制御を行い、又は、光スイッチ部１０、スイッチ部１２（ＳＷ）、スイッチ部１３（ＳＷ）、制御部１４、プロキシ部１５若しくは外部サーバ１６等の他の構成要素や外部のオペレーションシステム（不図示）やコントローラ（不図示）や外部の装置（不図示）等から制御され、又は、光スイッチ部１０、スイッチ部１２（ＳＷ）、スイッチ部１３（ＳＷ）、制御部１４、プロキシ部１５若しくは外部サーバ１６等の他の構成要素や外部のオペレーションシステム（不図示）やコントローラ（不図示）や外部の装置（不図示）等を介して転送された指示で制御される。送受信部１１（ＴＲｘ）は、光スイッチ部１０若しくはスイッチ部１２（ＳＷ）のトラフィックの一部又はその全てに、所定の手順に従って、ＶＬＡＮ（Ｖｉｒｔｕａｌ  Ｌｏｃａｌ  Ａｒｅａ  Ｎｅｔｗｏｒｋ）、優先、廃棄優先若しくは宛先等の少なくとも一部又はその組み合わせのタグの追加、削除、付替をして、又は、タグの変更無で、集約、分配、振分、複製、折返若しくは透過の少なくとも一つ又はその組み合わせの処理を行う。光スイッチ部１０には、ＯＤＮが接続される。
【０２６９】
なお、上りトラフィックに関しても集約されるとは限らない。スイッチ部１２（ＳＷ）は通信システム構成（１−１）の構成では波長毎の振分が主であるが、集約、分配、複製、折返、透過、ＶＩＤ（Ｖｉｒｔｕａｌ  ＬＡＮ  Ｉｄｅｎｔｉｆｉｅｒ）や優先廃棄を表すタグ等のタグ付加又はタグ付替を行ってもよい。後述する通信システム構成（１−２）の構成では、上りトラフィックは集約が主であるが、分配、振分、複製、折返、透過、タグ付加又はタグ付替を行ってもよい。下りトラフィックも集約、分配、振分、複製、折返、透過、タグ付加又はタグ付替のいずれかを行ってもよく、少なくとも一部の組み合わせを行ってもよい。そのいずれとするかはサービスポリシーに応じて決定する。これは以降の通信システム構成でも同様である。
【０２７０】
スイッチ部１２（ＳＷ）は、スイッチ部１３（ＳＷ）に接続される。スイッチ部１２（ＳＷ）は、自律制御を行い、又は、光スイッチ部１０、送受信部１１（ＴＲｘ）、スイッチ部１３（ＳＷ）、制御部１４、プロキシ部１５若しくは外部サーバ１６等の他の構成要素や外部のオペレーションシステム（不図示）やコントローラ（不図示）や外部の装置（不図示）等から制御され、又は、光スイッチ部１０、送受信部１１（ＴＲｘ）、スイッチ部１３（ＳＷ）、制御部１４、プロキシ部１５若しくは外部サーバ１６等の他の構成要素や外部のオペレーションシステム（不図示）やコントローラ（不図示）や外部の装置（不図示）等を介して転送された指示で制御される。スイッチ部１２（ＳＷ）は、送受信部１１（ＴＲｘ）若しくはスイッチ部１３（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、又は、タグの変更無で、集約、分配、振分、複製、折返、透過若しくはタグ付加又はタグ付替の少なくとも一部又はその組み合わせの処理を行う。これは以降の通信システム構成でも同様である。
【０２７１】
なお、スイッチ部１２（ＳＷ）は、制御されるとは限らない。送受信部１１からプロキシ部１５の少なくとも一つが制御される場合と、制御されずに送受信部１１からプロキシ部１５の少なくとも一つに制御情報が転送される場合とがある。転送元としては例えばプロキシ部１５又は外部サーバ１６がある。また、送受信部１１からプロキシ部１５が自律で動く場合もある。これは以降の通信システム構成でも同様である。
【０２７２】
スイッチ部１３（ＳＷ）は、プロキシ部１５に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。スイッチ部１３（ＳＷ）は、自律制御を行い、又は、光スイッチ部１０、送受信部１１（ＴＲｘ）、スイッチ部１２（ＳＷ）、制御部１４、プロキシ部１５若しくは外部サーバ１６等の他の構成要素や外部のオペレーションシステム（不図示）やコントローラ（不図示）や外部の装置（不図示）等から制御され、又は、光スイッチ部１０、送受信部１１（ＴＲｘ）、スイッチ部１２（ＳＷ）、制御部１４、プロキシ部１５若しくは外部サーバ１６等の他の構成要素や外部のオペレーションシステム（不図示）やコントローラ（不図示）や外部の装置（不図示）等を介して転送された指示で制御される。スイッチ部１３（ＳＷ）は、スイッチ部１２（ＳＷ）若しくはプロキシ部１５のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０２７３】
制御部１４は、光スイッチ部１０、送受信部１１（ＴＲｘ）、スイッチ部１２（ＳＷ）、スイッチ部１３（ＳＷ）、プロキシ部１５又は外部サーバ１６又は外部のオペレーションシステム（不図示）、コントローラ（不図示）若しくは外部の装置（不図示）と接続される。制御部１４は、光スイッチ部１０、送受信部１１（ＴＲｘ）、スイッチ部１２（ＳＷ）、スイッチ部１３（ＳＷ）、プロキシ部１５若しくは外部サーバ１６等の他の構成要素や外部のオペレーションシステム（不図示）やコントローラ（不図示）や外部の装置（不図示）等を制御し、又は光スイッチ部１０、送受信部１１（ＴＲｘ）、スイッチ部１２（ＳＷ）、スイッチ部１３（ＳＷ）、プロキシ部１５若しくは外部サーバ１６等の他の構成要素や外部のオペレーションシステム（不図示）やコントローラ（不図示）や外部の装置（不図示）等を介して、指示を転送する。
【０２７４】
図１６に示すプロキシ部１５は、ＯＬＴから若しくはＯＬＴへのデータ経路上に設置してもよい。ただし、間に他の装置（例えば、複数のＯＬＴから若しくはＯＬＴへのトラフィックに集約／分配する集線ＳＷ等）が介在する場合があるので、直接接続されるとは限らない。制御の流れとしては、光スイッチ部１０、送受信部１１（ＴＲｘ）、スイッチ部１２（ＳＷ）、スイッチ部１３（ＳＷ）、制御部１４、外部サーバ１６のいずれに、プロキシ部１５があってもよい。
【０２７５】
プロキシ部１５は、上位側の装置（不図示）に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。プロキシ部１５は、自律制御を行い、又は、光スイッチ部１０、送受信部１１（ＴＲｘ）、スイッチ部１２（ＳＷ）、スイッチ部１３（ＳＷ）、制御部１４若しくは外部サーバ１６等の他の構成要素や外部のオペレーションシステム（不図示）やコントローラ（不図示）や外部の装置（不図示）等から制御され、又は、光スイッチ部１０、送受信部１１（ＴＲｘ）、スイッチ部１２（ＳＷ）、スイッチ部１３（ＳＷ）、制御部１４若しくは外部サーバ１６等の他の構成要素や外部のオペレーションシステム（不図示）やコントローラ（不図示）や外部の装置（不図示）等を介して転送された指示で制御される。プロキシ部１５は、スイッチ部１３（ＳＷ）若しくは上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくはタグの変更無で、集約、分配、振分、複製、折返若しくは透過の少なくとも一部又はその組み合わせの処理を行う。
【０２７６】
外部サーバ１６は、送受信部１１（ＴＲｘ）又はスイッチ部１２（ＳＷ）又はスイッチ部１３（ＳＷ）又は制御部１４又はプロキシ部１５又は外部のオペレーションシステム（不図示）又はコントローラ（不図示）若しくは外部の装置（不図示）と接続される。外部サーバ１６は、光スイッチ部１０、送受信部１１（ＴＲｘ）、スイッチ部１２（ＳＷ）、スイッチ部１３（ＳＷ）若しくは制御部１４若しくはプロキシ部１５等の他の構成要素や外部のオペレーションシステム（不図示）やコントローラ（不図示）や外部の装置（不図示）等を制御し、又は光スイッチ部１０、送受信部１１（ＴＲｘ）、スイッチ部１２（ＳＷ）、スイッチ部１３（ＳＷ）若しくは制御部１４若しくはプロキシ部１５等の他の構成要素や外部のオペレーションシステム（不図示）やコントローラ（不図示）や外部の装置（不図示）等を介して指示を転送する。
【０２７７】
光スイッチ部１０、送受信部１１（ＴＲｘ）、スイッチ部１２（ＳＷ）、スイッチ部１３（ＳＷ）、制御部１４、プロキシ部１５若しくは外部サーバ１６は、光スイッチ部１０、送受信部１１（ＴＲｘ）、スイッチ部１２（ＳＷ）、スイッチ部１３（ＳＷ）、プロキシ部１５若しくは外部サーバ１６等の他の構成要素のトラフィックの一部又はその全てそれ自体又はその複写を受けて、受けたトラフィックの一部、その全て自体、受けたトラフィックの一部、全てを書き換えたトラフィック又は受けたトラフィックに対する応答を、光スイッチ部１０、送受信部１１（ＴＲｘ）、スイッチ部１２（ＳＷ）、スイッチ部１３（ＳＷ）、プロキシ部１５若しくは外部サーバ１６等の他の構成要素、外部のオペレーションシステム（不図示）、コントローラ（不図示）又は外部の装置（不図示）に送信してもよい。
【０２７８】
なお、要素は適宜含まなくてもよいし、含まない要素とのやりとりは例えば、スキップしてその先の要素とやりとりする。同士を省いた相手同士で通信してもよい。
【０２７９】
通信システム構成（１−２）の通信システムでは、通信システム構成（１−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１２にそれぞれ接続されている。更に、異なる波長の送受信部１１の内の少なくとも一部の波長の送受信部１１がスイッチ部１２に複数接続されていてもよい。他は同様である。
【０２８０】
通信システム構成（２−１）の通信システムは、光スイッチ部１０と、送受信部１１（ＴＲｘ）と、スイッチ部１２（ＳＷ）と、スイッチ部１３（ＳＷ）と、制御部１４と、プロキシ部１５とを備える（図１６）。異なる波長（λＡ〜λＮ）の光信号を送受信する送受信部１１（ＴＲｘ）がスイッチ部１２に接続されている。
【０２８１】
送受信部１１（ＴＲｘ）は、自律制御を行い、又は、光スイッチ部１０、スイッチ部１２（ＳＷ）、スイッチ部１３（ＳＷ）、制御部１４若しくはプロキシ部１５等の他の構成要素や外部のオペレーションシステム（不図示）やコントローラ（不図示）や外部の装置（不図示）等から制御され、又は、光スイッチ部１０、スイッチ部１２（ＳＷ）、スイッチ部１３（ＳＷ）、制御部１４若しくはプロキシ部１５等の他の構成要素や外部のオペレーションシステム（不図示）やコントローラ（不図示）や外部の装置（不図示）等を介して転送された指示で制御される。送受信部１１（ＴＲｘ）は、光スイッチ部１０若しくはスイッチ部１２（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。光スイッチ部１０には、ＯＤＮが接続される。
【０２８２】
スイッチ部１２（ＳＷ）は、スイッチ部１３（ＳＷ）に接続される。スイッチ部１２（ＳＷ）は、自律制御を行い、又は、光スイッチ部１０、送受信部１１（ＴＲｘ）、スイッチ部１３（ＳＷ）、制御部１４若しくはプロキシ部１５等の他の構成要素や外部のオペレーションシステム（不図示）やコントローラ（不図示）や外部の装置（不図示）等から制御され、又は、光スイッチ部１０、送受信部１１（ＴＲｘ）、スイッチ部１３（ＳＷ）、制御部１４、プロキシ部１５等の他の構成要素や外部のオペレーションシステム（不図示）やコントローラ（不図示）や外部の装置（不図示）等を介して転送された指示で制御される。スイッチ部１２（ＳＷ）は、送受信部１１（ＴＲｘ）若しくはスイッチ部１３（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくはタグの変更無で、集約、分配、振分、複製、折返若しくは透過の少なくとも一部又はその組み合わせの処理を行う。
【０２８３】
スイッチ部１３（ＳＷ）は、プロキシ部１５に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。スイッチ部１３（ＳＷ）は、自律制御を行い、又は、光スイッチ部１０、送受信部１１（ＴＲｘ）、スイッチ部１２（ＳＷ）、制御部１４若しくはプロキシ部１５等の他の構成要素や外部のオペレーションシステム（不図示）やコントローラ（不図示）や外部の装置（不図示）等から制御され、又は、光スイッチ部１０、送受信部１１（ＴＲｘ）、スイッチ部１２（ＳＷ）、制御部１４若しくはプロキシ部１５等の他の構成要素や外部のオペレーションシステム（不図示）やコントローラ（不図示）や外部の装置（不図示）等を介して転送された指示で制御される。スイッチ部１３（ＳＷ）は、スイッチ部１２（ＳＷ）若しくはプロキシ部１５のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０２８４】
制御部１４は、光スイッチ部１０、送受信部１１（ＴＲｘ）、スイッチ部１２（ＳＷ）、スイッチ部１３（ＳＷ）、プロキシ部１５又は外部のオペレーションシステム（不図示）、コントローラ（不図示）若しくは外部の装置（不図示）と接続される。制御部１４は、光スイッチ部１０、送受信部１１（ＴＲｘ）、スイッチ部１２（ＳＷ）、スイッチ部１３（ＳＷ）若しくはプロキシ部１５等の他の構成要素や外部のオペレーションシステム（不図示）やコントローラ（不図示）や外部の装置（不図示）等を制御し、又は光スイッチ部１０、送受信部１１（ＴＲｘ）、スイッチ部１２（ＳＷ）、スイッチ部１３（ＳＷ）、プロキシ部１５若しくは等の他の構成要素や外部のオペレーションシステム（不図示）やコントローラ（不図示）や外部の装置（不図示）等を介して指示を転送する。
【０２８５】
プロキシ部１５は、上位側の装置（不図示）に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。プロキシ部１５は、自律制御を行い、又は、光スイッチ部１０、送受信部１１（ＴＲｘ）、スイッチ部１２（ＳＷ）、スイッチ部１３（ＳＷ）、制御部１４若しくは等の他の構成要素や外部のオペレーションシステム（不図示）やコントローラ（不図示）や外部の装置（不図示）等から制御され、又は、光スイッチ部１０、送受信部１１（ＴＲｘ）、スイッチ部１２（ＳＷ）、スイッチ部１３（ＳＷ）若しくは制御部１４等の他の構成要素や外部のオペレーションシステム（不図示）やコントローラ（不図示）や外部の装置（不図示）等を介して転送された指示で制御される。プロキシ部１５は、スイッチ部１３（ＳＷ）若しくは上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０２８６】
光スイッチ部１０、送受信部１１（ＴＲｘ）、スイッチ部１２（ＳＷ）、スイッチ部１３（ＳＷ）、制御部１４、プロキシ部１５は、光スイッチ部１０、送受信部１１（ＴＲｘ）、スイッチ部１２（ＳＷ）、スイッチ部１３（ＳＷ）若しくはプロキシ部１５等の他の構成要素のトラフィックの一部、その全て自体若しくはその複写を受けて、受けたトラフィックの一部、その全て自体、受けたトラフィックの一部、全てを書き換えたトラフィック又は受けたトラフィックに対する応答を、光スイッチ部１０、送受信部１１（ＴＲｘ）、スイッチ部１２（ＳＷ）、スイッチ部１３（ＳＷ）若しくはプロキシ部１５等の他の構成要素、外部のオペレーションシステム（不図示）、コントローラ（不図示）又は外部の装置（不図示）に送信してもよい。
【０２８７】
通信システム構成（２−２）の通信システムでは、通信システム構成（２−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１２にそれぞれ接続されている。更に、異なる波長の送受信部１１の内の少なくとも一部の波長の送受信部１１がスイッチ部１２に複数接続されていてもよい。他は同様である。
【０２８８】
通信システム構成（３−１）の通信システムは、光スイッチ部１０と、送受信部１１（ＴＲｘ）と、スイッチ部１２（ＳＷ）と、スイッチ部１３（ＳＷ）と、制御部１４と、外部サーバ１６とを備える（図１６）。異なる波長（λＡ〜λＮ）の光信号を送受信する送受信部１１（ＴＲｘ）がスイッチ部１２に接続されている。
【０２８９】
送受信部１１（ＴＲｘ）は、自律制御を行い、又は、光スイッチ部１０、スイッチ部１２（ＳＷ）、スイッチ部１３（ＳＷ）、制御部１４若しくは外部サーバ１６等の他の構成要素や外部のオペレーションシステム（不図示）やコントローラ（不図示）や外部の装置（不図示）等から制御され、又は、光スイッチ部１０、スイッチ部１２（ＳＷ）、スイッチ部１３（ＳＷ）、制御部１４若しくは外部サーバ１６等の他の構成要素や外部のオペレーションシステム（不図示）やコントローラ（不図示）や外部の装置（不図示）等を介して転送された指示で制御される。送受信部１１（ＴＲｘ）は、光スイッチ部１０若しくはスイッチ部１２（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。光スイッチ部１０には、ＯＤＮが接続される。
【０２９０】
スイッチ部１２（ＳＷ）は、スイッチ部１３（ＳＷ）に接続される。スイッチ部１２（ＳＷ）は、自律制御を行い、又は、光スイッチ部１０、送受信部１１（ＴＲｘ）、スイッチ部１３（ＳＷ）、制御部１４若しくは外部サーバ１６等の他の構成要素や外部のオペレーションシステム（不図示）やコントローラ（不図示）や外部の装置（不図示）等から制御され、又は、光スイッチ部１０、送受信部１１（ＴＲｘ）、スイッチ部１３（ＳＷ）、制御部１４若しくは外部サーバ１６等の他の構成要素や外部のオペレーションシステム（不図示）やコントローラ（不図示）や外部の装置（不図示）等を介して転送された指示で制御される。スイッチ部１２（ＳＷ）は、送受信部１１（ＴＲｘ）若しくはスイッチ部１３（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０２９１】
スイッチ部１３（ＳＷ）は、上位側の装置（不図示）に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。スイッチ部１３（ＳＷ）は、自律制御を行い、又は、光スイッチ部１０、送受信部１１（ＴＲｘ）、スイッチ部１２（ＳＷ）、制御部１４若しくは外部サーバ１６等の他の構成要素や外部のオペレーションシステム（不図示）やコントローラ（不図示）や外部の装置（不図示）等から制御され、又は、光スイッチ部１０、送受信部１１（ＴＲｘ）、スイッチ部１２（ＳＷ）、制御部１４若しくは外部サーバ１６等の他の構成要素や外部のオペレーションシステム（不図示）やコントローラ（不図示）や外部の装置（不図示）等を介して転送された指示で制御される。スイッチ部１３（ＳＷ）は、スイッチ部１２（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０２９２】
制御部１４は、光スイッチ部１０、送受信部１１（ＴＲｘ）、スイッチ部１２（ＳＷ）、スイッチ部１３（ＳＷ）、外部サーバ１６、外部のオペレーションシステム（不図示）、コントローラ（不図示）又は外部の装置（不図示）と接続される。制御部１４は、光スイッチ部１０、送受信部１１（ＴＲｘ）、スイッチ部１２（ＳＷ）、スイッチ部１３（ＳＷ）若しくは外部サーバ１６等の他の構成要素や外部のオペレーションシステム（不図示）やコントローラ（不図示）や外部の装置（不図示）等を制御し、又は光スイッチ部１０、送受信部１１（ＴＲｘ）、スイッチ部１２（ＳＷ）、スイッチ部１３（ＳＷ）若しくは外部サーバ１６等の他の構成要素や外部のオペレーションシステム（不図示）やコントローラ（不図示）や外部の装置（不図示）等を介して指示を転送する。
【０２９３】
外部サーバ１６は、光スイッチ部１０、送受信部１１（ＴＲｘ）、スイッチ部１２（ＳＷ）、スイッチ部１３（ＳＷ）、制御部１４、外部のオペレーションシステム（不図示）、コントローラ（不図示）又は外部の装置（不図示）と接続される。外部サーバ１６は、光スイッチ部１０、送受信部１１（ＴＲｘ）、スイッチ部１２（ＳＷ）、スイッチ部１３（ＳＷ）若しくは制御部１４等の他の構成要素や外部のオペレーションシステム（不図示）やコントローラ（不図示）や外部の装置（不図示）等を制御し、又は光スイッチ部１０、送受信部１１（ＴＲｘ）、スイッチ部１２（ＳＷ）、スイッチ部１３（ＳＷ）若しくは制御部１４等の他の構成要素や外部のオペレーションシステム（不図示）やコントローラ（不図示）や外部の装置（不図示）等を介して指示を転送する。
【０２９４】
光スイッチ部１０、送受信部１１（ＴＲｘ）、スイッチ部１２（ＳＷ）、スイッチ部１３（ＳＷ）、制御部１４若しくは外部サーバ１６は、光スイッチ部１０、送受信部１１（ＴＲｘ）、スイッチ部１２（ＳＷ）、スイッチ部１３（ＳＷ）若しくは外部サーバ１６等の他の構成要素や外部のオペレーションシステム（不図示）やコントローラ（不図示）や外部の装置（不図示）等のトラフィックの一部、その全て自体若しくはその複写を受けて、受けたトラフィックの一部、その全て自体、受けたトラフィックの一部、全てを書き換えたトラフィック又は受けたトラフィックに対する応答を、光スイッチ部１０、送受信部１１（ＴＲｘ）、スイッチ部１２（ＳＷ）、スイッチ部１３（ＳＷ）若しくは外部サーバ１６等の他の構成要素や外部のオペレーションシステム（不図示）やコントローラ（不図示）や外部の装置（不図示）等、外部のオペレーションシステム（不図示）、コントローラ（不図示）又は外部の装置（不図示）に送信してもよい。
【０２９５】
通信システム構成（３−２）の通信システムでは、通信システム構成（３−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１２にそれぞれ接続されている。更に、異なる波長の送受信部１１の内の少なくとも一部の波長の送受信部１１がスイッチ部１２に複数接続されていてもよい。他は同様である。
【０２９６】
通信システム構成（４−１）の通信システムは、光スイッチ部１０と、送受信部１１（ＴＲｘ）と、スイッチ部１２（ＳＷ）と、スイッチ部１３（ＳＷ）と、プロキシ部１５と、外部サーバ１６とを備える（図１６）。異なる波長（λＡ〜λＮ）の光信号を送受信する送受信部１１（ＴＲｘ）がスイッチ部１２に接続されている。
【０２９７】
送受信部１１（ＴＲｘ）は、自律制御を行い、又は、光スイッチ部１０、スイッチ部１２（ＳＷ）、スイッチ部１３（ＳＷ）、プロキシ部１５若しくは外部サーバ１６等の他の構成要素や外部のオペレーションシステム（不図示）やコントローラ（不図示）や外部の装置（不図示）等から制御され、又は、光スイッチ部１０、スイッチ部１２（ＳＷ）、スイッチ部１３（ＳＷ）、プロキシ部１５若しくは外部サーバ１６等の他の構成要素や外部のオペレーションシステム（不図示）やコントローラ（不図示）や外部の装置（不図示）等を介して転送された指示で制御される。送受信部１１（ＴＲｘ）は、光スイッチ部１０若しくはスイッチ部１２（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。光スイッチ部１０には、ＯＤＮが接続される。
【０２９８】
スイッチ部１２（ＳＷ）は、スイッチ部１３（ＳＷ）に接続される。スイッチ部１２（ＳＷ）は、自律制御を行い、又は、光スイッチ部１０、送受信部１１（ＴＲｘ）、スイッチ部１３（ＳＷ）、プロキシ部１５若しくは外部サーバ１６等の他の構成要素や外部のオペレーションシステム（不図示）やコントローラ（不図示）や外部の装置（不図示）等から制御され、又は、光スイッチ部１０、送受信部１１（ＴＲｘ）、スイッチ部１３（ＳＷ）、プロキシ部１５若しくは外部サーバ１６等の他の構成要素や外部のオペレーションシステム（不図示）やコントローラ（不図示）や外部の装置（不図示）等を介して転送された指示で制御される。スイッチ部１２（ＳＷ）は、送受信部１１（ＴＲｘ）若しくはスイッチ部１３（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０２９９】
スイッチ部１３（ＳＷ）は、プロキシ部１５に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。スイッチ部１３（ＳＷ）は、自律制御を行い、又は、光スイッチ部１０、送受信部１１（ＴＲｘ）、スイッチ部１２（ＳＷ）、プロキシ部１５若しくは外部サーバ１６等の他の構成要素や外部のオペレーションシステム（不図示）やコントローラ（不図示）や外部の装置（不図示）等から制御され、又は、光スイッチ部１０、送受信部１１（ＴＲｘ）、スイッチ部１２（ＳＷ）、プロキシ部１５若しくは外部サーバ１６等の他の構成要素や外部のオペレーションシステム（不図示）やコントローラ（不図示）や外部の装置（不図示）等を介して転送された指示で制御される。スイッチ部１３（ＳＷ）は、光スイッチ部１０、スイッチ部１２（ＳＷ）若しくはプロキシ部１５のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０３００】
プロキシ部１５は、上位側の装置（不図示）に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。プロキシ部１５は、自律制御を行い、又は、光スイッチ部１０、送受信部１１（ＴＲｘ）、スイッチ部１２（ＳＷ）、スイッチ部１３（ＳＷ）若しくは外部サーバ１６等の他の構成要素や外部のオペレーションシステム（不図示）やコントローラ（不図示）や外部の装置（不図示）等から制御され、又は、光スイッチ部１０、送受信部１１（ＴＲｘ）、スイッチ部１２（ＳＷ）、スイッチ部１３（ＳＷ）若しくは外部サーバ１６等の他の構成要素や外部のオペレーションシステム（不図示）やコントローラ（不図示）や外部の装置（不図示）等を介して転送された指示で制御される。プロキシ部１５は、スイッチ部１３（ＳＷ）若しくは上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０３０１】
外部サーバ１６は、光スイッチ部１０、送受信部１１（ＴＲｘ）、スイッチ部１２（ＳＷ）、スイッチ部１３（ＳＷ）、プロキシ部１５又は外部のオペレーションシステム（不図示）、コントローラ（不図示）若しくは外部の装置（不図示）と接続される。外部サーバ１６は、光スイッチ部１０、送受信部１１（ＴＲｘ）、スイッチ部１２（ＳＷ）、スイッチ部１３（ＳＷ）若しくはプロキシ部１５等の他の構成要素や外部のオペレーションシステム（不図示）やコントローラ（不図示）や外部の装置（不図示）等を制御し、又は光スイッチ部１０、送受信部１１（ＴＲｘ）、スイッチ部１２（ＳＷ）、スイッチ部１３（ＳＷ）若しくはプロキシ部１５等の他の構成要素や外部のオペレーションシステム（不図示）やコントローラ（不図示）や外部の装置（不図示）等を介して指示を転送する。
【０３０２】
光スイッチ部１０、送受信部１１（ＴＲｘ）、スイッチ部１２（ＳＷ）、スイッチ部１３（ＳＷ）、プロキシ部１５若しくは外部サーバ１６は、光スイッチ部１０、送受信部１１（ＴＲｘ）、スイッチ部１２（ＳＷ）、スイッチ部１３（ＳＷ）、プロキシ部１５若しくは外部サーバ１６等の他の構成要素のトラフィックの一部、その全て自体若しくはその複写を受けて、受けたトラフィックの一部、その全て自体、受けたトラフィックの一部、全てを書き換えたトラフィック又は受けたトラフィックに対する応答を、光スイッチ部１０、送受信部１１（ＴＲｘ）、スイッチ部１２（ＳＷ）、スイッチ部１３（ＳＷ）、プロキシ部１５若しくは外部サーバ１６等の他の構成要素、外部のオペレーションシステム（不図示）、コントローラ（不図示）又は外部の装置（不図示）に送信してもよい。
【０３０３】
通信システム構成（４−２）の通信システムでは、通信システム構成（４−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１２にそれぞれ接続されている。更に、異なる波長の送受信部１１の内の少なくとも一部の波長の送受信部１１がスイッチ部１２に複数接続されていてもよい。他は同様である。
【０３０４】
通信システム構成（５−１）の通信システムは、光スイッチ部１０と、送受信部１１（ＴＲｘ）と、スイッチ部１２（ＳＷ）と、制御部１４と、プロキシ部１５と、外部サーバ１６とを備える（図１６）。異なる波長（λＡ〜λＮ）の光信号を送受信する送受信部１１（ＴＲｘ）がスイッチ部１２（ＳＷ）に接続されている。
【０３０５】
送受信部１１（ＴＲｘ）は、自律制御を行い、又は、光スイッチ部１０、スイッチ部１２（ＳＷ）、制御部１４、プロキシ部１５若しくは外部サーバ１６等の他の構成要素や外部のオペレーションシステム（不図示）やコントローラ（不図示）や外部の装置（不図示）等から制御され、又は、光スイッチ部１０、スイッチ部１２（ＳＷ）、制御部１４、プロキシ部１５若しくは外部サーバ１６等の他の構成要素や外部のオペレーションシステム（不図示）やコントローラ（不図示）や外部の装置（不図示）等を介して転送された指示で制御される。送受信部１１（ＴＲｘ）は、光スイッチ部１０若しくはスイッチ部１２（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。光スイッチ部１０には、ＯＤＮが接続される。
【０３０６】
スイッチ部１２（ＳＷ）は、プロキシ部１５に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。スイッチ部１２（ＳＷ）は、自律制御を行い、又は、光スイッチ部１０、送受信部１１（ＴＲｘ）、制御部１４、プロキシ部１５若しくは外部サーバ１６等の他の構成要素や外部のオペレーションシステム（不図示）やコントローラ（不図示）や外部の装置（不図示）等から制御され、又は、光スイッチ部１０、送受信部１１（ＴＲｘ）、制御部１４、プロキシ部１５若しくは外部サーバ１６等の他の構成要素や外部のオペレーションシステム（不図示）やコントローラ（不図示）や外部の装置（不図示）等を介して転送された指示で制御される。スイッチ部１２（ＳＷ）は、送受信部１１（ＴＲｘ）又はプロキシ部１５のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０３０７】
制御部１４は、光スイッチ部１０、送受信部１１（ＴＲｘ）、スイッチ部１２（ＳＷ）、プロキシ部１５、外部サーバ１６、外部のオペレーションシステム（不図示）、コントローラ（不図示）又は外部の装置（不図示）と接続される。制御部１４は、光スイッチ部１０、送受信部１１（ＴＲｘ）、スイッチ部１２（ＳＷ）、プロキシ部１５若しくは外部サーバ１６等の他の構成要素や外部のオペレーションシステム（不図示）やコントローラ（不図示）や外部の装置（不図示）等を制御し、又は光スイッチ部１０、送受信部１１（ＴＲｘ）、スイッチ部１２（ＳＷ）、プロキシ部１５若しくは外部サーバ１６等の他の構成要素や外部のオペレーションシステム（不図示）やコントローラ（不図示）や外部の装置（不図示）等を介して指示を転送する。
【０３０８】
プロキシ部１５は、上位側の装置（不図示）に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。プロキシ部１５は、自律制御を行い、又は、光スイッチ部１０、送受信部１１（ＴＲｘ）、スイッチ部１２（ＳＷ）、制御部１４若しくは外部サーバ１６等の他の構成要素や外部のオペレーションシステム（不図示）やコントローラ（不図示）や外部の装置（不図示）等から制御され、又は、光スイッチ部１０、送受信部１１（ＴＲｘ）、スイッチ部１２（ＳＷ）、制御部１４若しくは外部サーバ１６等の他の構成要素や外部のオペレーションシステム（不図示）やコントローラ（不図示）や外部の装置（不図示）等を介して転送された指示で制御される。プロキシ部１５は、スイッチ部１２（ＳＷ）若しくは上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０３０９】
外部サーバ１６は、光スイッチ部１０、送受信部１１（ＴＲｘ）、スイッチ部１２（ＳＷ）、制御部１４、プロキシ部１５、外部のオペレーションシステム（不図示）、コントローラ（不図示）又は外部の装置（不図示）と接続される。外部サーバ１６は、光スイッチ部１０、送受信部１１（ＴＲｘ）、スイッチ部１２（ＳＷ）、制御部１４若しくはプロキシ部１５等の他の構成要素や外部のオペレーションシステム（不図示）やコントローラ（不図示）や外部の装置（不図示）等を制御し、又は光スイッチ部１０、送受信部１１（ＴＲｘ）、スイッチ部１２（ＳＷ）、制御部１４若しくはプロキシ部１５等の他の構成要素や外部のオペレーションシステム（不図示）やコントローラ（不図示）や外部の装置（不図示）等を介して指示を転送する。
【０３１０】
光スイッチ部１０、送受信部１１（ＴＲｘ）、スイッチ部１２（ＳＷ）、制御部１４、プロキシ部１５若しくは外部サーバ１６は、光スイッチ部１０、送受信部１１（ＴＲｘ）、スイッチ部１２（ＳＷ）、プロキシ部１５若しくは外部サーバ１６等の他の構成要素のトラフィックの一部、その全て自体若しくはその複写を受けて、受けたトラフィックの一部、その全て自体、受けたトラフィックの一部、全てを書き換えたトラフィック又は受けたトラフィックに対する応答を、光スイッチ部１０、送受信部１１（ＴＲｘ）、スイッチ部１２（ＳＷ）、プロキシ部１５若しくは外部サーバ１６等の他の構成要素、外部のオペレーションシステム（不図示）、コントローラ（不図示）又は外部の装置（不図示）に送信してもよい。
【０３１１】
通信システム構成（５−２）の通信システムでは、通信システム構成（５−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１２にそれぞれ接続されている。更に、異なる波長の送受信部１１の内の少なくとも一部の波長の送受信部１１がスイッチ部１２に複数接続されていてもよい。他は同様である。
【０３１２】
通信システム構成（６−１）の通信システムは、光スイッチ部１０と、送受信部１１（ＴＲｘ）と、スイッチ部１３（ＳＷ）と、制御部１４と、プロキシ部１５と、外部サーバ１６とを備える（図１６）。異なる波長（λＡ〜λＮ）の光信号を送受信する送受信部１１（ＴＲｘ）がスイッチ部１３（ＳＷ）に接続されている。
【０３１３】
送受信部１１（ＴＲｘ）は、自律制御を行い、又は、光スイッチ部１０、スイッチ部１３（ＳＷ）、制御部１４、プロキシ部１５若しくは外部サーバ１６等の他の構成要素や外部のオペレーションシステム（不図示）やコントローラ（不図示）や外部の装置（不図示）等から制御され、又は、光スイッチ部１０、スイッチ部１３（ＳＷ）、制御部１４、プロキシ部１５若しくは外部サーバ１６等の他の構成要素や外部のオペレーションシステム（不図示）やコントローラ（不図示）や外部の装置（不図示）等を介して転送された指示で制御される。送受信部１１（ＴＲｘ）は、光スイッチ部１０若しくはスイッチ部１３（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。光スイッチ部１０には、ＯＤＮが接続される。
【０３１４】
スイッチ部１３（ＳＷ）は、プロキシ部１５に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。スイッチ部１３（ＳＷ）は、自律制御を行い、又は、送受信部１１（ＴＲｘ）、制御部１４、プロキシ部１５若しくは外部サーバ１６等の他の構成要素や外部のオペレーションシステム（不図示）やコントローラ（不図示）や外部の装置（不図示）等から制御され、又は、光スイッチ部１０、送受信部１１（ＴＲｘ）、制御部１４、プロキシ部１５若しくは外部サーバ１６等の他の構成要素や外部のオペレーションシステム（不図示）やコントローラ（不図示）や外部の装置（不図示）等を介して転送された指示で制御される。スイッチ部１３（ＳＷ）は、送受信部１１（ＴＲｘ）又はプロキシ部１５のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０３１５】
制御部１４は、光スイッチ部１０、送受信部１１（ＴＲｘ）、スイッチ部１３（ＳＷ）、プロキシ部１５若しくは外部サーバ１６又は外部のオペレーションシステム（不図示）、コントローラ（不図示）若しくは外部の装置（不図示）と接続される。制御部１４は、光スイッチ部１０、送受信部１１（ＴＲｘ）、スイッチ部１３（ＳＷ）、プロキシ部１５若しくは外部サーバ１６等の他の構成要素や外部のオペレーションシステム（不図示）やコントローラ（不図示）や外部の装置（不図示）等を制御し、又は光スイッチ部１０、送受信部１１（ＴＲｘ）、スイッチ部１３（ＳＷ）、プロキシ部１５若しくは外部サーバ１６等の他の構成要素や外部のオペレーションシステム（不図示）やコントローラ（不図示）や外部の装置（不図示）等を介して指示を転送する。
【０３１６】
プロキシ部１５は、上位側の装置（不図示）に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。プロキシ部１５は、自律制御を行い、又は、光スイッチ部１０、送受信部１１（ＴＲｘ）、スイッチ部１３（ＳＷ）、制御部１４若しくは外部サーバ１６等の他の構成要素や外部のオペレーションシステム（不図示）やコントローラ（不図示）や外部の装置（不図示）等から制御され、又は、光スイッチ部１０、送受信部１１（ＴＲｘ）、スイッチ部１３（ＳＷ）、制御部１４若しくは外部サーバ１６等の他の構成要素や外部のオペレーションシステム（不図示）やコントローラ（不図示）や外部の装置（不図示）等を介して転送された指示で制御される。プロキシ部１５は、スイッチ部１３（ＳＷ）若しくは上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０３１７】
外部サーバ１６は、光スイッチ部１０、送受信部１１（ＴＲｘ）、スイッチ部１３（ＳＷ）、制御部１４、プロキシ部１５、外部のオペレーションシステム（不図示）、コントローラ（不図示）又は外部の装置（不図示）と接続される。外部サーバ１６は、光スイッチ部１０、送受信部１１（ＴＲｘ）、スイッチ部１３（ＳＷ）、制御部１４若しくはプロキシ部１５等の他の構成要素や外部のオペレーションシステム（不図示）やコントローラ（不図示）や外部の装置（不図示）等を制御し、又は光スイッチ部１０、送受信部１１（ＴＲｘ）、スイッチ部１３（ＳＷ）、制御部１４若しくはプロキシ部１５等の他の構成要素や外部のオペレーションシステム（不図示）やコントローラ（不図示）や外部の装置（不図示）等を介して指示を転送する。
【０３１８】
光スイッチ部１０、送受信部１１（ＴＲｘ）、スイッチ部１３（ＳＷ）、制御部１４、プロキシ部１５又は外部サーバ１６は、光スイッチ部１０、送受信部１１（ＴＲｘ）、スイッチ部１３（ＳＷ）、プロキシ部１５若しくは外部サーバ１６等の他の構成要素のトラフィックの一部、その全て自体若しくはその複写を受けて、受けたトラフィックの一部、その全て自体、受けたトラフィックの一部、全てを書き換えたトラフィック又は受けたトラフィックに対する応答を、光スイッチ部１０、送受信部１１（ＴＲｘ）、スイッチ部１３（ＳＷ）、プロキシ部１５若しくは外部サーバ１６等の他の構成要素、外部のオペレーションシステム（不図示）、コントローラ（不図示）又は外部の装置（不図示）に送信してもよい。
【０３１９】
通信システム構成（６−２）の通信システムでは、通信システム構成（６−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１３（ＳＷ）にそれぞれ接続されている。更に、異なる波長の送受信部１１の内の少なくとも一部の波長の送受信部１１がスイッチ部１３に複数接続されていてもよい。他は同様である。
【０３２０】
通信システム構成（７−１）の通信システムは、光スイッチ部１０と、送受信部１１（ＴＲｘ）と、スイッチ部１２（ＳＷ）と、スイッチ部１３（ＳＷ）と、制御部１４とを備える（図１６）。異なる波長（λＡ〜λＮ）の光信号を送受信する送受信部１１（ＴＲｘ）がスイッチ部１２に接続されている。
【０３２１】
送受信部１１（ＴＲｘ）は、自律制御を行い、又は、光スイッチ部１０、スイッチ部１２（ＳＷ）、スイッチ部１３（ＳＷ）若しくは制御部１４等の他の構成要素や外部のオペレーションシステム（不図示）やコントローラ（不図示）や外部の装置（不図示）等から制御され、又は、光スイッチ部１０、スイッチ部１２（ＳＷ）、スイッチ部１３（ＳＷ）若しくは制御部１４等の他の構成要素や外部のオペレーションシステム（不図示）やコントローラ（不図示）や外部の装置（不図示）等を介して転送された指示で制御される。送受信部１１（ＴＲｘ）は、光スイッチ部１０若しくはスイッチ部１２（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。光スイッチ部１０には、ＯＤＮが接続される。
【０３２２】
スイッチ部１２（ＳＷ）は、スイッチ部１３（ＳＷ）に接続される。スイッチ部１２（ＳＷ）は、自律制御を行い、又は、光スイッチ部１０、送受信部１１（ＴＲｘ）、スイッチ部１３（ＳＷ）若しくは制御部１４等の他の構成要素や外部のオペレーションシステム（不図示）やコントローラ（不図示）や外部の装置（不図示）等から制御され、又は、光スイッチ部１０、送受信部１１（ＴＲｘ）、スイッチ部１３（ＳＷ）若しくは制御部１４等の他の構成要素や外部のオペレーションシステム（不図示）やコントローラ（不図示）や外部の装置（不図示）等を介して転送された指示で制御される。スイッチ部１２（ＳＷ）は、送受信部１１（ＴＲｘ）若しくはスイッチ部１３（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０３２３】
スイッチ部１３（ＳＷ）は、上位側の装置（不図示）に直接、又は集線ＳＷ等を介して接続される。この集線ＳＷは、複数のＯＬＴから若しくはＯＬＴへのトラフィックを集約、分配、振分、複製、折返若しくは透過の少なくとも一部を行う。スイッチ部１３（ＳＷ）は、自律制御を行い、又は、光スイッチ部１０、送受信部１１（ＴＲｘ）、スイッチ部１２（ＳＷ）若しくは制御部１４等の他の構成要から制御され、又は、光スイッチ部１０、送受信部１１（ＴＲｘ）、スイッチ部１２（ＳＷ）若しくは制御部１４等の他の構成要を介して転送された指示で制御される。スイッチ部１３（ＳＷ）は、スイッチ部１２（ＳＷ）若しくは上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０３２４】
制御部１４は、光スイッチ部１０、送受信部１１（ＴＲｘ）、スイッチ部１２（ＳＷ）、スイッチ部１３（ＳＷ）、外部のオペレーションシステム（不図示）、コントローラ（不図示）又は外部の装置（不図示）と接続される。制御部１４は、光スイッチ部１０、送受信部１１（ＴＲｘ）、スイッチ部１２（ＳＷ）若しくはスイッチ部１３（ＳＷ）等の他の構成要素や外部のオペレーションシステム（不図示）やコントローラ（不図示）や外部の装置（不図示）等を制御し、又は光スイッチ部１０、送受信部１１（ＴＲｘ）、スイッチ部１２（ＳＷ）若しくはスイッチ部１３（ＳＷ）等の他の構成要素や外部のオペレーションシステム（不図示）やコントローラ（不図示）や外部の装置（不図示）等を介して指示を転送する。
【０３２５】
光スイッチ部１０、送受信部１１（ＴＲｘ）、スイッチ部１２（ＳＷ）、スイッチ部１３（ＳＷ）若しくは制御部１４は、光スイッチ部１０、送受信部１１（ＴＲｘ）、スイッチ部１２（ＳＷ）若しくはスイッチ部１３（ＳＷ）等の他の構成要素のトラフィックの一部、その全て自体若しくはその複写を受けて、受けたトラフィックの一部、その全て自体、受けたトラフィックの一部、全てを書き換えたトラフィック又は受けたトラフィックに対する応答を、送受信部１１（ＴＲｘ）、スイッチ部１２（ＳＷ）若しくはスイッチ部１３（ＳＷ）等の他の構成要素、外部のオペレーションシステム（不図示）、コントローラ（不図示）又は外部の装置（不図示）に送信してもよい。
【０３２６】
通信システム構成（７−２）の通信システムでは、通信システム構成（７−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１２にそれぞれ接続されている。更に、異なる波長の送受信部１１の内の少なくとも一部の波長の送受信部１１がスイッチ部１２に複数接続されていてもよい。他は同様である。
【０３２７】
通信システム構成（８−１）の通信システムは、光スイッチ部１０と、送受信部１１（ＴＲｘ）と、スイッチ部１２（ＳＷ）と、スイッチ部１３（ＳＷ）と、プロキシ部１５とを備える（図１６）。異なる波長（λＡ〜λＮ）の光信号を送受信する送受信部１１（ＴＲｘ）が、スイッチ部１２に接続される。
【０３２８】
送受信部１１（ＴＲｘ）は、自律制御を行い、又は、光スイッチ部１０、スイッチ部１２（ＳＷ）、スイッチ部１３（ＳＷ）若しくはプロキシ部１５等の他の構成要素や外部のオペレーションシステム（不図示）やコントローラ（不図示）や外部の装置（不図示）等から制御され、又は、光スイッチ部１０、スイッチ部１２（ＳＷ）、スイッチ部１３（ＳＷ）若しくはプロキシ部１５等の他の構成要素や外部のオペレーションシステム（不図示）やコントローラ（不図示）や外部の装置（不図示）等を介して転送された指示で制御される。送受信部１１（ＴＲｘ）は、光スイッチ部１０若しくはスイッチ部１２（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。光スイッチ部１０には、ＯＤＮが接続される。
【０３２９】
スイッチ部１２（ＳＷ）は、スイッチ部１３（ＳＷ）に接続される。スイッチ部１２（ＳＷ）は自律制御を行い、又は、光スイッチ部１０、送受信部１１（ＴＲｘ）、スイッチ部１３（ＳＷ）若しくはプロキシ部１５等の他の構成要素や外部のオペレーションシステム（不図示）やコントローラ（不図示）や外部の装置（不図示）等から制御され、又は、光スイッチ部１０、送受信部１１（ＴＲｘ）、スイッチ部１３（ＳＷ）若しくはプロキシ部１５等の他の構成要素や外部のオペレーションシステム（不図示）やコントローラ（不図示）や外部の装置（不図示）等を介して転送された指示で制御される。スイッチ部１２（ＳＷ）は、送受信部１１（ＴＲｘ）若しくはスイッチ部１３（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０３３０】
スイッチ部１３（ＳＷ）は、プロキシ部１５に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。スイッチ部１３（ＳＷ）は、自律制御を行い、又は、光スイッチ部１０、送受信部１１（ＴＲｘ）、スイッチ部１２（ＳＷ）若しくはプロキシ部１５等の他の構成要素や外部のオペレーションシステム（不図示）やコントローラ（不図示）や外部の装置（不図示）等から制御され、又は、送受信部１１（ＴＲｘ）、スイッチ部１２（ＳＷ）若しくはプロキシ部１５等の他の構成要素や外部のオペレーションシステム（不図示）やコントローラ（不図示）や外部の装置（不図示）等を介して転送された指示で制御される。スイッチ部１３（ＳＷ）は、スイッチ部１２（ＳＷ）若しくはプロキシ部１５のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０３３１】
プロキシ部１５は、上位側の装置（不図示）に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。プロキシ部１５は、自律制御を行い、又は、光スイッチ部１０、送受信部１１（ＴＲｘ）、スイッチ部１２（ＳＷ）若しくはスイッチ部１３（ＳＷ）等の他の構成要素や外部のオペレーションシステム（不図示）やコントローラ（不図示）や外部の装置（不図示）等から制御され、又は、光スイッチ部１０、送受信部１１（ＴＲｘ）、スイッチ部１２（ＳＷ）若しくはスイッチ部１３（ＳＷ）等の他の構成要素や外部のオペレーションシステム（不図示）やコントローラ（不図示）や外部の装置（不図示）等を介して転送された指示で制御される。プロキシ部１５は、スイッチ部１３（ＳＷ）若しくは上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０３３２】
光スイッチ部１０、送受信部１１（ＴＲｘ）、スイッチ部１２（ＳＷ）、スイッチ部１３（ＳＷ）若しくはプロキシ部１５は、光スイッチ部１０、送受信部１１（ＴＲｘ）、スイッチ部１２（ＳＷ）、スイッチ部１３（ＳＷ）若しくはプロキシ部１５等の他の構成要素のトラフィックの一部、その全て自体若しくはその複写を受けて、受けたトラフィックの一部、その全て自体、受けたトラフィックの一部、全てを書き換えたトラフィック又は受けたトラフィックに対する応答を、光スイッチ部１０、送受信部１１（ＴＲｘ）、スイッチ部１２（ＳＷ）、スイッチ部１３（ＳＷ）若しくはプロキシ部１５等の他の構成要素、外部のオペレーションシステム（不図示）、コントローラ（不図示）又は外部の装置（不図示）に送信してもよい。
【０３３３】
通信システム構成（８−２）の通信システムでは、通信システム構成（８−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１２にそれぞれ接続されている。更に、異なる波長の送受信部１１の内の少なくとも一部の波長の送受信部１１がスイッチ部１２に複数接続されていてもよい。他は同様である。
【０３３４】
通信システム構成（９−１）の通信システムは、光スイッチ部１０と、送受信部１１（ＴＲｘ）と、スイッチ部１２（ＳＷ）と、制御部１４と、プロキシ部１５とを備える（図１６）。異なる波長（λＡ〜λＮ）の光信号を送受信する送受信部１１（ＴＲｘ）がスイッチ部１２に接続されている。
【０３３５】
送受信部１１（ＴＲｘ）は、自律制御を行い、又は、光スイッチ部１０、スイッチ部１２（ＳＷ）、制御部１４若しくはプロキシ部１５等の他の構成要素や外部のオペレーションシステム（不図示）やコントローラ（不図示）や外部の装置（不図示）等から制御され、又は、光スイッチ部１０、スイッチ部１２（ＳＷ）、制御部１４若しくはプロキシ部１５等の他の構成要素や外部のオペレーションシステム（不図示）やコントローラ（不図示）や外部の装置（不図示）等を介して転送された指示で制御される。送受信部１１（ＴＲｘ）は、光スイッチ部１０若しくはスイッチ部１２（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。光スイッチ部１０には、ＯＤＮが接続される。
【０３３６】
スイッチ部１２（ＳＷ）は、プロキシ部１５に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。スイッチ部１２（ＳＷ）は、自律制御を行い、又は、光スイッチ部１０、送受信部１１（ＴＲｘ）、制御部１４若しくはプロキシ部１５等の他の構成要素や外部のオペレーションシステム（不図示）やコントローラ（不図示）や外部の装置（不図示）等から制御され、又は、光スイッチ部１０、送受信部１１（ＴＲｘ）、制御部１４若しくはプロキシ部１５等の他の構成要素や外部のオペレーションシステム（不図示）やコントローラ（不図示）や外部の装置（不図示）等を介して転送された指示で制御される。スイッチ部１２（ＳＷ）は、送受信部１１（ＴＲｘ）又はプロキシ部１５のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０３３７】
制御部１４は、光スイッチ部１０、送受信部１１（ＴＲｘ）、スイッチ部１２（ＳＷ）、プロキシ部１５、外部のオペレーションシステム（不図示）、コントローラ（不図示）又は外部の装置（不図示）と接続される。制御部１４は、光スイッチ部１０、送受信部１１（ＴＲｘ）、スイッチ部１２（ＳＷ）若しくはプロキシ部１５等の他の構成要素や外部のオペレーションシステム（不図示）やコントローラ（不図示）や外部の装置（不図示）等を制御し、又は光スイッチ部１０、送受信部１１（ＴＲｘ）、スイッチ部１２（ＳＷ）若しくはプロキシ部１５等の他の構成要素や外部のオペレーションシステム（不図示）やコントローラ（不図示）や外部の装置（不図示）等を介して指示を転送する。
【０３３８】
プロキシ部１５は、上位側の装置（不図示）に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。プロキシ部１５は、自律制御を行い、又は、光スイッチ部１０、送受信部１１（ＴＲｘ）、スイッチ部１２（ＳＷ）若しくは制御部１４等の他の構成要から制御され、又は、光スイッチ部１０、送受信部１１（ＴＲｘ）、スイッチ部１２（ＳＷ）若しくは制御部１４等の他の構成要を介して転送された指示で制御される。プロキシ部１５は、スイッチ部１２（ＳＷ）若しくは上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０３３９】
光スイッチ部１０、送受信部１１（ＴＲｘ）、スイッチ部１２（ＳＷ）、制御部１４若しくはプロキシ部１５は、光スイッチ部１０、送受信部１１（ＴＲｘ）、スイッチ部１２（ＳＷ）若しくはプロキシ部１５等の他の構成要素や外部のオペレーションシステム（不図示）やコントローラ（不図示）や外部の装置（不図示）等のトラフィックの一部、その全て自体若しくはその複写を受けて、受けたトラフィックの一部、その全て自体、受けたトラフィックの一部、全てを書き換えたトラフィック又は受けたトラフィックに対する応答を、光スイッチ部１０、送受信部１１（ＴＲｘ）、スイッチ部１２（ＳＷ）若しくはプロキシ部１５等の他の構成要素や外部のオペレーションシステム（不図示）やコントローラ（不図示）や外部の装置（不図示）等、外部のオペレーションシステム（不図示）、コントローラ（不図示）又は外部の装置（不図示）に、送信してもよい。
【０３４０】
通信システム構成（９−２）の通信システムでは、通信システム構成（９−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１２にそれぞれ接続されている。更に、異なる波長の送受信部１１の内の少なくとも一部の波長の送受信部１１がスイッチ部１２に複数接続されていてもよい。他は同様である。
【０３４１】
通信システム構成（１０−１）の通信システムは、光スイッチ部１０と、送受信部１１（ＴＲｘ）と、スイッチ部１３（ＳＷ）と、制御部１４と、プロキシ部１５とを備える（図１６）。異なる波長（λＡ〜λＮ）の光信号を送受信する送受信部１１（ＴＲｘ）がスイッチ部１３（ＳＷ）に接続されている。
【０３４２】
送受信部１１（ＴＲｘ）は、自律制御を行い、又は、光スイッチ部１０、スイッチ部１３（ＳＷ）、制御部１４、プロキシ部１５等の他の構成要素や外部のオペレーションシステム（不図示）やコントローラ（不図示）や外部の装置（不図示）等から制御され、又は、光スイッチ部１０、スイッチ部１３（ＳＷ）、制御部１４若しくはプロキシ部１５等の他の構成要素や外部のオペレーションシステム（不図示）やコントローラ（不図示）や外部の装置（不図示）等を介して転送された指示で制御される。送受信部１１（ＴＲｘ）は、光スイッチ部１０若しくはスイッチ部１３（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。光スイッチ部１０には、ＯＤＮが接続される。
【０３４３】
スイッチ部１３（ＳＷ）は、プロキシ部１５に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。スイッチ部１３（ＳＷ）は、自律制御を行い、又は、光スイッチ部１０、送受信部１１（ＴＲｘ）、制御部１４若しくはプロキシ部１５等の他の構成要素や外部のオペレーションシステム（不図示）やコントローラ（不図示）や外部の装置（不図示）等から制御され、又は、光スイッチ部１０、送受信部１１（ＴＲｘ）、制御部１４若しくはプロキシ部１５等の他の構成要素や外部のオペレーションシステム（不図示）やコントローラ（不図示）や外部の装置（不図示）等を介して転送された指示で制御される。スイッチ部１３（ＳＷ）は、送受信部１１（ＴＲｘ）又はプロキシ部１５のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０３４４】
制御部１４は、光スイッチ部１０、送受信部１１（ＴＲｘ）、スイッチ部１３（ＳＷ）、プロキシ部１５若しくは外部のオペレーションシステム（不図示）、コントローラ（不図示）若しくは外部の装置（不図示）と接続される。制御部１４は、光スイッチ部１０、送受信部１１（ＴＲｘ）、スイッチ部１３（ＳＷ）若しくはプロキシ部１５等の他の構成要素や外部のオペレーションシステム（不図示）やコントローラ（不図示）や外部の装置（不図示）等を制御し、又は光スイッチ部１０、送受信部１１（ＴＲｘ）、スイッチ部１３（ＳＷ）若しくはプロキシ部１５等の他の構成要素や外部のオペレーションシステム（不図示）やコントローラ（不図示）や外部の装置（不図示）等を介して指示を転送する。
【０３４５】
プロキシ部１５は、上位側の装置（不図示）に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。プロキシ部１５は、自律制御を行い、又は、光スイッチ部１０、送受信部１１（ＴＲｘ）、スイッチ部１３（ＳＷ）若しくは制御部１４等の他の構成要素や外部のオペレーションシステム（不図示）やコントローラ（不図示）や外部の装置（不図示）等から制御され、又は、光スイッチ部１０、送受信部１１（ＴＲｘ）、スイッチ部１３（ＳＷ）若しくは制御部１４等の他の構成要素や外部のオペレーションシステム（不図示）やコントローラ（不図示）や外部の装置（不図示）等を介して転送された指示で制御される。プロキシ部１５は、スイッチ部１３（ＳＷ）若しくは上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０３４６】
光スイッチ部１０、送受信部１１（ＴＲｘ）、スイッチ部１３（ＳＷ）、制御部１４若しくはプロキシ部１５は、光スイッチ部１０、送受信部１１（ＴＲｘ）、スイッチ部１３（ＳＷ）若しくはプロキシ部１５等の他の構成要素のトラフィックの一部、その全て自体若しくはその複写を受けて、受けたトラフィックの一部、その全て自体、受けたトラフィックの一部、全てを書き換えたトラフィック又は受けたトラフィックに対する応答を、光スイッチ部１０、送受信部１１（ＴＲｘ）、スイッチ部１３（ＳＷ）若しくはプロキシ部１５等の他の構成要素、外部のオペレーションシステム（不図示）、コントローラ（不図示）又は外部の装置（不図示）に送信してもよい。
【０３４７】
通信システム構成（１０−２）の通信システムでは、通信システム構成（１０−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１３（ＳＷ）にそれぞれ接続されている。更に、異なる波長の送受信部１１の内の少なくとも一部の波長の送受信部１１がスイッチ部１３に複数接続されていてもよい。他は同様である。
【０３４８】
通信システム構成（１１−１）の通信システムは、光スイッチ部１０と、送受信部１１（ＴＲｘ）と、スイッチ部１２（ＳＷ）と、スイッチ部１３（ＳＷ）と、外部サーバ１６とを備える（図１６）。異なる波長（λＡ〜λＮ）の光信号を送受信する送受信部１１（ＴＲｘ）がスイッチ部１２に接続されている。
【０３４９】
送受信部１１（ＴＲｘ）は、自律制御を行い、又は、光スイッチ部１０、スイッチ部１２（ＳＷ）、スイッチ部１３（ＳＷ）若しくは外部サーバ１６等の他の構成要素や外部のオペレーションシステム（不図示）やコントローラ（不図示）や外部の装置（不図示）等から制御され、又は、光スイッチ部１０、スイッチ部１２（ＳＷ）、スイッチ部１３（ＳＷ）若しくは外部サーバ１６等の他の構成要素や外部のオペレーションシステム（不図示）やコントローラ（不図示）や外部の装置（不図示）等を介して転送された指示で制御される。送受信部１１（ＴＲｘ）は、光スイッチ部１０若しくはスイッチ部１２（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。光スイッチ部１０には、ＯＤＮが接続される。
【０３５０】
スイッチ部１２（ＳＷ）は、スイッチ部１３（ＳＷ）に接続される。スイッチ部１２（ＳＷ）は、自律制御を行い、又は、光スイッチ部１０、送受信部１１（ＴＲｘ）、スイッチ部１３（ＳＷ）若しくは外部サーバ１６等の他の構成要素や外部のオペレーションシステム（不図示）やコントローラ（不図示）や外部の装置（不図示）等から制御され、又は、光スイッチ部１０、送受信部１１（ＴＲｘ）、スイッチ部１３（ＳＷ）若しくは外部サーバ１６等の他の構成要素や外部のオペレーションシステム（不図示）やコントローラ（不図示）や外部の装置（不図示）等を介して転送された指示で制御される。スイッチ部１２（ＳＷ）は、送受信部１１（ＴＲｘ）若しくはスイッチ部１３（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０３５１】
スイッチ部１３（ＳＷ）は、上位側の装置（不図示）に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。スイッチ部１３（ＳＷ）は、自律制御を行い、又は、光スイッチ部１０、送受信部１１（ＴＲｘ）、スイッチ部１２（ＳＷ）若しくは外部サーバ１６等の他の構成要素や外部のオペレーションシステム（不図示）やコントローラ（不図示）や外部の装置（不図示）等から制御され、又は、光スイッチ部１０、送受信部１１（ＴＲｘ）、スイッチ部１２（ＳＷ）若しくは外部サーバ１６等の他の構成要素や外部のオペレーションシステム（不図示）やコントローラ（不図示）や外部の装置（不図示）等を介して転送された指示で制御される。スイッチ部１３（ＳＷ）は、スイッチ部１２（ＳＷ）若しくは上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０３５２】
外部サーバ１６は、光スイッチ部１０、送受信部１１（ＴＲｘ）、スイッチ部１２（ＳＷ）、スイッチ部１３（ＳＷ）、外部のオペレーションシステム（不図示）、コントローラ（不図示）又は外部の装置（不図示）と接続される。外部サーバ１６は、光スイッチ部１０、送受信部１１（ＴＲｘ）、スイッチ部１２（ＳＷ）若しくはスイッチ部１３（ＳＷ）等の他の構成要素や外部のオペレーションシステム（不図示）やコントローラ（不図示）や外部の装置（不図示）等を制御し、又は光スイッチ部１０、送受信部１１（ＴＲｘ）、スイッチ部１２（ＳＷ）若しくはスイッチ部１３（ＳＷ）等の他の構成要素や外部のオペレーションシステム（不図示）やコントローラ（不図示）や外部の装置（不図示）等を介して指示を転送する。
【０３５３】
光スイッチ部１０、送受信部１１（ＴＲｘ）、スイッチ部１２（ＳＷ）、スイッチ部１３（ＳＷ）若しくは外部サーバ１６は、光スイッチ部１０、送受信部１１（ＴＲｘ）、スイッチ部１２（ＳＷ）、スイッチ部１３（ＳＷ）若しくは外部サーバ１６等の他の構成要素のトラフィックの一部、その全て自体若しくはその複写を受けて、受けたトラフィックの一部、その全て自体、受けたトラフィックの一部、全てを書き換えたトラフィック又は受けたトラフィックに対する応答を、光スイッチ部１０、送受信部１１（ＴＲｘ）、スイッチ部１２（ＳＷ）、スイッチ部１３（ＳＷ）若しくは外部サーバ１６等の他の構成要素、外部のオペレーションシステム（不図示）、コントローラ（不図示）又は外部の装置（不図示）に送信してもよい。
【０３５４】
通信システム構成（１１−２）の通信システムでは、通信システム構成（１１−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１２にそれぞれ接続されている。更に、異なる波長の送受信部１１の内の少なくとも一部の波長の送受信部１１がスイッチ部１２に複数接続されていてもよい。他は同様である。
【０３５５】
通信システム構成（１２−１）の通信システムは、光スイッチ部１０と、送受信部１１（ＴＲｘ）と、スイッチ部１２（ＳＷ）と、制御部１４と、外部サーバ１６とを備える（図１６）。異なる波長（λＡ〜λＮ）の光信号を送受信する送受信部１１（ＴＲｘ）がスイッチ部１２に接続されている。
【０３５６】
送受信部１１（ＴＲｘ）は、自律制御を行い、又は、光スイッチ部１０、スイッチ部１２（ＳＷ）、制御部１４若しくは外部サーバ１６等の他の構成要素や外部のオペレーションシステム（不図示）やコントローラ（不図示）や外部の装置（不図示）等から制御され、又は、光スイッチ部１０、スイッチ部１２（ＳＷ）、制御部１４若しくは外部サーバ１６等の他の構成要素や外部のオペレーションシステム（不図示）やコントローラ（不図示）や外部の装置（不図示）等を介して転送された指示で制御される。送受信部１１（ＴＲｘ）は、光スイッチ部１０若しくはスイッチ部１２（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。光スイッチ部１０には、ＯＤＮが接続される。
【０３５７】
スイッチ部１２（ＳＷ）は、上位側の装置（不図示）に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。スイッチ部１２（ＳＷ）は、自律制御を行い、又は、光スイッチ部１０、送受信部１１（ＴＲｘ）、制御部１４若しくは外部サーバ１６等の他の構成要素や外部のオペレーションシステム（不図示）やコントローラ（不図示）や外部の装置（不図示）等から制御され、又は、光スイッチ部１０、送受信部１１（ＴＲｘ）、制御部１４若しくは外部サーバ１６等の他の構成要素や外部のオペレーションシステム（不図示）やコントローラ（不図示）や外部の装置（不図示）等を介して転送された指示で制御される。スイッチ部１２（ＳＷ）は、送受信部１１（ＴＲｘ）又は上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０３５８】
制御部１４は、光スイッチ部１０、送受信部１１（ＴＲｘ）、スイッチ部１２（ＳＷ）、外部サーバ１６、外部のオペレーションシステム（不図示）、コントローラ（不図示）又は外部の装置（不図示）と接続される。制御部１４は、光スイッチ部１０、送受信部１１（ＴＲｘ）、スイッチ部１２（ＳＷ）若しくは外部サーバ１６等の他の構成要素や外部のオペレーションシステム（不図示）やコントローラ（不図示）や外部の装置（不図示）等を制御し、又は送受信部１１（ＴＲｘ）、スイッチ部１２（ＳＷ）若しくは外部サーバ１６等の他の構成要素や外部のオペレーションシステム（不図示）やコントローラ（不図示）や外部の装置（不図示）等を介して指示を転送する。
【０３５９】
外部サーバ１６は、光スイッチ部１０、送受信部１１（ＴＲｘ）又はスイッチ部１２（ＳＷ）又は制御部１４又は外部のオペレーションシステム（不図示）、コントローラ（不図示）若しくは外部の装置（不図示）と接続される。外部サーバ１６は、光スイッチ部１０、送受信部１１（ＴＲｘ）、スイッチ部１２（ＳＷ）若しくは制御部１４等の他の構成要を制御し、又は光スイッチ部１０、送受信部１１（ＴＲｘ）、スイッチ部１２（ＳＷ）若しくは制御部１４等の他の構成要を介して指示を転送する。
【０３６０】
光スイッチ部１０、送受信部１１（ＴＲｘ）、スイッチ部１２（ＳＷ）、制御部１４若しくは外部サーバ１６は、光スイッチ部１０、送受信部１１（ＴＲｘ）、スイッチ部１２（ＳＷ）若しくは外部サーバ１６等の他の構成要素のトラフィックの一部、その全て自体若しくはその複写を受けて、受けたトラフィックの一部、その全て自体、受けたトラフィックの一部、全てを書き換えたトラフィック又は受けたトラフィックに対する応答を、光スイッチ部１０、送受信部１１（ＴＲｘ）、スイッチ部１２（ＳＷ）若しくは外部サーバ１６等の他の構成要素、外部のオペレーションシステム（不図示）、コントローラ（不図示）又は外部の装置（不図示）に送信してもよい。
【０３６１】
通信システム構成（１２−２）の通信システムでは、通信システム構成（１２−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１２にそれぞれ接続されている。更に、異なる波長の送受信部１１の内の少なくとも一部の波長の送受信部１１がスイッチ部１２に複数接続されていてもよい。他は同様である。
【０３６２】
通信システム構成（１３−１）の通信システムは、光スイッチ部１０と、送受信部１１（ＴＲｘ）と、スイッチ部１３（ＳＷ）と、制御部１４と、外部サーバ１６とを備える（図１６）。異なる波長（λＡ〜λＮ）の光信号を送受信する送受信部１１（ＴＲｘ）がスイッチ部１３（ＳＷ）に接続されている。
【０３６３】
送受信部１１（ＴＲｘ）は、自律制御を行い、又は、光スイッチ部１０、スイッチ部１３（ＳＷ）、制御部１４若しくは外部サーバ１６等の他の構成要素や外部のオペレーションシステム（不図示）やコントローラ（不図示）や外部の装置（不図示）等から制御され、又は、光スイッチ部１０、スイッチ部１３（ＳＷ）、制御部１４若しくは外部サーバ１６等の他の構成要素や外部のオペレーションシステム（不図示）やコントローラ（不図示）や外部の装置（不図示）等を介して転送された指示で制御される。送受信部１１（ＴＲｘ）は、光スイッチ部１０若しくはスイッチ部１３（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。光スイッチ部１０には、ＯＤＮが接続される。
【０３６４】
スイッチ部１３（ＳＷ）は、上位側の装置（不図示）に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。スイッチ部１３（ＳＷ）は、自律制御を行い、又は、光スイッチ部１０、送受信部１１（ＴＲｘ）、制御部１４若しくは外部サーバ１６等の他の構成要素や外部のオペレーションシステム（不図示）やコントローラ（不図示）や外部の装置（不図示）等から制御され、又は、送受信部１１（ＴＲｘ）、制御部１４若しくは外部サーバ１６等の他の構成要素や外部のオペレーションシステム（不図示）やコントローラ（不図示）や外部の装置（不図示）等を介して転送された指示で制御される。スイッチ部１３（ＳＷ）は、送受信部１１（ＴＲｘ）若しくは上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０３６５】
制御部１４は、光スイッチ部１０、送受信部１１（ＴＲｘ）若しくはスイッチ部１３（ＳＷ）又は外部サーバ１６又は外部のオペレーションシステム（不図示）、コントローラ（不図示）若しくは外部の装置（不図示）と接続される。制御部１４は、光スイッチ部１０、送受信部１１（ＴＲｘ）、スイッチ部１３（ＳＷ）若しくは外部サーバ１６等の他の構成要素や外部のオペレーションシステム（不図示）やコントローラ（不図示）や外部の装置（不図示）等を制御し、又は光スイッチ部１０、送受信部１１（ＴＲｘ）、スイッチ部１３（ＳＷ）若しくは外部サーバ１６等の他の構成要素や外部のオペレーションシステム（不図示）やコントローラ（不図示）や外部の装置（不図示）等を介して指示を転送する。
【０３６６】
外部サーバ１６は、光スイッチ部１０、送受信部１１（ＴＲｘ）若しくはスイッチ部１３（ＳＷ）又は制御部１４又は外部のオペレーションシステム（不図示）、コントローラ（不図示）若しくは外部の装置（不図示）と接続される。外部サーバ１６は、光スイッチ部１０、送受信部１１（ＴＲｘ）、スイッチ部１３（ＳＷ）若しくは制御部１４等の他の構成要素や外部のオペレーションシステム（不図示）やコントローラ（不図示）や外部の装置（不図示）等を制御し、又は光スイッチ部１０、送受信部１１（ＴＲｘ）、スイッチ部１３（ＳＷ）若しくは制御部１４等の他の構成要素や外部のオペレーションシステム（不図示）やコントローラ（不図示）や外部の装置（不図示）等を介して指示を転送する。
【０３６７】
光スイッチ部１０、送受信部１１（ＴＲｘ）、スイッチ部１３（ＳＷ）、制御部１４若しくは外部サーバ１６は、光スイッチ部１０、送受信部１１（ＴＲｘ）、スイッチ部１３（ＳＷ）若しくは外部サーバ１６等の他の構成要素のトラフィックの一部、その全て自体若しくはその複写を受けて、受けたトラフィックの一部、その全て自体、受けたトラフィックの一部、全てを書き換えたトラフィック又は受けたトラフィックに対する応答を、光スイッチ部１０、送受信部１１（ＴＲｘ）、スイッチ部１３（ＳＷ）若しくは外部サーバ１６等の他の構成要素、外部のオペレーションシステム（不図示）、コントローラ（不図示）又は外部の装置（不図示）に送信してもよい。
【０３６８】
通信システム構成（１３−２）の通信システムでは、通信システム構成（１３−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１３（ＳＷ）にそれぞれ接続されている。更に、異なる波長の送受信部１１の内の少なくとも一部の波長の送受信部１１がスイッチ部１３に複数接続されていてもよい。他は同様である。
【０３６９】
通信システム構成（１４−１）の通信システムは、光スイッチ部１０と、送受信部１１（ＴＲｘ）と、スイッチ部１２（ＳＷ）と、プロキシ部１５と、外部サーバ１６とを備える（図１６）。異なる波長（λＡ〜λＮ）の光信号を送受信する送受信部１１（ＴＲｘ）がスイッチ部１２に接続されている。
【０３７０】
送受信部１１（ＴＲｘ）は、自律制御を行い、又は、光スイッチ部１０、スイッチ部１２（ＳＷ）、プロキシ部１５若しくは外部サーバ１６等の他の構成要素や外部のオペレーションシステム（不図示）やコントローラ（不図示）や外部の装置（不図示）等から制御され、又は、光スイッチ部１０、スイッチ部１２（ＳＷ）、プロキシ部１５若しくは外部サーバ１６等の他の構成要素や外部のオペレーションシステム（不図示）やコントローラ（不図示）や外部の装置（不図示）等を介して転送された指示で制御される。送受信部１１（ＴＲｘ）は、光スイッチ部１０若しくはスイッチ部１２（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。光スイッチ部１０には、ＯＤＮが接続される。
【０３７１】
スイッチ部１２（ＳＷ）は、プロキシ部１５に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。スイッチ部１２（ＳＷ）は、自律制御を行い、又は、光スイッチ部１０、送受信部１１（ＴＲｘ）、プロキシ部１５若しくは外部サーバ１６等の他の構成要素や外部のオペレーションシステム（不図示）やコントローラ（不図示）や外部の装置（不図示）等から制御され、又は、光スイッチ部１０、送受信部１１（ＴＲｘ）、プロキシ部１５若しくは外部サーバ１６等の他の構成要素や外部のオペレーションシステム（不図示）やコントローラ（不図示）や外部の装置（不図示）等を介して転送された指示で制御される。スイッチ部１２（ＳＷ）は、送受信部１１（ＴＲｘ）又はプロキシ部１５のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０３７２】
プロキシ部１５は、自律制御を行い、又は、光スイッチ部１０、送受信部１１（ＴＲｘ）、スイッチ部１２（ＳＷ）若しくは外部サーバ１６等の他の構成要素や外部のオペレーションシステム（不図示）やコントローラ（不図示）や外部の装置（不図示）等から制御され、又は、光スイッチ部１０、送受信部１１（ＴＲｘ）、スイッチ部１２（ＳＷ）若しくは外部サーバ１６等の他の構成要素や外部のオペレーションシステム（不図示）やコントローラ（不図示）や外部の装置（不図示）等を介して転送された指示で制御される。プロキシ部１５は、スイッチ部１２（ＳＷ）若しくは上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０３７３】
外部サーバ１６は、光スイッチ部１０、送受信部１１（ＴＲｘ）、スイッチ部１２（ＳＷ）、プロキシ部１５、外部のオペレーションシステム（不図示）、コントローラ（不図示）又は外部の装置（不図示）と接続される。外部サーバ１６は、光スイッチ部１０、送受信部１１（ＴＲｘ）、スイッチ部１２（ＳＷ）若しくはプロキシ部１５等の他の構成要素や外部のオペレーションシステム（不図示）やコントローラ（不図示）や外部の装置（不図示）等を制御し、又は光スイッチ部１０、送受信部１１（ＴＲｘ）、スイッチ部１２（ＳＷ）若しくはプロキシ部１５等の他の構成要素や外部のオペレーションシステム（不図示）やコントローラ（不図示）や外部の装置（不図示）等を介して指示を転送する。
【０３７４】
光スイッチ部１０、送受信部１１（ＴＲｘ）、スイッチ部１２（ＳＷ）、プロキシ部１５若しくは外部サーバ１６は、光スイッチ部１０、送受信部１１（ＴＲｘ）、スイッチ部１２（ＳＷ）、プロキシ部１５若しくは外部サーバ１６等の他の構成要素のトラフィックの一部、その全て自体若しくはその複写を受けて、受けたトラフィックの一部、その全て自体、受けたトラフィックの一部、全てを書き換えたトラフィック又は受けたトラフィックに対する応答を、光スイッチ部１０、送受信部１１（ＴＲｘ）、スイッチ部１２（ＳＷ）、プロキシ部１５若しくは外部サーバ１６等の他の構成要素、外部のオペレーションシステム（不図示）、コントローラ（不図示）又は外部の装置（不図示）に送信してもよい。
【０３７５】
通信システム構成（１４−２）の通信システムでは、通信システム構成（１４−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１２にそれぞれ接続されている。更に、異なる波長の送受信部１１の内の少なくとも一部の波長の送受信部１１がスイッチ部１２に複数接続されていてもよい。他は同様である。
【０３７６】
通信システム構成（１５−１）の通信システムは、光スイッチ部１０と、送受信部１１（ＴＲｘ）と、スイッチ部１３（ＳＷ）と、プロキシ部１５と、外部サーバ１６とを備える（図１６）。異なる波長（λＡ〜λＮ）の光信号を送受信する送受信部１１（ＴＲｘ）がスイッチ部１３（ＳＷ）に接続されている。
【０３７７】
送受信部１１（ＴＲｘ）は、自律制御を行い、又は、光スイッチ部１０、スイッチ部１３（ＳＷ）、プロキシ部１５若しくは外部サーバ１６等の他の構成要素や外部のオペレーションシステム（不図示）やコントローラ（不図示）や外部の装置（不図示）等から制御され、又は、光スイッチ部１０、スイッチ部１３（ＳＷ）、プロキシ部１５若しくは外部サーバ１６等の他の構成要素や外部のオペレーションシステム（不図示）やコントローラ（不図示）や外部の装置（不図示）等を介して転送された指示で制御される。送受信部１１（ＴＲｘ）は、光スイッチ部１０若しくはスイッチ部１３（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。光スイッチ部１０には、ＯＤＮが接続される。
【０３７８】
スイッチ部１３（ＳＷ）は、プロキシ部１５に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。スイッチ部１３（ＳＷ）は、自律制御を行い、又は、光スイッチ部１０、送受信部１１（ＴＲｘ）、プロキシ部１５若しくは外部サーバ１６等の他の構成要素や外部のオペレーションシステム（不図示）やコントローラ（不図示）や外部の装置（不図示）等から制御され、又は、光スイッチ部１０、送受信部１１（ＴＲｘ）、プロキシ部１５若しくは外部サーバ１６等の他の構成要素や外部のオペレーションシステム（不図示）やコントローラ（不図示）や外部の装置（不図示）等を介して転送された指示で制御される。スイッチ部１３（ＳＷ）は、送受信部１１（ＴＲｘ）又はプロキシ部１５のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０３７９】
プロキシ部１５は、自律制御を行い、又は、光スイッチ部１０、送受信部１１（ＴＲｘ）、スイッチ部１３（ＳＷ）若しくは外部サーバ１６等の他の構成要素や外部のオペレーションシステム（不図示）やコントローラ（不図示）や外部の装置（不図示）等から制御され、又は、光スイッチ部１０、送受信部１１（ＴＲｘ）、スイッチ部１３（ＳＷ）若しくは外部サーバ１６等の他の構成要素や外部のオペレーションシステム（不図示）やコントローラ（不図示）や外部の装置（不図示）等を介して転送された指示で制御される。プロキシ部１５は、スイッチ部１３（ＳＷ）若しくは上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０３８０】
外部サーバ１６は、光スイッチ部１０、送受信部１１（ＴＲｘ）、スイッチ部１３（ＳＷ）、プロキシ部１５若しくは外部のオペレーションシステム（不図示）、コントローラ（不図示）若しくは外部の装置（不図示）と接続される。外部サーバ１６は、光スイッチ部１０、送受信部１１（ＴＲｘ）、スイッチ部１３（ＳＷ）若しくはプロキシ部１５等の他の構成要素や外部のオペレーションシステム（不図示）やコントローラ（不図示）や外部の装置（不図示）等を制御し、又は光スイッチ部１０、送受信部１１（ＴＲｘ）、スイッチ部１３（ＳＷ）若しくはプロキシ部１５等の他の構成要素や外部のオペレーションシステム（不図示）やコントローラ（不図示）や外部の装置（不図示）等を介して指示を転送する。
【０３８１】
光スイッチ部１０、送受信部１１（ＴＲｘ）、スイッチ部１３（ＳＷ）、プロキシ部１５若しくは外部サーバ１６は、光スイッチ部１０、送受信部１１（ＴＲｘ）、スイッチ部１３（ＳＷ）、プロキシ部１５若しくは外部サーバ１６等の他の構成要素のトラフィックの一部、その全て自体若しくはその複写を受けて、受けたトラフィックの一部、その全て自体、受けたトラフィックの一部、全てを書き換えたトラフィック又は受けたトラフィックに対する応答を、光スイッチ部１０、送受信部１１（ＴＲｘ）、スイッチ部１３（ＳＷ）、プロキシ部１５若しくは外部サーバ１６等の他の構成要素、外部のオペレーションシステム（不図示）、コントローラ（不図示）又は外部の装置（不図示）に送信してもよい。
【０３８２】
通信システム構成（１５−２）の通信システムでは、通信システム構成（１５−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１３（ＳＷ）にそれぞれ接続されている。更に、異なる波長の送受信部１１の内の少なくとも一部の波長の送受信部１１がスイッチ部１３に複数接続されていてもよい。他は同様である。
【０３８３】
通信システム構成（１６−１）の通信システムは、光スイッチ部１０と、送受信部１１（ＴＲｘ）と、制御部１４と、プロキシ部１５と、外部サーバ１６とを備える（図１６）。異なる波長（λＡ〜λＮ）の光信号を送受信する送受信部１１（ＴＲｘ）がプロキシ部１５に直接、又は集線ＳＷ等を介して接続されている。この集線ＳＷは、複数のＯＬＴから若しくはＯＬＴへのトラフィックに集約、分配、振分、複製、折返若しくは透過の少なくとも一部を行う。
【０３８４】
送受信部１１（ＴＲｘ）は、自律制御を行い、又は、光スイッチ部１０、制御部１４、プロキシ部１５若しくは外部サーバ１６等の他の構成要素や外部のオペレーションシステム（不図示）やコントローラ（不図示）や外部の装置（不図示）等から制御され、又は、光スイッチ部１０、制御部１４、プロキシ部１５若しくは外部サーバ１６等の他の構成要素や外部のオペレーションシステム（不図示）やコントローラ（不図示）や外部の装置（不図示）等を介して転送された指示で制御される。送受信部１１（ＴＲｘ）は、光スイッチ部１０若しくはプロキシ部１５のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。光スイッチ部１０には、ＯＤＮが接続される。
【０３８５】
制御部１４は、光スイッチ部１０、送受信部１１（ＴＲｘ）、プロキシ部１５、外部サーバ１６、外部のオペレーションシステム（不図示）、コントローラ（不図示）又は外部の装置（不図示）と接続される。制御部１４は、光スイッチ部１０、送受信部１１（ＴＲｘ）、プロキシ部１５若しくは外部サーバ１６等の他の構成要素や外部のオペレーションシステム（不図示）やコントローラ（不図示）や外部の装置（不図示）等を制御し、又は光スイッチ部１０、送受信部１１（ＴＲｘ）、プロキシ部１５若しくは外部サーバ１６等の他の構成要素や外部のオペレーションシステム（不図示）やコントローラ（不図示）や外部の装置（不図示）等を介して指示を転送する。
【０３８６】
プロキシ部１５は、上位側の装置（不図示）に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。プロキシ部１５は、自律制御を行い、又は、光スイッチ部１０、送受信部１１（ＴＲｘ）、制御部１４若しくは外部サーバ１６等の他の構成要素や外部のオペレーションシステム（不図示）やコントローラ（不図示）や外部の装置（不図示）等から制御され、又は、光スイッチ部１０、送受信部１１（ＴＲｘ）、制御部１４若しくは外部サーバ１６等の他の構成要素や外部のオペレーションシステム（不図示）やコントローラ（不図示）や外部の装置（不図示）等を介して転送された指示で制御される。プロキシ部１５は、送受信部１１（ＴＲｘ）又は上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０３８７】
外部サーバ１６は、光スイッチ部１０、送受信部１１（ＴＲｘ）、制御部１４、プロキシ部１５、外部のオペレーションシステム（不図示）、コントローラ（不図示）又は外部の装置（不図示）と接続される。外部サーバ１６は、光スイッチ部１０、送受信部１１（ＴＲｘ）、制御部１４若しくはプロキシ部１５等の他の構成要素や外部のオペレーションシステム（不図示）やコントローラ（不図示）や外部の装置（不図示）等を制御し、又は光スイッチ部１０、送受信部１１（ＴＲｘ）、制御部１４若しくはプロキシ部１５等の他の構成要素や外部のオペレーションシステム（不図示）やコントローラ（不図示）や外部の装置（不図示）等を介して指示を転送する。
【０３８８】
光スイッチ部１０、送受信部１１（ＴＲｘ）、制御部１４、プロキシ部１５若しくは外部サーバ１６は、光スイッチ部１０、送受信部１１（ＴＲｘ）、プロキシ部１５若しくは外部サーバ１６等の他の構成要素のトラフィックの一部、その全て自体若しくはその複写を受けて、受けたトラフィックの一部、その全て自体、受けたトラフィックの一部、全てを書き換えたトラフィック又は受けたトラフィックに対する応答を、光スイッチ部１０、送受信部１１（ＴＲｘ）、プロキシ部１５若しくは外部サーバ１６等の他の構成要素、外部のオペレーションシステム（不図示）、コントローラ（不図示）又は外部の装置（不図示）に送信してもよい。
【０３８９】
通信システム構成（１６−２）の通信システムでは、通信システム構成（１６−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）がそれぞれプロキシ部１５に直接、又は集線ＳＷ等を介して接続されている。この集線ＳＷは、複数のＯＬＴから若しくはＯＬＴへのトラフィックに集約、分配、振分、複製、折返若しくは透過の少なくとも一部を行う。更に、異なる波長の送受信部１１の内の少なくとも一部の波長の送受信部１１がプロキシ部１５に直接、又は集線ＳＷ等を介して複数接続されていてもよい。この集線ＳＷは、複数のＯＬＴから若しくはＯＬＴへのトラフィックに集約、分配、振分、複製、折返若しくは透過の少なくとも一部を行う。他は同様である。
【０３９０】
通信システム構成（１７−１）の通信システムは、光スイッチ部１０と、送受信部１１（ＴＲｘ）と、スイッチ部１２（ＳＷ）と、スイッチ部１３（ＳＷ）とを備える（図１６）。異なる波長（λＡ〜λＮ）の光信号を送受信する送受信部１１（ＴＲｘ）がスイッチ部１２に接続されている。
【０３９１】
送受信部１１（ＴＲｘ）は、自律制御を行い、又は、光スイッチ部１０、スイッチ部１２（ＳＷ）若しくはスイッチ部１３（ＳＷ）等の他の構成要素や外部のオペレーションシステム（不図示）やコントローラ（不図示）や外部の装置（不図示）等から制御され、又は、光スイッチ部１０、スイッチ部１２（ＳＷ）若しくはスイッチ部１３（ＳＷ）等の他の構成要素や外部のオペレーションシステム（不図示）やコントローラ（不図示）や外部の装置（不図示）等を介して転送された指示で制御される。送受信部１１（ＴＲｘ）は、光スイッチ部１０若しくはスイッチ部１２（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。光スイッチ部１０には、ＯＤＮが接続される。
【０３９２】
スイッチ部１２（ＳＷ）は、スイッチ部１３（ＳＷ）に接続される。スイッチ部１２（ＳＷ）は、自律制御を行い、又は、光スイッチ部１０、送受信部１１（ＴＲｘ）若しくはスイッチ部１３（ＳＷ）等の他の構成要素や外部のオペレーションシステム（不図示）やコントローラ（不図示）や外部の装置（不図示）等から制御され、又は、光スイッチ部１０、送受信部１１（ＴＲｘ）若しくはスイッチ部１３（ＳＷ）等の他の構成要素や外部のオペレーションシステム（不図示）やコントローラ（不図示）や外部の装置（不図示）等を介して転送された指示で制御される。スイッチ部１２（ＳＷ）は、送受信部１１（ＴＲｘ）若しくはスイッチ部１３（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０３９３】
スイッチ部１３（ＳＷ）は、上位側の装置（不図示）に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。スイッチ部１３（ＳＷ）は、自律制御を行い、又は、光スイッチ部１０、送受信部１１（ＴＲｘ）若しくはスイッチ部１２（ＳＷ）等の他の構成要素や外部のオペレーションシステム（不図示）やコントローラ（不図示）や外部の装置（不図示）等から制御され、又は、光スイッチ部１０、送受信部１１（ＴＲｘ）若しくはスイッチ部１２（ＳＷ）等の他の構成要素や外部のオペレーションシステム（不図示）やコントローラ（不図示）や外部の装置（不図示）等を介して転送された指示で制御される。スイッチ部１３（ＳＷ）は、スイッチ部１２（ＳＷ）又は上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０３９４】
光スイッチ部１０、送受信部１１（ＴＲｘ）、スイッチ部１２（ＳＷ）若しくはスイッチ部１３（ＳＷ）は、光スイッチ部１０、送受信部１１（ＴＲｘ）、スイッチ部１２（ＳＷ）若しくはスイッチ部１３（ＳＷ）等の他の構成要素のトラフィックの一部、その全て自体若しくはその複写を受けて、受けたトラフィックの一部、その全て自体、受けたトラフィックの一部、全てを書き換えたトラフィック又は受けたトラフィックに対する応答を、光スイッチ部１０、送受信部１１（ＴＲｘ）、スイッチ部１２（ＳＷ）若しくはスイッチ部１３（ＳＷ）等の他の構成要素、外部のオペレーションシステム（不図示）、コントローラ（不図示）又は外部の装置（不図示）に送信してもよい。
【０３９５】
通信システム構成（１７−２）の通信システムでは、通信システム構成（１７−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１２にそれぞれ接続されている。更に、異なる波長の送受信部１１の内の少なくとも一部の波長の送受信部１１がスイッチ部１２に複数接続されていてもよい。他は同様である。
【０３９６】
通信システム構成（１８−１）の通信システムは、光スイッチ部１０と、送受信部１１（ＴＲｘ）と、スイッチ部１２（ＳＷ）と、制御部１４とを備える（図１６）。異なる波長（λＡ〜λＮ）の光信号を送受信する送受信部１１（ＴＲｘ）がスイッチ部１２に接続されている。
【０３９７】
送受信部１１（ＴＲｘ）は、自律制御を行い、又は、光スイッチ部１０、スイッチ部１２（ＳＷ）若しくは制御部１４等の他の構成要素や外部のオペレーションシステム（不図示）やコントローラ（不図示）や外部の装置（不図示）等から制御され、又は、光スイッチ部１０、スイッチ部１２（ＳＷ）若しくは制御部１４等の他の構成要素や外部のオペレーションシステム（不図示）やコントローラ（不図示）や外部の装置（不図示）等を介して転送された指示で制御される。送受信部１１（ＴＲｘ）は、光スイッチ部１０若しくはスイッチ部１２（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。光スイッチ部１０には、ＯＤＮが接続される。
【０３９８】
スイッチ部１２（ＳＷ）は、上位側の装置（不図示）に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。スイッチ部１２（ＳＷ）は、自律制御を行い、又は、光スイッチ部１０、送受信部１１（ＴＲｘ）若しくは制御部１４等の他の構成要素や外部のオペレーションシステム（不図示）やコントローラ（不図示）や外部の装置（不図示）等から制御され、又は、光スイッチ部１０、送受信部１１（ＴＲｘ）若しくは制御部１４等の他の構成要素や外部のオペレーションシステム（不図示）やコントローラ（不図示）や外部の装置（不図示）等を介して転送された指示で制御される。スイッチ部１２（ＳＷ）は、送受信部１１（ＴＲｘ）又は上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０３９９】
制御部１４は、光スイッチ部１０、送受信部１１（ＴＲｘ）、スイッチ部１２（ＳＷ）、外部のオペレーションシステム（不図示）、コントローラ（不図示）又は外部の装置（不図示）と接続される。制御部１４は、光スイッチ部１０、送受信部１１（ＴＲｘ）若しくはスイッチ部１２（ＳＷ）等の他の構成要素や外部のオペレーションシステム（不図示）やコントローラ（不図示）や外部の装置（不図示）等を制御し、又は光スイッチ部１０、送受信部１１（ＴＲｘ）若しくはスイッチ部１２（ＳＷ）等の他の構成要素や外部のオペレーションシステム（不図示）やコントローラ（不図示）や外部の装置（不図示）等を介して指示を転送する。
【０４００】
光スイッチ部１０、送受信部１１（ＴＲｘ）、スイッチ部１２（ＳＷ）若しくは制御部１４は、光スイッチ部１０、送受信部１１（ＴＲｘ）若しくはスイッチ部１２（ＳＷ）等の他の構成要素のトラフィックの一部又はその全て自体又はその複写を受けて、受けたトラフィックの一部、その全て自体、受けたトラフィックの一部、全てを書き換えたトラフィック又は受けたトラフィックに対する応答を、光スイッチ部１０、送受信部１１（ＴＲｘ）若しくはスイッチ部１２（ＳＷ）等の他の構成要素、外部のオペレーションシステム（不図示）、コントローラ（不図示）又は外部の装置（不図示）に送信してもよい。
【０４０１】
通信システム構成（１８−２）の通信システムでは、通信システム構成（１８−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１２にそれぞれ接続されている。更に、異なる波長の送受信部１１の内の少なくとも一部の波長の送受信部１１がスイッチ部１２に複数接続されていてもよい。他は同様である。
【０４０２】
通信システム構成（１９−１）の通信システムは、光スイッチ部１０と、送受信部１１（ＴＲｘ）と、スイッチ部１３（ＳＷ）と、制御部１４とを備える（図１６）。異なる波長（λＡ〜λＮ）の光信号を送受信する送受信部１１（ＴＲｘ）がスイッチ部１３（ＳＷ）に接続されている。
【０４０３】
送受信部１１（ＴＲｘ）は、自律制御を行い、又は、光スイッチ部１０、スイッチ部１３（ＳＷ）若しくは制御部１４等の他の構成要素や外部のオペレーションシステム（不図示）やコントローラ（不図示）や外部の装置（不図示）等から制御され、又は、光スイッチ部１０、スイッチ部１３（ＳＷ）若しくは制御部１４等の他の構成要素や外部のオペレーションシステム（不図示）やコントローラ（不図示）や外部の装置（不図示）等を介して転送された指示で制御される。送受信部１１（ＴＲｘ）は、光スイッチ部１０若しくはスイッチ部１３（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。光スイッチ部１０には、ＯＤＮが接続される。
【０４０４】
スイッチ部１３（ＳＷ）は、上位側の装置（不図示）に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。スイッチ部１３（ＳＷ）は、自律制御を行い、又は、光スイッチ部１０、送受信部１１（ＴＲｘ）若しくは制御部１４等の他の構成要素や外部のオペレーションシステム（不図示）やコントローラ（不図示）や外部の装置（不図示）等から制御され、又は、光スイッチ部１０、送受信部１１（ＴＲｘ）若しくは制御部１４等の他の構成要素や外部のオペレーションシステム（不図示）やコントローラ（不図示）や外部の装置（不図示）等を介して転送された指示で制御される。スイッチ部１３（ＳＷ）は、送受信部１１（ＴＲｘ）又は上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０４０５】
制御部１４は、光スイッチ部１０、送受信部１１（ＴＲｘ）、スイッチ部１３（ＳＷ）、外部のオペレーションシステム（不図示）、コントローラ（不図示）又は外部の装置（不図示）と接続される。制御部１４は、光スイッチ部１０、送受信部１１（ＴＲｘ）若しくはスイッチ部１３（ＳＷ）等の他の構成要素や外部のオペレーションシステム（不図示）やコントローラ（不図示）や外部の装置（不図示）等を制御し、又は光スイッチ部１０、送受信部１１（ＴＲｘ）若しくはスイッチ部１３（ＳＷ）等の他の構成要素や外部のオペレーションシステム（不図示）やコントローラ（不図示）や外部の装置（不図示）等を介して指示を転送する。
【０４０６】
光スイッチ部１０、送受信部１１（ＴＲｘ）、スイッチ部１３（ＳＷ）若しくは制御部１４は、光スイッチ部１０、送受信部１１（ＴＲｘ）若しくはスイッチ部１３（ＳＷ）等の他の構成要素のトラフィックの一部又はその全て自体又はその複写を受けて、受けたトラフィックの一部、その全て自体、受けたトラフィックの一部、全てを書き換えたトラフィック又は受けたトラフィックに対する応答を、光スイッチ部１０、送受信部１１（ＴＲｘ）若しくはスイッチ部１３（ＳＷ）等の他の構成要素、外部のオペレーションシステム（不図示）、コントローラ（不図示）又は外部の装置（不図示）に送信してもよい。
【０４０７】
通信システム構成（１９−２）の通信システムでは、通信システム構成（１９−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１３（ＳＷ）にそれぞれ接続されている。更に、異なる波長の送受信部１１の内の少なくとも一部の波長の送受信部１１がスイッチ部１３に複数接続されていてもよい。他は同様である。
【０４０８】
通信システム構成（２０−１）の通信システムは、光スイッチ部１０と、送受信部１１（ＴＲｘ）と、スイッチ部１２（ＳＷ）と、プロキシ部１５とを備える（図１６）。異なる波長（λＡ〜λＮ）の光信号を送受信する送受信部１１（ＴＲｘ）がスイッチ部１２に接続されている。
【０４０９】
送受信部１１（ＴＲｘ）は、自律制御を行い、又は、光スイッチ部１０、スイッチ部１２（ＳＷ）若しくはプロキシ部１５等の他の構成要素や外部のオペレーションシステム（不図示）やコントローラ（不図示）や外部の装置（不図示）等から制御され、又は、光スイッチ部１０、スイッチ部１２（ＳＷ）若しくはプロキシ部１５等の他の構成要素や外部のオペレーションシステム（不図示）やコントローラ（不図示）や外部の装置（不図示）等を介して転送された指示で制御される。送受信部１１（ＴＲｘ）は、光スイッチ部１０若しくはスイッチ部１２（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。光スイッチ部１０には、ＯＤＮが接続される。
【０４１０】
スイッチ部１２（ＳＷ）は、プロキシ部１５に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。スイッチ部１２（ＳＷ）は、自律制御を行い、又は、光スイッチ部１０、送受信部１１（ＴＲｘ）若しくはプロキシ部１５等の他の構成要素や外部のオペレーションシステム（不図示）やコントローラ（不図示）や外部の装置（不図示）等から制御され、又は、光スイッチ部１０、送受信部１１（ＴＲｘ）若しくはプロキシ部１５等の他の構成要素や外部のオペレーションシステム（不図示）やコントローラ（不図示）や外部の装置（不図示）等を介して転送された指示で制御される。スイッチ部１２（ＳＷ）は、送受信部１１（ＴＲｘ）又はプロキシ部１５のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０４１１】
プロキシ部１５は、上位側の装置（不図示）に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。プロキシ部１５は、自律制御を行い、又は、光スイッチ部１０、送受信部１１（ＴＲｘ）若しくはスイッチ部１２（ＳＷ）等の他の構成要素や外部のオペレーションシステム（不図示）やコントローラ（不図示）や外部の装置（不図示）等から制御され、又は、光スイッチ部１０、送受信部１１（ＴＲｘ）若しくはスイッチ部１２（ＳＷ）等の他の構成要素や外部のオペレーションシステム（不図示）やコントローラ（不図示）や外部の装置（不図示）等を介して転送された指示で制御される。プロキシ部１５は、スイッチ部１２（ＳＷ）若しくは上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０４１２】
光スイッチ部１０、送受信部１１（ＴＲｘ）、スイッチ部１２（ＳＷ）若しくはプロキシ部１５は、光スイッチ部１０、送受信部１１（ＴＲｘ）、スイッチ部１２（ＳＷ）若しくはプロキシ部１５等の他の構成要素のトラフィックの一部又はその全て自体又はその複写を受けて、受けたトラフィックの一部、その全て自体、受けたトラフィックの一部、全てを書き換えたトラフィック又は受けたトラフィックに対する応答を、光スイッチ部１０、送受信部１１（ＴＲｘ）、スイッチ部１２（ＳＷ）若しくはプロキシ部１５等の他の構成要素、外部のオペレーションシステム（不図示）、コントローラ（不図示）又は外部の装置（不図示）に送信してもよい。
【０４１３】
通信システム構成（２０−２）の通信システムでは、通信システム構成（２０−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１２にそれぞれ接続されている。更に、異なる波長の送受信部１１の内の少なくとも一部の波長の送受信部１１がスイッチ部１２に複数接続されていてもよい。他は同様である。
【０４１４】
通信システム構成（２１−１）の通信システムは、光スイッチ部１０と、送受信部１１（ＴＲｘ）と、スイッチ部１３（ＳＷ）と、プロキシ部１５とを備える（図１６）。異なる波長（λＡ〜λＮ）の光信号を送受信する送受信部１１（ＴＲｘ）がスイッチ部１３（ＳＷ）に接続されている。
【０４１５】
送受信部１１（ＴＲｘ）は、自律制御を行い、又は、光スイッチ部１０、スイッチ部１３（ＳＷ）若しくはプロキシ部１５等の他の構成要素や外部のオペレーションシステム（不図示）やコントローラ（不図示）や外部の装置（不図示）等から制御され、又は、光スイッチ部１０、スイッチ部１３（ＳＷ）若しくはプロキシ部１５等の他の構成要素や外部のオペレーションシステム（不図示）やコントローラ（不図示）や外部の装置（不図示）等を介して転送された指示で制御される。送受信部１１（ＴＲｘ）は、光スイッチ部１０若しくはスイッチ部１３（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。光スイッチ部１０には、ＯＤＮが接続される。
【０４１６】
スイッチ部１３（ＳＷ）は、プロキシ部１５に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。スイッチ部１３（ＳＷ）は、自律制御を行い、又は、光スイッチ部１０、送受信部１１（ＴＲｘ）若しくはプロキシ部１５等の他の構成要素や外部のオペレーションシステム（不図示）やコントローラ（不図示）や外部の装置（不図示）等から制御され、又は、光スイッチ部１０、送受信部１１（ＴＲｘ）若しくはプロキシ部１５等の他の構成要素や外部のオペレーションシステム（不図示）やコントローラ（不図示）や外部の装置（不図示）等を介して転送された指示で制御される。スイッチ部１３（ＳＷ）は、送受信部１１（ＴＲｘ）又はプロキシ部１５のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０４１７】
プロキシ部１５は、上位側の装置（不図示）に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。プロキシ部１５は、自律制御を行い、又は、光スイッチ部１０、送受信部１１（ＴＲｘ）若しくはスイッチ部１３（ＳＷ）等の他の構成要素や外部のオペレーションシステム（不図示）やコントローラ（不図示）や外部の装置（不図示）等から制御され、又は光スイッチ部１０、送受信部１１（ＴＲｘ）若しくはスイッチ部１３（ＳＷ）等の他の構成要素や外部のオペレーションシステム（不図示）やコントローラ（不図示）や外部の装置（不図示）等を介して転送された指示で制御される。プロキシ部１５は、スイッチ部１３（ＳＷ）若しくは上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０４１８】
光スイッチ部１０、送受信部１１（ＴＲｘ）、スイッチ部１３（ＳＷ）若しくはプロキシ部１５は、光スイッチ部１０、送受信部１１（ＴＲｘ）、スイッチ部１３（ＳＷ）若しくはプロキシ部１５等の他の構成要素のトラフィックの一部又はその全て自体又はその複写を受けて、受けたトラフィックの一部、その全て自体、受けたトラフィックの一部、全てを書き換えたトラフィック又は受けたトラフィックに対する応答を、光スイッチ部１０、送受信部１１（ＴＲｘ）、スイッチ部１３（ＳＷ）若しくはプロキシ部１５等の他の構成要素、外部のオペレーションシステム（不図示）、コントローラ（不図示）又は外部の装置（不図示）に送信してもよい。
【０４１９】
通信システム構成（２１−２）の通信システムでは、通信システム構成（２１−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１３（ＳＷ）にそれぞれ接続されている。更に、異なる波長の送受信部１１の内の少なくとも一部の波長の送受信部１１がスイッチ部１３に複数接続されていてもよい。他は同様である。
【０４２０】
通信システム構成（２２−１）の通信システムは、光スイッチ部１０と、送受信部１１（ＴＲｘ）と、制御部１４と、プロキシ部１５とを備える（図１６）。異なる波長（λＡ〜λＮ）の光信号を送受信する送受信部１１（ＴＲｘ）がプロキシ部１５に直接、又は集線ＳＷ等を介して接続されている。この集線ＳＷは、複数のＯＬＴから若しくはＯＬＴへのトラフィックに集約、分配、振分、複製、折返若しくは透過の少なくとも一部を行う。
【０４２１】
送受信部１１（ＴＲｘ）は、自律制御を行い、又は、光スイッチ部１０、制御部１４若しくはプロキシ部１５等の他の構成要素や外部のオペレーションシステム（不図示）やコントローラ（不図示）や外部の装置（不図示）等から制御され、又は、光スイッチ部１０、制御部１４若しくはプロキシ部１５等の他の構成要素や外部のオペレーションシステム（不図示）やコントローラ（不図示）や外部の装置（不図示）等を介して転送された指示で制御される。送受信部１１（ＴＲｘ）は、光スイッチ部１０若しくはプロキシ部１５のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。光スイッチ部１０には、ＯＤＮが接続される。
【０４２２】
制御部１４は、光スイッチ部１０、送受信部１１（ＴＲｘ）、プロキシ部１５、外部のオペレーションシステム（不図示）、コントローラ（不図示）又は外部の装置（不図示）と接続される。制御部１４は、光スイッチ部１０、送受信部１１（ＴＲｘ）若しくはプロキシ部１５等の他の構成要素や外部のオペレーションシステム（不図示）やコントローラ（不図示）や外部の装置（不図示）等を制御し、又は光スイッチ部１０、送受信部１１（ＴＲｘ）若しくはプロキシ部１５等の他の構成要素や外部のオペレーションシステム（不図示）やコントローラ（不図示）や外部の装置（不図示）等を介して指示を転送する。
【０４２３】
プロキシ部１５は、上位側の装置（不図示）に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。プロキシ部１５は、自律制御を行い、又は、光スイッチ部１０、送受信部１１（ＴＲｘ）若しくは制御部１４等の他の構成要素や外部のオペレーションシステム（不図示）やコントローラ（不図示）や外部の装置（不図示）等から制御され、又は光スイッチ部１０、送受信部１１（ＴＲｘ）若しくは制御部１４等の他の構成要素や外部のオペレーションシステム（不図示）やコントローラ（不図示）や外部の装置（不図示）等を介して転送された指示で制御される。プロキシ部１５は、送受信部１１（ＴＲｘ）又は上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０４２４】
光スイッチ部１０、送受信部１１（ＴＲｘ）、制御部１４若しくはプロキシ部１５は、光スイッチ部１０、送受信部１１（ＴＲｘ）若しくはプロキシ部１５等の他の構成要素のトラフィックの一部又はその全て自体又はその複写を受けて、受けたトラフィックの一部、その全て自体、受けたトラフィックの一部、全てを書き換えたトラフィック又は受けたトラフィックに対する応答を、光スイッチ部１０、送受信部１１（ＴＲｘ）及びプロキシ部１５等の他の構成要素、外部のオペレーションシステム（不図示）、コントローラ（不図示）又は外部の装置（不図示）に送信してもよい。
【０４２５】
通信システム構成（２２−２）の通信システムでは、通信システム構成（２２−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）がプロキシ部１５に直接、又は集線ＳＷ等を介してそれぞれ接続されている。この集線ＳＷは、複数のＯＬＴから若しくはＯＬＴへのトラフィックに集約、分配、振分、複製、折返若しくは透過の少なくとも一部を行う。更に、異なる波長の送受信部１１の内の少なくとも一部の波長の送受信部１１がプロキシ部１５に直接、又は集線ＳＷ等を介して複数接続されていてもよい。この集線ＳＷは、複数のＯＬＴから若しくはＯＬＴへのトラフィックに集約、分配、振分、複製、折返若しくは透過の少なくとも一部を行う。他は同様である。
【０４２６】
通信システム構成（２３−１）の通信システムは、光スイッチ部１０と、送受信部１１（ＴＲｘ）と、スイッチ部１２（ＳＷ）と、外部サーバ１６とを備える（図１６）。異なる波長（λＡ〜λＮ）の光信号を送受信する送受信部１１（ＴＲｘ）がスイッチ部１２に接続されている。
【０４２７】
送受信部１１（ＴＲｘ）は、自律制御を行い、又は、光スイッチ部１０、スイッチ部１２（ＳＷ）若しくは外部サーバ１６等の他の構成要素や外部のオペレーションシステム（不図示）やコントローラ（不図示）や外部の装置（不図示）等から制御され、又は、光スイッチ部１０、スイッチ部１２（ＳＷ）若しくは外部サーバ１６等の他の構成要素や外部のオペレーションシステム（不図示）やコントローラ（不図示）や外部の装置（不図示）等を介して転送された指示で制御される。送受信部１１（ＴＲｘ）は、光スイッチ部１０若しくはスイッチ部１２（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。光スイッチ部１０には、ＯＤＮが接続される。
【０４２８】
スイッチ部１２（ＳＷ）は、上位側の装置（不図示）に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。スイッチ部１２（ＳＷ）は、自律制御を行い、又は、光スイッチ部１０、送受信部１１（ＴＲｘ）若しくは外部サーバ１６等の他の構成要素や外部のオペレーションシステム（不図示）やコントローラ（不図示）や外部の装置（不図示）等から制御され、又は、光スイッチ部１０、送受信部１１（ＴＲｘ）若しくは外部サーバ１６等の他の構成要素や外部のオペレーションシステム（不図示）やコントローラ（不図示）や外部の装置（不図示）等を介して転送された指示で制御される。スイッチ部１２（ＳＷ）は、送受信部１１（ＴＲｘ）又は上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０４２９】
外部サーバ１６は、光スイッチ部１０、送受信部１１（ＴＲｘ）、スイッチ部１２（ＳＷ）、外部のオペレーションシステム（不図示）、コントローラ（不図示）又は外部の装置（不図示）と接続される。外部サーバ１６は、光スイッチ部１０、送受信部１１（ＴＲｘ）若しくはスイッチ部１２（ＳＷ）等の他の構成要素や外部のオペレーションシステム（不図示）やコントローラ（不図示）や外部の装置（不図示）等を制御し、又は光スイッチ部１０、送受信部１１（ＴＲｘ）若しくはスイッチ部１２（ＳＷ）等の他の構成要素や外部のオペレーションシステム（不図示）やコントローラ（不図示）や外部の装置（不図示）等を介して指示を転送する。
【０４３０】
光スイッチ部１０、送受信部１１（ＴＲｘ）、スイッチ部１２（ＳＷ）若しくは外部サーバ１６は、光スイッチ部１０、送受信部１１（ＴＲｘ）、スイッチ部１２（ＳＷ）若しくは外部サーバ１６等の他の構成要素のトラフィックの一部又はその全て自体又はその複写を受けて、受けたトラフィックの一部、その全て自体、受けたトラフィックの一部、全てを書き換えたトラフィック又は受けたトラフィックに対する応答を、光スイッチ部１０、送受信部１１（ＴＲｘ）、スイッチ部１２（ＳＷ）若しくは外部サーバ１６等の他の構成要素、外部のオペレーションシステム（不図示）、コントローラ（不図示）又は外部の装置（不図示）に送信してもよい。
【０４３１】
通信システム構成（２３−２）の通信システムでは、通信システム構成（２３−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１２にそれぞれ接続されている。更に、異なる波長の送受信部１１の内の少なくとも一部の波長の送受信部１１がスイッチ部１２に複数接続されていてもよい。他は同様である。
【０４３２】
通信システム構成（２４−１）の通信システムは、光スイッチ部１０と、送受信部１１（ＴＲｘ）と、スイッチ部１３（ＳＷ）と、外部サーバ１６とを備える（図１６）。異なる波長（λＡ〜λＮ）の光信号を送受信する送受信部１１（ＴＲｘ）がスイッチ部１３（ＳＷ）に接続されている。
【０４３３】
送受信部１１（ＴＲｘ）は、自律制御を行い、又は、光スイッチ部１０、スイッチ部１３（ＳＷ）若しくは外部サーバ１６等の他の構成要素や外部のオペレーションシステム（不図示）やコントローラ（不図示）や外部の装置（不図示）等から制御され、又は、光スイッチ部１０、スイッチ部１３（ＳＷ）若しくは外部サーバ１６等の他の構成要素や外部のオペレーションシステム（不図示）やコントローラ（不図示）や外部の装置（不図示）等を介して転送された指示で制御される。送受信部１１（ＴＲｘ）は、光スイッチ部１０若しくはスイッチ部１３（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。光スイッチ部１０には、ＯＤＮが接続される。
【０４３４】
スイッチ部１３（ＳＷ）は、上位側の装置（不図示）に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。スイッチ部１３（ＳＷ）は、自律制御を行い、又は、光スイッチ部１０、送受信部１１（ＴＲｘ）若しくは外部サーバ１６等の他の構成要素や外部のオペレーションシステム（不図示）やコントローラ（不図示）や外部の装置（不図示）等から制御され、又は、光スイッチ部１０、送受信部１１（ＴＲｘ）若しくは外部サーバ１６等の他の構成要素や外部のオペレーションシステム（不図示）やコントローラ（不図示）や外部の装置（不図示）等を介して転送された指示で制御される。スイッチ部１３（ＳＷ）は、送受信部１１（ＴＲｘ）若しくは上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０４３５】
外部サーバ１６は、光スイッチ部１０、送受信部１１（ＴＲｘ）、スイッチ部１３（ＳＷ）、外部のオペレーションシステム（不図示）、コントローラ（不図示）又は外部の装置（不図示）と接続される。外部サーバ１６は、光スイッチ部１０、送受信部１１（ＴＲｘ）若しくはスイッチ部１３（ＳＷ）等の他の構成要素や外部のオペレーションシステム（不図示）やコントローラ（不図示）や外部の装置（不図示）等を制御し、又は光スイッチ部１０、送受信部１１（ＴＲｘ）若しくはスイッチ部１３（ＳＷ）等の他の構成要素や外部のオペレーションシステム（不図示）やコントローラ（不図示）や外部の装置（不図示）等を介して指示を転送する。
【０４３６】
光スイッチ部１０、送受信部１１（ＴＲｘ）、スイッチ部１３（ＳＷ）若しくは外部サーバ１６は、光スイッチ部１０、送受信部１１（ＴＲｘ）、スイッチ部１３（ＳＷ）若しくは外部サーバ１６等の他の構成要素のトラフィックの一部若しくはその全て自体又はその複写を受けて、受けたトラフィックの一部、その全て自体、受けたトラフィックの一部、全てを書き換えたトラフィック又は受けたトラフィックに対する応答を、光スイッチ部１０、送受信部１１（ＴＲｘ）、スイッチ部１３（ＳＷ）若しくは外部サーバ１６等の他の構成要素、外部のオペレーションシステム（不図示）、コントローラ（不図示）又は外部の装置（不図示）に送信してもよい。
【０４３７】
通信システム構成（２４−２）の通信システムでは、通信システム構成（２４−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１３（ＳＷ）にそれぞれ接続されている。更に、異なる波長の送受信部１１の内の少なくとも一部の波長の送受信部１１がスイッチ部１３に複数接続されていてもよい。他は同様である。
【０４３８】
通信システム構成（２５−１）の通信システムは、光スイッチ部１０と、送受信部１１（ＴＲｘ）と、制御部１４と、外部サーバ１６とを備える（図１６）。異なる波長（λＡ〜λＮ）の光信号を送受信する送受信部１１（ＴＲｘ）が上位側の装置（不図示）に直接、又は集線ＳＷ等を介して接続されている。この集線ＳＷは、複数のＯＬＴから若しくはＯＬＴへのトラフィックに集約、分配、振分、複製、折返若しくは透過の少なくとも一部を行う。
【０４３９】
送受信部１１（ＴＲｘ）は、自律制御を行い、又は、光スイッチ部１０、制御部１４若しくは外部サーバ１６等の他の構成要素や外部のオペレーションシステム（不図示）やコントローラ（不図示）や外部の装置（不図示）等から制御され、又は、光スイッチ部１０、制御部１４若しくは外部サーバ１６等の他の構成要素や外部のオペレーションシステム（不図示）やコントローラ（不図示）や外部の装置（不図示）等を介して転送された指示で制御される。送受信部１１（ＴＲｘ）は、光スイッチ部１０若しくは上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。光スイッチ部１０には、ＯＤＮが接続される。
【０４４０】
制御部１４は、光スイッチ部１０、送受信部１１（ＴＲｘ）、外部サーバ１６、外部のオペレーションシステム（不図示）、コントローラ（不図示）又は外部の装置（不図示）と接続される。制御部１４は、光スイッチ部１０、送受信部１１（ＴＲｘ）若しくは外部サーバ１６等の他の構成要素や外部のオペレーションシステム（不図示）やコントローラ（不図示）や外部の装置（不図示）等を制御し、又は光スイッチ部１０、送受信部１１（ＴＲｘ）若しくは外部サーバ１６等の他の構成要素や外部のオペレーションシステム（不図示）やコントローラ（不図示）や外部の装置（不図示）等を介して指示を転送する。
【０４４１】
外部サーバ１６は、光スイッチ部１０、送受信部１１（ＴＲｘ）、制御部１４、外部のオペレーションシステム（不図示）、コントローラ（不図示）又は外部の装置（不図示）と接続される。外部サーバ１６は、光スイッチ部１０、送受信部１１（ＴＲｘ）若しくは制御部１４等の他の構成要素や外部のオペレーションシステム（不図示）やコントローラ（不図示）や外部の装置（不図示）等を制御し、又は光スイッチ部１０、送受信部１１（ＴＲｘ）若しくは制御部１４等の他の構成要素や外部のオペレーションシステム（不図示）やコントローラ（不図示）や外部の装置（不図示）等を介して指示を転送する。
光スイッチ部１０、送受信部１１（ＴＲｘ）、制御部１４若しくは外部サーバ１６は、光スイッチ部１０、送受信部１１（ＴＲｘ）若しくは外部サーバ１６等の他の構成要素のトラフィックの一部若しくはその全て自体又はその複写を受けて、受けたトラフィックの一部、その全て自体、受けたトラフィックの一部、全てを書き換えたトラフィック又は受けたトラフィックに対する応答を、光スイッチ部１０、送受信部１１（ＴＲｘ）若しくは外部サーバ１６等の他の構成要素、外部のオペレーションシステム（不図示）、コントローラ（不図示）又は外部の装置（不図示）に送信してもよい。
【０４４２】
通信システム構成（２５−２）の通信システムでは、通信システム構成（２５−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が上位側の装置（不図示）に直接、又は集線ＳＷ等を介してそれぞれ接続されている。この集線ＳＷは、複数のＯＬＴから若しくはＯＬＴへのトラフィックに集約、分配、振分、複製、折返若しくは透過の少なくとも一部を行う。更に、異なる波長の送受信部１１の内の少なくとも一部の波長の送受信部１１が上位側の装置（不図示）に直接、又は集線ＳＷ等を介して複数接続されていてもよい。この集線ＳＷは、複数のＯＬＴから若しくはＯＬＴへのトラフィックに集約、分配、振分、複製、折返若しくは透過の少なくとも一部を行う。他は同様である。
【０４４３】
通信システム構成（２６−１）の通信システムは、光スイッチ部１０と、送受信部１１（ＴＲｘ）と、プロキシ部１５と、外部サーバ１６とを備える（図１６）。異なる波長（λＡ〜λＮ）の光信号を送受信する送受信部１１（ＴＲｘ）がプロキシ部１５に直接、又は集線ＳＷ等を介して接続されている。この集線ＳＷは、複数のＯＬＴから若しくはＯＬＴへのトラフィックに集約、分配、振分、複製、折返若しくは透過の少なくとも一部を行う。
【０４４４】
送受信部１１（ＴＲｘ）は、自律制御を行い、又は、光スイッチ部１０、プロキシ部１５若しくは外部サーバ１６等の他の構成要素や外部のオペレーションシステム（不図示）やコントローラ（不図示）や外部の装置（不図示）等から制御され、又は、光スイッチ部１０、プロキシ部１５若しくは外部サーバ１６等の他の構成要素や外部のオペレーションシステム（不図示）やコントローラ（不図示）や外部の装置（不図示）等を介して転送された指示で制御される。送受信部１１（ＴＲｘ）は、光スイッチ部１０若しくはプロキシ部１５のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。光スイッチ部１０には、ＯＤＮが接続される。
【０４４５】
プロキシ部１５は、自律制御を行い、又は、光スイッチ部１０、送受信部１１（ＴＲｘ）若しくは外部サーバ１６等の他の構成要素や外部のオペレーションシステム（不図示）やコントローラ（不図示）や外部の装置（不図示）等から制御され、又は、光スイッチ部１０、送受信部１１（ＴＲｘ）若しくは外部サーバ１６等の他の構成要素や外部のオペレーションシステム（不図示）やコントローラ（不図示）や外部の装置（不図示）等を介して転送された指示で制御される。プロキシ部１５は、送受信部１１（ＴＲｘ）若しくは上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０４４６】
外部サーバ１６は、光スイッチ部１０、送受信部１１（ＴＲｘ）、プロキシ部１５、外部のオペレーションシステム（不図示）、コントローラ（不図示）又は外部の装置（不図示）と接続される。外部サーバ１６は、光スイッチ部１０、送受信部１１（ＴＲｘ）若しくはプロキシ部１５等の他の構成要素や外部のオペレーションシステム（不図示）やコントローラ（不図示）や外部の装置（不図示）等を制御し、又は光スイッチ部１０、送受信部１１（ＴＲｘ）若しくはプロキシ部１５等の他の構成要素や外部のオペレーションシステム（不図示）やコントローラ（不図示）や外部の装置（不図示）等を介して指示を転送する。
【０４４７】
光スイッチ部１０、送受信部１１（ＴＲｘ）、プロキシ部１５若しくは外部サーバ１６は、光スイッチ部１０、送受信部１１（ＴＲｘ）、プロキシ部１５若しくは外部サーバ１６等の他の構成要素のトラフィックの一部若しくはその全て自体又はその複写を受けて、受けたトラフィックの一部、その全て自体、受けたトラフィックの一部、全てを書き換えたトラフィック又は受けたトラフィックに対する応答を、光スイッチ部１０、送受信部１１（ＴＲｘ）、プロキシ部１５若しくは外部サーバ１６等の他の構成要素、外部のオペレーションシステム（不図示）、コントローラ（不図示）又は外部の装置（不図示）に送信してもよい。
【０４４８】
通信システム構成（２６−２）の通信システムでは、通信システム構成（２６−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）がプロキシ部１５に直接、又は集線ＳＷ等を介してそれぞれ接続されている。この集線ＳＷは、複数のＯＬＴから若しくはＯＬＴへのトラフィックに集約、分配、振分、複製、折返若しくは透過の少なくとも一部を行う。更に、異なる波長の送受信部１１の内の少なくとも一部の波長の送受信部１１がプロキシ部１５に直接、又は集線ＳＷ等を介して複数接続されていてもよい。この集線ＳＷは、複数のＯＬＴから若しくはＯＬＴへのトラフィックに集約、分配、振分、複製、折返若しくは透過の少なくとも一部を行う。他は同様である。
【０４４９】
通信システム構成（２７−１）の通信システムは、光スイッチ部１０と、送受信部１１（ＴＲｘ）と、スイッチ部１２（ＳＷ）とを備える（図１６）。異なる波長（λＡ〜λＮ）の光信号を送受信する送受信部１１（ＴＲｘ）がスイッチ部１２に接続されている。
【０４５０】
送受信部１１（ＴＲｘ）は、自律制御を行い、又は、光スイッチ部１０、スイッチ部１２（ＳＷ）等の他の構成要素や外部のオペレーションシステム（不図示）やコントローラ（不図示）や外部の装置（不図示）等から制御され、又は、光スイッチ部１０、スイッチ部１２（ＳＷ）等の他の構成要素や外部のオペレーションシステム（不図示）やコントローラ（不図示）や外部の装置（不図示）等を介して転送された指示で制御される。送受信部１１（ＴＲｘ）は、光スイッチ部１０若しくはスイッチ部１２（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。光スイッチ部１０には、ＯＤＮが接続される。
【０４５１】
スイッチ部１２（ＳＷ）は、上位側の装置（不図示）に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。スイッチ部１２（ＳＷ）は、自律制御を行い、又は、光スイッチ部１０、送受信部１１（ＴＲｘ）等の他の構成要素や外部のオペレーションシステム（不図示）やコントローラ（不図示）や外部の装置（不図示）等から制御され、又は、光スイッチ部１０、送受信部１１（ＴＲｘ）等の他の構成要素や外部のオペレーションシステム（不図示）やコントローラ（不図示）や外部の装置（不図示）等を介して転送された指示で制御される。スイッチ部１２（ＳＷ）は、送受信部１１（ＴＲｘ）又は上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０４５２】
光スイッチ部１０、送受信部１１（ＴＲｘ）又はスイッチ部１２（ＳＷ）は、光スイッチ部１０、送受信部１１（ＴＲｘ）若しくはスイッチ部１２（ＳＷ）等の他の構成要素のトラフィックの一部若しくはその全て自体又はその複写を受けて、受けたトラフィックの一部、その全て自体、受けたトラフィックの一部、全てを書き換えたトラフィック又は受けたトラフィックに対する応答を、光スイッチ部１０、送受信部１１（ＴＲｘ）若しくはスイッチ部１２（ＳＷ）等の他の構成要素、外部のオペレーションシステム（不図示）、コントローラ（不図示）又は外部の装置（不図示）に送信してもよい。
【０４５３】
通信システム構成（２７−２）の通信システムでは、通信システム構成（２７−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１２にそれぞれ接続されている。更に、異なる波長の送受信部１１の内の少なくとも一部の波長の送受信部１１がスイッチ部１２に複数接続されていてもよい。他は同様である。
【０４５４】
通信システム構成（２８−１）の通信システムは、光スイッチ部１０と、送受信部１１（ＴＲｘ）と、スイッチ部１３（ＳＷ）とを備える（図１６）。異なる波長（λＡ〜λＮ）の光信号を送受信する送受信部１１（ＴＲｘ）がスイッチ部１３（ＳＷ）に接続されている。
【０４５５】
送受信部１１（ＴＲｘ）は、自律制御を行い、又は、光スイッチ部１０、スイッチ部１３（ＳＷ）等の他の構成要素や外部のオペレーションシステム（不図示）やコントローラ（不図示）や外部の装置（不図示）等から制御され、又は、光スイッチ部１０、スイッチ部１３（ＳＷ）等の他の構成要素や外部のオペレーションシステム（不図示）やコントローラ（不図示）や外部の装置（不図示）等を介して転送された指示で制御される。送受信部１１（ＴＲｘ）は、光スイッチ部１０若しくはスイッチ部１３（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。光スイッチ部１０には、ＯＤＮが接続される。
【０４５６】
スイッチ部１３（ＳＷ）は、上位側の装置（不図示）に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。スイッチ部１３（ＳＷ）は、自律制御を行い、又は、光スイッチ部１０、送受信部１１（ＴＲｘ）等の他の構成要素や外部のオペレーションシステム（不図示）やコントローラ（不図示）や外部の装置（不図示）等から制御され、又は、光スイッチ部１０、送受信部１１（ＴＲｘ）等の他の構成要素や外部のオペレーションシステム（不図示）やコントローラ（不図示）や外部の装置（不図示）等を介して転送された指示で制御される。スイッチ部１３（ＳＷ）は、送受信部１１（ＴＲｘ）又は上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０４５７】
光スイッチ部１０、送受信部１１（ＴＲｘ）又はスイッチ部１３（ＳＷ）は、光スイッチ部１０、送受信部１１（ＴＲｘ）若しくはスイッチ部１３（ＳＷ）等の他の構成要素のトラフィックの一部又はその全て自体又はその複写を受けて、受けたトラフィックの一部、その全て自体、受けたトラフィックの一部、全てを書き換えたトラフィック又は受けたトラフィックに対する応答を、光スイッチ部１０、送受信部１１（ＴＲｘ）若しくはスイッチ部１３（ＳＷ）等の他の構成要素、外部のオペレーションシステム（不図示）、コントローラ（不図示）又は外部の装置（不図示）に送信してもよい。
【０４５８】
通信システム構成（２８−２）の通信システムでは、通信システム構成（２８−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１３（ＳＷ）にそれぞれ接続されている。更に、異なる波長の送受信部１１の内の少なくとも一部の波長の送受信部１１がスイッチ部１３に複数接続されていてもよい。他は同様である。
【０４５９】
通信システム構成（２９−１）の通信システムは、光スイッチ部１０と、送受信部１１（ＴＲｘ）と、制御部１４とを備える（図１６）。異なる波長（λＡ〜λＮ）の光信号を送受信する送受信部１１（ＴＲｘ）が上位側の装置（不図示）に直接、又は集線ＳＷ等を介して接続されている。この集線ＳＷは、複数のＯＬＴから若しくはＯＬＴへのトラフィックに集約、分配、振分、複製、折返若しくは透過の少なくとも一部を行う。
【０４６０】
送受信部１１（ＴＲｘ）は、自律制御を行い、又は、光スイッチ部１０、制御部１４等の他の構成要素や外部のオペレーションシステム（不図示）やコントローラ（不図示）や外部の装置（不図示）等から制御され、又は、光スイッチ部１０、制御部１４等の他の構成要素や外部のオペレーションシステム（不図示）やコントローラ（不図示）や外部の装置（不図示）等を介して転送された指示で制御される。送受信部１１（ＴＲｘ）は、光スイッチ部１０若しくは上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。光スイッチ部１０には、ＯＤＮが接続される。
【０４６１】
制御部１４は、光スイッチ部１０、送受信部１１（ＴＲｘ）、外部のオペレーションシステム（不図示）、コントローラ（不図示）又は外部の装置（不図示）と接続される。制御部１４は、光スイッチ部１０、送受信部１１（ＴＲｘ）等の他の構成要素や外部のオペレーションシステム（不図示）やコントローラ（不図示）や外部の装置（不図示）等を制御し、又は光スイッチ部１０、送受信部１１（ＴＲｘ）等の他の構成要素や外部のオペレーションシステム（不図示）やコントローラ（不図示）や外部の装置（不図示）等を介して指示を転送する。
【０４６２】
光スイッチ部１０、送受信部１１（ＴＲｘ）又は制御部１４は、光スイッチ部１０、送受信部１１（ＴＲｘ）の他の構成要素のトラフィックの一部若しくはその全て自体又はその複写を受けて、受けたトラフィックの一部、その全て自体、受けたトラフィックの一部、全てを書き換えたトラフィック又は受けたトラフィックに対する応答を、光スイッチ部１０、送受信部１１（ＴＲｘ）等の他の構成要素、外部のオペレーションシステム（不図示）、コントローラ（不図示）又は外部の装置（不図示）に送信してもよい。
【０４６３】
通信システム構成（２９−２）の通信システムでは、通信システム構成（２９−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が上位側の装置（不図示）に直接、又は集線ＳＷ等を介してそれぞれ接続されている。この集線ＳＷは、複数のＯＬＴから若しくはＯＬＴへのトラフィックに集約、分配、振分、複製、折返若しくは透過の少なくとも一部を行う。更に、異なる波長の送受信部１１の内の少なくとも一部の波長の送受信部１１が上位側の装置（不図示）に直接、又は集線ＳＷ等を介して複数接続されていてもよい。この集線ＳＷは、複数のＯＬＴから若しくはＯＬＴへのトラフィックに集約、分配、振分、複製、折返若しくは透過の少なくとも一部を行う。他は同様である。
【０４６４】
通信システム構成（３０−１）の通信システムは、光スイッチ部１０と、送受信部１１（ＴＲｘ）と、プロキシ部１５とを備える（図１６）。異なる波長（λＡ〜λＮ）の光信号を送受信する送受信部１１（ＴＲｘ）がプロキシ部１５に直接、又は集線ＳＷ等を介して接続されている。この集線ＳＷは、複数のＯＬＴから若しくはＯＬＴへのトラフィックに集約、分配、振分、複製、折返若しくは透過の少なくとも一部を行う。
【０４６５】
送受信部１１（ＴＲｘ）は、自律制御を行い、又は、光スイッチ部１０、プロキシ部１５等の他の構成要素や外部のオペレーションシステム（不図示）やコントローラ（不図示）や外部の装置（不図示）等から制御され、又は光スイッチ部１０、プロキシ部１５等の他の構成要素や外部のオペレーションシステム（不図示）やコントローラ（不図示）や外部の装置（不図示）等を介して転送された指示で制御される。送受信部１１（ＴＲｘ）は、光スイッチ部１０若しくはプロキシ部１５のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。光スイッチ部１０には、ＯＤＮが接続される。
【０４６６】
プロキシ部１５は、自律制御を行い、又は、光スイッチ部１０、送受信部１１（ＴＲｘ）等の他の構成要素や外部のオペレーションシステム（不図示）やコントローラ（不図示）や外部の装置（不図示）等から制御され、又は、光スイッチ部１０、送受信部１１（ＴＲｘ）等の他の構成要素や外部のオペレーションシステム（不図示）やコントローラ（不図示）や外部の装置（不図示）等を介して転送された指示で制御される。プロキシ部１５は、送受信部１１（ＴＲｘ）若しくは上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０４６７】
光スイッチ部１０、送受信部１１（ＴＲｘ）やプロキシ部１５は、光スイッチ部１０、送受信部１１（ＴＲｘ）若しくはプロキシ部１５等の他の構成要素のトラフィックの一部若しくはその全て自体又はその複写を受けて、受けたトラフィックの一部、その全て自体、受けたトラフィックの一部、全てを書き換えたトラフィック又は受けたトラフィックに対する応答を、光スイッチ部１０、送受信部１１（ＴＲｘ）若しくはプロキシ部１５等の他の構成要素、外部のオペレーションシステム（不図示）、コントローラ（不図示）又は外部の装置（不図示）に送信してもよい。
【０４６８】
通信システム構成（３０−２）の通信システムでは、通信システム構成（３０−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）がプロキシ部１５に直接、又は集線ＳＷ等を介してそれぞれ接続されている。この集線ＳＷは、複数のＯＬＴから若しくはＯＬＴへのトラフィックに集約、分配、振分、複製、折返若しくは透過の少なくとも一部を行う。更に、異なる波長の送受信部１１の内の少なくとも一部の波長の送受信部１１がプロキシ部１５に直接、又は集線ＳＷ等を介して複数接続されていてもよい。この集線ＳＷは、複数のＯＬＴから若しくはＯＬＴへのトラフィックに集約、分配、振分、複製、折返若しくは透過の少なくとも一部を行う。他は同様である。
【０４６９】
通信システム構成（３１−１）の通信システムは、光スイッチ部１０と、送受信部１１（ＴＲｘ）と、外部サーバ１６とを備える（図１６）。異なる波長（λＡ〜λＮ）の光信号を送受信する送受信部１１（ＴＲｘ）が上位側の装置（不図示）に直接、又は集線ＳＷ等を介して接続されている。この集線ＳＷは、複数のＯＬＴから若しくはＯＬＴへのトラフィックに集約、分配、振分、複製、折返若しくは透過の少なくとも一部を行う。
【０４７０】
送受信部１１（ＴＲｘ）は、自律制御を行い、又は、光スイッチ部１０、外部サーバ１６等の他の構成要素や外部のオペレーションシステム（不図示）やコントローラ（不図示）や外部の装置（不図示）等から制御され、又は、光スイッチ部１０、外部サーバ１６等の他の構成要素や外部のオペレーションシステム（不図示）やコントローラ（不図示）や外部の装置（不図示）等を介して転送された指示で制御される。送受信部１１（ＴＲｘ）は、光スイッチ部１０若しくは上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。光スイッチ部１０には、ＯＤＮが接続される。
【０４７１】
外部サーバ１６は、光スイッチ部１０、送受信部１１（ＴＲｘ）、外部のオペレーションシステム（不図示）、コントローラ（不図示）又は外部の装置（不図示）と接続される。外部サーバ１６は、光スイッチ部１０、送受信部１１（ＴＲｘ）等の他の構成要素や外部のオペレーションシステム（不図示）やコントローラ（不図示）や外部の装置（不図示）等を制御し、又は送受信部１１（ＴＲｘ）の他の構成要素や外部のオペレーションシステム（不図示）やコントローラ（不図示）や外部の装置（不図示）等を介して指示を転送する。
【０４７２】
光スイッチ部１０、送受信部１１（ＴＲｘ）又は外部サーバ１６は、光スイッチ部１０、送受信部１１（ＴＲｘ）若しくは外部サーバ１６等の他の構成要素のトラフィックの一部若しくはその全て自体又はその複写を受けて、受けたトラフィックの一部、その全て自体、受けたトラフィックの一部、全てを書き換えたトラフィック又は受けたトラフィックに対する応答を、光スイッチ部１０、送受信部１１（ＴＲｘ）若しくは外部サーバ１６等の他の構成要素、外部のオペレーションシステム（不図示）、コントローラ（不図示）又は外部の装置（不図示）に送信してもよい。
【０４７３】
通信システム構成（３１−２）の通信システムでは、通信システム構成（３１−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が上位側の装置（不図示）に直接、又は集線ＳＷ等を介してそれぞれ接続されている。この集線ＳＷは、複数のＯＬＴから若しくはＯＬＴへのトラフィックに集約、分配、振分、複製、折返若しくは透過の少なくとも一部を行う。更に、異なる波長の送受信部１１の内の少なくとも一部の波長の送受信部１１が上位側の装置（不図示）に直接、又は集線ＳＷ等を介して複数接続されていてもよい。この集線ＳＷは、複数のＯＬＴから若しくはＯＬＴへのトラフィックに集約、分配、振分、複製、折返若しくは透過の少なくとも一部を行う。他は同様である。
【０４７４】
通信システム構成（３２−１）の通信システムは、光スイッチ部１０と、送受信部１１（ＴＲｘ）を備える（図１６）。異なる波長（λＡ〜λＮ）の光信号を送受信する送受信部１１（ＴＲｘ）が、上位側の装置（不図示）に直接、又は集線ＳＷ等を介して接続されている。この集線ＳＷは、複数のＯＬＴから若しくはＯＬＴへのトラフィックに集約、分配、振分、複製、折返若しくは透過の少なくとも一部を行う。
【０４７５】
送受信部１１（ＴＲｘ）は、自律制御を行い、又は、光スイッチ部１０等の他の構成要素や外部のオペレーションシステム（不図示）やコントローラ（不図示）や外部の装置（不図示）等から制御され、又は、光スイッチ部１０等の他の構成要素や外部のオペレーションシステム（不図示）やコントローラ（不図示）や外部の装置（不図示）等を介して転送された指示で制御される。送受信部１１（ＴＲｘ）は、光スイッチ部１０若しくは上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。光スイッチ部１０には、ＯＤＮが接続される。
【０４７６】
送受信部１１（ＴＲｘ）は、光スイッチ部１０、送受信部１１（ＴＲｘ）等の構成要素のトラフィックの一部若しくはその全て自体又はその複写を受けて、受けたトラフィックの一部、その全て自体、受けたトラフィックの一部、全てを書き換えたトラフィック又は受けたトラフィックに対する応答を、光スイッチ部１０、送受信部１１（ＴＲｘ）等の構成要素の内部、外部のオペレーションシステム（不図示）、コントローラ（不図示）又は外部の装置（不図示）に送信してもよい。
【０４７７】
通信システム構成（３２−２）の通信システムでは、通信システム構成（３２−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が上位側の装置（不図示）に直接、又は集線ＳＷ等を介してそれぞれ接続されている。この集線ＳＷは、複数のＯＬＴから若しくはＯＬＴへのトラフィックに集約、分配、振分、複製、折返若しくは透過の少なくとも一部を行う。更に、異なる波長の送受信部１１の内の少なくとも一部の波長の送受信部１１が上位側の装置（不図示）に直接、又は集線ＳＷ等を介して複数接続されていてもよい。この集線ＳＷは、複数のＯＬＴから若しくはＯＬＴへのトラフィックに集約、分配、振分、複製、折返若しくは透過の少なくとも一部を行う。他は同様である。
【０４７８】
上記通信システム構成（１−１）〜（３２−２）に示す通信システムが光スイッチ部１０を備える構成を示したが、通信システム構成（１−１）〜（３２−２）に示す通信システムが光スイッチ部１０を備えないように構成されてもよい。以下、通信システム構成（３３−１）〜（６４−２）として具体的に説明する。このように構成される場合、通信システムは、図１６に示す通信システムにおいて、光スイッチ部１０を備えない構成となる。すなわち、通信装置は、送受信部１１（ＴＲｘ）と、スイッチ部１２（ＳＷ）と、スイッチ部１３（ＳＷ）と、制御部１４と、プロキシ部１５との少なくとも一部を備える。なお、通信装置は、外部サーバ１６を備え得る。
【０４７９】
通信システム構成（３３−１）の通信システムは、送受信部１１（ＴＲｘ）と、スイッチ部１２（ＳＷ）と、スイッチ部１３（ＳＷ）と、制御部１４と、プロキシ部１５と、外部サーバ１６とを備える（図１６）。
【０４８０】
通信装置がＯＬＴである場合、ＯＬＴは、送受信部１１（ＴＲｘ）と、スイッチ部１２（ＳＷ）と、スイッチ部１３（ＳＷ）と、制御部１４とから構成してもよいし、送受信部１１（ＴＲｘ）と、スイッチ部１２（ＳＷ）と、スイッチ部１３（ＳＷ）と、制御部１４と、外部サーバ１６とから構成してもよい。ＯＳＵは、送受信部１１（ＴＲｘ）とから構成してもよいし、送受信部１１（ＴＲｘ）と、スイッチ部１２（ＳＷ）とから構成してもよいし、送受信部１１（ＴＲｘ）と、スイッチ部１３（ＳＷ）とから構成してもよい。
【０４８１】
異なる波長（λＡ〜λＮ）の光信号を送受信する送受信部１１（ＴＲｘ）がスイッチ部１２に接続されている。送受信部１１（ＴＲｘ）は、自律制御を行い、又は、スイッチ部１２（ＳＷ）、スイッチ部１３（ＳＷ）、制御部１４、プロキシ部１５若しくは外部サーバ１６等の他の構成要素や外部のオペレーションシステム（不図示）やコントローラ（不図示）や外部の装置（不図示）等から制御され、又は、スイッチ部１２（ＳＷ）、スイッチ部１３（ＳＷ）、制御部１４、プロキシ部１５若しくは外部サーバ１６等の他の構成要素や外部のオペレーションシステム（不図示）やコントローラ（不図示）や外部の装置（不図示）等を介して転送された指示で制御される。送受信部１１（ＴＲｘ）は、ＯＤＮ（Ｏｐｔｉｃａｌ  Ｄｉｓｔｒｉｂｕｔｉｏｎ  Ｎｅｔｗｏｒｋ）若しくはスイッチ部１２（ＳＷ）のトラフィックの一部又はその全てに、所定の手順に従って、ＶＬＡＮ（Ｖｉｒｔｕａｌ  Ｌｏｃａｌ  Ａｒｅａ  Ｎｅｔｗｏｒｋ）、優先、廃棄優先若しくは宛先等の少なくとも一部又はその組み合わせのタグの追加、削除、付替をして、又は、タグの変更無で、集約、分配、振分、複製、折返若しくは透過の少なくとも一つ又はその組み合わせの処理を行う。
【０４８２】
なお、上りトラフィックに関しても集約されるとは限らない。スイッチ部１２（ＳＷ）は通信システム構成（３３−１）の構成では波長毎の振分が主であるが、集約、分配、複製、折返、透過、ＶＩＤ（Ｖｉｒｔｕａｌ  ＬＡＮ  Ｉｄｅｎｔｉｆｉｅｒ）や優先廃棄を表すタグ等のタグ付加又はタグ付替を行ってもよい。後述する通信システム構成（３３−２）の構成では、上りトラフィックは集約が主であるが、分配、振分、複製、折返、透過、タグ付加又はタグ付替を行ってもよい。下りトラフィックも集約、分配、振分、複製、折返、透過、タグ付加又はタグ付替のいずれかを行ってもよく、少なくとも一部の組み合わせを行ってもよい。そのいずれとするかはサービスポリシーに応じて決定する。これは以降の通信システム構成でも同様である。
【０４８３】
スイッチ部１２（ＳＷ）は、スイッチ部１３（ＳＷ）に接続される。スイッチ部１２（ＳＷ）は、自律制御を行い、又は、送受信部１１（ＴＲｘ）、スイッチ部１３（ＳＷ）、制御部１４、プロキシ部１５若しくは外部サーバ１６等の他の構成要素や外部のオペレーションシステム（不図示）やコントローラ（不図示）や外部の装置（不図示）等から制御され、又は、送受信部１１（ＴＲｘ）、スイッチ部１３（ＳＷ）、制御部１４、プロキシ部１５若しくは外部サーバ１６等の他の構成要素や外部のオペレーションシステム（不図示）やコントローラ（不図示）や外部の装置（不図示）等を介して転送された指示で制御される。スイッチ部１２（ＳＷ）は、送受信部１１（ＴＲｘ）若しくはスイッチ部１３（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、又は、タグの変更無で、集約、分配、振分、複製、折返、透過若しくはタグ付加又はタグ付替の少なくとも一部又はその組み合わせの処理を行う。これは以降の通信システム構成でも同様である。
【０４８４】
なお、スイッチ部１２（ＳＷ）は、制御されるとは限らない。送受信部１１からプロキシ部１５の少なくとも一つが制御される場合と、制御されずに送受信部１１からプロキシ部１５の少なくとも一つに制御情報が転送される場合とがある。転送元としては例えばプロキシ部１５又は外部サーバ１６がある。また、送受信部１１からプロキシ部１５が自律で動く場合もある。これは以降の通信システム構成でも同様である。
【０４８５】
スイッチ部１３（ＳＷ）は、プロキシ部１５に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。スイッチ部１３（ＳＷ）は、自律制御を行い、又は、送受信部１１（ＴＲｘ）、スイッチ部１２（ＳＷ）、制御部１４、プロキシ部１５若しくは外部サーバ１６等の他の構成要素や外部のオペレーションシステム（不図示）やコントローラ（不図示）や外部の装置（不図示）等から制御され、又は、送受信部１１（ＴＲｘ）、スイッチ部１２（ＳＷ）、制御部１４、プロキシ部１５若しくは外部サーバ１６等の他の構成要素や外部のオペレーションシステム（不図示）やコントローラ（不図示）や外部の装置（不図示）等を介して転送された指示で制御される。スイッチ部１３（ＳＷ）は、スイッチ部１２（ＳＷ）若しくはプロキシ部１５のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０４８６】
制御部１４は、送受信部１１（ＴＲｘ）、スイッチ部１２（ＳＷ）、スイッチ部１３（ＳＷ）、プロキシ部１５又は外部サーバ１６又は外部のオペレーションシステム（不図示）、コントローラ（不図示）若しくは外部の装置（不図示）と接続される。制御部１４は、送受信部１１（ＴＲｘ）、スイッチ部１２（ＳＷ）、スイッチ部１３（ＳＷ）、プロキシ部１５若しくは外部サーバ１６等の他の構成要素や外部のオペレーションシステム（不図示）やコントローラ（不図示）や外部の装置（不図示）等を制御し、又は送受信部１１（ＴＲｘ）、スイッチ部１２（ＳＷ）、スイッチ部１３（ＳＷ）、プロキシ部１５若しくは外部サーバ１６等の他の構成要素や外部のオペレーションシステム（不図示）やコントローラ（不図示）や外部の装置（不図示）等を介して、指示を転送する。
【０４８７】
図１６に示すプロキシ部１５は、ＯＬＴから若しくはＯＬＴへのデータ経路上に設置してもよい。ただし、間に他の装置（例えば、複数のＯＬＴから若しくはＯＬＴへのトラフィックに集約／分配する集線ＳＷ等）が介在する場合があるので、直接接続されるとは限らない。制御の流れとしては、送受信部１１（ＴＲｘ）、スイッチ部１２（ＳＷ）、スイッチ部１３（ＳＷ）、制御部１４、外部サーバ１６のいずれに、プロキシ部１５があってもよい。
【０４８８】
プロキシ部１５は、上位側の装置（不図示）に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。プロキシ部１５は、自律制御を行い、又は、送受信部１１（ＴＲｘ）、スイッチ部１２（ＳＷ）、スイッチ部１３（ＳＷ）、制御部１４若しくは外部サーバ１６等の他の構成要素や外部のオペレーションシステム（不図示）やコントローラ（不図示）や外部の装置（不図示）等から制御され、又は、送受信部１１（ＴＲｘ）、スイッチ部１２（ＳＷ）、スイッチ部１３（ＳＷ）、制御部１４若しくは外部サーバ１６等の他の構成要素や外部のオペレーションシステム（不図示）やコントローラ（不図示）や外部の装置（不図示）等を介して転送された指示で制御される。プロキシ部１５は、スイッチ部１３（ＳＷ）若しくは上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくはタグの変更無で、集約、分配、振分、複製、折返若しくは透過の少なくとも一部又はその組み合わせの処理を行う。
【０４８９】
外部サーバ１６は、送受信部１１（ＴＲｘ）又はスイッチ部１２（ＳＷ）又はスイッチ部１３（ＳＷ）又は制御部１４又はプロキシ部１５又は外部のオペレーションシステム（不図示）又はコントローラ（不図示）若しくは外部の装置（不図示）と接続される。外部サーバ１６は、送受信部１１（ＴＲｘ）、スイッチ部１２（ＳＷ）、スイッチ部１３（ＳＷ）若しくは制御部１４若しくはプロキシ部１５等の他の構成要素や外部のオペレーションシステム（不図示）やコントローラ（不図示）や外部の装置（不図示）等を制御し、又は送受信部１１（ＴＲｘ）、スイッチ部１２（ＳＷ）、スイッチ部１３（ＳＷ）若しくは制御部１４若しくはプロキシ部１５等の他の構成要素や外部のオペレーションシステム（不図示）やコントローラ（不図示）や外部の装置（不図示）等を介して指示を転送する。
【０４９０】
送受信部１１（ＴＲｘ）、スイッチ部１２（ＳＷ）、スイッチ部１３（ＳＷ）、制御部１４、プロキシ部１５若しくは外部サーバ１６は、送受信部１１（ＴＲｘ）、スイッチ部１２（ＳＷ）、スイッチ部１３（ＳＷ）、プロキシ部１５若しくは外部サーバ１６等の他の構成要素のトラフィックの一部又はその全てそれ自体又はその複写を受けて、受けたトラフィックの一部、その全て自体、受けたトラフィックの一部、全てを書き換えたトラフィック又は受けたトラフィックに対する応答を、送受信部１１（ＴＲｘ）、スイッチ部１２（ＳＷ）、スイッチ部１３（ＳＷ）、プロキシ部１５若しくは外部サーバ１６等の他の構成要素、外部のオペレーションシステム（不図示）、コントローラ（不図示）又は外部の装置（不図示）に送信してもよい。
【０４９１】
なお、要素は適宜含まなくてもよいし、含まない要素とのやりとりは例えば、スキップしてその先の要素とやりとりする。同士を省いた相手同士で通信してもよい。
【０４９２】
通信システム構成（３３−２）の通信システムでは、通信システム構成（３３−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１２にそれぞれ接続されている。更に、異なる波長の送受信部１１の内の少なくとも一部の波長の送受信部１１がスイッチ部１２に複数接続されていてもよい。他は同様である。
【０４９３】
通信システム構成（３４−１）の通信システムは、送受信部１１（ＴＲｘ）と、スイッチ部１２（ＳＷ）と、スイッチ部１３（ＳＷ）と、制御部１４と、プロキシ部１５とを備える（図１６）。異なる波長（λＡ〜λＮ）の光信号を送受信する送受信部１１（ＴＲｘ）がスイッチ部１２に接続されている。
【０４９４】
送受信部１１（ＴＲｘ）は、自律制御を行い、又は、スイッチ部１２（ＳＷ）、スイッチ部１３（ＳＷ）、制御部１４若しくはプロキシ部１５等の他の構成要素や外部のオペレーションシステム（不図示）やコントローラ（不図示）や外部の装置（不図示）等から制御され、又は、スイッチ部１２（ＳＷ）、スイッチ部１３（ＳＷ）、制御部１４若しくはプロキシ部１５等の他の構成要素や外部のオペレーションシステム（不図示）やコントローラ（不図示）や外部の装置（不図示）等を介して転送された指示で制御される。送受信部１１（ＴＲｘ）は、ＯＤＮ若しくはスイッチ部１２（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０４９５】
スイッチ部１２（ＳＷ）は、スイッチ部１３（ＳＷ）に接続される。スイッチ部１２（ＳＷ）は、自律制御を行い、又は、送受信部１１（ＴＲｘ）、スイッチ部１３（ＳＷ）、制御部１４若しくはプロキシ部１５等の他の構成要素や外部のオペレーションシステム（不図示）やコントローラ（不図示）や外部の装置（不図示）等から制御され、又は、送受信部１１（ＴＲｘ）、スイッチ部１３（ＳＷ）、制御部１４、プロキシ部１５等の他の構成要素や外部のオペレーションシステム（不図示）やコントローラ（不図示）や外部の装置（不図示）等を介して転送された指示で制御される。スイッチ部１２（ＳＷ）は、送受信部１１（ＴＲｘ）若しくはスイッチ部１３（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくはタグの変更無で、集約、分配、振分、複製、折返若しくは透過の少なくとも一部又はその組み合わせの処理を行う。
【０４９６】
スイッチ部１３（ＳＷ）は、プロキシ部１５に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。スイッチ部１３（ＳＷ）は、自律制御を行い、又は、送受信部１１（ＴＲｘ）、スイッチ部１２（ＳＷ）、制御部１４若しくはプロキシ部１５等の他の構成要素や外部のオペレーションシステム（不図示）やコントローラ（不図示）や外部の装置（不図示）等から制御され、又は、送受信部１１（ＴＲｘ）、スイッチ部１２（ＳＷ）、制御部１４若しくはプロキシ部１５等の他の構成要素や外部のオペレーションシステム（不図示）やコントローラ（不図示）や外部の装置（不図示）等を介して転送された指示で制御される。スイッチ部１３（ＳＷ）は、スイッチ部１２（ＳＷ）若しくはプロキシ部１５のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０４９７】
制御部１４は、送受信部１１（ＴＲｘ）、スイッチ部１２（ＳＷ）、スイッチ部１３（ＳＷ）、プロキシ部１５又は外部のオペレーションシステム（不図示）、コントローラ（不図示）若しくは外部の装置（不図示）と接続される。制御部１４は、送受信部１１（ＴＲｘ）、スイッチ部１２（ＳＷ）、スイッチ部１３（ＳＷ）若しくはプロキシ部１５等の他の構成要素や外部のオペレーションシステム（不図示）やコントローラ（不図示）や外部の装置（不図示）等を制御し、又は送受信部１１（ＴＲｘ）、スイッチ部１２（ＳＷ）、スイッチ部１３（ＳＷ）、プロキシ部１５若しくは等の他の構成要素や外部のオペレーションシステム（不図示）やコントローラ（不図示）や外部の装置（不図示）等を介して指示を転送する。
【０４９８】
プロキシ部１５は、上位側の装置（不図示）に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。プロキシ部１５は、自律制御を行い、又は、送受信部１１（ＴＲｘ）、スイッチ部１２（ＳＷ）、スイッチ部１３（ＳＷ）、制御部１４若しくは等の他の構成要素や外部のオペレーションシステム（不図示）やコントローラ（不図示）や外部の装置（不図示）等から制御され、又は、送受信部１１（ＴＲｘ）、スイッチ部１２（ＳＷ）、スイッチ部１３（ＳＷ）若しくは制御部１４等の他の構成要素や外部のオペレーションシステム（不図示）やコントローラ（不図示）や外部の装置（不図示）等を介して転送された指示で制御される。プロキシ部１５は、スイッチ部１３（ＳＷ）若しくは上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０４９９】
送受信部１１（ＴＲｘ）、スイッチ部１２（ＳＷ）、スイッチ部１３（ＳＷ）、制御部１４、プロキシ部１５は、送受信部１１（ＴＲｘ）、スイッチ部１２（ＳＷ）、スイッチ部１３（ＳＷ）若しくはプロキシ部１５等の他の構成要素のトラフィックの一部、その全て自体若しくはその複写を受けて、受けたトラフィックの一部、その全て自体、受けたトラフィックの一部、全てを書き換えたトラフィック又は受けたトラフィックに対する応答を、送受信部１１（ＴＲｘ）、スイッチ部１２（ＳＷ）、スイッチ部１３（ＳＷ）若しくはプロキシ部１５等の他の構成要素、外部のオペレーションシステム（不図示）、コントローラ（不図示）又は外部の装置（不図示）に送信してもよい。
【０５００】
通信システム構成（３４−２）の通信システムでは、通信システム構成（３４−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１２にそれぞれ接続されている。更に、異なる波長の送受信部１１の内の少なくとも一部の波長の送受信部１１がスイッチ部１２に複数接続されていてもよい。他は同様である。
【０５０１】
通信システム構成（３５−１）の通信システムは、、送受信部１１（ＴＲｘ）と、スイッチ部１２（ＳＷ）と、スイッチ部１３（ＳＷ）と、制御部１４と、外部サーバ１６とを備える（図１６）。異なる波長（λＡ〜λＮ）の光信号を送受信する送受信部１１（ＴＲｘ）がスイッチ部１２に接続されている。
【０５０２】
送受信部１１（ＴＲｘ）は、自律制御を行い、又は、スイッチ部１２（ＳＷ）、スイッチ部１３（ＳＷ）、制御部１４若しくは外部サーバ１６等の他の構成要素や外部のオペレーションシステム（不図示）やコントローラ（不図示）や外部の装置（不図示）等から制御され、又は、スイッチ部１２（ＳＷ）、スイッチ部１３（ＳＷ）、制御部１４若しくは外部サーバ１６等の他の構成要素や外部のオペレーションシステム（不図示）やコントローラ（不図示）や外部の装置（不図示）等を介して転送された指示で制御される。送受信部１１（ＴＲｘ）は、ＯＤＮ若しくはスイッチ部１２（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０５０３】
スイッチ部１２（ＳＷ）は、スイッチ部１３（ＳＷ）に接続される。スイッチ部１２（ＳＷ）は、自律制御を行い、又は、送受信部１１（ＴＲｘ）、スイッチ部１３（ＳＷ）、制御部１４若しくは外部サーバ１６等の他の構成要素や外部のオペレーションシステム（不図示）やコントローラ（不図示）や外部の装置（不図示）等から制御され、又は、送受信部１１（ＴＲｘ）、スイッチ部１３（ＳＷ）、制御部１４若しくは外部サーバ１６等の他の構成要素や外部のオペレーションシステム（不図示）やコントローラ（不図示）や外部の装置（不図示）等を介して転送された指示で制御される。スイッチ部１２（ＳＷ）は、送受信部１１（ＴＲｘ）若しくはスイッチ部１３（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０５０４】
スイッチ部１３（ＳＷ）は、上位側の装置（不図示）に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。スイッチ部１３（ＳＷ）は、自律制御を行い、又は、送受信部１１（ＴＲｘ）、スイッチ部１２（ＳＷ）、制御部１４若しくは外部サーバ１６等の他の構成要素や外部のオペレーションシステム（不図示）やコントローラ（不図示）や外部の装置（不図示）等から制御され、又は、送受信部１１（ＴＲｘ）、スイッチ部１２（ＳＷ）、制御部１４若しくは外部サーバ１６等の他の構成要素や外部のオペレーションシステム（不図示）やコントローラ（不図示）や外部の装置（不図示）等を介して転送された指示で制御される。スイッチ部１３（ＳＷ）は、スイッチ部１２（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０５０５】
制御部１４は、送受信部１１（ＴＲｘ）、スイッチ部１２（ＳＷ）、スイッチ部１３（ＳＷ）、外部サーバ１６、外部のオペレーションシステム（不図示）、コントローラ（不図示）又は外部の装置（不図示）と接続される。制御部１４は、送受信部１１（ＴＲｘ）、スイッチ部１２（ＳＷ）、スイッチ部１３（ＳＷ）若しくは外部サーバ１６等の他の構成要素や外部のオペレーションシステム（不図示）やコントローラ（不図示）や外部の装置（不図示）等を制御し、又は送受信部１１（ＴＲｘ）、スイッチ部１２（ＳＷ）、スイッチ部１３（ＳＷ）若しくは外部サーバ１６等の他の構成要素や外部のオペレーションシステム（不図示）やコントローラ（不図示）や外部の装置（不図示）等を介して指示を転送する。
【０５０６】
外部サーバ１６は、送受信部１１（ＴＲｘ）、スイッチ部１２（ＳＷ）、スイッチ部１３（ＳＷ）、制御部１４、外部のオペレーションシステム（不図示）、コントローラ（不図示）又は外部の装置（不図示）と接続される。外部サーバ１６は、送受信部１１（ＴＲｘ）、スイッチ部１２（ＳＷ）、スイッチ部１３（ＳＷ）若しくは制御部１４等の他の構成要素や外部のオペレーションシステム（不図示）やコントローラ（不図示）や外部の装置（不図示）等を制御し、又は送受信部１１（ＴＲｘ）、スイッチ部１２（ＳＷ）、スイッチ部１３（ＳＷ）若しくは制御部１４等の他の構成要素や外部のオペレーションシステム（不図示）やコントローラ（不図示）や外部の装置（不図示）等を介して指示を転送する。
【０５０７】
送受信部１１（ＴＲｘ）、スイッチ部１２（ＳＷ）、スイッチ部１３（ＳＷ）、制御部１４若しくは外部サーバ１６は、送受信部１１（ＴＲｘ）、スイッチ部１２（ＳＷ）、スイッチ部１３（ＳＷ）若しくは外部サーバ１６等の他の構成要素や外部のオペレーションシステム（不図示）やコントローラ（不図示）や外部の装置（不図示）等のトラフィックの一部、その全て自体若しくはその複写を受けて、受けたトラフィックの一部、その全て自体、受けたトラフィックの一部、全てを書き換えたトラフィック又は受けたトラフィックに対する応答を、送受信部１１（ＴＲｘ）、スイッチ部１２（ＳＷ）、スイッチ部１３（ＳＷ）若しくは外部サーバ１６等の他の構成要素や外部のオペレーションシステム（不図示）やコントローラ（不図示）や外部の装置（不図示）等、外部のオペレーションシステム（不図示）、コントローラ（不図示）又は外部の装置（不図示）に送信してもよい。
【０５０８】
通信システム構成（３５−２）の通信システムでは、通信システム構成（３５−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１２にそれぞれ接続されている。更に、異なる波長の送受信部１１の内の少なくとも一部の波長の送受信部１１がスイッチ部１２に複数接続されていてもよい。他は同様である。
【０５０９】
通信システム構成（３６−１）の通信システムは、送受信部１１（ＴＲｘ）と、スイッチ部１２（ＳＷ）と、スイッチ部１３（ＳＷ）と、プロキシ部１５と、外部サーバ１６とを備える（図１６）。異なる波長（λＡ〜λＮ）の光信号を送受信する送受信部１１（ＴＲｘ）がスイッチ部１２に接続されている。
【０５１０】
送受信部１１（ＴＲｘ）は、自律制御を行い、又は、スイッチ部１２（ＳＷ）、スイッチ部１３（ＳＷ）、プロキシ部１５若しくは外部サーバ１６等の他の構成要素や外部のオペレーションシステム（不図示）やコントローラ（不図示）や外部の装置（不図示）等から制御され、又は、スイッチ部１２（ＳＷ）、スイッチ部１３（ＳＷ）、プロキシ部１５若しくは外部サーバ１６等の他の構成要素や外部のオペレーションシステム（不図示）やコントローラ（不図示）や外部の装置（不図示）等を介して転送された指示で制御される。送受信部１１（ＴＲｘ）は、ＯＤＮ若しくはスイッチ部１２（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０５１１】
スイッチ部１２（ＳＷ）は、スイッチ部１３（ＳＷ）に接続される。スイッチ部１２（ＳＷ）は、自律制御を行い、又は、送受信部１１（ＴＲｘ）、スイッチ部１３（ＳＷ）、プロキシ部１５若しくは外部サーバ１６等の他の構成要素や外部のオペレーションシステム（不図示）やコントローラ（不図示）や外部の装置（不図示）等から制御され、又は、送受信部１１（ＴＲｘ）、スイッチ部１３（ＳＷ）、プロキシ部１５若しくは外部サーバ１６等の他の構成要素や外部のオペレーションシステム（不図示）やコントローラ（不図示）や外部の装置（不図示）等を介して転送された指示で制御される。スイッチ部１２（ＳＷ）は、送受信部１１（ＴＲｘ）若しくはスイッチ部１３（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０５１２】
スイッチ部１３（ＳＷ）は、プロキシ部１５に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。スイッチ部１３（ＳＷ）は、自律制御を行い、又は、送受信部１１（ＴＲｘ）、スイッチ部１２（ＳＷ）、プロキシ部１５若しくは外部サーバ１６等の他の構成要素や外部のオペレーションシステム（不図示）やコントローラ（不図示）や外部の装置（不図示）等から制御され、又は、送受信部１１（ＴＲｘ）、スイッチ部１２（ＳＷ）、プロキシ部１５若しくは外部サーバ１６等の他の構成要素や外部のオペレーションシステム（不図示）やコントローラ（不図示）や外部の装置（不図示）等を介して転送された指示で制御される。スイッチ部１３（ＳＷ）は、スイッチ部１２（ＳＷ）若しくはプロキシ部１５のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０５１３】
プロキシ部１５は、上位側の装置（不図示）に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。プロキシ部１５は、自律制御を行い、又は、送受信部１１（ＴＲｘ）、スイッチ部１２（ＳＷ）、スイッチ部１３（ＳＷ）若しくは外部サーバ１６等の他の構成要素や外部のオペレーションシステム（不図示）やコントローラ（不図示）や外部の装置（不図示）等から制御され、又は、送受信部１１（ＴＲｘ）、スイッチ部１２（ＳＷ）、スイッチ部１３（ＳＷ）若しくは外部サーバ１６等の他の構成要素や外部のオペレーションシステム（不図示）やコントローラ（不図示）や外部の装置（不図示）等を介して転送された指示で制御される。プロキシ部１５は、スイッチ部１３（ＳＷ）若しくは上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０５１４】
外部サーバ１６は、送受信部１１（ＴＲｘ）、スイッチ部１２（ＳＷ）、スイッチ部１３（ＳＷ）、プロキシ部１５又は外部のオペレーションシステム（不図示）、コントローラ（不図示）若しくは外部の装置（不図示）と接続される。外部サーバ１６は、送受信部１１（ＴＲｘ）、スイッチ部１２（ＳＷ）、スイッチ部１３（ＳＷ）若しくはプロキシ部１５等の他の構成要素や外部のオペレーションシステム（不図示）やコントローラ（不図示）や外部の装置（不図示）等を制御し、又は送受信部１１（ＴＲｘ）、スイッチ部１２（ＳＷ）、スイッチ部１３（ＳＷ）若しくはプロキシ部１５等の他の構成要素や外部のオペレーションシステム（不図示）やコントローラ（不図示）や外部の装置（不図示）等を介して指示を転送する。
【０５１５】
送受信部１１（ＴＲｘ）、スイッチ部１２（ＳＷ）、スイッチ部１３（ＳＷ）、プロキシ部１５若しくは外部サーバ１６は、送受信部１１（ＴＲｘ）、スイッチ部１２（ＳＷ）、スイッチ部１３（ＳＷ）、プロキシ部１５若しくは外部サーバ１６等の他の構成要素のトラフィックの一部、その全て自体若しくはその複写を受けて、受けたトラフィックの一部、その全て自体、受けたトラフィックの一部、全てを書き換えたトラフィック又は受けたトラフィックに対する応答を、送受信部１１（ＴＲｘ）、スイッチ部１２（ＳＷ）、スイッチ部１３（ＳＷ）、プロキシ部１５若しくは外部サーバ１６等の他の構成要素、外部のオペレーションシステム（不図示）、コントローラ（不図示）又は外部の装置（不図示）に送信してもよい。
【０５１６】
通信システム構成（３６−２）の通信システムでは、通信システム構成（３６−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１２にそれぞれ接続されている。更に、異なる波長の送受信部１１の内の少なくとも一部の波長の送受信部１１がスイッチ部１２に複数接続されていてもよい。他は同様である。
【０５１７】
通信システム構成（３７−１）の通信システムは、送受信部１１（ＴＲｘ）と、スイッチ部１２（ＳＷ）と、制御部１４と、プロキシ部１５と、外部サーバ１６とを備える（図１６）。異なる波長（λＡ〜λＮ）の光信号を送受信する送受信部１１（ＴＲｘ）がスイッチ部１２（ＳＷ）に接続されている。
【０５１８】
送受信部１１（ＴＲｘ）は、自律制御を行い、又は、スイッチ部１２（ＳＷ）、制御部１４、プロキシ部１５若しくは外部サーバ１６等の他の構成要素や外部のオペレーションシステム（不図示）やコントローラ（不図示）や外部の装置（不図示）等から制御され、又は、スイッチ部１２（ＳＷ）、制御部１４、プロキシ部１５若しくは外部サーバ１６等の他の構成要素や外部のオペレーションシステム（不図示）やコントローラ（不図示）や外部の装置（不図示）等を介して転送された指示で制御される。送受信部１１（ＴＲｘ）は、ＯＤＮ若しくはスイッチ部１２（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０５１９】
スイッチ部１２（ＳＷ）は、プロキシ部１５に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。スイッチ部１２（ＳＷ）は、自律制御を行い、又は、送受信部１１（ＴＲｘ）、制御部１４、プロキシ部１５若しくは外部サーバ１６等の他の構成要素や外部のオペレーションシステム（不図示）やコントローラ（不図示）や外部の装置（不図示）等から制御され、又は、送受信部１１（ＴＲｘ）、制御部１４、プロキシ部１５若しくは外部サーバ１６等の他の構成要素や外部のオペレーションシステム（不図示）やコントローラ（不図示）や外部の装置（不図示）等を介して転送された指示で制御される。スイッチ部１２（ＳＷ）は、送受信部１１（ＴＲｘ）又はプロキシ部１５のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０５２０】
制御部１４は、送受信部１１（ＴＲｘ）、スイッチ部１２（ＳＷ）、プロキシ部１５、外部サーバ１６、外部のオペレーションシステム（不図示）、コントローラ（不図示）又は外部の装置（不図示）と接続される。制御部１４は、送受信部１１（ＴＲｘ）、スイッチ部１２（ＳＷ）、プロキシ部１５若しくは外部サーバ１６等の他の構成要素や外部のオペレーションシステム（不図示）やコントローラ（不図示）や外部の装置（不図示）等を制御し、又は送受信部１１（ＴＲｘ）、スイッチ部１２（ＳＷ）、プロキシ部１５若しくは外部サーバ１６等の他の構成要素や外部のオペレーションシステム（不図示）やコントローラ（不図示）や外部の装置（不図示）等を介して指示を転送する。
【０５２１】
プロキシ部１５は、上位側の装置（不図示）に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。プロキシ部１５は、自律制御を行い、又は、送受信部１１（ＴＲｘ）、スイッチ部１２（ＳＷ）、制御部１４若しくは外部サーバ１６等の他の構成要素や外部のオペレーションシステム（不図示）やコントローラ（不図示）や外部の装置（不図示）等から制御され、又は、送受信部１１（ＴＲｘ）、スイッチ部１２（ＳＷ）、制御部１４若しくは外部サーバ１６等の他の構成要素や外部のオペレーションシステム（不図示）やコントローラ（不図示）や外部の装置（不図示）等を介して転送された指示で制御される。プロキシ部１５は、スイッチ部１２（ＳＷ）若しくは上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０５２２】
外部サーバ１６は、送受信部１１（ＴＲｘ）、スイッチ部１２（ＳＷ）、制御部１４、プロキシ部１５、外部のオペレーションシステム（不図示）、コントローラ（不図示）又は外部の装置（不図示）と接続される。外部サーバ１６は、送受信部１１（ＴＲｘ）、スイッチ部１２（ＳＷ）、制御部１４若しくはプロキシ部１５等の他の構成要素や外部のオペレーションシステム（不図示）やコントローラ（不図示）や外部の装置（不図示）等を制御し、又は送受信部１１（ＴＲｘ）、スイッチ部１２（ＳＷ）、制御部１４若しくはプロキシ部１５等の他の構成要素や外部のオペレーションシステム（不図示）やコントローラ（不図示）や外部の装置（不図示）等を介して指示を転送する。
【０５２３】
送受信部１１（ＴＲｘ）、スイッチ部１２（ＳＷ）、制御部１４、プロキシ部１５若しくは外部サーバ１６は、送受信部１１（ＴＲｘ）、スイッチ部１２（ＳＷ）、プロキシ部１５若しくは外部サーバ１６等の他の構成要素のトラフィックの一部、その全て自体若しくはその複写を受けて、受けたトラフィックの一部、その全て自体、受けたトラフィックの一部、全てを書き換えたトラフィック又は受けたトラフィックに対する応答を、送受信部１１（ＴＲｘ）、スイッチ部１２（ＳＷ）、プロキシ部１５若しくは外部サーバ１６等の他の構成要素、外部のオペレーションシステム（不図示）、コントローラ（不図示）又は外部の装置（不図示）に送信してもよい。
【０５２４】
通信システム構成（３７−２）の通信システムでは、通信システム構成（３７−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１２にそれぞれ接続されている。更に、異なる波長の送受信部１１の内の少なくとも一部の波長の送受信部１１がスイッチ部１２に複数接続されていてもよい。他は同様である。
【０５２５】
通信システム構成（３８−１）の通信システムは、送受信部１１（ＴＲｘ）と、スイッチ部１３（ＳＷ）と、制御部１４と、プロキシ部１５と、外部サーバ１６とを備える（図１６）。異なる波長（λＡ〜λＮ）の光信号を送受信する送受信部１１（ＴＲｘ）がスイッチ部１３（ＳＷ）に接続されている。
【０５２６】
送受信部１１（ＴＲｘ）は、自律制御を行い、又は、スイッチ部１３（ＳＷ）、制御部１４、プロキシ部１５若しくは外部サーバ１６等の他の構成要素や外部のオペレーションシステム（不図示）やコントローラ（不図示）や外部の装置（不図示）等から制御され、又は、スイッチ部１３（ＳＷ）、制御部１４、プロキシ部１５若しくは外部サーバ１６等の他の構成要素や外部のオペレーションシステム（不図示）やコントローラ（不図示）や外部の装置（不図示）等を介して転送された指示で制御される。送受信部１１（ＴＲｘ）は、ＯＤＮ若しくはスイッチ部１３（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０５２７】
スイッチ部１３（ＳＷ）は、プロキシ部１５に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。スイッチ部１３（ＳＷ）は、自律制御を行い、又は、送受信部１１（ＴＲｘ）、制御部１４、プロキシ部１５若しくは外部サーバ１６等の他の構成要素や外部のオペレーションシステム（不図示）やコントローラ（不図示）や外部の装置（不図示）等から制御され、又は、送受信部１１（ＴＲｘ）、制御部１４、プロキシ部１５若しくは外部サーバ１６等の他の構成要素や外部のオペレーションシステム（不図示）やコントローラ（不図示）や外部の装置（不図示）等を介して転送された指示で制御される。スイッチ部１３（ＳＷ）は、送受信部１１（ＴＲｘ）又はプロキシ部１５のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０５２８】
制御部１４は、送受信部１１（ＴＲｘ）、スイッチ部１３（ＳＷ）、プロキシ部１５若しくは外部サーバ１６又は外部のオペレーションシステム（不図示）、コントローラ（不図示）若しくは外部の装置（不図示）と接続される。制御部１４は、送受信部１１（ＴＲｘ）、スイッチ部１３（ＳＷ）、プロキシ部１５若しくは外部サーバ１６等の他の構成要素や外部のオペレーションシステム（不図示）やコントローラ（不図示）や外部の装置（不図示）等を制御し、又は送受信部１１（ＴＲｘ）、スイッチ部１３（ＳＷ）、プロキシ部１５若しくは外部サーバ１６等の他の構成要素や外部のオペレーションシステム（不図示）やコントローラ（不図示）や外部の装置（不図示）等を介して指示を転送する。
【０５２９】
プロキシ部１５は、上位側の装置（不図示）に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。プロキシ部１５は、自律制御を行い、又は、送受信部１１（ＴＲｘ）、スイッチ部１３（ＳＷ）、制御部１４若しくは外部サーバ１６等の他の構成要素や外部のオペレーションシステム（不図示）やコントローラ（不図示）や外部の装置（不図示）等から制御され、又は、送受信部１１（ＴＲｘ）、スイッチ部１３（ＳＷ）、制御部１４若しくは外部サーバ１６等の他の構成要素や外部のオペレーションシステム（不図示）やコントローラ（不図示）や外部の装置（不図示）等を介して転送された指示で制御される。プロキシ部１５は、スイッチ部１３（ＳＷ）若しくは上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０５３０】
外部サーバ１６は、送受信部１１（ＴＲｘ）、スイッチ部１３（ＳＷ）、制御部１４、プロキシ部１５、外部のオペレーションシステム（不図示）、コントローラ（不図示）又は外部の装置（不図示）と接続される。外部サーバ１６は、送受信部１１（ＴＲｘ）、スイッチ部１３（ＳＷ）、制御部１４若しくはプロキシ部１５等の他の構成要素や外部のオペレーションシステム（不図示）やコントローラ（不図示）や外部の装置（不図示）等を制御し、又は送受信部１１（ＴＲｘ）、スイッチ部１３（ＳＷ）、制御部１４若しくはプロキシ部１５等の他の構成要素や外部のオペレーションシステム（不図示）やコントローラ（不図示）や外部の装置（不図示）等を介して指示を転送する。
【０５３１】
送受信部１１（ＴＲｘ）、スイッチ部１３（ＳＷ）、制御部１４、プロキシ部１５又は外部サーバ１６は、送受信部１１（ＴＲｘ）、スイッチ部１３（ＳＷ）、プロキシ部１５若しくは外部サーバ１６等の他の構成要素のトラフィックの一部、その全て自体若しくはその複写を受けて、受けたトラフィックの一部、その全て自体、受けたトラフィックの一部、全てを書き換えたトラフィック又は受けたトラフィックに対する応答を、送受信部１１（ＴＲｘ）、スイッチ部１３（ＳＷ）、プロキシ部１５若しくは外部サーバ１６等の他の構成要素、外部のオペレーションシステム（不図示）、コントローラ（不図示）又は外部の装置（不図示）に送信してもよい。
【０５３２】
通信システム構成（３８−２）の通信システムでは、通信システム構成（３８−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１３（ＳＷ）にそれぞれ接続されている。更に、異なる波長の送受信部１１の内の少なくとも一部の波長の送受信部１１がスイッチ部１３に複数接続されていてもよい。他は同様である。
【０５３３】
通信システム構成（３９−１）の通信システムは、送受信部１１（ＴＲｘ）と、スイッチ部１２（ＳＷ）と、スイッチ部１３（ＳＷ）と、制御部１４とを備える（図１６）。異なる波長（λＡ〜λＮ）の光信号を送受信する送受信部１１（ＴＲｘ）がスイッチ部１２に接続されている。
【０５３４】
送受信部１１（ＴＲｘ）は、自律制御を行い、又は、スイッチ部１２（ＳＷ）、スイッチ部１３（ＳＷ）若しくは制御部１４等の他の構成要素や外部のオペレーションシステム（不図示）やコントローラ（不図示）や外部の装置（不図示）等から制御され、又は、スイッチ部１２（ＳＷ）、スイッチ部１３（ＳＷ）若しくは制御部１４等の他の構成要素や外部のオペレーションシステム（不図示）やコントローラ（不図示）や外部の装置（不図示）等を介して転送された指示で制御される。送受信部１１（ＴＲｘ）は、ＯＤＮ若しくはスイッチ部１２（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０５３５】
スイッチ部１２（ＳＷ）は、スイッチ部１３（ＳＷ）に接続される。スイッチ部１２（ＳＷ）は、自律制御を行い、又は、送受信部１１（ＴＲｘ）、スイッチ部１３（ＳＷ）若しくは制御部１４等の他の構成要素や外部のオペレーションシステム（不図示）やコントローラ（不図示）や外部の装置（不図示）等から制御され、又は、送受信部１１（ＴＲｘ）、スイッチ部１３（ＳＷ）若しくは制御部１４等の他の構成要素や外部のオペレーションシステム（不図示）やコントローラ（不図示）や外部の装置（不図示）等を介して転送された指示で制御される。スイッチ部１２（ＳＷ）は、送受信部１１（ＴＲｘ）若しくはスイッチ部１３（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０５３６】
スイッチ部１３（ＳＷ）は、上位側の装置（不図示）に直接、又は集線ＳＷ等を介して接続される。この集線ＳＷは、複数のＯＬＴから若しくはＯＬＴへのトラフィックを集約、分配、振分、複製、折返若しくは透過の少なくとも一部を行う。スイッチ部１３（ＳＷ）は、自律制御を行い、又は、送受信部１１（ＴＲｘ）、スイッチ部１２（ＳＷ）若しくは制御部１４等の他の構成要から制御され、又は、送受信部１１（ＴＲｘ）、スイッチ部１２（ＳＷ）若しくは制御部１４等の他の構成要を介して転送された指示で制御される。スイッチ部１３（ＳＷ）は、スイッチ部１２（ＳＷ）若しくは上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０５３７】
制御部１４は、送受信部１１（ＴＲｘ）、スイッチ部１２（ＳＷ）、スイッチ部１３（ＳＷ）、外部のオペレーションシステム（不図示）、コントローラ（不図示）又は外部の装置（不図示）と接続される。制御部１４は、送受信部１１（ＴＲｘ）、スイッチ部１２（ＳＷ）若しくはスイッチ部１３（ＳＷ）等の他の構成要素や外部のオペレーションシステム（不図示）やコントローラ（不図示）や外部の装置（不図示）等を制御し、又は送受信部１１（ＴＲｘ）、スイッチ部１２（ＳＷ）若しくはスイッチ部１３（ＳＷ）等の他の構成要素や外部のオペレーションシステム（不図示）やコントローラ（不図示）や外部の装置（不図示）等を介して指示を転送する。
【０５３８】
送受信部１１（ＴＲｘ）、スイッチ部１２（ＳＷ）、スイッチ部１３（ＳＷ）若しくは制御部１４は、送受信部１１（ＴＲｘ）、スイッチ部１２（ＳＷ）若しくはスイッチ部１３（ＳＷ）等の他の構成要素のトラフィックの一部、その全て自体若しくはその複写を受けて、受けたトラフィックの一部、その全て自体、受けたトラフィックの一部、全てを書き換えたトラフィック又は受けたトラフィックに対する応答を、送受信部１１（ＴＲｘ）、スイッチ部１２（ＳＷ）若しくはスイッチ部１３（ＳＷ）等の他の構成要素、外部のオペレーションシステム（不図示）、コントローラ（不図示）又は外部の装置（不図示）に送信してもよい。
【０５３９】
通信システム構成（３９−２）の通信システムでは、通信システム構成（３９−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１２にそれぞれ接続されている。更に、異なる波長の送受信部１１の内の少なくとも一部の波長の送受信部１１がスイッチ部１２に複数接続されていてもよい。他は同様である。
【０５４０】
通信システム構成（４０−１）の通信システムは、送受信部１１（ＴＲｘ）と、スイッチ部１２（ＳＷ）と、スイッチ部１３（ＳＷ）と、プロキシ部１５とを備える（図１６）。異なる波長（λＡ〜λＮ）の光信号を送受信する送受信部１１（ＴＲｘ）が、スイッチ部１２に接続される。
【０５４１】
送受信部１１（ＴＲｘ）は、自律制御を行い、又は、スイッチ部１２（ＳＷ）、スイッチ部１３（ＳＷ）若しくはプロキシ部１５等の他の構成要素や外部のオペレーションシステム（不図示）やコントローラ（不図示）や外部の装置（不図示）等から制御され、又は、スイッチ部１２（ＳＷ）、スイッチ部１３（ＳＷ）若しくはプロキシ部１５等の他の構成要素や外部のオペレーションシステム（不図示）やコントローラ（不図示）や外部の装置（不図示）等を介して転送された指示で制御される。送受信部１１（ＴＲｘ）は、ＯＤＮ若しくはスイッチ部１２（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０５４２】
スイッチ部１２（ＳＷ）は、スイッチ部１３（ＳＷ）に接続される。スイッチ部１２（ＳＷ）は自律制御を行い、又は、送受信部１１（ＴＲｘ）、スイッチ部１３（ＳＷ）若しくはプロキシ部１５等の他の構成要素や外部のオペレーションシステム（不図示）やコントローラ（不図示）や外部の装置（不図示）等から制御され、又は、送受信部１１（ＴＲｘ）、スイッチ部１３（ＳＷ）若しくはプロキシ部１５等の他の構成要素や外部のオペレーションシステム（不図示）やコントローラ（不図示）や外部の装置（不図示）等を介して転送された指示で制御される。スイッチ部１２（ＳＷ）は、送受信部１１（ＴＲｘ）若しくはスイッチ部１３（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０５４３】
スイッチ部１３（ＳＷ）は、プロキシ部１５に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。スイッチ部１３（ＳＷ）は、自律制御を行い、又は、送受信部１１（ＴＲｘ）、スイッチ部１２（ＳＷ）若しくはプロキシ部１５等の他の構成要素や外部のオペレーションシステム（不図示）やコントローラ（不図示）や外部の装置（不図示）等から制御され、又は、送受信部１１（ＴＲｘ）、スイッチ部１２（ＳＷ）若しくはプロキシ部１５等の他の構成要素や外部のオペレーションシステム（不図示）やコントローラ（不図示）や外部の装置（不図示）等を介して転送された指示で制御される。スイッチ部１３（ＳＷ）は、スイッチ部１２（ＳＷ）若しくはプロキシ部１５のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０５４４】
プロキシ部１５は、上位側の装置（不図示）に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。プロキシ部１５は、自律制御を行い、又は、送受信部１１（ＴＲｘ）、スイッチ部１２（ＳＷ）若しくはスイッチ部１３（ＳＷ）等の他の構成要素や外部のオペレーションシステム（不図示）やコントローラ（不図示）や外部の装置（不図示）等から制御され、又は、送受信部１１（ＴＲｘ）、スイッチ部１２（ＳＷ）若しくはスイッチ部１３（ＳＷ）等の他の構成要素や外部のオペレーションシステム（不図示）やコントローラ（不図示）や外部の装置（不図示）等を介して転送された指示で制御される。プロキシ部１５は、スイッチ部１３（ＳＷ）若しくは上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０５４５】
送受信部１１（ＴＲｘ）、スイッチ部１２（ＳＷ）、スイッチ部１３（ＳＷ）若しくはプロキシ部１５は、送受信部１１（ＴＲｘ）、スイッチ部１２（ＳＷ）、スイッチ部１３（ＳＷ）若しくはプロキシ部１５等の他の構成要素のトラフィックの一部、その全て自体若しくはその複写を受けて、受けたトラフィックの一部、その全て自体、受けたトラフィックの一部、全てを書き換えたトラフィック又は受けたトラフィックに対する応答を、送受信部１１（ＴＲｘ）、スイッチ部１２（ＳＷ）、スイッチ部１３（ＳＷ）若しくはプロキシ部１５等の他の構成要素、外部のオペレーションシステム（不図示）、コントローラ（不図示）又は外部の装置（不図示）に送信してもよい。
【０５４６】
通信システム構成（４０−２）の通信システムでは、通信システム構成（４０−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１２にそれぞれ接続されている。更に、異なる波長の送受信部１１の内の少なくとも一部の波長の送受信部１１がスイッチ部１２に複数接続されていてもよい。他は同様である。
【０５４７】
通信システム構成（４１−１）の通信システムは、送受信部１１（ＴＲｘ）と、スイッチ部１２（ＳＷ）と、制御部１４と、プロキシ部１５とを備える（図１６）。異なる波長（λＡ〜λＮ）の光信号を送受信する送受信部１１（ＴＲｘ）がスイッチ部１２に接続されている。
【０５４８】
送受信部１１（ＴＲｘ）は、自律制御を行い、又は、スイッチ部１２（ＳＷ）、制御部１４若しくはプロキシ部１５等の他の構成要素や外部のオペレーションシステム（不図示）やコントローラ（不図示）や外部の装置（不図示）等から制御され、又は、スイッチ部１２（ＳＷ）、制御部１４若しくはプロキシ部１５等の他の構成要素や外部のオペレーションシステム（不図示）やコントローラ（不図示）や外部の装置（不図示）等を介して転送された指示で制御される。送受信部１１（ＴＲｘ）は、ＯＤＮ若しくはスイッチ部１２（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０５４９】
スイッチ部１２（ＳＷ）は、プロキシ部１５に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。スイッチ部１２（ＳＷ）は、自律制御を行い、又は、送受信部１１（ＴＲｘ）、制御部１４若しくはプロキシ部１５等の他の構成要素や外部のオペレーションシステム（不図示）やコントローラ（不図示）や外部の装置（不図示）等から制御され、又は、送受信部１１（ＴＲｘ）、制御部１４若しくはプロキシ部１５等の他の構成要素や外部のオペレーションシステム（不図示）やコントローラ（不図示）や外部の装置（不図示）等を介して転送された指示で制御される。スイッチ部１２（ＳＷ）は、送受信部１１（ＴＲｘ）又はプロキシ部１５のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０５５０】
制御部１４は、送受信部１１（ＴＲｘ）、スイッチ部１２（ＳＷ）、プロキシ部１５、外部のオペレーションシステム（不図示）、コントローラ（不図示）又は外部の装置（不図示）と接続される。制御部１４は、送受信部１１（ＴＲｘ）、スイッチ部１２（ＳＷ）若しくはプロキシ部１５等の他の構成要素や外部のオペレーションシステム（不図示）やコントローラ（不図示）や外部の装置（不図示）等を制御し、又は送受信部１１（ＴＲｘ）、スイッチ部１２（ＳＷ）若しくはプロキシ部１５等の他の構成要素や外部のオペレーションシステム（不図示）やコントローラ（不図示）や外部の装置（不図示）等を介して指示を転送する。
【０５５１】
プロキシ部１５は、上位側の装置（不図示）に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。プロキシ部１５は、自律制御を行い、又は、送受信部１１（ＴＲｘ）、スイッチ部１２（ＳＷ）若しくは制御部１４等の他の構成要から制御され、又は、送受信部１１（ＴＲｘ）、スイッチ部１２（ＳＷ）若しくは制御部１４等の他の構成要を介して転送された指示で制御される。プロキシ部１５は、スイッチ部１２（ＳＷ）若しくは上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０５５２】
送受信部１１（ＴＲｘ）、スイッチ部１２（ＳＷ）、制御部１４若しくはプロキシ部１５は、送受信部１１（ＴＲｘ）、スイッチ部１２（ＳＷ）若しくはプロキシ部１５等の他の構成要素や外部のオペレーションシステム（不図示）やコントローラ（不図示）や外部の装置（不図示）等のトラフィックの一部、その全て自体若しくはその複写を受けて、受けたトラフィックの一部、その全て自体、受けたトラフィックの一部、全てを書き換えたトラフィック又は受けたトラフィックに対する応答を、送受信部１１（ＴＲｘ）、スイッチ部１２（ＳＷ）若しくはプロキシ部１５等の他の構成要素や外部のオペレーションシステム（不図示）やコントローラ（不図示）や外部の装置（不図示）等、外部のオペレーションシステム（不図示）、コントローラ（不図示）又は外部の装置（不図示）に、送信してもよい。
【０５５３】
通信システム構成（４１−２）の通信システムでは、通信システム構成（４１−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１２にそれぞれ接続されている。更に、異なる波長の送受信部１１の内の少なくとも一部の波長の送受信部１１がスイッチ部１２に複数接続されていてもよい。他は同様である。
【０５５４】
通信システム構成（４２−１）の通信システムは、送受信部１１（ＴＲｘ）と、スイッチ部１３（ＳＷ）と、制御部１４と、プロキシ部１５とを備える（図１６）。異なる波長（λＡ〜λＮ）の光信号を送受信する送受信部１１（ＴＲｘ）がスイッチ部１３（ＳＷ）に接続されている。
【０５５５】
送受信部１１（ＴＲｘ）は、自律制御を行い、又は、スイッチ部１３（ＳＷ）、制御部１４、プロキシ部１５等の他の構成要素や外部のオペレーションシステム（不図示）やコントローラ（不図示）や外部の装置（不図示）等から制御され、又は、スイッチ部１３（ＳＷ）、制御部１４若しくはプロキシ部１５等の他の構成要素や外部のオペレーションシステム（不図示）やコントローラ（不図示）や外部の装置（不図示）等を介して転送された指示で制御される。送受信部１１（ＴＲｘ）は、ＯＤＮ若しくはスイッチ部１３（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０５５６】
スイッチ部１３（ＳＷ）は、プロキシ部１５に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。スイッチ部１３（ＳＷ）は、自律制御を行い、又は、送受信部１１（ＴＲｘ）、制御部１４若しくはプロキシ部１５等の他の構成要素や外部のオペレーションシステム（不図示）やコントローラ（不図示）や外部の装置（不図示）等から制御され、又は、送受信部１１（ＴＲｘ）、制御部１４若しくはプロキシ部１５等の他の構成要素や外部のオペレーションシステム（不図示）やコントローラ（不図示）や外部の装置（不図示）等を介して転送された指示で制御される。スイッチ部１３（ＳＷ）は、送受信部１１（ＴＲｘ）又はプロキシ部１５のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０５５７】
制御部１４は、送受信部１１（ＴＲｘ）、スイッチ部１３（ＳＷ）、プロキシ部１５若しくは外部のオペレーションシステム（不図示）、コントローラ（不図示）若しくは外部の装置（不図示）と接続される。制御部１４は、送受信部１１（ＴＲｘ）、スイッチ部１３（ＳＷ）若しくはプロキシ部１５等の他の構成要素や外部のオペレーションシステム（不図示）やコントローラ（不図示）や外部の装置（不図示）等を制御し、又は送受信部１１（ＴＲｘ）、スイッチ部１３（ＳＷ）若しくはプロキシ部１５等の他の構成要素や外部のオペレーションシステム（不図示）やコントローラ（不図示）や外部の装置（不図示）等を介して指示を転送する。
【０５５８】
プロキシ部１５は、上位側の装置（不図示）に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。プロキシ部１５は、自律制御を行い、又は、送受信部１１（ＴＲｘ）、スイッチ部１３（ＳＷ）若しくは制御部１４等の他の構成要素や外部のオペレーションシステム（不図示）やコントローラ（不図示）や外部の装置（不図示）等から制御され、又は、送受信部１１（ＴＲｘ）、スイッチ部１３（ＳＷ）若しくは制御部１４等の他の構成要素や外部のオペレーションシステム（不図示）やコントローラ（不図示）や外部の装置（不図示）等を介して転送された指示で制御される。プロキシ部１５は、スイッチ部１３（ＳＷ）若しくは上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０５５９】
送受信部１１（ＴＲｘ）、スイッチ部１３（ＳＷ）、制御部１４若しくはプロキシ部１５は、送受信部１１（ＴＲｘ）、スイッチ部１３（ＳＷ）若しくはプロキシ部１５等の他の構成要素のトラフィックの一部、その全て自体若しくはその複写を受けて、受けたトラフィックの一部、その全て自体、受けたトラフィックの一部、全てを書き換えたトラフィック又は受けたトラフィックに対する応答を、送受信部１１（ＴＲｘ）、スイッチ部１３（ＳＷ）若しくはプロキシ部１５等の他の構成要素、外部のオペレーションシステム（不図示）、コントローラ（不図示）又は外部の装置（不図示）に送信してもよい。
【０５６０】
通信システム構成（４２−２）の通信システムでは、通信システム構成（４２−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１３（ＳＷ）にそれぞれ接続されている。更に、異なる波長の送受信部１１の内の少なくとも一部の波長の送受信部１１がスイッチ部１３に複数接続されていてもよい。他は同様である。
【０５６１】
通信システム構成（４３−１）の通信システムは、送受信部１１（ＴＲｘ）と、スイッチ部１２（ＳＷ）と、スイッチ部１３（ＳＷ）と、外部サーバ１６とを備える（図１６）。異なる波長（λＡ〜λＮ）の光信号を送受信する送受信部１１（ＴＲｘ）がスイッチ部１２に接続されている。
【０５６２】
送受信部１１（ＴＲｘ）は、自律制御を行い、又は、スイッチ部１２（ＳＷ）、スイッチ部１３（ＳＷ）若しくは外部サーバ１６等の他の構成要素や外部のオペレーションシステム（不図示）やコントローラ（不図示）や外部の装置（不図示）等から制御され、又は、スイッチ部１２（ＳＷ）、スイッチ部１３（ＳＷ）若しくは外部サーバ１６等の他の構成要素や外部のオペレーションシステム（不図示）やコントローラ（不図示）や外部の装置（不図示）等を介して転送された指示で制御される。送受信部１１（ＴＲｘ）は、ＯＤＮ若しくはスイッチ部１２（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０５６３】
スイッチ部１２（ＳＷ）は、スイッチ部１３（ＳＷ）に接続される。スイッチ部１２（ＳＷ）は、自律制御を行い、又は、送受信部１１（ＴＲｘ）、スイッチ部１３（ＳＷ）若しくは外部サーバ１６等の他の構成要素や外部のオペレーションシステム（不図示）やコントローラ（不図示）や外部の装置（不図示）等から制御され、又は、送受信部１１（ＴＲｘ）、スイッチ部１３（ＳＷ）若しくは外部サーバ１６等の他の構成要素や外部のオペレーションシステム（不図示）やコントローラ（不図示）や外部の装置（不図示）等を介して転送された指示で制御される。スイッチ部１２（ＳＷ）は、送受信部１１（ＴＲｘ）若しくはスイッチ部１３（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０５６４】
スイッチ部１３（ＳＷ）は、上位側の装置（不図示）に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。スイッチ部１３（ＳＷ）は、自律制御を行い、又は、送受信部１１（ＴＲｘ）、スイッチ部１２（ＳＷ）若しくは外部サーバ１６等の他の構成要素や外部のオペレーションシステム（不図示）やコントローラ（不図示）や外部の装置（不図示）等から制御され、又は、送受信部１１（ＴＲｘ）、スイッチ部１２（ＳＷ）若しくは外部サーバ１６等の他の構成要素や外部のオペレーションシステム（不図示）やコントローラ（不図示）や外部の装置（不図示）等を介して転送された指示で制御される。スイッチ部１３（ＳＷ）は、スイッチ部１２（ＳＷ）若しくは上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０５６５】
外部サーバ１６は、送受信部１１（ＴＲｘ）、スイッチ部１２（ＳＷ）、スイッチ部１３（ＳＷ）、外部のオペレーションシステム（不図示）、コントローラ（不図示）又は外部の装置（不図示）と接続される。外部サーバ１６は、送受信部１１（ＴＲｘ）、スイッチ部１２（ＳＷ）若しくはスイッチ部１３（ＳＷ）等の他の構成要素や外部のオペレーションシステム（不図示）やコントローラ（不図示）や外部の装置（不図示）等を制御し、又は送受信部１１（ＴＲｘ）、スイッチ部１２（ＳＷ）若しくはスイッチ部１３（ＳＷ）等の他の構成要素や外部のオペレーションシステム（不図示）やコントローラ（不図示）や外部の装置（不図示）等を介して指示を転送する。
【０５６６】
送受信部１１（ＴＲｘ）、スイッチ部１２（ＳＷ）、スイッチ部１３（ＳＷ）若しくは外部サーバ１６は、送受信部１１（ＴＲｘ）、スイッチ部１２（ＳＷ）、スイッチ部１３（ＳＷ）若しくは外部サーバ１６等の他の構成要素のトラフィックの一部、その全て自体若しくはその複写を受けて、受けたトラフィックの一部、その全て自体、受けたトラフィックの一部、全てを書き換えたトラフィック又は受けたトラフィックに対する応答を、送受信部１１（ＴＲｘ）、スイッチ部１２（ＳＷ）、スイッチ部１３（ＳＷ）若しくは外部サーバ１６等の他の構成要素、外部のオペレーションシステム（不図示）、コントローラ（不図示）又は外部の装置（不図示）に送信してもよい。
【０５６７】
通信システム構成（４３−２）の通信システムでは、通信システム構成（４３−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１２にそれぞれ接続されている。更に、異なる波長の送受信部１１の内の少なくとも一部の波長の送受信部１１がスイッチ部１２に複数接続されていてもよい。他は同様である。
【０５６８】
通信システム構成（４４−１）の通信システムは、送受信部１１（ＴＲｘ）と、スイッチ部１２（ＳＷ）と、制御部１４と、外部サーバ１６とを備える（図１６）。異なる波長（λＡ〜λＮ）の光信号を送受信する送受信部１１（ＴＲｘ）がスイッチ部１２に接続されている。
【０５６９】
送受信部１１（ＴＲｘ）は、自律制御を行い、又は、スイッチ部１２（ＳＷ）、制御部１４若しくは外部サーバ１６等の他の構成要素や外部のオペレーションシステム（不図示）やコントローラ（不図示）や外部の装置（不図示）等から制御され、又は、スイッチ部１２（ＳＷ）、制御部１４若しくは外部サーバ１６等の他の構成要素や外部のオペレーションシステム（不図示）やコントローラ（不図示）や外部の装置（不図示）等を介して転送された指示で制御される。送受信部１１（ＴＲｘ）は、ＯＤＮ若しくはスイッチ部１２（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０５７０】
スイッチ部１２（ＳＷ）は、上位側の装置（不図示）に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。スイッチ部１２（ＳＷ）は、自律制御を行い、又は、送受信部１１（ＴＲｘ）、制御部１４若しくは外部サーバ１６等の他の構成要素や外部のオペレーションシステム（不図示）やコントローラ（不図示）や外部の装置（不図示）等から制御され、又は、送受信部１１（ＴＲｘ）、制御部１４若しくは外部サーバ１６等の他の構成要素や外部のオペレーションシステム（不図示）やコントローラ（不図示）や外部の装置（不図示）等を介して転送された指示で制御される。スイッチ部１２（ＳＷ）は、送受信部１１（ＴＲｘ）又は上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０５７１】
制御部１４は、送受信部１１（ＴＲｘ）、スイッチ部１２（ＳＷ）、外部サーバ１６、外部のオペレーションシステム（不図示）、コントローラ（不図示）又は外部の装置（不図示）と接続される。制御部１４は、送受信部１１（ＴＲｘ）、スイッチ部１２（ＳＷ）若しくは外部サーバ１６等の他の構成要素や外部のオペレーションシステム（不図示）やコントローラ（不図示）や外部の装置（不図示）等を制御し、又は送受信部１１（ＴＲｘ）、スイッチ部１２（ＳＷ）若しくは外部サーバ１６等の他の構成要素や外部のオペレーションシステム（不図示）やコントローラ（不図示）や外部の装置（不図示）等を介して指示を転送する。
【０５７２】
外部サーバ１６は、送受信部１１（ＴＲｘ）又はスイッチ部１２（ＳＷ）又は制御部１４又は外部のオペレーションシステム（不図示）、コントローラ（不図示）若しくは外部の装置（不図示）と接続される。外部サーバ１６は、送受信部１１（ＴＲｘ）、スイッチ部１２（ＳＷ）若しくは制御部１４等の他の構成要を制御し、又は送受信部１１（ＴＲｘ）、スイッチ部１２（ＳＷ）若しくは制御部１４等の他の構成要を介して指示を転送する。
【０５７３】
送受信部１１（ＴＲｘ）、スイッチ部１２（ＳＷ）、制御部１４若しくは外部サーバ１６は、送受信部１１（ＴＲｘ）、スイッチ部１２（ＳＷ）若しくは外部サーバ１６等の他の構成要素のトラフィックの一部、その全て自体若しくはその複写を受けて、受けたトラフィックの一部、その全て自体、受けたトラフィックの一部、全てを書き換えたトラフィック又は受けたトラフィックに対する応答を、送受信部１１（ＴＲｘ）、スイッチ部１２（ＳＷ）若しくは外部サーバ１６等の他の構成要素、外部のオペレーションシステム（不図示）、コントローラ（不図示）又は外部の装置（不図示）に送信してもよい。
【０５７４】
通信システム構成（４４−２）の通信システムでは、通信システム構成（４４−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１２にそれぞれ接続されている。更に、異なる波長の送受信部１１の内の少なくとも一部の波長の送受信部１１がスイッチ部１２に複数接続されていてもよい。他は同様である。
【０５７５】
通信システム構成（４５−１）の通信システムは、送受信部１１（ＴＲｘ）と、スイッチ部１３（ＳＷ）と、制御部１４と、外部サーバ１６とを備える（図１６）。異なる波長（λＡ〜λＮ）の光信号を送受信する送受信部１１（ＴＲｘ）がスイッチ部１３（ＳＷ）に接続されている。
【０５７６】
送受信部１１（ＴＲｘ）は、自律制御を行い、又は、スイッチ部１３（ＳＷ）、制御部１４若しくは外部サーバ１６等の他の構成要素や外部のオペレーションシステム（不図示）やコントローラ（不図示）や外部の装置（不図示）等から制御され、又は、スイッチ部１３（ＳＷ）、制御部１４若しくは外部サーバ１６等の他の構成要素や外部のオペレーションシステム（不図示）やコントローラ（不図示）や外部の装置（不図示）等を介して転送された指示で制御される。送受信部１１（ＴＲｘ）は、ＯＤＮ若しくはスイッチ部１３（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０５７７】
スイッチ部１３（ＳＷ）は、上位側の装置（不図示）に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。スイッチ部１３（ＳＷ）は、自律制御を行い、又は、送受信部１１（ＴＲｘ）、制御部１４若しくは外部サーバ１６等の他の構成要素や外部のオペレーションシステム（不図示）やコントローラ（不図示）や外部の装置（不図示）等から制御され、又は、送受信部１１（ＴＲｘ）、制御部１４若しくは外部サーバ１６等の他の構成要素や外部のオペレーションシステム（不図示）やコントローラ（不図示）や外部の装置（不図示）等を介して転送された指示で制御される。スイッチ部１３（ＳＷ）は、送受信部１１（ＴＲｘ）若しくは上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０５７８】
制御部１４は、送受信部１１（ＴＲｘ）若しくはスイッチ部１３（ＳＷ）又は外部サーバ１６又は外部のオペレーションシステム（不図示）、コントローラ（不図示）若しくは外部の装置（不図示）と接続される。制御部１４は、送受信部１１（ＴＲｘ）、スイッチ部１３（ＳＷ）若しくは外部サーバ１６等の他の構成要素や外部のオペレーションシステム（不図示）やコントローラ（不図示）や外部の装置（不図示）等を制御し、又は送受信部１１（ＴＲｘ）、スイッチ部１３（ＳＷ）若しくは外部サーバ１６等の他の構成要素や外部のオペレーションシステム（不図示）やコントローラ（不図示）や外部の装置（不図示）等を介して指示を転送する。
【０５７９】
外部サーバ１６は、送受信部１１（ＴＲｘ）若しくはスイッチ部１３（ＳＷ）又は制御部１４又は外部のオペレーションシステム（不図示）、コントローラ（不図示）若しくは外部の装置（不図示）と接続される。外部サーバ１６は、送受信部１１（ＴＲｘ）、スイッチ部１３（ＳＷ）若しくは制御部１４等の他の構成要素や外部のオペレーションシステム（不図示）やコントローラ（不図示）や外部の装置（不図示）等を制御し、又は送受信部１１（ＴＲｘ）、スイッチ部１３（ＳＷ）若しくは制御部１４等の他の構成要素や外部のオペレーションシステム（不図示）やコントローラ（不図示）や外部の装置（不図示）等を介して指示を転送する。
【０５８０】
送受信部１１（ＴＲｘ）、スイッチ部１３（ＳＷ）、制御部１４若しくは外部サーバ１６は、送受信部１１（ＴＲｘ）、スイッチ部１３（ＳＷ）若しくは外部サーバ１６等の他の構成要素のトラフィックの一部、その全て自体若しくはその複写を受けて、受けたトラフィックの一部、その全て自体、受けたトラフィックの一部、全てを書き換えたトラフィック又は受けたトラフィックに対する応答を、送受信部１１（ＴＲｘ）、スイッチ部１３（ＳＷ）若しくは外部サーバ１６等の他の構成要素、外部のオペレーションシステム（不図示）、コントローラ（不図示）又は外部の装置（不図示）に送信してもよい。
【０５８１】
通信システム構成（４５−２）の通信システムでは、通信システム構成（４５−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１３（ＳＷ）にそれぞれ接続されている。更に、異なる波長の送受信部１１の内の少なくとも一部の波長の送受信部１１がスイッチ部１３に複数接続されていてもよい。他は同様である。
【０５８２】
通信システム構成（４６−１）の通信システムは、送受信部１１（ＴＲｘ）と、スイッチ部１２（ＳＷ）と、プロキシ部１５と、外部サーバ１６とを備える（図１６）。異なる波長（λＡ〜λＮ）の光信号を送受信する送受信部１１（ＴＲｘ）がスイッチ部１２に接続されている。
【０５８３】
送受信部１１（ＴＲｘ）は、自律制御を行い、又は、スイッチ部１２（ＳＷ）、プロキシ部１５若しくは外部サーバ１６等の他の構成要素や外部のオペレーションシステム（不図示）やコントローラ（不図示）や外部の装置（不図示）等から制御され、又は、スイッチ部１２（ＳＷ）、プロキシ部１５若しくは外部サーバ１６等の他の構成要素や外部のオペレーションシステム（不図示）やコントローラ（不図示）や外部の装置（不図示）等を介して転送された指示で制御される。送受信部１１（ＴＲｘ）は、ＯＤＮ若しくはスイッチ部１２（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０５８４】
スイッチ部１２（ＳＷ）は、プロキシ部１５に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。スイッチ部１２（ＳＷ）は、自律制御を行い、又は、送受信部１１（ＴＲｘ）、プロキシ部１５若しくは外部サーバ１６等の他の構成要素や外部のオペレーションシステム（不図示）やコントローラ（不図示）や外部の装置（不図示）等から制御され、又は、送受信部１１（ＴＲｘ）、プロキシ部１５若しくは外部サーバ１６等の他の構成要素や外部のオペレーションシステム（不図示）やコントローラ（不図示）や外部の装置（不図示）等を介して転送された指示で制御される。スイッチ部１２（ＳＷ）は、送受信部１１（ＴＲｘ）又はプロキシ部１５のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０５８５】
プロキシ部１５は、自律制御を行い、又は、送受信部１１（ＴＲｘ）、スイッチ部１２（ＳＷ）若しくは外部サーバ１６等の他の構成要素や外部のオペレーションシステム（不図示）やコントローラ（不図示）や外部の装置（不図示）等から制御され、又は、送受信部１１（ＴＲｘ）、スイッチ部１２（ＳＷ）若しくは外部サーバ１６等の他の構成要素や外部のオペレーションシステム（不図示）やコントローラ（不図示）や外部の装置（不図示）等を介して転送された指示で制御される。プロキシ部１５は、スイッチ部１２（ＳＷ）若しくは上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０５８６】
外部サーバ１６は、送受信部１１（ＴＲｘ）、スイッチ部１２（ＳＷ）、プロキシ部１５、外部のオペレーションシステム（不図示）、コントローラ（不図示）又は外部の装置（不図示）と接続される。外部サーバ１６は、送受信部１１（ＴＲｘ）、スイッチ部１２（ＳＷ）若しくはプロキシ部１５等の他の構成要素や外部のオペレーションシステム（不図示）やコントローラ（不図示）や外部の装置（不図示）等を制御し、又は送受信部１１（ＴＲｘ）、スイッチ部１２（ＳＷ）若しくはプロキシ部１５等の他の構成要素や外部のオペレーションシステム（不図示）やコントローラ（不図示）や外部の装置（不図示）等を介して指示を転送する。
【０５８７】
送受信部１１（ＴＲｘ）、スイッチ部１２（ＳＷ）、プロキシ部１５若しくは外部サーバ１６は、送受信部１１（ＴＲｘ）、スイッチ部１２（ＳＷ）、プロキシ部１５若しくは外部サーバ１６等の他の構成要素のトラフィックの一部、その全て自体若しくはその複写を受けて、受けたトラフィックの一部、その全て自体、受けたトラフィックの一部、全てを書き換えたトラフィック又は受けたトラフィックに対する応答を、送受信部１１（ＴＲｘ）、スイッチ部１２（ＳＷ）、プロキシ部１５若しくは外部サーバ１６等の他の構成要素、外部のオペレーションシステム（不図示）、コントローラ（不図示）又は外部の装置（不図示）に送信してもよい。
【０５８８】
通信システム構成（４６−２）の通信システムでは、通信システム構成（４６−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１２にそれぞれ接続されている。更に、異なる波長の送受信部１１の内の少なくとも一部の波長の送受信部１１がスイッチ部１２に複数接続されていてもよい。他は同様である。
【０５８９】
通信システム構成（４７−１）の通信システムは、送受信部１１（ＴＲｘ）と、スイッチ部１３（ＳＷ）と、プロキシ部１５と、外部サーバ１６とを備える（図１６）。異なる波長（λＡ〜λＮ）の光信号を送受信する送受信部１１（ＴＲｘ）がスイッチ部１３（ＳＷ）に接続されている。
【０５９０】
送受信部１１（ＴＲｘ）は、自律制御を行い、又は、スイッチ部１３（ＳＷ）、プロキシ部１５若しくは外部サーバ１６等の他の構成要素や外部のオペレーションシステム（不図示）やコントローラ（不図示）や外部の装置（不図示）等から制御され、又は、スイッチ部１３（ＳＷ）、プロキシ部１５若しくは外部サーバ１６等の他の構成要素や外部のオペレーションシステム（不図示）やコントローラ（不図示）や外部の装置（不図示）等を介して転送された指示で制御される。送受信部１１（ＴＲｘ）は、ＯＤＮ若しくはスイッチ部１３（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０５９１】
スイッチ部１３（ＳＷ）は、プロキシ部１５に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。スイッチ部１３（ＳＷ）は、自律制御を行い、又は、送受信部１１（ＴＲｘ）、プロキシ部１５若しくは外部サーバ１６等の他の構成要素や外部のオペレーションシステム（不図示）やコントローラ（不図示）や外部の装置（不図示）等から制御され、又は、送受信部１１（ＴＲｘ）、プロキシ部１５若しくは外部サーバ１６等の他の構成要素や外部のオペレーションシステム（不図示）やコントローラ（不図示）や外部の装置（不図示）等を介して転送された指示で制御される。スイッチ部１３（ＳＷ）は、送受信部１１（ＴＲｘ）又はプロキシ部１５のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０５９２】
プロキシ部１５は、自律制御を行い、又は、送受信部１１（ＴＲｘ）、スイッチ部１３（ＳＷ）若しくは外部サーバ１６等の他の構成要素や外部のオペレーションシステム（不図示）やコントローラ（不図示）や外部の装置（不図示）等から制御され、又は、送受信部１１（ＴＲｘ）、スイッチ部１３（ＳＷ）若しくは外部サーバ１６等の他の構成要素や外部のオペレーションシステム（不図示）やコントローラ（不図示）や外部の装置（不図示）等を介して転送された指示で制御される。プロキシ部１５は、スイッチ部１３（ＳＷ）若しくは上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０５９３】
外部サーバ１６は、送受信部１１（ＴＲｘ）、スイッチ部１３（ＳＷ）、プロキシ部１５若しくは外部のオペレーションシステム（不図示）、コントローラ（不図示）若しくは外部の装置（不図示）と接続される。外部サーバ１６は、送受信部１１（ＴＲｘ）、スイッチ部１３（ＳＷ）若しくはプロキシ部１５等の他の構成要素や外部のオペレーションシステム（不図示）やコントローラ（不図示）や外部の装置（不図示）等を制御し、又は送受信部１１（ＴＲｘ）、スイッチ部１３（ＳＷ）若しくはプロキシ部１５等の他の構成要素や外部のオペレーションシステム（不図示）やコントローラ（不図示）や外部の装置（不図示）等を介して指示を転送する。
【０５９４】
送受信部１１（ＴＲｘ）、スイッチ部１３（ＳＷ）、プロキシ部１５若しくは外部サーバ１６は、送受信部１１（ＴＲｘ）、スイッチ部１３（ＳＷ）、プロキシ部１５若しくは外部サーバ１６等の他の構成要素のトラフィックの一部、その全て自体若しくはその複写を受けて、受けたトラフィックの一部、その全て自体、受けたトラフィックの一部、全てを書き換えたトラフィック又は受けたトラフィックに対する応答を、送受信部１１（ＴＲｘ）、スイッチ部１３（ＳＷ）、プロキシ部１５若しくは外部サーバ１６等の他の構成要素、外部のオペレーションシステム（不図示）、コントローラ（不図示）又は外部の装置（不図示）に送信してもよい。
【０５９５】
通信システム構成（４７−２）の通信システムでは、通信システム構成（４７−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１３（ＳＷ）にそれぞれ接続されている。更に、異なる波長の送受信部１１の内の少なくとも一部の波長の送受信部１１がスイッチ部１３に複数接続されていてもよい。他は同様である。
【０５９６】
通信システム構成（４８−１）の通信システムは、送受信部１１（ＴＲｘ）と、制御部１４と、プロキシ部１５と、外部サーバ１６とを備える（図１６）。異なる波長（λＡ〜λＮ）の光信号を送受信する送受信部１１（ＴＲｘ）がプロキシ部１５に直接、又は集線ＳＷ等を介して接続されている。この集線ＳＷは、複数のＯＬＴから若しくはＯＬＴへのトラフィックに集約、分配、振分、複製、折返若しくは透過の少なくとも一部を行う。
【０５９７】
送受信部１１（ＴＲｘ）は、自律制御を行い、又は、制御部１４、プロキシ部１５若しくは外部サーバ１６等の他の構成要素や外部のオペレーションシステム（不図示）やコントローラ（不図示）や外部の装置（不図示）等から制御され、又は、制御部１４、プロキシ部１５若しくは外部サーバ１６等の他の構成要素や外部のオペレーションシステム（不図示）やコントローラ（不図示）や外部の装置（不図示）等を介して転送された指示で制御される。送受信部１１（ＴＲｘ）は、ＯＤＮ若しくはプロキシ部１５のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０５９８】
制御部１４は、送受信部１１（ＴＲｘ）、プロキシ部１５、外部サーバ１６、外部のオペレーションシステム（不図示）、コントローラ（不図示）又は外部の装置（不図示）と接続される。制御部１４は、送受信部１１（ＴＲｘ）、プロキシ部１５若しくは外部サーバ１６等の他の構成要素や外部のオペレーションシステム（不図示）やコントローラ（不図示）や外部の装置（不図示）等を制御し、又は送受信部１１（ＴＲｘ）、プロキシ部１５若しくは外部サーバ１６等の他の構成要素や外部のオペレーションシステム（不図示）やコントローラ（不図示）や外部の装置（不図示）等を介して指示を転送する。
【０５９９】
プロキシ部１５は、上位側の装置（不図示）に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。プロキシ部１５は、自律制御を行い、又は、送受信部１１（ＴＲｘ）、制御部１４若しくは外部サーバ１６等の他の構成要素や外部のオペレーションシステム（不図示）やコントローラ（不図示）や外部の装置（不図示）等から制御され、又は、送受信部１１（ＴＲｘ）、制御部１４若しくは外部サーバ１６等の他の構成要素や外部のオペレーションシステム（不図示）やコントローラ（不図示）や外部の装置（不図示）等を介して転送された指示で制御される。プロキシ部１５は、送受信部１１（ＴＲｘ）又は上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０６００】
外部サーバ１６は、送受信部１１（ＴＲｘ）、制御部１４、プロキシ部１５、外部のオペレーションシステム（不図示）、コントローラ（不図示）又は外部の装置（不図示）と接続される。外部サーバ１６は、送受信部１１（ＴＲｘ）、制御部１４若しくはプロキシ部１５等の他の構成要素や外部のオペレーションシステム（不図示）やコントローラ（不図示）や外部の装置（不図示）等を制御し、又は送受信部１１（ＴＲｘ）、制御部１４若しくはプロキシ部１５等の他の構成要素や外部のオペレーションシステム（不図示）やコントローラ（不図示）や外部の装置（不図示）等を介して指示を転送する。
【０６０１】
送受信部１１（ＴＲｘ）、制御部１４、プロキシ部１５若しくは外部サーバ１６は、送受信部１１（ＴＲｘ）、プロキシ部１５若しくは外部サーバ１６等の他の構成要素のトラフィックの一部、その全て自体若しくはその複写を受けて、受けたトラフィックの一部、その全て自体、受けたトラフィックの一部、全てを書き換えたトラフィック又は受けたトラフィックに対する応答を、送受信部１１（ＴＲｘ）、プロキシ部１５若しくは外部サーバ１６等の他の構成要素、外部のオペレーションシステム（不図示）、コントローラ（不図示）又は外部の装置（不図示）に送信してもよい。
【０６０２】
通信システム構成（４８−２）の通信システムでは、通信システム構成（４８−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）がそれぞれプロキシ部１５に直接、又は集線ＳＷ等を介して接続されている。この集線ＳＷは、複数のＯＬＴから若しくはＯＬＴへのトラフィックに集約、分配、振分、複製、折返若しくは透過の少なくとも一部を行う。更に、異なる波長の送受信部１１の内の少なくとも一部の波長の送受信部１１がプロキシ部１５に直接、又は集線ＳＷ等を介して複数接続されていてもよい。この集線ＳＷは、複数のＯＬＴから若しくはＯＬＴへのトラフィックに集約、分配、振分、複製、折返若しくは透過の少なくとも一部を行う。他は同様である。
【０６０３】
通信システム構成（４９−１）の通信システムは、送受信部１１（ＴＲｘ）と、スイッチ部１２（ＳＷ）と、スイッチ部１３（ＳＷ）とを備える（図１６）。異なる波長（λＡ〜λＮ）の光信号を送受信する送受信部１１（ＴＲｘ）がスイッチ部１２に接続されている。
【０６０４】
送受信部１１（ＴＲｘ）は、自律制御を行い、又は、スイッチ部１２（ＳＷ）若しくはスイッチ部１３（ＳＷ）等の他の構成要素や外部のオペレーションシステム（不図示）やコントローラ（不図示）や外部の装置（不図示）等から制御され、又は、スイッチ部１２（ＳＷ）若しくはスイッチ部１３（ＳＷ）等の他の構成要素や外部のオペレーションシステム（不図示）やコントローラ（不図示）や外部の装置（不図示）等を介して転送された指示で制御される。送受信部１１（ＴＲｘ）は、ＯＤＮ若しくはスイッチ部１２（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０６０５】
スイッチ部１２（ＳＷ）は、スイッチ部１３（ＳＷ）に接続される。スイッチ部１２（ＳＷ）は、自律制御を行い、又は、送受信部１１（ＴＲｘ）若しくはスイッチ部１３（ＳＷ）等の他の構成要素や外部のオペレーションシステム（不図示）やコントローラ（不図示）や外部の装置（不図示）等から制御され、又は、送受信部１１（ＴＲｘ）若しくはスイッチ部１３（ＳＷ）等の他の構成要素や外部のオペレーションシステム（不図示）やコントローラ（不図示）や外部の装置（不図示）等を介して転送された指示で制御される。スイッチ部１２（ＳＷ）は、送受信部１１（ＴＲｘ）若しくはスイッチ部１３（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０６０６】
スイッチ部１３（ＳＷ）は、上位側の装置（不図示）に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。スイッチ部１３（ＳＷ）は、自律制御を行い、又は、送受信部１１（ＴＲｘ）若しくはスイッチ部１２（ＳＷ）等の他の構成要素や外部のオペレーションシステム（不図示）やコントローラ（不図示）や外部の装置（不図示）等から制御され、又は、送受信部１１（ＴＲｘ）若しくはスイッチ部１２（ＳＷ）等の他の構成要素や外部のオペレーションシステム（不図示）やコントローラ（不図示）や外部の装置（不図示）等を介して転送された指示で制御される。スイッチ部１３（ＳＷ）は、スイッチ部１２（ＳＷ）又は上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０６０７】
送受信部１１（ＴＲｘ）、スイッチ部１２（ＳＷ）若しくはスイッチ部１３（ＳＷ）は、送受信部１１（ＴＲｘ）、スイッチ部１２（ＳＷ）若しくはスイッチ部１３（ＳＷ）等の他の構成要素のトラフィックの一部、その全て自体若しくはその複写を受けて、受けたトラフィックの一部、その全て自体、受けたトラフィックの一部、全てを書き換えたトラフィック又は受けたトラフィックに対する応答を、送受信部１１（ＴＲｘ）、スイッチ部１２（ＳＷ）若しくはスイッチ部１３（ＳＷ）等の他の構成要素、外部のオペレーションシステム（不図示）、コントローラ（不図示）又は外部の装置（不図示）に送信してもよい。
【０６０８】
通信システム構成（４９−２）の通信システムでは、通信システム構成（４９−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１２にそれぞれ接続されている。更に、異なる波長の送受信部１１の内の少なくとも一部の波長の送受信部１１がスイッチ部１２に複数接続されていてもよい。他は同様である。
【０６０９】
通信システム構成（５０−１）の通信システムは、送受信部１１（ＴＲｘ）と、スイッチ部１２（ＳＷ）と、制御部１４とを備える（図１６）。異なる波長（λＡ〜λＮ）の光信号を送受信する送受信部１１（ＴＲｘ）がスイッチ部１２に接続されている。
【０６１０】
送受信部１１（ＴＲｘ）は、自律制御を行い、又は、スイッチ部１２（ＳＷ）若しくは制御部１４等の他の構成要素や外部のオペレーションシステム（不図示）やコントローラ（不図示）や外部の装置（不図示）等から制御され、又は、スイッチ部１２（ＳＷ）若しくは制御部１４等の他の構成要素や外部のオペレーションシステム（不図示）やコントローラ（不図示）や外部の装置（不図示）等を介して転送された指示で制御される。送受信部１１（ＴＲｘ）は、ＯＤＮ若しくはスイッチ部１２（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０６１１】
スイッチ部１２（ＳＷ）は、上位側の装置（不図示）に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。スイッチ部１２（ＳＷ）は、自律制御を行い、又は、送受信部１１（ＴＲｘ）若しくは制御部１４等の他の構成要素や外部のオペレーションシステム（不図示）やコントローラ（不図示）や外部の装置（不図示）等から制御され、又は、送受信部１１（ＴＲｘ）若しくは制御部１４等の他の構成要素や外部のオペレーションシステム（不図示）やコントローラ（不図示）や外部の装置（不図示）等を介して転送された指示で制御される。スイッチ部１２（ＳＷ）は、送受信部１１（ＴＲｘ）又は上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０６１２】
制御部１４は、送受信部１１（ＴＲｘ）、スイッチ部１２（ＳＷ）、外部のオペレーションシステム（不図示）、コントローラ（不図示）又は外部の装置（不図示）と接続される。制御部１４は、送受信部１１（ＴＲｘ）若しくはスイッチ部１２（ＳＷ）等の他の構成要素や外部のオペレーションシステム（不図示）やコントローラ（不図示）や外部の装置（不図示）等を制御し、又は送受信部１１（ＴＲｘ）若しくはスイッチ部１２（ＳＷ）等の他の構成要素や外部のオペレーションシステム（不図示）やコントローラ（不図示）や外部の装置（不図示）等を介して指示を転送する。
【０６１３】
送受信部１１（ＴＲｘ）、スイッチ部１２（ＳＷ）若しくは制御部１４は、送受信部１１（ＴＲｘ）若しくはスイッチ部１２（ＳＷ）等の他の構成要素のトラフィックの一部又はその全て自体又はその複写を受けて、受けたトラフィックの一部、その全て自体、受けたトラフィックの一部、全てを書き換えたトラフィック又は受けたトラフィックに対する応答を、送受信部１１（ＴＲｘ）若しくはスイッチ部１２（ＳＷ）等の他の構成要素、外部のオペレーションシステム（不図示）、コントローラ（不図示）又は外部の装置（不図示）に送信してもよい。
【０６１４】
通信システム構成（５０−２）の通信システムでは、通信システム構成（５０−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１２にそれぞれ接続されている。更に、異なる波長の送受信部１１の内の少なくとも一部の波長の送受信部１１がスイッチ部１２に複数接続されていてもよい。他は同様である。
【０６１５】
通信システム構成（５１−１）の通信システムは、送受信部１１（ＴＲｘ）と、スイッチ部１３（ＳＷ）と、制御部１４とを備える（図１６）。異なる波長（λＡ〜λＮ）の光信号を送受信する送受信部１１（ＴＲｘ）がスイッチ部１３（ＳＷ）に接続されている。
【０６１６】
送受信部１１（ＴＲｘ）は、自律制御を行い、又は、スイッチ部１３（ＳＷ）若しくは制御部１４等の他の構成要素や外部のオペレーションシステム（不図示）やコントローラ（不図示）や外部の装置（不図示）等から制御され、又は、スイッチ部１３（ＳＷ）若しくは制御部１４等の他の構成要素や外部のオペレーションシステム（不図示）やコントローラ（不図示）や外部の装置（不図示）等を介して転送された指示で制御される。送受信部１１（ＴＲｘ）は、ＯＤＮ若しくはスイッチ部１３（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０６１７】
スイッチ部１３（ＳＷ）は、上位側の装置（不図示）に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。スイッチ部１３（ＳＷ）は、自律制御を行い、又は、送受信部１１（ＴＲｘ）若しくは制御部１４等の他の構成要素や外部のオペレーションシステム（不図示）やコントローラ（不図示）や外部の装置（不図示）等から制御され、又は、送受信部１１（ＴＲｘ）若しくは制御部１４等の他の構成要素や外部のオペレーションシステム（不図示）やコントローラ（不図示）や外部の装置（不図示）等を介して転送された指示で制御される。スイッチ部１３（ＳＷ）は、送受信部１１（ＴＲｘ）又は上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０６１８】
制御部１４は、送受信部１１（ＴＲｘ）、スイッチ部１３（ＳＷ）、外部のオペレーションシステム（不図示）、コントローラ（不図示）又は外部の装置（不図示）と接続される。制御部１４は、送受信部１１（ＴＲｘ）若しくはスイッチ部１３（ＳＷ）等の他の構成要素や外部のオペレーションシステム（不図示）やコントローラ（不図示）や外部の装置（不図示）等を制御し、又は送受信部１１（ＴＲｘ）若しくはスイッチ部１３（ＳＷ）等の他の構成要素や外部のオペレーションシステム（不図示）やコントローラ（不図示）や外部の装置（不図示）等を介して指示を転送する。
【０６１９】
送受信部１１（ＴＲｘ）、スイッチ部１３（ＳＷ）若しくは制御部１４は、送受信部１１（ＴＲｘ）若しくはスイッチ部１３（ＳＷ）等の他の構成要素のトラフィックの一部又はその全て自体又はその複写を受けて、受けたトラフィックの一部、その全て自体、受けたトラフィックの一部、全てを書き換えたトラフィック又は受けたトラフィックに対する応答を、送受信部１１（ＴＲｘ）若しくはスイッチ部１３（ＳＷ）等の他の構成要素、外部のオペレーションシステム（不図示）、コントローラ（不図示）又は外部の装置（不図示）に送信してもよい。
【０６２０】
通信システム構成（５１−２）の通信システムでは、通信システム構成（５１−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１３（ＳＷ）にそれぞれ接続されている。更に、異なる波長の送受信部１１の内の少なくとも一部の波長の送受信部１１がスイッチ部１３に複数接続されていてもよい。他は同様である。
【０６２１】
通信システム構成（５２−１）の通信システムは、送受信部１１（ＴＲｘ）と、スイッチ部１２（ＳＷ）と、プロキシ部１５とを備える（図１６）。異なる波長（λＡ〜λＮ）の光信号を送受信する送受信部１１（ＴＲｘ）がスイッチ部１２に接続されている。
【０６２２】
送受信部１１（ＴＲｘ）は、自律制御を行い、又は、スイッチ部１２（ＳＷ）若しくはプロキシ部１５等の他の構成要素や外部のオペレーションシステム（不図示）やコントローラ（不図示）や外部の装置（不図示）等から制御され、又は、スイッチ部１２（ＳＷ）若しくはプロキシ部１５等の他の構成要素や外部のオペレーションシステム（不図示）やコントローラ（不図示）や外部の装置（不図示）等を介して転送された指示で制御される。送受信部１１（ＴＲｘ）は、ＯＤＮ若しくはスイッチ部１２（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０６２３】
スイッチ部１２（ＳＷ）は、プロキシ部１５に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。スイッチ部１２（ＳＷ）は、自律制御を行い、又は、送受信部１１（ＴＲｘ）若しくはプロキシ部１５等の他の構成要素や外部のオペレーションシステム（不図示）やコントローラ（不図示）や外部の装置（不図示）等から制御され、又は、送受信部１１（ＴＲｘ）若しくはプロキシ部１５等の他の構成要素や外部のオペレーションシステム（不図示）やコントローラ（不図示）や外部の装置（不図示）等を介して転送された指示で制御される。スイッチ部１２（ＳＷ）は、送受信部１１（ＴＲｘ）又はプロキシ部１５のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０６２４】
プロキシ部１５は、上位側の装置（不図示）に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。プロキシ部１５は、自律制御を行い、又は、送受信部１１（ＴＲｘ）若しくはスイッチ部１２（ＳＷ）等の他の構成要素や外部のオペレーションシステム（不図示）やコントローラ（不図示）や外部の装置（不図示）等から制御され、又は、送受信部１１（ＴＲｘ）若しくはスイッチ部１２（ＳＷ）等の他の構成要素や外部のオペレーションシステム（不図示）やコントローラ（不図示）や外部の装置（不図示）等を介して転送された指示で制御される。プロキシ部１５は、スイッチ部１２（ＳＷ）若しくは上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０６２５】
送受信部１１（ＴＲｘ）、スイッチ部１２（ＳＷ）若しくはプロキシ部１５は、送受信部１１（ＴＲｘ）、スイッチ部１２（ＳＷ）若しくはプロキシ部１５等の他の構成要素のトラフィックの一部又はその全て自体又はその複写を受けて、受けたトラフィックの一部、その全て自体、受けたトラフィックの一部、全てを書き換えたトラフィック又は受けたトラフィックに対する応答を、送受信部１１（ＴＲｘ）、スイッチ部１２（ＳＷ）若しくはプロキシ部１５等の他の構成要素、外部のオペレーションシステム（不図示）、コントローラ（不図示）又は外部の装置（不図示）に送信してもよい。
【０６２６】
通信システム構成（５２−２）の通信システムでは、通信システム構成（５２−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１２にそれぞれ接続されている。更に、異なる波長の送受信部１１の内の少なくとも一部の波長の送受信部１１がスイッチ部１２に複数接続されていてもよい。他は同様である。
【０６２７】
通信システム構成（５３−１）の通信システムは、送受信部１１（ＴＲｘ）と、スイッチ部１３（ＳＷ）と、プロキシ部１５とを備える（図１６）。異なる波長（λＡ〜λＮ）の光信号を送受信する送受信部１１（ＴＲｘ）がスイッチ部１３（ＳＷ）に接続されている。
【０６２８】
送受信部１１（ＴＲｘ）は、自律制御を行い、又は、スイッチ部１３（ＳＷ）若しくはプロキシ部１５等の他の構成要素や外部のオペレーションシステム（不図示）やコントローラ（不図示）や外部の装置（不図示）等から制御され、又は、スイッチ部１３（ＳＷ）若しくはプロキシ部１５等の他の構成要素や外部のオペレーションシステム（不図示）やコントローラ（不図示）や外部の装置（不図示）等を介して転送された指示で制御される。送受信部１１（ＴＲｘ）は、ＯＤＮ若しくはスイッチ部１３（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０６２９】
スイッチ部１３（ＳＷ）は、プロキシ部１５に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。スイッチ部１３（ＳＷ）は、自律制御を行い、又は、送受信部１１（ＴＲｘ）若しくはプロキシ部１５等の他の構成要素や外部のオペレーションシステム（不図示）やコントローラ（不図示）や外部の装置（不図示）等から制御され、又は、送受信部１１（ＴＲｘ）若しくはプロキシ部１５等の他の構成要素や外部のオペレーションシステム（不図示）やコントローラ（不図示）や外部の装置（不図示）等を介して転送された指示で制御される。スイッチ部１３（ＳＷ）は、送受信部１１（ＴＲｘ）又はプロキシ部１５のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０６３０】
プロキシ部１５は、上位側の装置（不図示）に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。プロキシ部１５は、自律制御を行い、又は、送受信部１１（ＴＲｘ）若しくはスイッチ部１３（ＳＷ）等の他の構成要素や外部のオペレーションシステム（不図示）やコントローラ（不図示）や外部の装置（不図示）等から制御され、又は送受信部１１（ＴＲｘ）若しくはスイッチ部１３（ＳＷ）等の他の構成要素や外部のオペレーションシステム（不図示）やコントローラ（不図示）や外部の装置（不図示）等を介して転送された指示で制御される。プロキシ部１５は、スイッチ部１３（ＳＷ）若しくは上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０６３１】
送受信部１１（ＴＲｘ）、スイッチ部１３（ＳＷ）若しくはプロキシ部１５は、送受信部１１（ＴＲｘ）、スイッチ部１３（ＳＷ）若しくはプロキシ部１５等の他の構成要素のトラフィックの一部又はその全て自体又はその複写を受けて、受けたトラフィックの一部、その全て自体、受けたトラフィックの一部、全てを書き換えたトラフィック又は受けたトラフィックに対する応答を、送受信部１１（ＴＲｘ）、スイッチ部１３（ＳＷ）若しくはプロキシ部１５等の他の構成要素、外部のオペレーションシステム（不図示）、コントローラ（不図示）又は外部の装置（不図示）に送信してもよい。
【０６３２】
通信システム構成（５３−２）の通信システムでは、通信システム構成（５３−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１３（ＳＷ）にそれぞれ接続されている。更に、異なる波長の送受信部１１の内の少なくとも一部の波長の送受信部１１がスイッチ部１３に複数接続されていてもよい。他は同様である。
【０６３３】
通信システム構成（５４−１）の通信システムは、送受信部１１（ＴＲｘ）と、制御部１４と、プロキシ部１５とを備える（図１６）。異なる波長（λＡ〜λＮ）の光信号を送受信する送受信部１１（ＴＲｘ）がプロキシ部１５に直接、又は集線ＳＷ等を介して接続されている。この集線ＳＷは、複数のＯＬＴから若しくはＯＬＴへのトラフィックに集約、分配、振分、複製、折返若しくは透過の少なくとも一部を行う。
【０６３４】
送受信部１１（ＴＲｘ）は、自律制御を行い、又は、制御部１４若しくはプロキシ部１５等の他の構成要素や外部のオペレーションシステム（不図示）やコントローラ（不図示）や外部の装置（不図示）等から制御され、又は、制御部１４若しくはプロキシ部１５等の他の構成要素や外部のオペレーションシステム（不図示）やコントローラ（不図示）や外部の装置（不図示）等を介して転送された指示で制御される。送受信部１１（ＴＲｘ）は、ＯＤＮ若しくはプロキシ部１５のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０６３５】
制御部１４は、送受信部１１（ＴＲｘ）、プロキシ部１５、外部のオペレーションシステム（不図示）、コントローラ（不図示）又は外部の装置（不図示）と接続される。制御部１４は、送受信部１１（ＴＲｘ）若しくはプロキシ部１５等の他の構成要素や外部のオペレーションシステム（不図示）やコントローラ（不図示）や外部の装置（不図示）等を制御し、又は送受信部１１（ＴＲｘ）若しくはプロキシ部１５等の他の構成要素や外部のオペレーションシステム（不図示）やコントローラ（不図示）や外部の装置（不図示）等を介して指示を転送する。
【０６３６】
プロキシ部１５は、上位側の装置（不図示）に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。プロキシ部１５は、自律制御を行い、又は、送受信部１１（ＴＲｘ）若しくは制御部１４等の他の構成要素や外部のオペレーションシステム（不図示）やコントローラ（不図示）や外部の装置（不図示）等から制御され、又は送受信部１１（ＴＲｘ）若しくは制御部１４等の他の構成要素や外部のオペレーションシステム（不図示）やコントローラ（不図示）や外部の装置（不図示）等を介して転送された指示で制御される。プロキシ部１５は、送受信部１１（ＴＲｘ）又は上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０６３７】
送受信部１１（ＴＲｘ）、制御部１４若しくはプロキシ部１５は、送受信部１１（ＴＲｘ）若しくはプロキシ部１５等の他の構成要素のトラフィックの一部又はその全て自体又はその複写を受けて、受けたトラフィックの一部、その全て自体、受けたトラフィックの一部、全てを書き換えたトラフィック又は受けたトラフィックに対する応答を、送受信部１１（ＴＲｘ）及びプロキシ部１５等の他の構成要素、外部のオペレーションシステム（不図示）、コントローラ（不図示）又は外部の装置（不図示）に送信してもよい。
【０６３８】
通信システム構成（５４−２）の通信システムでは、通信システム構成（５４−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）がプロキシ部１５に直接、又は集線ＳＷ等を介してそれぞれ接続されている。この集線ＳＷは、複数のＯＬＴから若しくはＯＬＴへのトラフィックに集約、分配、振分、複製、折返若しくは透過の少なくとも一部を行う。更に、異なる波長の送受信部１１の内の少なくとも一部の波長の送受信部１１がプロキシ部１５に直接、又は集線ＳＷ等を介して複数接続されていてもよい。この集線ＳＷは、複数のＯＬＴから若しくはＯＬＴへのトラフィックに集約、分配、振分、複製、折返若しくは透過の少なくとも一部を行う。他は同様である。
【０６３９】
通信システム構成（５５−１）の通信システムは、送受信部１１（ＴＲｘ）と、スイッチ部１２（ＳＷ）と、外部サーバ１６とを備える（図１６）。異なる波長（λＡ〜λＮ）の光信号を送受信する送受信部１１（ＴＲｘ）がスイッチ部１２に接続されている。
【０６４０】
送受信部１１（ＴＲｘ）は、自律制御を行い、又は、スイッチ部１２（ＳＷ）若しくは外部サーバ１６等の他の構成要素や外部のオペレーションシステム（不図示）やコントローラ（不図示）や外部の装置（不図示）等から制御され、又は、スイッチ部１２（ＳＷ）若しくは外部サーバ１６等の他の構成要素や外部のオペレーションシステム（不図示）やコントローラ（不図示）や外部の装置（不図示）等を介して転送された指示で制御される。送受信部１１（ＴＲｘ）は、ＯＤＮ若しくはスイッチ部１２（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０６４１】
スイッチ部１２（ＳＷ）は、上位側の装置（不図示）に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。スイッチ部１２（ＳＷ）は、自律制御を行い、又は、送受信部１１（ＴＲｘ）若しくは外部サーバ１６等の他の構成要素や外部のオペレーションシステム（不図示）やコントローラ（不図示）や外部の装置（不図示）等から制御され、又は、送受信部１１（ＴＲｘ）若しくは外部サーバ１６等の他の構成要素や外部のオペレーションシステム（不図示）やコントローラ（不図示）や外部の装置（不図示）等を介して転送された指示で制御される。スイッチ部１２（ＳＷ）は、送受信部１１（ＴＲｘ）又は上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０６４２】
外部サーバ１６は、送受信部１１（ＴＲｘ）、スイッチ部１２（ＳＷ）、外部のオペレーションシステム（不図示）、コントローラ（不図示）又は外部の装置（不図示）と接続される。外部サーバ１６は、送受信部１１（ＴＲｘ）若しくはスイッチ部１２（ＳＷ）等の他の構成要素や外部のオペレーションシステム（不図示）やコントローラ（不図示）や外部の装置（不図示）等を制御し、又は送受信部１１（ＴＲｘ）若しくはスイッチ部１２（ＳＷ）等の他の構成要素や外部のオペレーションシステム（不図示）やコントローラ（不図示）や外部の装置（不図示）等を介して指示を転送する。
【０６４３】
送受信部１１（ＴＲｘ）、スイッチ部１２（ＳＷ）若しくは外部サーバ１６は、送受信部１１（ＴＲｘ）、スイッチ部１２（ＳＷ）若しくは外部サーバ１６等の他の構成要素のトラフィックの一部又はその全て自体又はその複写を受けて、受けたトラフィックの一部、その全て自体、受けたトラフィックの一部、全てを書き換えたトラフィック又は受けたトラフィックに対する応答を、送受信部１１（ＴＲｘ）、スイッチ部１２（ＳＷ）若しくは外部サーバ１６等の他の構成要素、外部のオペレーションシステム（不図示）、コントローラ（不図示）又は外部の装置（不図示）に送信してもよい。
【０６４４】
通信システム構成（５５−２）の通信システムでは、通信システム構成（５５−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１２にそれぞれ接続されている。更に、異なる波長の送受信部１１の内の少なくとも一部の波長の送受信部１１がスイッチ部１２に複数接続されていてもよい。他は同様である。
【０６４５】
通信システム構成（５６−１）の通信システムは、送受信部１１（ＴＲｘ）と、スイッチ部１３（ＳＷ）と、外部サーバ１６とを備える（図１６）。異なる波長（λＡ〜λＮ）の光信号を送受信する送受信部１１（ＴＲｘ）がスイッチ部１３（ＳＷ）に接続されている。
【０６４６】
送受信部１１（ＴＲｘ）は、自律制御を行い、又は、スイッチ部１３（ＳＷ）若しくは外部サーバ１６等の他の構成要素や外部のオペレーションシステム（不図示）やコントローラ（不図示）や外部の装置（不図示）等から制御され、又は、スイッチ部１３（ＳＷ）若しくは外部サーバ１６等の他の構成要素や外部のオペレーションシステム（不図示）やコントローラ（不図示）や外部の装置（不図示）等を介して転送された指示で制御される。送受信部１１（ＴＲｘ）は、ＯＤＮ若しくはスイッチ部１３（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０６４７】
スイッチ部１３（ＳＷ）は、上位側の装置（不図示）に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。スイッチ部１３（ＳＷ）は、自律制御を行い、又は、送受信部１１（ＴＲｘ）若しくは外部サーバ１６等の他の構成要素や外部のオペレーションシステム（不図示）やコントローラ（不図示）や外部の装置（不図示）等から制御され、又は、送受信部１１（ＴＲｘ）若しくは外部サーバ１６等の他の構成要素や外部のオペレーションシステム（不図示）やコントローラ（不図示）や外部の装置（不図示）等を介して転送された指示で制御される。スイッチ部１３（ＳＷ）は、送受信部１１（ＴＲｘ）若しくは上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０６４８】
外部サーバ１６は、送受信部１１（ＴＲｘ）、スイッチ部１３（ＳＷ）、外部のオペレーションシステム（不図示）、コントローラ（不図示）又は外部の装置（不図示）と接続される。外部サーバ１６は、送受信部１１（ＴＲｘ）若しくはスイッチ部１３（ＳＷ）等の他の構成要素や外部のオペレーションシステム（不図示）やコントローラ（不図示）や外部の装置（不図示）等を制御し、又は送受信部１１（ＴＲｘ）若しくはスイッチ部１３（ＳＷ）等の他の構成要素や外部のオペレーションシステム（不図示）やコントローラ（不図示）や外部の装置（不図示）等を介して指示を転送する。
【０６４９】
送受信部１１（ＴＲｘ）、スイッチ部１３（ＳＷ）若しくは外部サーバ１６は、送受信部１１（ＴＲｘ）、スイッチ部１３（ＳＷ）若しくは外部サーバ１６等の他の構成要素のトラフィックの一部若しくはその全て自体又はその複写を受けて、受けたトラフィックの一部、その全て自体、受けたトラフィックの一部、全てを書き換えたトラフィック又は受けたトラフィックに対する応答を、送受信部１１（ＴＲｘ）、スイッチ部１３（ＳＷ）若しくは外部サーバ１６等の他の構成要素、外部のオペレーションシステム（不図示）、コントローラ（不図示）又は外部の装置（不図示）に送信してもよい。
【０６５０】
通信システム構成（５６−２）の通信システムでは、通信システム構成（５６−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１３（ＳＷ）にそれぞれ接続されている。更に、異なる波長の送受信部１１の内の少なくとも一部の波長の送受信部１１がスイッチ部１３に複数接続されていてもよい。他は同様である。
【０６５１】
通信システム構成（５７−１）の通信システムは、送受信部１１（ＴＲｘ）と、制御部１４と、外部サーバ１６とを備える（図１６）。異なる波長（λＡ〜λＮ）の光信号を送受信する送受信部１１（ＴＲｘ）が上位側の装置（不図示）に直接、又は集線ＳＷ等を介して接続されている。この集線ＳＷは、複数のＯＬＴから若しくはＯＬＴへのトラフィックに集約、分配、振分、複製、折返若しくは透過の少なくとも一部を行う。
【０６５２】
送受信部１１（ＴＲｘ）は、自律制御を行い、又は、制御部１４若しくは外部サーバ１６等の他の構成要素や外部のオペレーションシステム（不図示）やコントローラ（不図示）や外部の装置（不図示）等から制御され、又は、制御部１４若しくは外部サーバ１６等の他の構成要素や外部のオペレーションシステム（不図示）やコントローラ（不図示）や外部の装置（不図示）等を介して転送された指示で制御される。送受信部１１（ＴＲｘ）は、ＯＤＮ若しくは上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０６５３】
制御部１４は、送受信部１１（ＴＲｘ）、外部サーバ１６、外部のオペレーションシステム（不図示）、コントローラ（不図示）又は外部の装置（不図示）と接続される。制御部１４は、送受信部１１（ＴＲｘ）若しくは外部サーバ１６等の他の構成要素や外部のオペレーションシステム（不図示）やコントローラ（不図示）や外部の装置（不図示）等を制御し、又は送受信部１１（ＴＲｘ）若しくは外部サーバ１６等の他の構成要素や外部のオペレーションシステム（不図示）やコントローラ（不図示）や外部の装置（不図示）等を介して指示を転送する。
【０６５４】
外部サーバ１６は、送受信部１１（ＴＲｘ）、制御部１４、外部のオペレーションシステム（不図示）、コントローラ（不図示）又は外部の装置（不図示）と接続される。外部サーバ１６は、送受信部１１（ＴＲｘ）若しくは制御部１４等の他の構成要素や外部のオペレーションシステム（不図示）やコントローラ（不図示）や外部の装置（不図示）等を制御し、又は送受信部１１（ＴＲｘ）若しくは制御部１４等の他の構成要素や外部のオペレーションシステム（不図示）やコントローラ（不図示）や外部の装置（不図示）等を介して指示を転送する。
送受信部１１（ＴＲｘ）、制御部１４若しくは外部サーバ１６は、送受信部１１（ＴＲｘ）若しくは外部サーバ１６等の他の構成要素のトラフィックの一部若しくはその全て自体又はその複写を受けて、受けたトラフィックの一部、その全て自体、受けたトラフィックの一部、全てを書き換えたトラフィック又は受けたトラフィックに対する応答を、送受信部１１（ＴＲｘ）若しくは外部サーバ１６等の他の構成要素、外部のオペレーションシステム（不図示）、コントローラ（不図示）又は外部の装置（不図示）に送信してもよい。
【０６５５】
通信システム構成（５７−２）の通信システムでは、通信システム構成（５７−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が上位側の装置（不図示）に直接、又は集線ＳＷ等を介してそれぞれ接続されている。この集線ＳＷは、複数のＯＬＴから若しくはＯＬＴへのトラフィックに集約、分配、振分、複製、折返若しくは透過の少なくとも一部を行う。更に、異なる波長の送受信部１１の内の少なくとも一部の波長の送受信部１１が上位側の装置（不図示）に直接、又は集線ＳＷ等を介して複数接続されていてもよい。この集線ＳＷは、複数のＯＬＴから若しくはＯＬＴへのトラフィックに集約、分配、振分、複製、折返若しくは透過の少なくとも一部を行う。他は同様である。
【０６５６】
通信システム構成（５８−１）の通信システムは、光スイッチ部１０と、送受信部１１（ＴＲｘ）と、プロキシ部１５と、外部サーバ１６とを備える（図１６）。異なる波長（λＡ〜λＮ）の光信号を送受信する送受信部１１（ＴＲｘ）がプロキシ部１５に直接、又は集線ＳＷ等を介して接続されている。この集線ＳＷは、複数のＯＬＴから若しくはＯＬＴへのトラフィックに集約、分配、振分、複製、折返若しくは透過の少なくとも一部を行う。
【０６５７】
送受信部１１（ＴＲｘ）は、自律制御を行い、又は、プロキシ部１５若しくは外部サーバ１６等の他の構成要素や外部のオペレーションシステム（不図示）やコントローラ（不図示）や外部の装置（不図示）等から制御され、又は、プロキシ部１５若しくは外部サーバ１６等の他の構成要素や外部のオペレーションシステム（不図示）やコントローラ（不図示）や外部の装置（不図示）等を介して転送された指示で制御される。送受信部１１（ＴＲｘ）は、ＯＤＮ若しくはプロキシ部１５のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０６５８】
プロキシ部１５は、自律制御を行い、又は、送受信部１１（ＴＲｘ）若しくは外部サーバ１６等の他の構成要素や外部のオペレーションシステム（不図示）やコントローラ（不図示）や外部の装置（不図示）等から制御され、又は、送受信部１１（ＴＲｘ）若しくは外部サーバ１６等の他の構成要素や外部のオペレーションシステム（不図示）やコントローラ（不図示）や外部の装置（不図示）等を介して転送された指示で制御される。プロキシ部１５は、送受信部１１（ＴＲｘ）若しくは上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０６５９】
外部サーバ１６は、送受信部１１（ＴＲｘ）、プロキシ部１５、外部のオペレーションシステム（不図示）、コントローラ（不図示）又は外部の装置（不図示）と接続される。外部サーバ１６は、送受信部１１（ＴＲｘ）若しくはプロキシ部１５等の他の構成要素や外部のオペレーションシステム（不図示）やコントローラ（不図示）や外部の装置（不図示）等を制御し、又は送受信部１１（ＴＲｘ）若しくはプロキシ部１５等の他の構成要素や外部のオペレーションシステム（不図示）やコントローラ（不図示）や外部の装置（不図示）等を介して指示を転送する。
【０６６０】
送受信部１１（ＴＲｘ）、プロキシ部１５若しくは外部サーバ１６は、送受信部１１（ＴＲｘ）、プロキシ部１５若しくは外部サーバ１６等の他の構成要素のトラフィックの一部若しくはその全て自体又はその複写を受けて、受けたトラフィックの一部、その全て自体、受けたトラフィックの一部、全てを書き換えたトラフィック又は受けたトラフィックに対する応答を、送受信部１１（ＴＲｘ）、プロキシ部１５若しくは外部サーバ１６等の他の構成要素、外部のオペレーションシステム（不図示）、コントローラ（不図示）又は外部の装置（不図示）に送信してもよい。
【０６６１】
通信システム構成（５８−２）の通信システムでは、通信システム構成（５８−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）がプロキシ部１５に直接、又は集線ＳＷ等を介してそれぞれ接続されている。この集線ＳＷは、複数のＯＬＴから若しくはＯＬＴへのトラフィックに集約、分配、振分、複製、折返若しくは透過の少なくとも一部を行う。更に、異なる波長の送受信部１１の内の少なくとも一部の波長の送受信部１１がプロキシ部１５に直接、又は集線ＳＷ等を介して複数接続されていてもよい。この集線ＳＷは、複数のＯＬＴから若しくはＯＬＴへのトラフィックに集約、分配、振分、複製、折返若しくは透過の少なくとも一部を行う。他は同様である。
【０６６２】
通信システム構成（５９−１）の通信システムは、送受信部１１（ＴＲｘ）と、スイッチ部１２（ＳＷ）とを備える（図１６）。異なる波長（λＡ〜λＮ）の光信号を送受信する送受信部１１（ＴＲｘ）がスイッチ部１２に接続されている。
【０６６３】
送受信部１１（ＴＲｘ）は、自律制御を行い、又は、スイッチ部１２（ＳＷ）等の他の構成要素や外部のオペレーションシステム（不図示）やコントローラ（不図示）や外部の装置（不図示）等から制御され、又は、スイッチ部１２（ＳＷ）等の他の構成要素や外部のオペレーションシステム（不図示）やコントローラ（不図示）や外部の装置（不図示）等を介して転送された指示で制御される。送受信部１１（ＴＲｘ）は、ＯＤＮ若しくはスイッチ部１２（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０６６４】
スイッチ部１２（ＳＷ）は、上位側の装置（不図示）に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。スイッチ部１２（ＳＷ）は、自律制御を行い、又は、送受信部１１（ＴＲｘ）等の他の構成要素や外部のオペレーションシステム（不図示）やコントローラ（不図示）や外部の装置（不図示）等から制御され、又は、送受信部１１（ＴＲｘ）等の他の構成要素や外部のオペレーションシステム（不図示）やコントローラ（不図示）や外部の装置（不図示）等を介して転送された指示で制御される。スイッチ部１２（ＳＷ）は、送受信部１１（ＴＲｘ）又は上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０６６５】
送受信部１１（ＴＲｘ）又はスイッチ部１２（ＳＷ）は、送受信部１１（ＴＲｘ）若しくはスイッチ部１２（ＳＷ）等の他の構成要素のトラフィックの一部若しくはその全て自体又はその複写を受けて、受けたトラフィックの一部、その全て自体、受けたトラフィックの一部、全てを書き換えたトラフィック又は受けたトラフィックに対する応答を、送受信部１１（ＴＲｘ）若しくはスイッチ部１２（ＳＷ）等の他の構成要素、外部のオペレーションシステム（不図示）、コントローラ（不図示）又は外部の装置（不図示）に送信してもよい。
【０６６６】
通信システム構成（５９−２）の通信システムでは、通信システム構成（５９−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１２にそれぞれ接続されている。更に、異なる波長の送受信部１１の内の少なくとも一部の波長の送受信部１１がスイッチ部１２に複数接続されていてもよい。他は同様である。
【０６６７】
通信システム構成（６０−１）の通信システムは、送受信部１１（ＴＲｘ）と、スイッチ部１３（ＳＷ）とを備える（図１６）。異なる波長（λＡ〜λＮ）の光信号を送受信する送受信部１１（ＴＲｘ）がスイッチ部１３（ＳＷ）に接続されている。
【０６６８】
送受信部１１（ＴＲｘ）は、自律制御を行い、又は、スイッチ部１３（ＳＷ）等の他の構成要素や外部のオペレーションシステム（不図示）やコントローラ（不図示）や外部の装置（不図示）等から制御され、又は、スイッチ部１３（ＳＷ）等の他の構成要素や外部のオペレーションシステム（不図示）やコントローラ（不図示）や外部の装置（不図示）等を介して転送された指示で制御される。送受信部１１（ＴＲｘ）は、ＯＤＮ若しくはスイッチ部１３（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０６６９】
スイッチ部１３（ＳＷ）は、上位側の装置（不図示）に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。スイッチ部１３（ＳＷ）は、自律制御を行い、又は、送受信部１１（ＴＲｘ）等の他の構成要素や外部のオペレーションシステム（不図示）やコントローラ（不図示）や外部の装置（不図示）等から制御され、又は、送受信部１１（ＴＲｘ）等の他の構成要素や外部のオペレーションシステム（不図示）やコントローラ（不図示）や外部の装置（不図示）等を介して転送された指示で制御される。スイッチ部１３（ＳＷ）は、送受信部１１（ＴＲｘ）又は上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０６７０】
送受信部１１（ＴＲｘ）又はスイッチ部１３（ＳＷ）は、送受信部１１（ＴＲｘ）若しくはスイッチ部１３（ＳＷ）等の他の構成要素のトラフィックの一部又はその全て自体又はその複写を受けて、受けたトラフィックの一部、その全て自体、受けたトラフィックの一部、全てを書き換えたトラフィック又は受けたトラフィックに対する応答を、送受信部１１（ＴＲｘ）若しくはスイッチ部１３（ＳＷ）等の他の構成要素、外部のオペレーションシステム（不図示）、コントローラ（不図示）又は外部の装置（不図示）に送信してもよい。
【０６７１】
通信システム構成（６０−２）の通信システムでは、通信システム構成（６０−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１３（ＳＷ）にそれぞれ接続されている。更に、異なる波長の送受信部１１の内の少なくとも一部の波長の送受信部１１がスイッチ部１３に複数接続されていてもよい。他は同様である。
【０６７２】
通信システム構成（６１−１）の通信システムは、送受信部１１（ＴＲｘ）と、制御部１４とを備える（図１６）。異なる波長（λＡ〜λＮ）の光信号を送受信する送受信部１１（ＴＲｘ）が上位側の装置（不図示）に直接、又は集線ＳＷ等を介して接続されている。この集線ＳＷは、複数のＯＬＴから若しくはＯＬＴへのトラフィックに集約、分配、振分、複製、折返若しくは透過の少なくとも一部を行う。
【０６７３】
送受信部１１（ＴＲｘ）は、自律制御を行い、又は、制御部１４等の他の構成要素や外部のオペレーションシステム（不図示）やコントローラ（不図示）や外部の装置（不図示）等から制御され、又は、制御部１４等の他の構成要素や外部のオペレーションシステム（不図示）やコントローラ（不図示）や外部の装置（不図示）等を介して転送された指示で制御される。送受信部１１（ＴＲｘ）は、ＯＤＮ若しくは上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０６７４】
制御部１４は、送受信部１１（ＴＲｘ）、外部のオペレーションシステム（不図示）、コントローラ（不図示）又は外部の装置（不図示）と接続される。制御部１４は、送受信部１１（ＴＲｘ）等の他の構成要素や外部のオペレーションシステム（不図示）やコントローラ（不図示）や外部の装置（不図示）等を制御し、又は送受信部１１（ＴＲｘ）等の他の構成要素や外部のオペレーションシステム（不図示）やコントローラ（不図示）や外部の装置（不図示）等を介して指示を転送する。
【０６７５】
送受信部１１（ＴＲｘ）又は制御部１４は、送受信部１１（ＴＲｘ）の他の構成要素のトラフィックの一部若しくはその全て自体又はその複写を受けて、受けたトラフィックの一部、その全て自体、受けたトラフィックの一部、全てを書き換えたトラフィック又は受けたトラフィックに対する応答を、送受信部１１（ＴＲｘ）等の他の構成要素、外部のオペレーションシステム（不図示）、コントローラ（不図示）又は外部の装置（不図示）に送信してもよい。
【０６７６】
通信システム構成（６１−２）の通信システムでは、通信システム構成（６１−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が上位側の装置（不図示）に直接、又は集線ＳＷ等を介してそれぞれ接続されている。この集線ＳＷは、複数のＯＬＴから若しくはＯＬＴへのトラフィックに集約、分配、振分、複製、折返若しくは透過の少なくとも一部を行う。更に、異なる波長の送受信部１１の内の少なくとも一部の波長の送受信部１１が上位側の装置（不図示）に直接、又は集線ＳＷ等を介して複数接続されていてもよい。この集線ＳＷは、複数のＯＬＴから若しくはＯＬＴへのトラフィックに集約、分配、振分、複製、折返若しくは透過の少なくとも一部を行う。他は同様である。
【０６７７】
通信システム構成（６２−１）の通信システムは、送受信部１１（ＴＲｘ）と、プロキシ部１５とを備える（図１６）。異なる波長（λＡ〜λＮ）の光信号を送受信する送受信部１１（ＴＲｘ）がプロキシ部１５に直接、又は集線ＳＷ等を介して接続されている。この集線ＳＷは、複数のＯＬＴから若しくはＯＬＴへのトラフィックに集約、分配、振分、複製、折返若しくは透過の少なくとも一部を行う。
【０６７８】
送受信部１１（ＴＲｘ）は、自律制御を行い、又は、プロキシ部１５等の他の構成要素や外部のオペレーションシステム（不図示）やコントローラ（不図示）や外部の装置（不図示）等から制御され、又はプロキシ部１５等の他の構成要素や外部のオペレーションシステム（不図示）やコントローラ（不図示）や外部の装置（不図示）等を介して転送された指示で制御される。送受信部１１（ＴＲｘ）は、ＯＤＮ若しくはプロキシ部１５のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０６７９】
プロキシ部１５は、自律制御を行い、又は、送受信部１１（ＴＲｘ）等の他の構成要素や外部のオペレーションシステム（不図示）やコントローラ（不図示）や外部の装置（不図示）等から制御され、又は、送受信部１１（ＴＲｘ）等の他の構成要素や外部のオペレーションシステム（不図示）やコントローラ（不図示）や外部の装置（不図示）等を介して転送された指示で制御される。プロキシ部１５は、送受信部１１（ＴＲｘ）若しくは上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０６８０】
送受信部１１（ＴＲｘ）やプロキシ部１５は、送受信部１１（ＴＲｘ）若しくはプロキシ部１５等の他の構成要素のトラフィックの一部若しくはその全て自体又はその複写を受けて、受けたトラフィックの一部、その全て自体、受けたトラフィックの一部、全てを書き換えたトラフィック又は受けたトラフィックに対する応答を、送受信部１１（ＴＲｘ）若しくはプロキシ部１５等の他の構成要素、外部のオペレーションシステム（不図示）、コントローラ（不図示）又は外部の装置（不図示）に送信してもよい。
【０６８１】
通信システム構成（６２−２）の通信システムでは、通信システム構成（６２−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）がプロキシ部１５に直接、又は集線ＳＷ等を介してそれぞれ接続されている。この集線ＳＷは、複数のＯＬＴから若しくはＯＬＴへのトラフィックに集約、分配、振分、複製、折返若しくは透過の少なくとも一部を行う。更に、異なる波長の送受信部１１の内の少なくとも一部の波長の送受信部１１がプロキシ部１５に直接、又は集線ＳＷ等を介して複数接続されていてもよい。この集線ＳＷは、複数のＯＬＴから若しくはＯＬＴへのトラフィックに集約、分配、振分、複製、折返若しくは透過の少なくとも一部を行う。他は同様である。
【０６８２】
通信システム構成（６３−１）の通信システムは、送受信部１１（ＴＲｘ）と、外部サーバ１６とを備える（図１６）。異なる波長（λＡ〜λＮ）の光信号を送受信する送受信部１１（ＴＲｘ）が上位側の装置（不図示）に直接、又は集線ＳＷ等を介して接続されている。この集線ＳＷは、複数のＯＬＴから若しくはＯＬＴへのトラフィックに集約、分配、振分、複製、折返若しくは透過の少なくとも一部を行う。
【０６８３】
送受信部１１（ＴＲｘ）は、自律制御を行い、又は、外部サーバ１６等の他の構成要素や外部のオペレーションシステム（不図示）やコントローラ（不図示）や外部の装置（不図示）等から制御され、又は、外部サーバ１６等の他の構成要素や外部のオペレーションシステム（不図示）やコントローラ（不図示）や外部の装置（不図示）等を介して転送された指示で制御される。送受信部１１（ＴＲｘ）は、ＯＤＮ若しくは上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０６８４】
外部サーバ１６は、送受信部１１（ＴＲｘ）、外部のオペレーションシステム（不図示）、コントローラ（不図示）又は外部の装置（不図示）と接続される。外部サーバ１６は、送受信部１１（ＴＲｘ）等の他の構成要素や外部のオペレーションシステム（不図示）やコントローラ（不図示）や外部の装置（不図示）等を制御し、又は送受信部１１（ＴＲｘ）の他の構成要素や外部のオペレーションシステム（不図示）やコントローラ（不図示）や外部の装置（不図示）等を介して指示を転送する。
【０６８５】
送受信部１１（ＴＲｘ）又は外部サーバ１６は、送受信部１１（ＴＲｘ）若しくは外部サーバ１６等の他の構成要素のトラフィックの一部若しくはその全て自体又はその複写を受けて、受けたトラフィックの一部、その全て自体、受けたトラフィックの一部、全てを書き換えたトラフィック又は受けたトラフィックに対する応答を、送受信部１１（ＴＲｘ）若しくは外部サーバ１６等の他の構成要素、外部のオペレーションシステム（不図示）、コントローラ（不図示）又は外部の装置（不図示）に送信してもよい。
【０６８６】
通信システム構成（６３−２）の通信システムでは、通信システム構成（６３−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が上位側の装置（不図示）に直接、又は集線ＳＷ等を介してそれぞれ接続されている。この集線ＳＷは、複数のＯＬＴから若しくはＯＬＴへのトラフィックに集約、分配、振分、複製、折返若しくは透過の少なくとも一部を行う。更に、異なる波長の送受信部１１の内の少なくとも一部の波長の送受信部１１が上位側の装置（不図示）に直接、又は集線ＳＷ等を介して複数接続されていてもよい。この集線ＳＷは、複数のＯＬＴから若しくはＯＬＴへのトラフィックに集約、分配、振分、複製、折返若しくは透過の少なくとも一部を行う。他は同様である。
【０６８７】
通信システム構成（６４−１）の通信システムは、送受信部１１（ＴＲｘ）を備える（図１６）。異なる波長（λＡ〜λＮ）の光信号を送受信する送受信部１１（ＴＲｘ）が、上位側の装置（不図示）に直接、又は集線ＳＷ等を介して接続されている。この集線ＳＷは、複数のＯＬＴから若しくはＯＬＴへのトラフィックに集約、分配、振分、複製、折返若しくは透過の少なくとも一部を行う。
【０６８８】
送受信部１１（ＴＲｘ）は、自律制御を行い、又は、他の構成要素や外部のオペレーションシステム（不図示）やコントローラ（不図示）や外部の装置（不図示）等から制御され、又は、他の構成要素や外部のオペレーションシステム（不図示）やコントローラ（不図示）や外部の装置（不図示）等を介して転送された指示で制御される。送受信部１１（ＴＲｘ）は、ＯＤＮ若しくは上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０６８９】
送受信部１１（ＴＲｘ）は、送受信部１１（ＴＲｘ）等の構成要素のトラフィックの一部若しくはその全て自体又はその複写を受けて、受けたトラフィックの一部、その全て自体、受けたトラフィックの一部、全てを書き換えたトラフィック又は受けたトラフィックに対する応答を、送受信部１１（ＴＲｘ）等の構成要素の内部、外部のオペレーションシステム（不図示）、コントローラ（不図示）又は外部の装置（不図示）に送信してもよい。
【０６９０】
通信システム構成（６４−２）の通信システムでは、通信システム構成（６４−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が上位側の装置（不図示）に直接、又は集線ＳＷ等を介してそれぞれ接続されている。この集線ＳＷは、複数のＯＬＴから若しくはＯＬＴへのトラフィックに集約、分配、振分、複製、折返若しくは透過の少なくとも一部を行う。更に、異なる波長の送受信部１１の内の少なくとも一部の波長の送受信部１１が上位側の装置（不図示）に直接、又は集線ＳＷ等を介して複数接続されていてもよい。この集線ＳＷは、複数のＯＬＴから若しくはＯＬＴへのトラフィックに集約、分配、振分、複製、折返若しくは透過の少なくとも一部を行う。他は同様である。
【０６９１】
以下、仮想化実体を指示部、処理実体を実行部として説明する。
なお、仮想化実体から処理実体に切替を指示をする形で例示するが、処理実体から仮想化実体に切替を通告する場合も同様である。
【０６９２】
（第１の構成例）
ＯＬＴが送受信部１１を備え、実行部と指示部とを分離して機能配備する例について説明する。この場合、ＯＬＴは、送受信部１１に実行部を備える。ＯＬＴは、送受信部１１の情報処理部や、ＣＰＵ（Ｃｅｎｔｒａｌ  Ｐｒｏｃｅｓｓｉｎｇ  Ｕｎｉｔ）等の演算処理可能な箇所に、指示部を備える。実行部が指示部よりＰＯＮ側に配置されることが応答速度の観点から好ましいが、逆でもよく、同位置の別装置上でもよく、同一装置上の別ＶＭ上でもよい。また、第１の構成例において、ＯＬＴは、主に可変波長の送受信部１１（ＴＲｘ）の入出力を含む同一波長(後述の例では、同一の周波数やモードやコアや符号や周波数や（サブ）キャリア等や波長を含めたそれらの組み合わせであってもよい)の送受信部１１（ＴＲｘ）の入出力を異なる芯線(後述の例では異なるモードやコア等や芯線を含めたこれらの組み合わせであってもよい)又はそれらにつながる光合分波器等に切替又は可変波長を含む複数波長（後述の例では、複数の周波数やモードやコアや符号や周波数や（サブ）キャリア等や波長を含めたそれらの組み合わせであってもよい）の送受信部１１（ＴＲｘ）の入出力又はそれらを光合分波器等で束ねたものを異なる芯線（後述の例では異なるモードやコア等や芯線を含めたこれらの組み合わせであってもよい）に切替又は可変波長含む波長（後述の例では、周波数やモードやコアや符号や周波数や（サブ）キャリア等や波長を含めたそれらの組み合わせであってもよい）の送受信部１１（ＴＲｘ）の入出力を束ねて、異なる芯線（後述の例では異なるモードやコア等や芯線を含めたこれらの組み合わせであってもよい）又はそれらにつながる光合分波器等に切替する光スイッチ部１０を備える。なお、以下に示す第２の構成例から第４９の構成例においても、ＯＬＴは、光スイッチ部１０を備える。
【０６９３】
実行部と指示部の入出力は、内部配線、バックボード、ＯＡＭ部１１４、主信号線、専用の配線、オペレーションシステム、コントローラ又は制御盤（Ｃｏｎｔ盤）等の経路のいずれでよい。やりとりを指示部で直接終端して入力する場合、ＯＡＭ部１１４又は主信号にカプセル化してもよい。やりとりをいずれかの箇所で終端して、内部配線、バックボード、ＯＡＭ部１１４、主信号線、専用の配線、オペレーションシステム、コントローラ又は制御盤等の経路を経由して入力してもよい。ＯＡＭ部１１４や主信号線を用いる場合、ＯＡＭ部１１４や主信号にカプセル化することが望ましい。主信号線を通す場合はＯＳＵ又は他箇所のスイッチ部にて指示部に振り分けることが望ましい。
【０６９４】
なお、第１の構成例は、通信システム構成（１−１）〜（６４−２）における送受信部１１と送受信部１１に演算処理可能な箇所を備える任意の構成に適用できる。
【０６９５】
（第２の構成例）
第２の構成例では、実行部を送受信部１１に備え、指示部をスイッチ部１２の例えば情報処理部や、ＣＰＵ等の演算処理可能な箇所に備える。その他は第１の構成例と同様である。なお、第２の構成例は、通信システム構成（１−１）〜（６４−２）における送受信部１１とスイッチ部１２に演算処理可能な箇所を備える任意の構成に適用できる。なお、送受信部１１とスイッチ部１２の演算処理可能な箇所の両方に実行部及び指示部が備わっていてもよい。
【０６９６】
（第３の構成例）
第３の構成例では、実行部を送受信部１１に備え、指示部をＯＳＵの例えば情報処理部や、ＣＰＵ等の演算処理可能な箇所に備える。その他は第１の構成例と同様である。なお、第３の構成例は、通信システム構成（１−１）〜（６４−２）における送受信部１１とＯＳＵに演算処理可能な箇所を備える任意の構成に適用できる。なお、送受信部１１とＯＳＵの演算処理可能な箇所の両方に実行部及び指示部が備わっていてもよい。
【０６９７】
（第４の構成例）
第４の構成例では、実行部を送受信部１１に備え、指示部をスイッチ部１３の例えば情報処理部や、ＣＰＵ等の演算処理可能な箇所に備える。その他は第１の構成例と同様である。なお、第４の構成例は、通信システム構成（１−１）〜（６４−２）における送受信部１１とスイッチ部１３に演算処理可能な箇所を備える任意の構成に適用できる。なお、送受信部１１とスイッチ部１３の演算処理可能な箇所の両方に実行部及び指示部が備わっていてもよい。
【０６９８】
（第５の構成例）
第５の構成例では、実行部を送受信部１１に備え、指示部をＯＬＴの例えば制御部１４、情報処理部、制御盤又はＣＰＵ盤等の演算処理可能な箇所に備える。その他は第１の構成例と同様である。なお、第５の構成例は、通信システム構成（１−１）〜（６４−２）における送受信部１１とＯＬＴに演算処理可能な箇所を備える任意の構成に適用できる。なお、送受信部１１とＯＬＴの演算処理可能な箇所の両方に実行部及び指示部が備わっていてもよい。
【０６９９】
（第６の構成例）
第６の構成例では、実行部を送受信部１１に備え、指示部をＯＬＴ外部の例えばセンタクラウド、ローカルクラウド、エッジクラウド、単独の外部サーバ１６、情報処理部、オペレーションシステム又はＮＥコントローラなどのＥＭＳ等の演算処理可能な箇所に備える。その他は第１の構成例と同様である。なお、第６の構成例は、通信システム構成（１−１）〜（６４−２）における送受信部１１とＯＬＴ外部に演算処理可能な箇所を備える任意の構成に適用できる。なお、送受信部１１とＯＬＴ外部の演算処理可能な箇所の両方に実行部及び指示部が備わっていてもよい。
【０７００】
（第７の構成例）
第７の構成例では、実行部を送受信部１１に備え、指示部をＯＬＴ外部の主信号ネットワーク中の例えばプロキシ部１５等の演算処理可能な箇所に備える。その他は第１の構成例と同様である。なお、第７の構成例は、通信システム構成（１−１）〜（６４−２）における送受信部１１とＯＬＴ外部の主信号ネットワーク中に演算処理可能な箇所を備える任意の構成に適用できる。なお、送受信部１１とＯＬＴ外部の主信号ネットワーク中の演算処理可能な箇所の両方に実行部及び指示部が備わっていてもよい。
【０７０１】
（第８の構成例）
第８の構成例では、実行部をスイッチ部１２に備え、指示部を送受信部１１の例えば情報処理部や、ＣＰＵ等の演算処理可能な箇所に備える。その他は第１の構成例と同様である。なお、第８の構成例は、通信システム構成（１−１）〜（６４−２）におけるスイッチ部１２と送受信部１１に演算処理可能な箇所を備える任意の構成に適用できる。なお、スイッチ部１２と送受信部１１の演算処理可能な箇所の両方に実行部及び指示部が備わっていてもよい。
【０７０２】
（第９の構成例）
第９の構成例では、実行部をスイッチ部１２に備え、指示部をスイッチ部１２の例えば情報処理部や、ＣＰＵ等の演算処理可能な箇所に備える。実行部が指示部よりＰＯＮ側に配置されることが応答速度の観点から好ましいが、逆でもよく、同位置の別装置上でもよく、同一装置上の別ＶＭ上でもよい。その他は第１の構成例と同様である。なお、第９の構成例は、通信システム構成（１−１）〜（６４−２）におけるスイッチ部１２とスイッチ部１２に演算処理可能な箇所を備える任意の構成に適用できる。
【０７０３】
（第１０の構成例）
第１０の構成例では、実行部をスイッチ部１２に備え、指示部をＯＳＵの例えば情報処理部や、ＣＰＵ等の演算処理可能な箇所に備える。その他は第１の構成例と同様である。なお、第１０の構成例は、通信システム構成（１−１）〜（６４−２）におけるスイッチ部１２とＯＳＵに演算処理可能な箇所を備える任意の構成に適用できる。なお、スイッチ部１２とＯＳＵの演算処理可能な箇所の両方に実行部及び指示部が備わっていてもよい。
【０７０４】
（第１１の構成例）
第１１の構成例では、実行部をスイッチ部１２に備え、指示部をスイッチ部１３の例えば情報処理部や、ＣＰＵ等に備える。その他は第１の構成例と同様である。なお、第１１の構成例は、通信システム構成（１−１）〜（６４−２）におけるスイッチ部１２とスイッチ部１３に演算処理可能な箇所を備える任意の構成に適用できる。なお、スイッチ部１２とスイッチ部１３の演算処理可能な箇所の両方に実行部及び指示部が備わっていてもよい。
【０７０５】
（第１２の構成例）
第１２の構成例では、実行部をスイッチ部１２に備え、指示部をＯＬＴの例えば制御部１４、情報処理部、制御盤又はＣＰＵ盤等の演算処理可能な箇所に備える。その他は第１の構成例と同様である。なお、第１２の構成例は、通信システム構成（１−１）〜（６４−２）におけるスイッチ部１２とＯＬＴに演算処理可能な箇所を備える任意の構成に適用できる。なお、スイッチ部１２とＯＬＴの演算処理可能な箇所の両方に実行部及び指示部が備わっていてもよい。
【０７０６】
（第１３の構成例）
第１３の構成例では、実行部をスイッチ部１２に備え、指示部をＯＬＴ外部の例えばセンタクラウド、ローカルクラウド、エッジクラウド、単独の外部サーバ１６、情報処理部、オペレーションシステム又はＮＥコントローラなどのＥＭＳ等の演算処理可能な箇所に備える。その他は第１の構成例と同様である。なお、第１３の構成例は、通信システム構成（１−１）〜（６４−２）におけるスイッチ部１２とＯＬＴ外部に演算処理可能な箇所を備える任意の構成に適用できる。なお、スイッチ部１２及びＯＬＴ外部の演算処理可能な箇所の両方に実行部及び指示部が備わっていてもよい。
【０７０７】
（第１４の構成例）
第１４の構成例では、実行部をスイッチ部１２に備え、指示部をＯＬＴ外部の主信号ネットワーク中の例えばプロキシ部１５等の演算処理が可能な箇所に備える。その他は第１の構成例と同様である。なお、第１４の構成例は、通信システム構成（１−１）〜（６４−２）におけるスイッチ部１２とＯＬＴ外部の主信号ネットワーク中に演算処理可能な箇所を備える任意の構成に適用できる。なお、スイッチ部１２とＯＬＴ外部の主信号ネットワーク中の演算処理可能な箇所の両方に実行部及び指示部が備わっていてもよい。
【０７０８】
（第１５の構成例）
第１５の構成例では、実行部をＯＳＵに備え、指示部を送受信部１１の例えば情報処理部や、ＣＰＵ等の演算処理可能な箇所に備える。その他は第１の構成例と同様である。なお、第１５の構成例は、通信システム構成（１−１）〜（６４−２）におけるＯＳＵと送受信部１１に演算処理可能な箇所を含む構成に適用できる。なお、ＯＳＵと送受信部１１の演算処理可能な箇所の両方に実行部及び指示部が備わっていてもよい。
【０７０９】
（第１６の構成例）
第１６の構成例では、実行部をＯＳＵ、指示部をスイッチ部１２の例えば情報処理部や、ＣＰＵ等の演算処理可能な箇所に備える。その他は第１の構成例と同様である。なお、第１６の構成例は、通信システム構成（１−１）〜（６４−２）におけるＯＳＵとスイッチ部１２に演算処理可能な箇所を備える任意の構成に適用できる。なお、ＯＳＵとスイッチ部１２の演算処理可能な箇所の両方に実行部及び指示部が備わっていてもよい。
【０７１０】
（第１７の構成例）
第１７の構成例では、実行部をＯＳＵに備え、指示部をＯＳＵの例えば情報処理部、ＣＰＵ等の演算処理可能な箇所に備える。実行部が指示部よりＰＯＮ近傍に配置されることが応答速度の観点から好ましいが、逆でもよく、同位置の別装置上でもよく、同一装置上の別ＶＭ上でもよい。その他は第１の構成例と同様である。なお、第１７の構成例は、通信システム構成（１−１）〜（６４−２）におけるＯＳＵとＯＳＵに演算処理可能な箇所を備える任意の構成に適用できる。
【０７１１】
（第１８の構成例）
第１８の構成例では、実行部をＯＳＵに備え、指示部をスイッチ部１３の例えば情報処理部や、ＣＰＵ等の演算処理可能な箇所に備える。その他は第１の構成例と同様である。なお、第１８の構成例は、通信システム構成（１−１）〜（６４−２）におけるＯＳＵとスイッチ部１３に演算処理可能な箇所を備える任意の構成に適用できる。なお、ＯＳＵとスイッチ部１３の演算処理可能な箇所の両方に実行部及び指示部が備わっていてもよい。
【０７１２】
（第１９の構成例）
第１９の構成例では、実行部をＯＳＵに備え、指示部をＯＬＴの例えば制御部１４、情報処理部、制御盤又はＣＰＵ盤等の演算処理可能な箇所に備える。その他は第１の構成例と同様である。なお、第１９の構成例は、通信システム構成（１−１）〜（６４−２）におけるＯＳＵとＯＬＴに演算処理可能な箇所を備える任意の構成に適用できる。なお、ＯＳＵ及びＯＬＴの演算処理可能な箇所の両方に実行部及び指示部が備わっていてもよい。
【０７１３】
（第２０の構成例）
第２０の構成例では、実行部をＯＳＵに備え、指示部をＯＬＴ外部の例えばセンタクラウド、ローカルクラウド、エッジクラウド、単独の外部サーバ１６、情報処理部、オペレーションシステム又はＮＥコントローラなどのＥＭＳ１４０等の演算処理可能な箇所に備える。その他は第１の構成例と同様である。なお、第２０の構成例は、通信システム構成（１−１）〜（６４−２）におけるＯＳＵとＯＬＴ外部に演算処理可能な箇所を備える任意の構成に適用できる。なお、ＯＳＵとＯＬＴ外部の演算処理可能な箇所の両方に実行部及び指示部が備わっていてもよい。
【０７１４】
（第２１の構成例）
第２１の構成例では、実行部をＯＳＵに備え、指示部をＯＬＴ外部の主信号ネットワーク中の例えばプロキシ部１５等の演算処理可能な箇所に備える。その他は第１の構成例と同様である。なお、第２１の構成例は、通信システム構成（１−１）〜（６４−２）におけるＯＳＵとＯＬＴ外部の主信号ネットワーク中の演算処理可能な箇所を備える任意の構成に適用できる。なお、ＯＳＵとＯＬＴ外部の主信号ネットワーク中の演算処理可能な箇所の両方に実行部及び指示部が備わっていてもよい。
【０７１５】
（第２２の構成例）
第２２の構成例では、実行部をスイッチ部１３に備え、指示部を送受信部１１の例えば情報処理部や、ＣＰＵ等の演算処理可能な箇所に備える。その他は第１の構成例と同様である。なお、第２２の構成例は、通信システム構成（１−１）〜（６４−２）におけるスイッチ部１３と送受信部１１に演算処理可能な箇所を備える任意の構成に適用できる。なお、スイッチ部１３及び送受信部１１の演算処理可能な箇所の両方に実行部及び指示部が備わっていてもよい。
【０７１６】
（第２３の構成例）
第２３の構成例では、実行部をスイッチ部１３に備え、指示部をスイッチ部１２に備える。その他は第１の構成例と同様である。なお、第２３の構成例は、通信システム構成（１−１）〜（６４−２）におけるスイッチ部１３とスイッチ部１２を備える任意の構成に適用できる。なお、スイッチ部１３及びスイッチ部１２の演算処理可能な箇所の両方に実行部及び指示部が備わっていてもよい。
【０７１７】
（第２４の構成例）
第２４の構成例では、実行部をスイッチ部１３に備え、指示部をＯＳＵの演算処理可能な箇所に備える。ＯＳＵの演算処理可能な箇所は、例えば、情報処理部、ＣＰＵである。その他は第１の構成例と同様である。なお、第２４の構成例は、通信システム構成（１−１）〜（６４−２）におけるスイッチ部１３とＯＳＵに演算処理可能な箇所を備える任意の構成に適用できる。なお、スイッチ部１３及びＯＳＵの演算処理可能な箇所の両方に実行部及び指示部が備わっていてもよい。
【０７１８】
（第２５の構成例）
第２５の構成例では、実行部をスイッチ部１３に備え、指示部をスイッチ部１３の例えば情報処理部や、ＣＰＵ等の演算処理可能な箇所に備える。その他は第１の構成例と同様である。実行部が指示部よりＰＯＮ側に配置されることが応答速度の観点から好ましいが、逆でもよく、同位置の別装置上でもよく、同一装置上の別ＶＭ（Ｖｉｒｔｕａｌ  Ｍａｃｈｉｎｅ）上でもよい。なお、第２５の構成例は、通信システム構成（１−１）〜（６４−２）におけるスイッチ部１３に演算処理可能な箇所を備える任意の構成に適用できる。
【０７１９】
（第２６の構成例）
第２６の構成例では、実行部をスイッチ部１３に備え、指示部をＯＬＴの例えば制御部１４、情報処理部、制御盤又はＣＰＵ盤等の演算処理可能な箇所に備える。その他は第１の構成例と同様である。なお、第２６の構成例は、通信システム構成（１−１）〜（６４−２）におけるスイッチ部１３とＯＬＴに演算処理可能な箇所を備える任意の構成に適用できる。なお、スイッチ部１３及びＯＬＴの演算処理可能な箇所の両方に実行部及び指示部が備わっていてもよい。
【０７２０】
（第２７の構成例）
第２７の構成例では、実行部をスイッチ部１３に備え、指示部をＯＬＴ外部の例えばセンタクラウド、ローカルクラウド、エッジクラウド、単独の外部サーバ１６、情報処理部、オペレーションシステム又はＮＥコントローラなどのＥＭＳ等の演算処理可能な箇所に備える。その他は第１の構成例と同様である。なお、第２７の構成例は、通信システム構成（１−１）〜（６４−２）におけるスイッチ部１３とＯＬＴ外部の演算処理可能な箇所を備える任意の構成に適用できる。なお、スイッチ部１３及びＯＬＴ外部の演算処理可能な箇所の両方に実行部及び指示部が備わっていてもよい。
【０７２１】
（第２８の構成例）
第２８の構成例では、実行部をスイッチ部１３に備え、指示部をＯＬＴ外部の主信号ネットワーク中の例えばプロキシ部１５等の演算処理可能な箇所に備える。その他は第１の構成例と同様である。なお、第２８の構成例は、通信システム構成（１−１）〜（６４−２）におけるスイッチ部１３とＯＬＴ外部の主信号ネットワーク中に演算処理可能な箇所を備える任意の構成に適用できる。なお、スイッチ部１３とＯＬＴ外部の主信号ネットワーク中の演算処理可能な箇所の両方に実行部及び指示部が備わっていてもよい。
【０７２２】
（第２９の構成例）
第２９の構成例では、実行部をＯＬＴの例えば制御部１４、情報処理部、制御盤又はＣＰＵ盤等に備え、指示部を送受信部１１の情報処理部や、ＣＰＵ等の演算処理可能な箇所に備える。その他は第１の構成例と同様である。なお、第２９の構成例は、通信システム構成（１−１）〜（６４−２）におけるＯＬＴの例えば制御部１４、情報処理部、制御盤又はＣＰＵ盤等と送受信部１１に演算処理可能な箇所を備える任意の構成に適用できる。なお、ＯＬＴの例えば制御部１４、情報処理部、制御盤又はＣＰＵ盤等及び送受信部１１の演算処理可能な箇所の両方に実行部及び指示部が備わっていてもよい。
【０７２３】
（第３０の構成例）
第３０の構成例では、実行部をＯＬＴの例えば制御部１４、情報処理部、制御盤又はＣＰＵ盤等に備え、指示部をスイッチ部１２の例えば情報処理部や、ＣＰＵ等の演算処理可能な箇所に備える。その他は第１の構成例と同様である。なお、第３０の構成例は、通信システム構成（１−１）〜（６４−２）におけるＯＬＴの例えば制御部１４、情報処理部、制御盤又はＣＰＵ盤等とスイッチ部１２に演算処理可能な箇所を備える任意の構成に適用できる。なお、ＯＬＴの例えば制御部１４、情報処理部、制御盤又はＣＰＵ盤等及びスイッチ部１２の演算処理可能な箇所の両方に実行部及び指示部が備わっていてもよい。
【０７２４】
（第３１の構成例）
第３１の構成例では、実行部をＯＬＴの例えば制御部１４、情報処理部、制御盤又はＣＰＵ盤等に備え、指示部をＯＳＵの例えば情報処理部や、ＣＰＵ等の演算処理可能な箇所に備える。その他は第１の構成例と同様である。なお、第３１の構成例は、通信システム構成（１−１）〜（６４−２）におけるＯＬＴの例えば制御部１４、情報処理部、制御盤又はＣＰＵ盤等とＯＳＵに演算処理可能な箇所を備える任意の構成に適用できる。なお、ＯＬＴの例えば制御部１４、情報処理部、制御盤又はＣＰＵ盤等とＯＳＵの演算処理可能な箇所の両方に実行部及び指示部が備わっていてもよい。
【０７２５】
（第３２の構成例）
第３２の構成例では、実行部をＯＬＴの例えば制御部１４、情報処理部、制御盤又はＣＰＵ盤等に備え、指示部をスイッチ部１３の例えば情報処理部や、ＣＰＵ等の演算処理可能な箇所に備える。その他は第１の構成例と同様である。なお、第３２の構成例は、通信システム構成（１−１）〜（６４−２）におけるＯＬＴの例えば制御部１４、情報処理部、制御盤又はＣＰＵ盤等とスイッチ部１３に演算処理可能な箇所を備える任意の構成に適用できる。なお、ＯＬＴの例えば制御部１４、情報処理部、制御盤又はＣＰＵ盤等及びスイッチ部１３の演算処理可能な箇所の両方に実行部及び指示部が備わっていてもよい。
【０７２６】
（第３３の構成例）
第３３の構成例では、実行部をＯＬＴの例えば制御部１４、情報処理部、制御盤又はＣＰＵ盤等に備え、指示部をＯＬＴの例えば制御部１４、情報処理部、制御盤又はＣＰＵ盤等の演算処理可能な箇所に備える。実行部が指示部よりＰＯＮ側に配置されることが応答速度の観点から好ましいが、逆でもよく、同位置の別装置上でもよく、同一装置上の別ＶＭ上でもよい。その他は第１の構成例と同様である。なお、第３３の構成例は、通信システム構成（１−１）〜（６４−２）におけるＯＬＴの例えば制御部１４、情報処理部、制御盤又はＣＰＵ盤とＯＬＴに演算処理可能な箇所を備える構成に適用できる。
【０７２７】
（第３４の構成例）
第３４の構成例では、実行部をＯＬＴの例えば制御部１４、情報処理部、制御盤又はＣＰＵ盤等に備え、指示部をＯＬＴ外部の例えばセンタクラウド、ローカルクラウド、エッジクラウド、単独の外部サーバ１６、情報処理部、オペレーションシステム又はＮＥコントローラなどのＥＭＳ等の演算処理可能な箇所に備える。その他は第１の構成例と同様である。なお、第３４の構成例は、通信システム構成（１−１）〜（６４−２）におけるＯＬＴの例えば制御部１４、情報処理部、制御盤又はＣＰＵ盤等とＯＬＴ外部に演算処理可能な箇所を備える任意の構成に適用できる。なお、ＯＬＴの例えば制御部１４、情報処理部、制御盤又はＣＰＵ盤等とＯＬＴ外部の演算処理可能な箇所の両方に実行部及び指示部が備わっていてもよい。
【０７２８】
（第３５の構成例）
第３５の構成例では、実行部をＯＬＴの例えば制御部１４、情報処理部、制御盤又はＣＰＵ盤等に備え、指示部をＯＬＴ外部の主信号ネットワーク中の例えばプロキシ部１５等の演算処理可能な箇所に備える。その他は第１の構成例と同様である。なお、第３５の構成例は通信システム構成（１−１）〜（６４−２）におけるＯＬＴの例えば制御部１４、情報処理部、制御盤又はＣＰＵ盤等とＯＬＴ外部の主信号ネットワークに演算処理可能な箇所を備える任意の構成に適用できる。なお、ＯＬＴの例えば制御部１４、情報処理部、制御盤又はＣＰＵ盤等とＯＬＴ外部の主信号ネットワークの演算処理可能な箇所の両方に実行部及び指示部が備わっていてもよい。
【０７２９】
（第３６の構成例）
第３６の構成例では、実行部をＯＬＴ外部の例えばセンタクラウドやローカルクラウドやエッジクラウドや単独の外部サーバ１６や情報処理部やオペレーションシステムやＮＥコントローラなどのＥＭＳ等に備え、指示部を送受信部１１の例えば情報処理部や、ＣＰＵ等の演算処理可能な箇所に備える。その他は第１の構成例と同様である。なお、第３６の構成例は、通信システム構成（１−１）〜（６４−２）におけるＯＬＴ外部の例えばセンタクラウドやローカルクラウドやエッジクラウドや単独の外部サーバ１６や情報処理部やオペレーションシステムやＮＥコントローラなどのＥＭＳ等と送受信部１１に演算処理可能な箇所を備える任意の構成に適用できる。なお、ＯＬＴ外部の例えばセンタクラウドやローカルクラウドやエッジクラウドや単独の外部サーバ１６や情報処理部やオペレーションシステムやＮＥコントローラなどのＥＭＳ等と送受信部１１の演算処理可能な箇所の両方に実行部及び指示部が備わっていてもよい。
【０７３０】
（第３７の構成例）
第３７の構成例では、実行部をＯＬＴ外部の例えばセンタクラウドやローカルクラウドやエッジクラウドや単独の外部サーバ１６や情報処理部やオペレーションシステムやＮＥコントローラなどのＥＭＳ等に備え、指示部をスイッチ部１２の例えば情報処理部や、ＣＰＵ等の演算処理可能な箇所に備える。その他は第１の構成例と同様である。なお、第３７の構成例は、通信システム構成（１−１）〜（６４−２）におけるＯＬＴ外部の例えばセンタクラウドやローカルクラウドやエッジクラウドや単独の外部サーバ１６や情報処理部やオペレーションシステムやＮＥコントローラなどのＥＭＳ等とスイッチ部１２に演算処理可能な箇所を備える任意の構成に適用できる。なお、ＯＬＴ外部の例えばセンタクラウドやローカルクラウドやエッジクラウドや単独の外部サーバ１６や情報処理部やオペレーションシステムやＮＥコントローラなどのＥＭＳ等とスイッチ部１２の演算処理可能な箇所の両方に実行部及び指示部が備わっていてもよい。
【０７３１】
（第３８の構成例）
第３８の構成例では、実行部をＯＬＴ外部の例えばセンタクラウドやローカルクラウドやエッジクラウドや単独の外部サーバ１６や情報処理部やオペレーションシステムやＮＥコントローラなどのＥＭＳ等に備え、指示部をＯＳＵの例えば情報処理部や、ＣＰＵ等の演算処理可能な箇所に備える。その他は第１の構成例と同様である。なお、第３８の構成例は、通信システム構成（１−１）〜（６４−２）におけるＯＬＴ外部の例えばセンタクラウドやローカルクラウドやエッジクラウドや単独の外部サーバ１６や情報処理部やオペレーションシステムやＮＥコントローラなどのＥＭＳ等とＯＳＵに演算処理可能な箇所を備える任意の構成に適用できる。なお、ＯＬＴ外部の例えばセンタクラウドやローカルクラウドやエッジクラウドや単独の外部サーバ１６や情報処理部やオペレーションシステムやＮＥコントローラなどのＥＭＳ等及びＯＳＵの演算処理可能な箇所の両方に実行部及び指示部が備わっていてもよい。
【０７３２】
（第３９の構成例）
第３９の構成例では、実行部をＯＬＴ外部の例えばセンタクラウドやローカルクラウドやエッジクラウドや単独の外部サーバ１６や情報処理部やオペレーションシステムやＮＥコントローラなどのＥＭＳ等に備え、指示部をスイッチ部１３の例えば情報処理部や、ＣＰＵ等の演算処理可能な箇所に備える。その他は第１の構成例と同様である。なお、第３９の構成例は、通信システム構成（１−１）〜（６４−２）におけるＯＬＴ外部の例えばセンタクラウドやローカルクラウドやエッジクラウドや単独の外部サーバ１６や情報処理部やオペレーションシステムやＮＥコントローラなどのＥＭＳ等とスイッチ部１３に演算処理可能な箇所を備える任意の構成に適用できる。なお、ＯＬＴ外部の例えばセンタクラウドやローカルクラウドやエッジクラウドや単独の外部サーバ１６や情報処理部やオペレーションシステムやＮＥコントローラなどのＥＭＳ等とスイッチ部１３の演算処理可能な箇所の両方に実行部及び指示部が備わっていてもよい。
【０７３３】
（第４０の構成例）
第４０の構成例では、実行部をＯＬＴ外部の例えばセンタクラウドやローカルクラウドやエッジクラウドや単独の外部サーバ１６や情報処理部やオペレーションシステムやＮＥコントローラなどのＥＭＳ等に備え、指示部をＯＬＴの例えば制御部１４、情報処理部、制御盤又はＣＰＵ盤等の演算処理可能な箇所に備える。その他は第１の構成例と同様である。なお、第４０の構成例は、通信システム構成（１−１）〜（６４−２）におけるＯＬＴ外部の例えばセンタクラウドやローカルクラウドやエッジクラウドや単独の外部サーバ１６や情報処理部やオペレーションシステムやＮＥコントローラなどのＥＭＳ等とＯＬＴに演算処理可能な箇所を備える任意の構成に適用できる。なお、ＯＬＴ外部の例えばセンタクラウドやローカルクラウドやエッジクラウドや単独の外部サーバ１６や情報処理部やオペレーションシステムやＮＥコントローラなどのＥＭＳ等及びＯＬＴの演算処理可能な箇所の両方に実行部及び指示部が備わっていてもよい。
【０７３４】
（第４１の構成例）
第４１の構成例では、実行部をＯＬＴ外部の例えばセンタクラウドやローカルクラウドやエッジクラウドや単独の外部サーバ１６や情報処理部やオペレーションシステムやＮＥコントローラなどのＥＭＳ等に備え、指示部をＯＬＴ外部の例えばセンタクラウドやローカルクラウドやエッジクラウドや単独の外部サーバ１６や情報処理部やオペレーションシステムやＮＥコントローラなどのＥＭＳ等の演算処理可能な箇所に備える。実行部が指示部よりＰＯＮ側に配置されることが応答速度の観点から好ましいが、逆でもよく、同位置の別サーバ上でもよく、同一サーバ上の別ＶＭ上でもよい。その他は第１の構成例と同様である。なお、第４１の構成例は、通信システム構成（１−１）〜（６４−２）におけるＯＬＴ外部の例えばセンタクラウドやローカルクラウドやエッジクラウドや単独の外部サーバ１６や情報処理部やオペレーションシステムやＮＥコントローラなどのＥＭＳ等とＯＬＴ外部に演算処理可能な箇所を備える任意の構成に適用できる。なお、ＯＬＴ外部の例えばセンタクラウドやローカルクラウドやエッジクラウドや単独の外部サーバ１６や情報処理部やオペレーションシステムやＮＥコントローラなどのＥＭＳ等とＯＬＴ外部の演算処理可能な箇所の両方に実行部及び指示部が備わっていてもよい。
【０７３５】
（第４２の構成例）
第４２の構成例では、実行部をＯＬＴ外部の例えばセンタクラウドやローカルクラウドやエッジクラウドや単独の外部サーバ１６や情報処理部やオペレーションシステムやＮＥコントローラなどのＥＭＳ等に備え、指示部をＯＬＴ外部の主信号ネットワーク中の例えばプロキシ部１５等の演算処理可能な箇所に備える。その他は第１の構成例と同様である。なお、第４２の構成例は通信システム構成（１−１）〜（６４−２）におけるＯＬＴ外部の例えばセンタクラウドやローカルクラウドやエッジクラウドや単独の外部サーバ１６や情報処理部やオペレーションシステムやＮＥコントローラなどのＥＭＳ等とＯＬＴ外部の主信号ネットワーク中に演算処理可能な箇所を備える任意の構成に適用できる。なお、ＯＬＴ外部の例えばセンタクラウドやローカルクラウドやエッジクラウドや単独の外部サーバ１６や情報処理部やオペレーションシステムやＮＥコントローラなどのＥＭＳ等とＯＬＴ外部の主信号ネットワーク中の演算処理可能な箇所の両方に実行部及び指示部が備わっていてもよい。
【０７３６】
（第４３の構成例）
第４３の構成例では、実行部をＯＬＴ外部の主信号ネットワーク中の例えばプロキシ部１５等に備え、指示部を送受信部１１の例えば情報処理部や、ＣＰＵ等の演算処理可能な箇所に備える。その他は第１の構成例と同様である。なお、第４３の構成例は、通信システム構成（１−１）〜（６４−２）におけるＯＬＴ外部の主信号ネットワーク中の例えばプロキシ部１５等と送受信部１１に演算処理可能な箇所を備える任意の構成に適用できる。なお、ＯＬＴ外部の主信号ネットワーク中の例えばプロキシ部１５等と送受信部１１の演算処理可能な箇所の両方に実行部及び指示部が備わっていてもよい。
【０７３７】
（第４４の構成例）
第４４の構成例では、実行部をＯＬＴ外部の主信号ネットワーク中の例えばプロキシ部１５等に備え、指示部をスイッチ部１２の例えば情報処理部や、ＣＰＵ等の演算処理可能な箇所に備える。その他は第１の構成例と同様である。なお、第４４の構成例は、通信システム構成（１−１）〜（６４−２）におけるＯＬＴ外部の主信号ネットワーク中の例えばプロキシ部１５等とスイッチ部１２に演算処理可能な箇所を備える任意の構成に適用できる。なお、ＯＬＴ外部の主信号ネットワーク中の例えばプロキシ部１５等とスイッチ部１２の演算処理可能な箇所の両方に実行部及び指示部が備わっていてもよい。
【０７３８】
（第４５の構成例）
第４５の構成例では、実行部をＯＬＴ外部の主信号ネットワーク中の例えばプロキシ部１５等に備え、指示部をＯＳＵの例えば情報処理部や、ＣＰＵ等の演算処理可能な箇所に備える。その他は第１の構成例と同様である。なお、第４５の構成例は、通信システム構成（１−１）〜（６４−２）におけるＯＬＴ外部の主信号ネットワーク中の例えばプロキシ部１５等とＯＳＵに演算処理可能な箇所を備える任意の構成に適用できる。なお、ＯＬＴ外部の主信号ネットワーク中の例えばプロキシ部１５等とＯＳＵの演算処理可能な箇所の両方に実行部及び指示部が備わっていてもよい。
【０７３９】
（第４６の構成例）
第４６の構成例では、実行部をＯＬＴ外部の主信号ネットワーク中の例えばプロキシ部１５等に備え、指示部をスイッチ部１３の例えば情報処理部や、ＣＰＵ等の演算処理可能な箇所に備える。その他は第１の構成例と同様である。なお、第４６の構成例は、通信システム構成（１−１）〜（６４−２）におけるＯＬＴ外部の主信号ネットワーク中の例えばプロキシ部１５等とスイッチ部１３に演算処理可能な箇所を備える任意の構成に適用できる。なお、ＯＬＴ外部の主信号ネットワーク中の例えばプロキシ部１５等とスイッチ部１３の演算処理可能な箇所の両方に実行部及び指示部が備わっていてもよい。
【０７４０】
（第４７の構成例）
第４７の構成例では、実行部をＯＬＴ外部の主信号ネットワーク中の例えばプロキシ部１５等に備え、指示部をＯＬＴの例えば制御部１４、情報処理部、制御盤又はＣＰＵ盤等の演算処理可能な箇所に備える。その他は第１の構成例と同様である。なお、第４７の構成例は、通信システム構成（１−１）〜（６４−２）におけるＯＬＴ外部の主信号ネットワーク中の例えばプロキシ部１５等とＯＬＴに演算処理可能な箇所を備える構成に適用できる。なお、ＯＬＴ外部の主信号ネットワーク中の例えばプロキシ部１５等とＯＬＴの演算処理可能な箇所の両方に実行部及び指示部が備わっていてもよい。
【０７４１】
（第４８の構成例）
第４８の構成例では、実行部をＯＬＴ外部の主信号ネットワーク中の例えばプロキシ部１５等に備え、指示部をＯＬＴ外部の例えばセンタクラウド、ローカルクラウド、エッジクラウド、単独の外部サーバ１６、情報処理部、オペレーションシステム又はＮＥコントローラなどのＥＭＳ等の演算処理可能な箇所に備える。その他は第１の構成例と同様である。なお、第４８の構成例は、通信システム構成（１−１）〜（６４−２）におけるＯＬＴ外部の主信号ネットワーク中の例えばプロキシ部１５とＯＬＴ外部に演算処理可能な箇所を備える任意の構成に適用できる。なお、ＯＬＴ外部の主信号ネットワーク中の例えばプロキシ部１５等とＯＬＴ外部の演算処理可能な箇所の両方に実行部及び指示部が備わっていてもよい。
【０７４２】
（第４９の構成例）
第４９の構成例では、実行部をＯＬＴ外部の主信号ネットワーク中の例えばプロキシ部１５等に備え、指示部をＯＬＴ外部の主信号ネットワーク中の例えばプロキシ部１５等の演算処理可能な個所に備える。実行部が指示部よりＰＯＮ側に配置されることが応答速度の観点から好ましいが、逆でもよく、同位置の別装置上でもよく、同一装置上の別ＶＭ上でもよい。その他は第１の構成例と同様である。なお、第４９の構成例は通信システム構成（１−１）〜（６４−２）におけるＯＬＴ外部の主信号ネットワーク中の例えばプロキシ部１５等に演算処理可能な箇所を備える任意の構成に適用できる。
【０７４３】
（第５０の構成例）
第５０の構成例では、実行部を光スイッチ部１０に備え、指示部を光スイッチ部１０の例えば情報処理部や、ＣＰＵ等の演算処理可能な箇所に備える。実行部が指示部よりＰＯＮ側に配置されることが応答速度の観点から好ましいが、逆でもよく、同位置の別装置上でもよく、同一装置上の別ＶＭ上でもよい。その他は第１の構成例と同様である。なお、第５０の構成例は、通信システム構成（１−１）〜（６４−２）における光スイッチ部１０に演算処理可能な箇所を備える任意の構成に適用できる。なお、光スイッチ部１０の演算処理可能な箇所の両方に実行部及び指示部が備わっていてもよい。
【０７４４】
（第５１の構成例）
第５１の構成例では、実行部を光スイッチ部１０に備え、指示部を送受信部１１の例えば情報処理部や、ＣＰＵ等の演算処理可能な箇所に備える。その他は第１の構成例と同様である。なお、第５１の構成例は、通信システム構成（１−１）〜（６４−２）における光スイッチ部１０と送受信部１１に演算処理可能な箇所を備える任意の構成に適用できる。なお、光スイッチ部１０と送受信部１１の演算処理可能な箇所の両方に実行部及び指示部が備わっていてもよい。
【０７４５】
（第５２の構成例）
第５２の構成例では、実行部を光スイッチ部１０に備え、指示部をスイッチ部１２の例えば情報処理部や、ＣＰＵ等の演算処理可能な箇所に備える。その他は第１の構成例と同様である。なお、第52の構成例は、通信システム構成（１−１）〜（６４−２）における光スイッチ部１０とスイッチ部１２に演算処理可能な箇所を備える任意の構成に適用できる。なお、光スイッチ部１０とスイッチ部１２の演算処理可能な箇所の両方に実行部及び指示部が備わっていてもよい。
【０７４６】
（第５３の構成例）
第５３の構成例では、実行部を光スイッチ部１０に備え、指示部をＯＳＵの例えば情報処理部や、ＣＰＵ等の演算処理可能な箇所に備える。その他は第１の構成例と同様である。なお、第５３の構成例は、通信システム構成（１−１）〜（６４−２）における光スイッチ部１０とＯＳＵに演算処理可能な箇所を備える任意の構成に適用できる。なお、光スイッチ部１０とＯＳＵの演算処理可能な箇所の両方に実行部及び指示部が備わっていてもよい。
【０７４７】
（第５４の構成例）
第５４の構成例では、実行部を光スイッチ部１０に備え、指示部をスイッチ部１３の例えば情報処理部や、ＣＰＵ等に備える。その他は第１の構成例と同様である。なお、第５４の構成例は、通信システム構成（１−１）〜（６４−２）における光スイッチ部１０とスイッチ部１３に演算処理可能な箇所を備える任意の構成に適用できる。なお、光スイッチ部１０とスイッチ部１３の演算処理可能な箇所の両方に実行部及び指示部が備わっていてもよい。
【０７４８】
（第５５の構成例）
第５５の構成例では、実行部を光スイッチ部１０に備え、指示部をＯＬＴの例えば制御部１４、情報処理部、制御盤又はＣＰＵ盤等の演算処理可能な箇所に備える。その他は第１の構成例と同様である。なお、第５５の構成例は、通信システム構成（１−１）〜（６４−２）における光スイッチ部１０とＯＬＴに演算処理可能な箇所を備える任意の構成に適用できる。なお、光スイッチ部１０とＯＬＴの演算処理可能な箇所の両方に実行部及び指示部が備わっていてもよい。
【０７４９】
（第５６の構成例）
第５６の構成例では、実行部を光スイッチ部１０に備え、指示部をＯＬＴ外部の例えばセンタクラウド、ローカルクラウド、エッジクラウド、単独の外部サーバ１６、情報処理部、オペレーションシステム又はＮＥコントローラなどのＥＭＳ等の演算処理可能な箇所に備える。その他は第１の構成例と同様である。なお、第５６の構成例は、通信システム構成（１−１）〜（６４−２）における光スイッチ部１０とＯＬＴ外部に演算処理可能な箇所を備える任意の構成に適用できる。なお、光スイッチ部１０及びＯＬＴ外部の演算処理可能な箇所の両方に実行部及び指示部が備わっていてもよい。
【０７５０】
（第５７の構成例）
第５７の構成例では、実行部を光スイッチ部１０に備え、指示部をＯＬＴ外部の主信号ネットワーク中の例えばプロキシ部１５等の演算処理が可能な箇所に備える。その他は第１の構成例と同様である。なお、第５７の構成例は、通信システム構成（１−１）〜（６４−２）における光スイッチ部１０とＯＬＴ外部の主信号ネットワーク中に演算処理可能な箇所を備える任意の構成に適用できる。なお、光スイッチ部１０とＯＬＴ外部の主信号ネットワーク中の演算処理可能な箇所の両方に実行部及び指示部が備わっていてもよい。
【０７５１】
（第５８の構成例）
第５８の構成例では、実行部を送受信部１１に備え、指示部を光スイッチ部１０の例えば情報処理部や、ＣＰＵ等の演算処理可能な箇所に備える。その他は第１の構成例と同様である。なお、第５８の構成例は、通信システム構成（１−１）〜（６４−２）における送受信部１１と光スイッチ部１０に演算処理可能な箇所を備える任意の構成に適用できる。なお、送受信部１１と光スイッチ部１０の演算処理可能な箇所の両方に実行部及び指示部が備わっていてもよい。
【０７５２】
（第５９構成例）
第５９の構成例では、実行部をスイッチ部１２に備え、指示部を光スイッチ部１０の例えば情報処理部や、ＣＰＵ等の演算処理可能な箇所に備える。その他は第１の構成例と同様である。なお、第５９の構成例は、通信システム構成（１−１）〜（６４−２）におけるスイッチ部１２と光スイッチ部１０に演算処理可能な箇所を備える任意の構成に適用できる。なお、スイッチ部１２と光スイッチ部１０の演算処理可能な箇所の両方に実行部及び指示部が備わっていてもよい。
【０７５３】
（第６０の構成例）
第６０の構成例では、実行部をＯＳＵに備え、指示部を光スイッチ部１０の例えば情報処理部や、ＣＰＵ等の演算処理可能な箇所に備える。その他は第１の構成例と同様である。なお、第６０の構成例は、通信システム構成（１−１）〜（６４−２）におけるＯＳＵと光スイッチ部１０に演算処理可能な箇所を含む構成に適用できる。なお、ＯＳＵと光スイッチ部１０の演算処理可能な箇所の両方に実行部及び指示部が備わっていてもよい。
【０７５４】
（第６１の構成例）
第６１の構成例では、実行部をスイッチ部１３に備え、指示部を光スイッチ部１０の例えば情報処理部や、ＣＰＵ等の演算処理可能な箇所に備える。その他は第１の構成例と同様である。なお、第６１の構成例は、通信システム構成（１−１）〜（６４−２）におけるスイッチ部１３と光スイッチ部１０に演算処理可能な箇所を備える任意の構成に適用できる。なお、スイッチ部１３及び光スイッチ部１０の演算処理可能な箇所の両方に実行部及び指示部が備わっていてもよい。
【０７５５】
（第６２の構成例）
第６２の構成例では、実行部をＯＬＴの例えば制御部１４、情報処理部、制御盤又はＣＰＵ盤等に備え、指示部を光スイッチ部１０の情報処理部や、ＣＰＵ等の演算処理可能な箇所に備える。その他は第１の構成例と同様である。なお、第６２の構成例は、通信システム構成（１−１）〜（６４−２）におけるＯＬＴの例えば制御部１４、情報処理部、制御盤又はＣＰＵ盤等と光スイッチ部１０に演算処理可能な箇所を備える任意の構成に適用できる。なお、ＯＬＴの例えば制御部１４、情報処理部、制御盤又はＣＰＵ盤等及び光スイッチ部１０の演算処理可能な箇所の両方に実行部及び指示部が備わっていてもよい。
【０７５６】
（第６３の構成例）
第６３の構成例では、実行部をＯＬＴ外部の例えばセンタクラウドやローカルクラウドやエッジクラウドや単独の外部サーバ１６や情報処理部やオペレーションシステムやＮＥコントローラなどのＥＭＳ等に備え、指示部を光スイッチ部１０の例えば情報処理部や、ＣＰＵ等の演算処理可能な箇所に備える。その他は第１の構成例と同様である。なお、第６３の構成例は、通信システム構成（１−１）〜（６４−２）におけるＯＬＴ外部の例えばセンタクラウドやローカルクラウドやエッジクラウドや単独の外部サーバ１６や情報処理部やオペレーションシステムやＮＥコントローラなどのＥＭＳ等と光スイッチ部１０に演算処理可能な箇所を備える任意の構成に適用できる。なお、ＯＬＴ外部の例えばセンタクラウドやローカルクラウドやエッジクラウドや単独の外部サーバ１６や情報処理部やオペレーションシステムやＮＥコントローラなどのＥＭＳ等と光スイッチ部１０の演算処理可能な箇所の両方に実行部及び指示部が備わっていてもよい。
【０７５７】
（第６４の構成例）
第６４の構成例では、実行部をＯＬＴ外部の主信号ネットワーク中の例えばプロキシ部１５等に備え、指示部を光スイッチ部１０の例えば情報処理部や、ＣＰＵ等の演算処理可能な箇所に備える。その他は第１の構成例と同様である。なお、第６４の構成例は、通信システム構成（１−１）〜（６４−２）におけるＯＬＴ外部の主信号ネットワーク中の例えばプロキシ部１５等と光スイッチ部１０の演算処理可能な箇所を備える任意の構成に適用できる。なお、ＯＬＴ外部の主信号ネットワーク中の例えばプロキシ部１５等と光スイッチ部１０の演算処理可能な箇所の両方に実行部及び指示部が備わっていてもよい。
【０７５８】
なお、第１の構成例から第６４の構成例において、指示部の設定又はアルゴリズムを変更するためのＩＦを備え、指示部のソフトウェアを変更できるとしてもよい。また、第１の構成例から第６４の構成例において、指示部は装置の構成要素で、演算処理が可能な一か所の構成要素上に配置したが、演算処理が可能な複数の構成要素装置上、例えば複数の情報処理部での処理により実現してもよい。
以下、ＦＡＳＡアプリケーション自体又はＦＡＳＡアプリケーションとしてインストールするソフトウェアを指示部、ＦＡＳＡプラットフォーム自体又はＦＡＳＡプラットフォームにインストールするソフトウェアを実行部として説明する。
【０７５９】
図１７は、光アクセスシステムの構成の例を示す図である。同図に示すＯＬＴは、通信装置１００の一例である。図１７に係る光アクセスシステムでは、ＩＴＵ−Ｔ  Ｇ．９８９シリーズに準拠する。図１７において、コントローラと外部装置はＯＬＴに含まれないが、ＦＡＳＡアプリケーションＡＰＩとの通信を例示するために記載する。
【０７６０】
論理モデルは、ＦＡＳＡアプリケーションと、ＦＡＳＡアプリケーションにＦＡＳＡアプリケーションＡＰＩを提供するＦＡＳＡ基盤とから構成される。ＦＡＳＡ基盤はＦＡＳＡアプリケーションＡＰＩ用ミドルウェアを含む。ＦＡＳＡアプリケーションＡＰＩ用ミドルウェアは、ＦＡＳＡ基盤を構成するハードウェアやソフトウェアのベンダや方式の違いを吸収する。ＦＡＳＡアプリケーションＡＰＩ用ミドルウェア上にベンダや方式に依存しないＦＡＳＡアプリケーションＡＰＩセットを規定し、ＦＡＳＡアプリケーションの入替により、サービス毎あるいは通信事業者毎に必要な機能を実現する。ＦＡＳＡアプリケーション間の通信やコントローラ等による設定管理はＦＡＳＡアプリケーションＡＰＩ用ミドルウェアを介して行う。なお、ＦＡＳＡアプリケーションＡＰＩ用ミドルウェアを介さないこともありうる。ＦＡＳＡアプリケーションＡＰＩセットは、ＦＡＳＡアプリケーションで利用する共通のＡＰＩ群であり、ＦＡＳＡアプリケーション毎に必要なＡＰＩをＡＰＩセットから選択して利用する。
【０７６１】
以下に示す接続関係は例であり、間に介在する接続は介在しない接続であってもよいし、複数の接続関係の一部のみ接続していてもよく、それ以外の接続であってもよい。これは他の説明も同様である。
【０７６２】
ＮＥコントローラとして機能するＥＭＳは、ＮＥ−ＯｐＳ等のＯＬＴの設定管理システムである。ＯＬＴには、ＥＭＳがＦＡＳＡアプリケーションＡＰＩ用ミドルウェアを介して接続されるＩＦ変換アプリを介して、設定管理アプリケーション（例えば、低速監視アプリ（ＥＭＳ−ＩＦ）及び設定・管理アプリ）と接続されるようにアプリが配置されている。ＩＦ変換アプリと設定管理アプリケーションも、ＦＡＳＡアプリケーションＡＰＩ用ミドルウェアを介して接続される。ＩＦ変換アプリは、ＮＥコントローラ等のＥＭＳからＯＬＴ等のＮｅｔｗｏｒｋ  Ｅｎｔｉｔｙに対する制御ＩＦであるＳＢＩ（Ｓｏｕｔｈ  Ｂａｎｄ  Ｉｎｔｅｒｆａｃｅ）のコマンドを変換するＳＢＩアプリに相当する。ここでＩＦ変換アプリがＩＦ変換するとしているが低速監視アプリ（ＥＭＳ−ＩＦ）及び設定・管理アプリにて、ＩＦ変換を行う又はＩＦ変換を行う必要のないＡＰＩを備えれば、ＩＦ変換アプリは備えなくともよい。Ｌ２（レイヤ２）機能（Ｌ２  ｆｕｎｃｔｉｏｎ）と接続された低速監視アプリ（ＥＭＳ−ＩＦ）と設定・管理アプリはＦＡＳＡアプリケーションＡＰＩ用ミドルウェアを介して、ＥＭＳやＮＥ管理等を行うＮＥ制御・管理と接続されている。低速監視アプリ（ＯＭＣＩ）、ＭＬＤプロキシアプリ（マルチキャストアプリ）及び省電力アプリは、ＦＡＳＡアプリケーションＡＰＩ用ミドルウェアを介してそれぞれＬ２機能と接続されている。
【０７６３】
プロテクションアプリは、ＦＡＳＡアプリケーションＡＰＩ用ミドルウェアを介してＰＬＯＡＭ  ＥｎｇｉｎｅとＥｍｂｅｄｄｅｄ  ＯＡＭ  Ｅｎｇｉｎｅとに接続されている。省電力アプリは、ＦＡＳＡアプリケーションＡＰＩ用ミドルウェアを介してＯＭＣＩとＰＬＯＡＭ  Ｅｎｇｉｎｅとに接続されている。ＯＮＵ登録認証アプリ及びＤＷＢＡアプリはＦＡＳＡアプリケーションＡＰＩ用ミドルウェアを介してＰＬＯＡＭ  Ｅｎｇｉｎｅと接続され、ＤＢＡアプリはＦＡＳＡアプリケーションＡＰＩ用ミドルウェアを介してＥｍｂｅｄｄｅｄ  ＯＡＭ  Ｅｎｇｉｎｅと接続されている。省電力アプリは、ＦＡＳＡアプリケーションＡＰＩ用ミドルウェアを介してプロテクションアプリとＯＮＵ登録認証アプリとＤＷＢＡアプリとＤＢＡアプリ間でそれぞれ動作させてもよい。外部の装置からの入力はＦＡＳＡアプリケーションＡＰＩ用ミドルウェアを介してＤＢＡアプリに接続している。なおこれらの接続は、例であり、外部の装置からの入力をＤＢＡアプリ以外の他のアプリ例えばプロテクションアプリやＤＷＢＡアプリに接続してもよい。また外部の装置からの入力をＦＡＳＡアプリケーションＡＰＩ用ミドルウェア経由でＩＦ変換アプリを介してＩＦ変換したり、ＦＡＳＡアプリケーションＡＰＩ用ミドルウェア経由で設定・管理アプリを介してＤＢＡアプリ等に接続したりしてもよい。
【０７６４】
図１８は、通信装置内の機能部間の信号／情報の流れを示す図である。同図に示す通信装置は、ＰＯＮ主信号処理機能部３００と、ＰＭＤ部３１０と、ＰＯＮアクセス制御機能部３２０と、保守運用機能部３３０（ＰＬＯＡＭ処理、ＯＭＣＩ処理）と、Ｌ２主信号処理機能部３４０と、ＰＯＮマルチキャスト機能部３５０と、省電力制御機能部３６０と、周波数・時刻同期機能部３７０と、プロテクション機能部３８０とを備える。
【０７６５】
ＰＯＮ主信号処理機能部３００は、ＰＯＮ主信号処理機能を有する。ＰＯＮ主信号処理機能は、ＯＮＵとの間で送受信を行う主信号を処理する機能群であり、ＰＯＮフレームの生成分離や前方誤り訂正（ＦＥＣ：Ｆｏｒｗａｒｄ  Ｅｒｒｏｒ  Ｃｏｒｒｅｃｔｉｏｎ）等を含む。
【０７６６】
ＰＯＮアクセス制御機能部３２０は、ＰＯＮアクセス制御機能を有する。ＰＯＮアクセス制御機能は、前述の主信号送受信を行うための制御機能群であり、動的帯域割当やＯＮＵの登録認証等を含む。
【０７６７】
保守運用機能部３３０（ＰＬＯＡＭ処理、ＯＭＣＩ処理）は、保守運用機能を有する。保守運用機能は、アクセス装置によってサービスを円滑に保守運用するための機能群であり、ＯＮＵやＯＬＴ（ＯＳＵ及びスイッチ）の装置設定を実施する機能や、ソフトウェアの更新、装置やサービスの管理、各種機能が正常に動作しているかを監視する機能、異常発生時に能動的に警報を発出する機能、異常発生時の範囲や原因を調査するための試験機能等を含む。また、保守運用機能は、多数のアクセス装置を管理する保守運用システムと接続され、リモートからも円滑な保守運用を実現する。
【０７６８】
Ｌ２主信号処理機能部３４０は、Ｌ２主信号処理機能を有する。Ｌ２主信号処理機能は、ＰＯＮ側ポートとＳＮＩ側ポートとの間で主信号を転送し、処理する機能群であり、ＭＡＣアドレス学習やＶＬＡＮ制御、優先制御やトラフィックモニタ等の機能を含む。
【０７６９】
ＰＯＮマルチキャスト機能部３５０は、ＰＯＮマルチキャスト機能を有する。ＰＯＮマルチキャスト機能は、ＳＮＩ側から受信したマルチキャストストリームを適切なユーザに転送する機能群であり、マルチキャストストリームの識別や振分し、ＯＮＵのフィルタ設定を実施する機能を含む。
【０７７０】
省電力制御機能部３６０は、省電力制御機能を有する。省電力制御機能は、ＯＮＵやＯＬＴの電力消費を削減するための機能群であり、標準化で規定されている省電力化機能に加え、トラフィックモニタとの連携によってサービスへの影響を最小限に抑えながら、最大限の効果を得るための機能を含む。
【０７７１】
周波数・時刻同期機能部３７０は、周波数・時刻同期機能を有する。周波数／時刻同期機能は、ＯＮＵ配下の装置に正確な周波数同期や時刻同期を提供するための機能群であり、自身のリアルタイムクロックを上位装置に従属同期させる機能や、ＰＯＮフレームを用いてＯＮＵに時刻情報を通知する機能を含む。
【０７７２】
プロテクション機能部３８０は、プロテクション機能を有する。プロテクション機能は、スイッチ間やＯＳＵ間等、複数のハードウェアで冗長をとった構成において、障害検知時に現用系から予備系への切替や引継を実施してサービスを継続するための機能群であり、切替トリガの検出や切替処理の実施といった機能を含む。また、プロテクション機能は障害検知時や手動での切替時に、サービスを全面停止せず縮退運転で動作させ続けるための機能を提供する。
ＰＭＤ部３１０は、主要８機能以外の機能を有する。
【０７７３】
ＰＯＮ主信号処理機能部３００は、ＰＭＤ部３１０と、ＰＯＮアクセス制御機能部３２０と、保守運用機能部３３０（ＰＬＯＡＭ処理、ＯＭＣＩ処理）と、Ｌ２主信号処理機能部３４０とに接続されていてもよい。ＰＯＮマルチキャスト機能部３５０は、ＰＯＮ主信号処理機能部３００と、ＰＭＤ部３１０と、ＰＯＮアクセス制御機能部３２０と、保守運用機能部３３０と、Ｌ２主信号処理機能部３４０とからなる群に接続していてもよい。省電力制御機能部３６０は、ＰＯＮ主信号処理機能部３００と、ＰＭＤ部３１０と、ＰＯＮアクセス制御機能部３２０と、保守運用機能部３３０と、Ｌ２主信号処理機能部３４０とからなる群に接続していてもよい。周波数・時刻同期機能部３７０は、ＰＯＮ主信号処理機能部３００と、ＰＭＤ部３１０と、ＰＯＮアクセス制御機能部３２０と、保守運用機能部３３０と、Ｌ２主信号処理機能部３４０とからなる群に接続していてもよい。プロテクション機能部３８０は、ＰＯＮ主信号処理機能部３００と、ＰＭＤ部３１０と、ＰＯＮアクセス制御機能部３２０と、保守運用機能部３３０と、Ｌ２主信号処理機能部３４０とからなる群に接続していてもよい。
【０７７４】
図１９は、ＰＯＮ主信号処理機能部３００が有する機能構成の例を示す図である。ＰＯＮ主信号処理機能部３００は、上り信号の処理順（下り信号の処理は逆方向）に、ＰＨＹアダプテーションと、フレーム化と、サービスアダプテーションとを、ＰＯＮ主信号処理機能を構成する処理として備えていてもよい。これらの処理は、基本処理から構成されてもよい。基本処理は、同期ブロック生成／抽出と、スクランブル／デスクランブルと、ＦＥＣデコード／エンコードと、フレーム生成／分離と、ＧＥＭ（Ｇ−ＰＯＮ  Ｅｎｃａｐｓｕｌａｔｉｏｎ  Ｍｅｔｈｏｄ）カプセル化と、フラグメント処理と、暗号化とである。
【０７７５】
ＰＨＹアダプテーションは、同期ブロック抽出と、デスクランブルと、ＦＥＣデコーディングとを、上り信号の処理順に備えていてもよい。ＰＨＹアダプテーションは、ＦＥＣエンコーディングと、スクランブルと、同期ブロック生成とを、下り信号処理の順番で備えていてもよい。
【０７７６】
ＰＯＮ主信号処理機能部３００は、ＰＨＹアダプテーション、フレーム化又はサービスアダプテーションの処理を備えずに、同等の処理を基本処理の組み合わせで実現してもよい。ＰＨＹアダプテーション、フレーム化又はサービスアダプテーションの処理は、順番が入れ替わっていてもよい。ＰＨＹアダプテーションは、例えば、ＦＥＣ処理をＰＨＹアダプテーション以外に備えてもよい。
【０７７７】
ＰＯＮ主信号処理機能部３００の主要機能では、１０Ｇｂｉｔ／ｓ／λと２．５Ｇｂｉｔ／ｓ／λの処理をそれぞれ波長ごとに処理する場合、それぞれ１０Ｇｂｉｔ／ｓ／λと２．５Ｇｂｉｔ／ｓ／λ以上のストリーム処理が複数波長を処理するなら、複数波長分が求められる。
【０７７８】
図２０は、ＰＯＮアクセス制御機能部３２０が有する機能構成の例を示す図である。ＰＯＮアクセス制御機能部３２０が有するＰＯＮアクセス制御機能を構成する処理として、ＯＮＵ登録又は認証、ＤＢＡ、及び、λ設定切替（ＤＷＡ）を有する。これらの処理は、基本処理から構成されてもよい。例えば、ＯＮＵ登録又は認証は、初期処理を構成するレンジング、認証削除、登録、起動停止、ＤＢＡは帯域要求受信、トラフィック測定、履歴保持、割当計算、割当処理、設定切替計算、設定切替処理、設定切替状況把握の全て又はそのいくつか、λ設定切替は、帯域要求受信、トラフィック測定、履歴保持、割当計算、割当処理、設定切替計算、設定切替処理、設定切替状況把握の全て又はそのいくつかから構成されてもよい。ＯＮＵ登録又は認証、ＤＢＡ、λ設定切替（ＤＷＡ）は備えずに同等の処理を基本処理の組み合わせで実現してもよい。また、順番が入れ替わっていてもよい。
【０７７９】
ＰＯＮアクセス制御機能部３２０の主要機能では、ＯＮＵ高速起動、ＤＢＡ周期内でのＢＷＭａｐ、無瞬断λ設定切替等が必要に応じて求められる。機能分担の例として、登録又は認証としては、タイムクリティカルなレンジング処理を機器依存部１１０、その後の認証や鍵交換をアプリとしてもよい。ＤＢＡ・λ設定切替では、単純な繰り返し処理を機器依存部１１０、理想状態への反映をアプリとしてもよい。
【０７８０】
図２１は、Ｌ２主信号処理機能部３４０が有する機能構成の例を示す図である。Ｌ２主信号処理機能部３４０が有するＬ２主信号処理機能を構成する処理として、ＭＡＣ学習、ＶＬＡＮ制御、パス制御、帯域制御、優先制御、遅延制御、Ｃｏｐｙを有する。これらの処理は基本処理であるアドレス管理、Ｃｌａｓｓｉｆｉｅｒ（クラシファイア、分類部）、Ｍｏｄｉｆｉｅｒ（モディファイア、変更部）、Ｐｏｌｉｃｅｒ／Ｓｈａｐｅｒ（ポリサー／シェイパ）、Ｃｒｏｓｓ  Ｃｏｎｎｅｃｔ（クロス・コネクト）、Ｑｕｅｕｅ（キュー）、Ｓｃｈｅｄｕｌｅｒ（スケジューラ）、Ｃｏｐｙ（コピー）、トラフィックモニタから構成されてもよい。ＭＡＣ学習、ＶＬＡＮ制御、パス制御、帯域制御、優先制御、遅延制御、Ｃｏｐｙは備えずに同等の処理を基本処理の組み合わせで実現してもよい。また、順番が入れ替わっていてもよい。
【０７８１】
Ｌ２主信号処理機能部３４０の主要機能では、１０Ｇｂｉｔ／ｓ／λと２．５Ｇｂｉｔ／ｓ／λの処理をそれぞれ波長ごとに処理する場合、それぞれ１０Ｇｂｉｔ／ｓ／λと２．５Ｇｂｉｔ／ｓ／λ以上のストリーム処理が、複数波長を処理するなら複数波長分が求められる。
【０７８２】
図２２は、保守運用機能部３３０が有する機能構成の第１例を示す図である。保守運用機能部３３０が有する保守運用機能を構成する処理として、ＯＮＵ、ＯＳＵ、ＯＬＴ又はＳＷの装置設定（手動、一括、自動、オペレーション契機）、設定バックアップ、ＦＷ更新、装置制御（リセット）、冗長構成対応を有する。これらの処理は、基本処理であるＣＬＩ−ＩＦ、装置管理ＩＦ、オペレーションＩＦ、汎用Ｃｏｎｆｉｇ（コンフィグ）−ＩＦ（Ｎｅｔｃｏｎｆ、ＳＮＭＰなど）、テーブル管理から構成されてもよい。装置設定、設定バックアップ、ＦＷ更新、装置制御、冗長構成対応は備えずに同等の処理を基本処理の組み合わせで実現してもよい。また、順番が入れ替わっていてもよい。
【０７８３】
保守運用機能部３３０の主要機能では、指示を受けてからＡＣＫ送信まで１００ミリ秒以内、指示を受けてから反映完了通知送信まで２００ミリ秒以内（ただし、データ転送を含む設定バックアップとＦＷ更新は規模（サイズ・ユーザ数）に応じる等の規定に従うこと）が求められる。機能分担の例としては、ハードのＣｏｎｆｉｇを除きアプリによる処理とし、ソフトや設定データはＯＮＵやＯＬＴで持たずに図１６の外部サーバ１６上のアプリによる処理とすることもできる。コマンドの統一とシーケンスの定義をすることで実現することもできる。
【０７８４】
図２３は、保守運用機能部３３０が有する機能の構成の第２例を示す図である。保守運用機能部３３０が有する機能を構成する処理として、装置の状態監視（ＣＰＵ／メモリ／電源／切替）、トラフィック監視、警報監視（ＯＮＵ異常、ＯＬＴ異常）、試験（ループバック）を有する。これらの処理は基本処理である警報通知、ログ記録、Ｌ３パケット生成／処理、テーブル管理から構成されてもよい。装置の状態監視、トラフィック監視、警報監視、試験は同等の処理を基本処理の組み合わせで実現してもよい。また、順番が入れ替わっていてもよい。
【０７８５】
保守運用機能部３３０の主要機能では、レイテンシが１００ミリ秒以内等の規定に従うことが求められる。機能分担の例として、通知／表示のＩＦのみアプリとし、モニタが必要な項目（ＣＰＵ負荷、メモリ利用量、電源状態、消費電力、イーサネット（登録商標）のリンク状態など）は機器依存部１１０であり、機器依存部１１０からの通知読み出し、通知のネットワーク（ＮＷ）送信、ファイルへの書き込みなどのＩＦをきるアプリによる処理とすることもできる。
【０７８６】
図２４は、保守運用機能部３３０が有する機能構成の第３例を示す図である。保守運用機能部３３０が有する保守運用機能を構成する処理として、高速を要する監視・制御の入出力（スリープ指示／返答、λ設定切替指示／返答など）を有する。本処理の手段として、物理層ＯＡＭ（ＰＬＯＡＭ：ＰＨＹｓｉｃａｌ  Ｌａｙｅｒ  ＯＡＭ）メッセージ、及び、ヘッダ内のビット表示（Ｅｍｂｅｄｄｅｄ  ＯＡＭ）を利用する。これらの処理は基本処理であるＰＬＯＡＭ処理、Ｅｍｂｅｄｄｅｄ  ＯＡＭ処理、省電力制御機能部３６０との通信、プロテクション機能部３８０との通信、ＰＯＮアクセス制御機能部３２０との通信から構成されてもよい。高速を要する監視・制御の入出力は同等の処理を基本処理の組み合わせで実現してもよい。また、順番が入れ替わっていてもよい。保守運用機能部３３０の主要機能では、ＰＬＯＡＭ処理を７５０マイクロ秒以内とする等の規定に従うことが求められる。
【０７８７】
図２５は、ＰＯＮマルチキャスト機能部３５０が有する機能構成の例を示す図である。ＰＯＮマルチキャスト機能部３５０が有するＰＯＮマルチキャスト機能を構成する処理として、マルチキャストストリームの識別又は振り分け、ＭＬＤプロキシ／スヌーピング、ＯＮＵフィルタ設定、波長間設定移行を有する。これらの処理は基本処理であるＬ２識別・振り分け、Ｌ３パケット処理（ＩＰｖ６  Ｐａｒｓｅを備えるのが望ましい）、Ｌ３パケット生成、テーブル管理、ＯＭＣＩ機能との通信から構成されてもよい。マルチキャストストリームの識別又は振り分け、ＭＬＤプロキシ／スヌーピング、ＯＮＵフィルタ設定、波長間設定移行は同等の処理を基本処理の組み合わせで実現してもよい。また、順番が入れ替わっていてもよい。
【０７８８】
なお本願の文中ではマルチキャストのプロトコルとしてＭＬＤで例示したが、ＩＧＭＰ等の他のプロトコルであっても同様である。
【０７８９】
ＰＯＮマルチキャスト機能部３５０の主要機能では、識別／振り分けを１０Ｇｂｉｔ／ｓ／λと２．５Ｇｂｉｔ／ｓ／λの処理をそれぞれ波長毎に処理する場合、それぞれ１０Ｇｂｉｔ／ｓ／λと２．５Ｇｂｉｔ／ｓ／λ以上のストリーム処理が、複数波長を処理するなら複数波長分が求められる。さらに、ＰＯＮマルチキャスト機能部３５０の主要機能では、パケット処理としてザッピング性能（Ｚａｐｐｉｎｇ性能）（ＪＯＩＮレイテンシ）が、平均１．５秒以内等の規定に従うことが求められる。
【０７９０】
機能分担の例としては、マルチキャスト（ＭＣ）ストリームの識別・振分は高速な処理能力を持つＣＰＵ等であればソフト処理可だが、ハード＋ｃｏｎｆｉｇが望ましい。その他、上りに対するアプリ系やＯＮＵ設定は頻度や遅延制約が緩いためアプリによる処理とするである。
【０７９１】
図２６は、省電力制御機能部３６０が有する機能構成の例を示す図である。省電力制御機能部３６０が有する機能を構成する処理として、スリープ用プロキシ／トラフィックモニタ、ＯＮＵ波長設定、波長間設定移行を有する。これらの処理は基本処理であるＬ３パケット処理（ＩＰｖ６  Ｐａｒｓｅを備えるのが望ましい）、Ｌ３パケット生成、テーブル管理、ＯＳＵ省電力ステートダイアグラム（ＳＤ：Ｓｔａｔｅ  Ｄｉａｇｒａｍ）、ＯＭＣＩ機能との通信から構成されてもよい。スリープ用プロキシ／トラフィックモニタ、ＯＮＵ波長設定、波長間設定移行は同等の処理を基本処理の組み合わせで実現してもよい。また、順番が入れ替わっていてもよい。
【０７９２】
本主要機能では、送受信立ち上がり時間（受信器／送信器）を１０ミリ秒／５ミリ秒、立ち上がり時間（ＬＣ／ＯＳＵ／ＯＬＴ）を１００ミリ秒／１秒／１０秒等の規定に従うことが求められる。
【０７９３】
機能分担の例として、パワーセーブ（ＰＳ：Ｐｏｗｅｒ  Ｓａｖｅ）アプリや、信号によってはプロキシ処理もアプリによる処理とすることもできる。省電力制御状態遷移管理（ドライバ部）は速度が求められるがアプリによる処理とすることもできる。トラフィックモニタはコンフィグ（ｃｏｎｆｉｇ）のみアプリによる処理とすることもできる。
【０７９４】
図２７は、周波数・時刻同期機能部３７０が有する機能構成の例を示す図である。ＯＬＴは、ＳｙｎｃＥ（Ｓｙｎｃｈｒｏｎｏｕｓ  Ｅｔｈｅｒｎｅｔ（登録商標））（周波数同期用）及びＩＥＥＥ  １５８８ｖ２（時刻同期）により、自身のリアルタイムクロック（ＲＴＣ）を上位装置に従属同期させる。更に、ＯＭＣＩを利用して、ＰＯＮのスーパーフレームカウンタ（ＳＦＣ）と絶対時刻（ＴｏＤ：Ｔｉｍｅ  ｏｆ  Ｄａｙ）情報の対応をＯＮＵに通知する。これらの処理は基本処理であるリアルタイムクロックの保持等から構成されてもよい。同等の処理を基本処理の組み合わせで実現してもよい。また、順番が入れ替わっていてもよい。
【０７９５】
本主要機能では、周波数同期精度＋／−５０ｐｐｂ（ＬＴＥ  ＦＤＤ、同ＴＤＤ）、時刻同期精度＋／−１〜１．５マイクロ秒（ＬＴＥ  ＴＤＤ、スモールセル）、＋／−１マイクロ秒（Ｇ．９８７．３）等の規定に従うことが求められる。機能分担の例としては、リアルタイムクロック自体は機器依存部１１０であり、上位装置への時刻合わせ計算はアプリによる処理とすることもできる（精度により機器依存部１１０とすることもできる）。
【０７９６】
図２８は、プロテクション機能部３８０が有する機能構成の例を示す図である。プロテクション機能部３８０が有するプロテクション機能を構成する処理として、冗長切替（ＣＴ、ＳＷ、ＮＮＩ、Ｃｏｎｔ、ＰＯＮ（Ｔｙｐｅ  Ａ、Ｂ、Ｃ））を備える。これらの処理は基本処理である冗長パス設定、切替トリガ検出、切替通知送受信、切替処理等から構成されてもよい。同等の処理を基本処理の組み合わせで実現してもよい。また、順番が入れ替わっていてもよい。
【０７９７】
本主要機能では、強制切替は５０ミリ秒以下等の規定に従うことが求められる。機能分担の例としては、故障検出等のハードの切替トリガ検出と切替処理を除きアプリによる処理とすることもできる。冗長パスを予め設定せずに、切替トリガ検出時にＥＭＳ側へ（から）指示する場合は機器依存、等である。
【０７９８】
なお、主要８機能は必要に応じて備えればよく、例えばＰＯＮ主信号処理機能、ＰＯＮアクセス制御機能、Ｌ２主信号処理機能、保守運用機能のみを備えてもよいし、それ以外の機能を備えてもよい。また、各機能のソフト化可否の評価は、２０１８年に想定されるＯＬＴの処理能力かつ、ソフトスイッチの適用は想定していない前提での一例である。想定する処理能力やソフトスイッチの適用を想定して適宜変更してもよい。ソフト化可の機能であっても、ソフト化しなくてもよい。各機能の内部の構成は同様の機能を実現できれば他の構成であってもよい。
【０７９９】
主要８機能に含まれるアルゴリズムを主なソフト化領域とする。ソフト化領域とした機能を機器無依存ＡＰＩ２１、２２上の機器無依存アプリ部１３０とする。例えば、差異化サービスに資するＯＮＵ登録又は認証機能、ＤＷＢＡ機能、設定・管理・監視制御機能及び省電力制御機能におけるアルゴリズムは機器無依存アプリ部１３０における拡張機能部１３１として扱われる。ＭＬＤプロキシアプリはマルチキャスト機能を含む。
【０８００】
拡張機能部１３１は、アプリの内、機能の更新頻度や独自仕様等の実現等の重要度に応じて拡張機能部１３１とする。更新頻度が低いか独自仕様等の実現の要求の低いものは基本機能部１３２や機器無依存アプリ部１３０以外のミドルウェア部１２０や機器依存ソフトウェアやハードウェア部１１１（ＰＨＹ）及びハードウェア部１１２（ＭＡＣ）とすることが好ましい。特に、ソフトウェアの処理能力からくる制限がある機能は、ハードウェア部１１１（ＰＨＹ）及びハードウェア部１１２（ＭＡＣ）のままとすることが好ましい。例えば、主信号の優先処理や回線の利用効率を向上するＤＢＡ等の更改頻度が高いかサービス差異化に寄与する機能や、オペレータの業務フローに密接にかかわり合いオペレータ毎の独自仕様が要求される管理制御機能から拡張機能部１３１とする。
【０８０１】
図２９は、通信装置のアーキテクチャの詳細の例を示す図である。エンベデッドＯＡＭエンジン１１４ａ（Ｅｍｂｅｄｄｅｄ  ＯＡＭ  Ｅｎｇｉｎｅ）は、ミドルウェア部１２０を介して、ＤＢＡアプリ部及びプロテクションアプリ部と接続されている。ＰＬＯＡＭエンジン１１４ｂは、ミドルウェア部１２０を介して、ＤＷＢＡアプリ、ＯＮＵ登録認証、高速監視アプリ、省電力アプリ及びプロテクションアプリと接続されている。
【０８０２】
ＯＭＣＩは、ミドルウェア部１２０を介して、省電力アプリ及び低速監視アプリ（ＯＭＣＩ）と接続されている。Ｌ２機能部（Ｌ２  ｆｕｎｃｔｉｏｎ）は、ミドルウェア部１２０を介して、省電力アプリ及びＭＬＤプロキシアプリと接続されている。Ｌ２機能部は、ミドルウェア部１２０を介して、設定・管理アプリと更に接続されている。ＮＥ管理部１１５ａは、設定・管理アプリと接続されている。ＮＥコントロール１１５ｂは、低速監視アプリ（ＥＭＳ−ＩＦ）と接続されている。
【０８０３】
図３０は、通信装置内の機能部間の信号／情報の流れを示す図である。同図では、ＯＬＴのＩｎ／Ｏｕｔに着目した、通信装置内の機能部間の信号／情報の流れを示している。同図に示すように通信装置としてのＯＬＴは、ＡＰＩ下側処理実体（ＦＡＳＡプラットフォーム）とアプリ（ＦＡＳＡアプリケーション）とから構成される。
【０８０４】
ＡＰＩ下側処理実体は、ＯＬＴ入出力対象がＭＰＣＰ送受に対する送信指示と受信通知であるＭＰＣＰ／ＤＢＡ処理実体、ＯＬＴ入出力対象がＯＡＭ送受であるＯＡＭ処理実体、ＯＬＴ入出力対象がＯＮＵ認証送受であるＯＮＵ認証処理実体、ＯＬＴ入出力対象がＭＬＤ／ＩＧＭＰ送受であるＭＬＤ／ＩＧＭＰ処理実体、ＯＬＴ入出力対象が他プロトコル送受である他プロトコル処理実体、ＯＬＴ入出力がブリッジ・暗号化等主信号処理に対する設定や参照・状態取得である主信号設定処理実体、ＯＬＴ入出力対象がＯＬＴハード・ＩＦ・ＯＳ等である装置管理処理実体で例示している。ここで、ＭＰＣＰ送受に対する送信指示と受信通知はドライバ直叩きを想定し、send_frame(*raw_frame);のようなものであることが望ましい。
同図では、アプリとして、ＤＢＡ、ＯＮＵ管理、回線管理、マルチキャスト、ＥｔｈｅｒＯＡＭ、冗長、装置管理、警報管理、Ｎｅｔｃｏｎｆエージェント、アプリ管理を例示している。
【０８０５】
ＯＬＴのＩｎ／Ｏｕｔは、ＯＮＵに対する入出力と、ＯＬＴ自身への設定／通知と、ＥＭＳとの入出力の３つに大別される。ＡＰＩ上側のアプリから見ると、ＡＰＩ下側処理部に対しては、ドライバ直叩きのような処理と比べて、（ａ）簡単に（都合よく）、（ｂ）共通に（複数種間で）、（ｃ）便利に、処理してくれる処理実体があることが望ましい。
【０８０６】
以下にＡＰＩ下側処理実体の機能分担を例示する。アプリはそれに対応する処理を有する。ＡＰＩ下側処理実体とアプリの機能分担は、以下のいずれであってもそれ以外であってよし、処理実体毎に異なっていてもよい。
【０８０７】
（０）メッセージスルー：メッセージをＡＰＩ上部側とＯＮＵ／上位ＮＷとでスルーする。
【０８０８】
（１）フレーミング：メッセージを、フレームを外して、必要に応じて要素に分解又は処理してＡＰＩ上部側に提供する。ＡＰＩ上部からは、情報をＡＰＩ下部側に渡す。ＡＰＩ下側処理実体はフレーミングを行う。各プロトコルへの依存が大きいＡＰＩになるため機器依存アプリ部に含まれてもよい。固定的なパラメータ（タイプ値など）は、ＡＰＩ上部から初期化時等に設定され、保持するのが望ましい。設定パラメータはＡＰＩ上部からの参照に対して返信する。
【０８０９】
（２）自動応答：定期送信、固定的な応答など、判断を要しないメッセージ送受信を処理実体が担う。ＡＰＩ上部からは、あらかじめ動作の設定が行われるのが望ましい。例えば、応答周期など。ＡＰＩ上部への通知が必要な場合のみ結果を通知する。
【０８１０】
（３）自律判断：判断を伴う処理についても、処理実体で担う。ＡＰＩ上部からは、あらかじめ、ポリシーの設定が行われる。
【０８１１】
本図はＩＥＥＥ準拠の１０ＧＥＰＯＮに即して記載しているが、対応する機能及び処理を読みかえればＩＴＵ−Ｔやそれ以外に準拠する装置であっても同様である。また機能や処理実態は例であり条件に応じて適宜追加、削除、入替、変更してもよい。
【０８１２】
図３１は、通信装置が実行するアプリの例を示す図である。ＣＰＵの処理は、３グループに分類される。３グループは、Ｃｏｎｔ向きのＣＰＵと、ＯＳＵ向きのＣＰＵと、ＳＷ向きのＣＰＵとである。Ｃｏｎｔ向きのＣＰＵの処理は、低速監視アプリ（ＯＭＣＩ）と、低速監視アプリ（ＥＭＳ−ＩＦ）と、設定・管理アプリとを実行する処理である。ＳＷ向きのＣＰＵの処理は、ＭＬＤプロシキアプリを実行する処理である。ＯＳＵ向きのＣＰＵの処理は、省電力アプリと、プロテクションアプリと、高速監視アプリと、ＤＢＡアプリと、ＤＷＢＡアプリと、ＯＮＵ登録認証アプリとを実行する処理である。装置設定ＩＦは、ＥＭＳ−ＩＦの一部であってもよく、機器依存ＡＰＩ２５と同等であってもよい。
【０８１３】
各アプリがＣＰＵパッケージ上のＣＰＵで処理される例である。図３１では、各アプリをＯＬＴ内の制御部であるコントパッケージ（図３１におけるＣｏｎｔ．）向き、複数の光送受信機（図３１のλＣａｒｄ）を備えるＯＳＵパッケージ（図３１のＯＳＵ）向き、ＯＳＵ及び上位ネットワーク側の装置とデータの入出力を行うＳＷパッケージ向きの３グループに分類している。ＯＳＵグループを省電力アプリ、プロテクションアプリ、高速監視アプリ、ＤＢＡアプリ、ＤＷＢＡアプリ、ＯＮＵ登録認証アプリとし、ＳＷグループをＭＬＤプロキシアプリとし、Ｃｏｎｔグループを低速監視アプリ（ＯＭＣＩ）、低速監視アプリ（ＥＭＳ−ＩＦ）、設定管理アプリとした。更に、ＣＰＵでの集中制御を想定しているが、分類した各グループのアプリをそれぞれのパッケージ（Ｃｏｎｔ、ＯＳＵ、ＳＷ）に分散配置してもよい。また上記の分類によらずに、Ｃｏｎｔ、ＯＳＵ、ＳＷのいずれか又はそれらの複数の組み合わせ上に配置してもよい。また、図３１の装置設定ＩＦはＥＭＳ−ＩＦの一部であってもよいし、図１１の機器依存ＡＰＩ２５同等であってもよい。またアプリの処理はＣＰＵ上で行うとしたが、一部また全てを、処理機能を備える代替物、例えばＣＰＵ以外のＧＰＵやＮＰＵやＤＳＰ等のプロセッサやＦＰＧＡ上で処理してもよい。他の実施形態でも同様である。
【０８１４】
図３２は、ＣＰＵパッケージの代わりにサーバ等にアプリを配置した例である。アプリはサーバ等上で処理され、そのアプリの処理結果は、イーサネット（登録商標）フレーム等の伝送路で伝送できる形式により伝送路で伝送された後に、ＯＬＴに到着する。ここで、伝送路で伝送できる形式としては、イーサネット（登録商標）フレーム以外のフレームやＴＤＭ等の伝送であってもよい。また、処理結果の伝送には、変換機（図３２におけるＣｏｎｖ．）を介しているが、ＯＳＵやＳＷやλカードが変換機を介さずにアプリの処理結果を受けることが可能とすれば変換機は不要である。サーバ等は、図１６の外部サーバ１６相当であってもよいし、プロキシ部１５相当であってもよい。
【０８１５】
図３３は、ＣＰＵ、スイッチ部（ＳＷ）及びＯＳＵの機能（処理）の例を示す図である。ＣＰＵは、省電力制御機能と、プロテクション機能とを、アプリによって実行する。ＣＰＵは、さらに、保守運用機能（Ｆａｕｌｔ  Ｍａｎａｇｅｍｅｎｔ）と、保守運用機能（ＧＴＣ／ＰＭＤ  ｃｏｎｆｉｇ）と、ＰＯＮアクセス処理機能（ＯＮＵ  ａｃｔｉｖａｔｉｏｎ）と、ＰＯＮアクセス処理機能（ＤＢＡ）と、ＰＯＮアクセス処理機能（λ割当変更）と、保守運用機能（Ｓｅｒｖｉｃｅ  Ｍａｎａｇｅｍｅｎｔ）と、保守運用機能（Ｅｑｕｉｐｍｅｎｔ  Ｍａｎａｇｅｍｅｎｔ）とを実行する。またさらに、ＣＰＵは、保守運用機能（Ｆａｕｌｔ  Ｐｅｒｆｏｒｍａｎｃｅ  Ｍａｎａｇｅｍｅｎｔ）と、マルチキャスト機能（ＭＬＤ）とを、アプリによって実行する。
【０８１６】
スイッチ（ＳＷ）は、Ｌ２信号処理機能（ＶＬＡＮ）と、Ｌ２信号処理機能（ＱｏＳ、Ｑｕａｌｉｔｙ  ｏｆ  Ｓｅｒｖｉｃｅ）と、Ｌ２信号処理機能（Ｍｕｘ／ＤＭｕｘ、ＸＣ、Ｃｒｏｓｓ  Ｃｏｎｎｅｃｔ）と、マルチキャスト機能（Ｃｏｐｙ）とを、アプリによって実行する。ＯＳＵのＭＡＣは、ＰＯＮ主信号処理機能（Ｓｅｃｕｒｉｔｙ）と、ＰＯＮ主信号処理機能（Ｆｒａｍｉｎｇ）と、ＰＯＮ主信号処理機能（ＦＥＣ）と、周波数・時刻同期機能とを、アプリによって実行する。
【０８１７】
図３３では、ＣＰＵの囲みが基本機能部１３２と独自機能での処理、ＯＳＵのＭＡＣがベンダ依存部分での処理の例を示しているが、この分類に限定しない。図３３のＣＰＵは、図３２のＣＰＵパッケージや、図３２のサーバ等上やそれ以外の処理能力を持つ箇所又はそれらの組み合わせであってもよい。ＯＳＵのＭＡＣは、ＯＳＵ処理をする専用のＬＳＩを想定しているが、同等の処理が可能であれば汎用ＬＳＩを用いてもよい。
【０８１８】
図３４は、主要８機能のアプリの処理とＧ．９８９．３機能との対応の例を示す図である。ＤＢＡアプリと、ＤＷＢＡアプリと、ＯＮＵ登録認証アプリと、省電力アプリと、プロテクションと、高速監視アプリとは、ＴＷＤＭ  ＴＣレイヤのＴＷＤＭ  ＴＣ機能部（ＴＷＤＭ  ＴＣ  ｆｕｎｃｔｉｏｎｓ）と接続されている。ＭＬＤプロシキは、Ｌ２機能部（Ｌ２  ｆｕｎｃｔｉｏｎ）と接続されている。Ｌ２機能部は、ユーザ・データ・クライアント（Ｕｓｅｒ  Ｄａｔａ  Ｃｌｉｅｎｔ）と接続されている。設定・管理アプリと、低速監視アプリ（ＯＭＣＩ）と、低速監視アプリ（ＯＳＳ−ＩＦ）とは、Ｌ２機能部（Ｌ２  ｆｕｎｃｔｉｏｎ）に接続されている。設定・管理アプリと、低速監視アプリ（ＯＭＣＩ）と、低速監視アプリ（ＯＳＳ−ＩＦ）とは、更にＯＭＣＩクライアントに接続されている。
【０８１９】
図３５は、ＰＬＯＡＭ及びＯＭＣＩをＳＷ経由で取得する構成の例を示す図である。すなわち、図３５は、ＰＬＯＡＭ及びＯＭＣＩが、ユーザデータに加えて、図１６の制御部１４又はプロキシ部１５又は外部サーバ１６から、対応するデータをＳＷ経由で取得する処理を示す。
【０８２０】
ユーザ・データ・クライアント（Ｕｓｅｒ  Ｄａｔａ  Ｃｌｉｅｎｔ）は、スイッチ部（ＳＷ）経由で、ユーザ・データ・アダプタ（Ｕｓｅｒ  Ｄａｔａ  Ａｄａｐｔｅｒ）からデータを取得する。ユーザ・データ・クライアントは、スイッチ部経由で、ユーザ・データ・アダプタにデータを送信する。ＣＰＵのＯＭＣＩクライアント（ＯＭＣＩ  Ｃｌｉｅｎｔ）は、スイッチ部経由で、ＯＭＣＩアダプタ（ＯＭＣＩ  Ａｄａｐｔｅｒ）からデータを取得する。ＯＭＣＩクライアントは、スイッチ部経由で、ＯＭＣＩアダプタにデータを送信する。
【０８２１】
ＣＰＵのＰＬＯＡＭプロセッサは、スイッチ部経由で、「ＡＭＣＣ  ＰＨＹアダプテーション・フレーミング部」（ＡＭＣＣ  ＰＨＹ  ａｄａｐｔａｔｉｏｎ  Ａｎｄ  ｆｒａｍｉｎｇ）から、データを取得する。ＣＰＵのＰＬＯＡＭプロセッサは、スイッチ部経由で、「ＡＭＣＣ  ＰＨＹアダプテーション・フレーミング部」に、データを送信する。また、ＣＰＵのＰＬＯＡＭプロセッサは、スイッチ部経由で、ＰＬＯＡＭパーティション部（ＰＬＯＡＭ  ｐａｒｔｉｔｉｏｎ）から、データを取得する。ＣＰＵのＰＬＯＡＭプロセッサは、スイッチ部経由で、ＰＬＯＡＭパーティション部に、データを送信する。
【０８２２】
ＴＷＤＭ  ＴＣレイヤのＴＷＤＭ  ＴＣ機能部（ＴＷＤＭ  ＴＣ  ｆｕｎｃｔｉｏｎｓ）は、スイッチ部経由で、エンベデッド・ヘッダ領域（Ｅｍｂｅｄｄｅｄ  ｈｅａｄｅｒ  ｆｉｅｌｄｓ）から、データを取得する。ＴＷＤＭ  ＴＣレイヤのＴＷＤＭ  ＴＣ機能部は、スイッチ部経由で、エンベデッド・ヘッダ領域にデータを送信する。
【０８２３】
なお、図１１及び図１２の例では、ソフト化領域を、基本機能部１３２、管理・制御エージェント部１３３、拡張機能部１３１、ミドルウェア部１２０としたが、ソフト化領域は、サービスアダプテーション（暗号化、フラグメント処理、ＧＥＭフレーム化／ＸＧＥＭフレーム化、ＰＨＹアダプテーションのＦＥＣ、スクランブル、同期ブロック生成／抽出、ＧＴＣ（ＧＰＯＮ  Ｔｒａｎｓｍｉｓｓｉｏｎ  Ｃｏｎｖｅｒｇｅｎｃｅｓ）フレーム化、ＰＨＹフレーム化、ＳＰ変換、符号化方式も対象としてもよい。アーキテクチャのソフト化機能の実装例とハードウェア部１１１（ＰＨＹ）及びハードウェア部１１２（ＭＡＣ）に対応する機能配備の例を説明する。機能配備は、例えば、ネットワーク機器又は外部のサーバにソフト化機能を備える。
【０８２４】
複数のＯＳＵ、スイッチ、情報処理部及び制御部を備えるＯＬＴを想定する。各ＯＳＵは、波長毎に異なる送受信部を備える。この場合、ミドルウェア部１２０が各ＯＳＵ及びスイッチに搭載され、機器無依存アプリ部１３０などのソフト化領域が情報処理部に搭載される。
【０８２５】
情報処理部すなわちＣＰＵは、機器無依存アプリ部１３０を実行する。機器無依存アプリ部１３０は、ＯＳＵ用の拡張機能部１３１と、スイッチ用の拡張機能部１３１と、制御部用の拡張機能部１３１とを含む。ＯＳＵ用の拡張機能部１３１は、例えば、省電力アプリ、プロテクションアプリ、ＤＢＡアプリ、ＯＮＵ登録認証アプリである。スイッチ用の拡張機能部１３１は、例えば、ＭＬＤプロキシアプリである。制御部用の拡張機能部１３１は、例えば、低速監視アプリ（ＯＭＣＩ）、低速監視アプリ（ＥＭＳ−ＩＦ）、設定・管理アプリである。ＥＭＳは、例えば、ＯＳＳ（Ｏｐｅｒａｔｉｏｎ  Ｓｕｐｐｏｒｔ  Ｓｙｓｔｅｍ）である。
【０８２６】
Ｇ．９８９．３の場合、例えば、図２９、３１〜３３に示すようになる。ＤＢＡアプリの場合、図１１及び図１２に示すミドルウェア部１２０又は図１３及び図１４に示す基本機能部１３２は、ＴＣレイヤのハードウェア部１１１（ＰＨＹ）及びハードウェア部１１２（ＭＡＣ）であるエンベデッドＯＡＭエンジン（Ｅｍｂｅｄｄｅｄ  ＯＡＭ  Ｅｎｇｉｎｅ）を動作させる。そして、ＰＭＤレイヤのハードウェア部１１１（ＰＨＹ）及びハードウェア部１１２（ＭＡＣ）である送受信部がＤＢＡアプリに従って受信する。なお、送受信部がＤＢＡに従わない上り信号でも受信する場合、ＤＢＡアプリに従わないとしてもよい。
【０８２７】
情報処理部は、これらのソフト化機能に限らず、それ以外のソフト化機能を備えていてもよい。ハードウェア部１１１（ＰＨＹ）及びハードウェア部１１２（ＭＡＣ）は、送受信部、ＯＳＵ、スイッチ、制御部、情報処理部に限らない。例えば、情報処理部は、送受信部、ＯＳＵ、スイッチ、制御部に含まれていてもよい。また図１６に示すように、スイッチのＮＮＩ（Ｎｅｔｗｏｒｋ−Ｎｅｔｗｏｒｋ  Ｉｎｔｅｒｆａｃｅ）側に、スイッチに入出力する信号を処理するプロキシ部又は外部サーバを備えていてもよい。外部サーバ１６は、複数の装置を備えるデータセンタ等のいわゆるクラウドと呼ばれる情報処理機能であってもよい。
【０８２８】
各機能は、処理能力や処理遅延の要求に応じて適宜配置してもよい。また、ＯＳＵにスイッチ部１２又はスイッチ部１３を備えていてもよいし、スイッチとは別途スイッチ（スイッチ部１３を備える場合のスイッチ部１２）を備えていてもよい。スイッチの機能はスイッチ部１２とスイッチ部１３で重複せずにスイッチの処理能力等に従って適宜分担することが望ましいが、重複してもよい。
【０８２９】
ソフト化機能を配備する箇所は、情報処理部に限らず、複数の演算処理可能な箇所に配置してもよい。例えば、ソフト化機能を配備する箇所は、送受信部、ＯＳＵのスイッチ、ＯＳＵのスイッチ以外、ＯＬＴの制御部、ＯＬＴのスイッチ、ＯＬＴの情報処理部、ＯＬＴのスイッチと制御部と情報処理部以外、スイッチのＮＮＩ側にスイッチに入出力する信号を処理するプロキシ部また外部サーバ等の処理装置のいずれかであってもよい。
【０８３０】
また、ソフト化機能の配置は、ソフト化機能毎であってもよいし、単一のソフト化機能を分割したソフト化機能の一部であってもよい。例えば、送受信部に関するものを送受信部以外の他の箇所、例えば、ＯＳＵのスイッチ、ＯＳＵの送受信部以外且つスイッチ以外、ＯＬＴのスイッチ、ＯＬＴの制御部、ＯＬＴの情報処理部、ＯＬＴのそれ以外、ＯＬＴの外部で主信号の経路上にあるプロキシ部、外部サーバ等のどこか又は複数の配備場所の組み合わせに配備してもよい。ＰＯＮ終端に関するものをＰＯＮ終端処理配備箇所以外の他の箇所、例えば、ＯＳＵの送受信部、ＯＳＵのスイッチ、ＯＳＵの送受信部以外且つスイッチ以外、ＯＬＴのスイッチ、ＯＬＴの制御部、ＯＬＴの情報処理部、ＯＬＴのそれ以外、ＯＬＴの外部で主信号の経路上にあるプロキシ部、外部サーバ等のどこか又は複数の配備場所の組み合わせに配備してもよい。
【０８３１】
ＯＮＵのスイッチに関するものをＯＮＵのスイッチ以外の他の箇所、例えば、送受信部、ＯＳＵの送受信部以外且つスイッチ以外、ＯＬＴのスイッチ、ＯＬＴの制御部、ＯＬＴの情報処理部、ＯＬＴのそれ以外、ＯＬＴの外部で主信号の経路上にあるプロキシ部、外部サーバ等のどこか又は複数の配備場所の組み合わせに配備してもよい。ＯＬＴのスイッチに関するものをＯＬＴのスイッチ以外の他の箇所、例えば、送受信部、ＯＳＵのスイッチ、ＯＳＵの送受信部以外且つスイッチ以外、ＯＬＴの制御部、ＯＬＴの情報処理部、ＯＬＴのそれ以外、ＯＬＴの外部で主信号の経路上にあるプロキシ部、外部サーバ等のどこか又は複数の配備場所の組み合わせに配備してもよい。
【０８３２】
また、ソフト化機能を配備する箇所は拡張機能部１３１の配備の状況や、演算可能な箇所の演算能力や演算負荷や消費電力等に応じて、適宜変更してもよい。
【０８３３】
ＯＬＴの主信号処理に係る主要な機能と機能間の関係を説明する。ＯＬＴ機能をスイッチに移行する。ＰＨＹアダプテーション機能、フレーム化機能、サービスアダプテーション機能などのＰＯＮ区間処理を行うＰＯＮ主信号処理機能を、送受信部に配備する。ＯＮＵ登録又は認証機能、ＤＢＡ制御機能、ＤＷＡ機能などのＰＯＮアクセス制御機能を情報処理部に配備する。フレーム化で利用されるＶＬＡＮ制御、シェーパの前段の優先制御、マックス又はデマックス（Ｍｕｘ／ＤＭｕｘ）及びキュー（Ｑｕｅｕｅ）、並びにフレーム化の前段のシェーパなどのＬ２主信号処理機能をスイッチに配備する。
【０８３４】
シェーパの前段のコピー機能、コピーで利用されるＭＬＤプロキシなどのマルチキャスト機能をスイッチに配備する。このように、ＰＯＮに配備されていたＰＯＮ主信号処理機能及びＰＯＮアクセス制御機能をスイッチに配備することで、ＰＯＮ基本機能部を縮小する。特に、Ｌ２主信号処理は重複を避け、スイッチに配備することが好ましい。
【０８３５】
なお、スイッチの機能として、Ｃｌａｓｓｉｆｉｅｒ（クラシファイア）、Ｍｏｄｉｆｉｅｒ（モディファイア）、Ｐｏｌｉｃｅｒ／Ｓｈａｐｅｒ（ポリサー／シェーパ）、Ｃｒｏｓｓ  Ｃｏｎｎｅｃｔ（クロス・コネクト）、Ｑｕｅｕｅ（キュー）、Ｓｃｈｅｄｕｌｅｒ（スケジューラ）の順に備える前提で例示したが適宜変更してもよい。例えば、上り方向であり、帯域割当単位の中で処理を行わなければ、ＯＮＵからの入力をバースト送信のためのプリアンブルやバーストオーバーヘッドを外し、フレームをデカプセル化したり、ＬＬＩＤを外したりして、ＰＯＮを終端のみし、Ｃｌａｓｓｉｆｉｅｒ、Ｍｏｄｉｆｉｅｒ、Ｐｏｌｉｃｅｒ／Ｓｈａｐｅｒ、Ｃｒｏｓｓ  Ｃｏｎｎｅｃｔ、Ｑｕｅｕｅ、Ｓｃｈｅｄｕｌｅｒの全ての機能をスイッチで実施してもよいし、スイッチでＭｏｄｉｆｉｅｒ、Ｃｒｏｓｓ  Ｃｏｎｎｅｃｔ、Ｑｕｅｕｅ、Ｓｃｈｅｄｕｌｅｒのみ実施してもよい。
【０８３６】
更に、ＰＯＮ終端後のパス等を記載するＶＩＤ等をＯＮＵで付与すれば、Ｃｒｏｓｓ  Ｃｏｎｎｅｃｔ、Ｑｕｅｕｅ、Ｓｃｈｅｄｕｌｅｒすればよい。上位ネットワークが単一パスと見做せれば、Ｑｕｅｕｅ、Ｓｃｈｅｄｕｌｅｒでよい。また、Ｃｒｏｓｓ  Ｃｏｎｎｅｃｔでフレームが衝突しないようにＤＢＡすれば、Ｃｌａｓｓｉｆｉｅｒ、Ｍｏｄｉｆｉｅｒ、Ｐｏｌｉｃｅｒ／Ｓｈａｐｅｒ、Ｃｒｏｓｓ  Ｃｏｎｎｅｃｔ、とすることができる。更に、上り方向であり、帯域割当単位の中で処理を行わなければ、ＯＮＵからの入力をバースト送信のためのプリアンブルやバーストオーバーヘッドを外し、フレームをデカプセル化したり、ＬＬＩＤを外したりして、ＰＯＮを終端のみし、ＰＯＮ終端後のパス等を記載するＶＩＤ等をＯＮＵで付与すれば、Ｃｒｏｓｓ  Ｃｏｎｎｅｃｔのみとすることもできる。
【０８３７】
また、Ｃｌａｓｓｉｆｉｅｒ、Ｍｏｄｉｆｉｅｒ、Ｐｏｌｉｃｅｒ／Ｓｈａｐｅｒ、Ｃｒｏｓｓ  Ｃｏｎｎｅｃｔ、Ｑｕｅｕｅ、Ｓｃｈｅｄｕｌｅｒで、Ｃｌａｓｓｉｆｉｅｒ、Ｐｏｌｉｃｅｒ／Ｓｈａｐｅｒ、Ｍｏｄｉｆｉｅｒ、Ｃｒｏｓｓ  Ｃｏｎｎｅｃｔ、Ｑｕｅｕｅ、Ｓｃｈｅｄｕｌｅｒとしてもよいし、Ｐｏｌｉｃｅｒ／Ｓｈａｐｅｒの前段にＱｕｅｕｅを置いて、Ｃｌａｓｓｉｆｉｅｒ、Ｍｏｄｉｆｉｅｒ、Ｑｕｅｕｅ、Ｐｏｌｉｃｅｒ／Ｓｈａｐｅｒ、Ｃｒｏｓｓ  Ｃｏｎｎｅｃｔ、Ｓｃｈｅｄｕｌｅｒとしたり、Ｃｌａｓｓｉｆｉｅｒ、Ｑｕｅｕｅ、Ｐｏｌｉｃｅｒ／Ｓｈａｐｅｒ、Ｍｏｄｉｆｉｅｒ、Ｃｒｏｓｓ  Ｃｏｎｎｅｃｔ、Ｓｃｈｅｄｕｌｅｒとしたりしてもよい。ＰＯＮのバースト伝送や、マルチキャスト等の優先トラフィックを多重することによって生ずるバースト性による不要のＰｏｌｉｃｉｎｇ（ポリシング）／Ｓｈａｐｉｎｇ（シェイピング）や、受信側での平準化したトラフィックの受信を考慮するとＰｏｌｉｃｅｒ／Ｓｈａｐｅｒの前段にＱｕｅｕｅを置いて平準化した後にＰｏｌｉｃｉｎｇ／Ｓｈａｐｉｎｇによる処理を実行することが望ましい。
【０８３８】
特定の状態への状態遷移に際して、スリープ動作等の主体は、スリープ動作等の主体（通信装置が備える機器）の指示を、スリープ動作等の主体とは独立している外部に保管することによって、動作を継承することが可能となる。特定の状態は、例えば、スリープ状態、運用系の通信装置の切替状態、ユーザ収容切替状態、マルチキャスト状態である。情報が通信装置の外部に保持されているため、他の通信装置への切替に際して、スリープ動作等の継承性が失われないようにすることが可能となる。通信装置は、機器が保持している情報の継承性を確保することが可能となる。
【０８３９】
また、通常の汎用化、ソフトウェア化したスイッチを実行部として流用することによって、汎用化、ソフトウェア化したスイッチの安価且つ柔軟かつ迅速な機能追加が可能なＯＬＴを実現することが可能となる。
【０８４０】
以上示した実施形態１−１に係る構成は、以下の実施形態でも同様であり、適宜組み合わせてもよい。例えば、図１６では、本システムが、実行部の構成が送受信部１１（ＴＲｘ）、スイッチ部１２及びスイッチ部１３のみの場合を例示するが、送受信部１１（ＴＲｘ）、スイッチ部１２及びスイッチ部１３以外の箇所、それ以外の場所、ＰＯＮの終端する箇所や、制御部１４を実行部としてもよい。
【０８４１】
（実施形態１−２）
実施形態１−１ではＴＷＤＭ−ＰＯＮに用いられる構成を例示したが、ＴＤＭ−ＰＯＮに適用してもよい。ＴＤＭ−ＰＯＮでは、λ設定切替（ＤＷＡ）のようなＯＮＵの間ＯＮＵ−ＯＬＴのＰＯＮ区間の波長リソースを波長分割多重する機能を備えていなくてもよいことを除けば実施形態１−１と同様である。
【０８４２】
（実施形態１−３）
実施形態１−１ではＴＷＤＭ−ＰＯＮに用いられる構成を例示したが、ＷＤＭ−ＰＯＮに適用してもよい。ＷＤＭ−ＰＯＮでは、ＤＢＡのようなＯＮＵの間ＯＮＵ−ＯＬＴのＰＯＮ区間の帯域リソースを時分割多重する機能を備えていなくてもよいことを除けば、実施形態１−３は実施形態１−１と同様である。
【０８４３】
（実施形態１−４）
本実施形態は、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘ）−ＰＯＮ、ＣＤＭ（Ｃｏｄｅ  Ｄｉｖｉｓｉｏｎ  Ｍｕｌｔｉｐｌｅｘ）−ＰＯＮ、ＳＣＭ（Ｓｕｂｃａｒｒｉｅｒ  Ｍｕｌｔｉｐｌｅｘ）−ＰＯＮ、芯線分割多重を含めた組み合わせである。
【０８４４】
実施形態１−１ではＴＷＤＭ−ＰＯＮに用いられる構成を例示したが、波長と時間以外のリソースを共用するＰＯＮに適用してもよい。例えば、１波長の電気の周波数リソースを分割多重するＯＦＤＭ−ＰＯＮ、１波長の電気の周波数リソースを分割多重するＳＣＭ−ＰＯＮ、符号で分割多重するＣＤＭ−ＰＯＮに適用してもよいし、芯線分割多重を併用してもよいし、マルチコアファイバ等を用いた空間分割多重を併用してもよいし、波長分割多重を用いなくてもよい。ＴＷＤＭ−ＰＯＮの波長リソースを波長分割多重する機能を、それぞれの多重するリソースに分割多重するに要する機能に対応する機能に読み替えれば同様である。
【０８４５】
（実施形態２）
実施形態２では、ＴＷＤＭ−ＰＯＮに用いられる構成が、ＧＥＭカプセル化を行う。この場合、ＧＥＭフレームを生成するアダプタをスイッチに備え、スイッチとそれ以外の部分の間でＧＥＭフレームを導通するようにする。ＧＥＭカプセル化までスイッチに移管することで、それ以外の部分のプロトコルスタックからＬ２機能部を除外し、スイッチとそれ以外の部分で、Ｌ２機能部の重畳を回避することができる。
【０８４６】
なお、ＴＷＤＭ−ＰＯＮを例に挙げたが、実施形態１−２〜実施形態１−４のように、ＰＯＮ区間での識別するためのフレームを同様に扱えばそれ以外のＰＯＮであっても同様の効果が得られる。例えば、ＩＥＥＥの規格のＧＥ−ＰＯＮ、１０ＧＥ−ＰＯＮ等であれば、ＧＥＭフレームの代わりに、ＬＬＩＤを付与してＬＬＩＤの付与されたフレームをスイッチとそれ以外の部分の間を導通するようすればよい。
【０８４７】
（実施形態３）
実施形態３では、ＴＷＤＭ−ＰＯＮに用いられる制御情報が、スイッチを経由する。この場合、ブリッジ機能関連をスイッチに移管する代わりに、制御情報を保持するＰＬＯＡＭ、Ｅｍｂｅｄｄｅｄ  ＯＡＭ、ＯＭＣＩのいずれかを必要に応じてフレーム化してスイッチ経由で処理する。制御情報をスイッチ経由で入出力することで、スイッチ以外の処理が軽くなる効果がある。なお、実施形態３の移管に加えて、実施形態１及び実施形態２のブリッジ機能のスイッチへの移管を行ってもよい。
【０８４８】
なお、ＴＷＤＭ−ＰＯＮを例に挙げたが、制御情報を同様に扱いスイッチ経由で処理すれば、実施形態１−２〜実施形態１−４のように、それ以外のＰＯＮであっても同様の効果が得られる。
【０８４９】
上述した実施形態における通信装置の少なくとも一部をコンピュータで実現するようにしてもよい。その場合、この機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。更に「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、更に前述した機能をコンピュータシステムに既に記録されているプログラムとの組み合わせで実現できるものであってもよく、ＦＰＧＡ（Ｆｉｅｌｄ  Ｐｒｏｇｒａｍｍａｂｌｅ  Ｇａｔｅ  Ａｒｒａｙ）等のプログラマブルロジックデバイスを用いて実現されるものであってもよい。
【０８５０】
以上、この発明の実施形態について図面を参照して詳述してきたが、具体的な構成はこの実施形態に限られるものではない。上記の実施形態は例示に過ぎず、本発明は当業者の知識に基づいて種々の変更、改良を施した形態で実施することができ、この発明の要旨を逸脱しない範囲の設計等も含まれる。
【符号の説明】
【０８５１】
１…ＰＯＮシステム、２…ＯＮＵ、３…ＯＤＮ、４…ＯＬＴ、５…コントローラ、６…コ
ントローラ、１０…光スイッチ部、１１…送受信部、１２…スイッチ部、１３…スイッチ部、１４…制御部、１５…プロキシ部、１６…外部サーバ、２１…機器無依存ＡＰＩ、２２…機器無依存ＡＰＩ、２３…機器依存ＡＰＩ、２４…機器依存ＡＰＩ、２５…機器依存ＡＰＩ、２６…ＡＰＩ、２７…機器無依存ＡＰＩ、１１０…機器依存部、１１１…ハードウェア部、１１２…ハードウェア部、１１３…ソフトウェア部、１１４…ＯＡＭ部、１１４ａ…エンベデッドＯＡＭエンジン、１１４ｂ…ＰＬＯＡＭエンジン、１１５…ＮＥ管理・制御部、１１５ａ…ＮＥ管理部、１１５ｂ…ＮＥコントロール、１２０…ミドルウェア部、１２１…ミドルウェア部、１３０…機器無依存アプリ部、１３１…拡張機能部、１３１−１…拡張機能部、１３１−２…拡張機能部、１３１−３…拡張機能部、１３２…基本機能部、１３３…管理・制御エージェント部、１４０…ＥＭＳ、１５０…機器依存アプリ部、１６０…外部の装置、３００…ＰＯＮ主信号処理機能部、３１０…ＰＭＤ部、３２０…ＰＯＮアクセス制御機能部、３３０…保守運用機能部、３４０…Ｌ２主信号処理機能部、３５０…ＰＯＮマルチキャスト機能部、３６０…省電力制御機能部、３７０…周波数・時刻同期機能部、３８０…プロテクション機能部
【図１】
2018142837.tif 000003
【図２】
2018142837.tif 000004
【図３】
2018142837.tif 000005
【図４】
2018142837.tif 000006
【図５】
2018142837.tif 000007
【図６】
2018142837.tif 000008
【図７】
2018142837.tif 000009
【図８】
2018142837.tif 000010
【図９】
2018142837.tif 000011
【図１０】
2018142837.tif 000012
【図１１】
2018142837.tif 000013
【図１２】
2018142837.tif 000014
【図１３】
2018142837.tif 000015
【図１４】
2018142837.tif 000016
【図１５】
2018142837.tif 000017
【図１６】
2018142837.tif 000018
【図１７】
2018142837.tif 000019
【図１８】
2018142837.tif 000020
【図１９】
2018142837.tif 000021
【図２０】
2018142837.tif 000022
【図２１】
2018142837.tif 000023
【図２２】
2018142837.tif 000024
【図２３】
2018142837.tif 000025
【図２４】
2018142837.tif 000026
【図２５】
2018142837.tif 000027
【図２６】
2018142837.tif 000028
【図２７】
2018142837.tif 000029
【図２８】
2018142837.tif 000030
【図２９】
2018142837.tif 000031
【図３０】
2018142837.tif 000032
【図３１】
2018142837.tif 000033
【図３２】
2018142837.tif 000034
【図３３】
2018142837.tif 000035
【図３４】
2018142837.tif 000036
【図３５】
2018142837.tif 000037